(57)【要約】この出願の実施形態は、その開始サブフレームがＰ０に対応するサブフレームであるＰＤＣＣＨサーチスペース内にページングスケジューリングメッセージが存在するかどうかを端末デバイスが検出する及び／又はＷＵＳがＰ０の前に存在するかどうかを検出するときに端末デバイスの電力消費を低減するための参照信号送信方法、参照信号受信方法、デバイス、及びシステムを提供する。参照信号送信方法は、ネットワークデバイスが、第１の時間期間における時間領域リソースを、不連続受信期間におけるページング機会の数量に基づいて決定することであって、時間領域リソースは、参照信号を送信するために利用される時間−周波数リソースにおける時間領域リソースである、ことと、ネットワークデバイスが、時間領域リソース上で参照信号を端末デバイスに送信することとを含む。
2021536183.tif 000002
【特許請求の範囲】
【請求項１】
参照信号送信方法であって、前記方法は、
ネットワークデバイスによって、不連続受信期間におけるページング機会の数量に基づいて、第１の持続時間における時間領域リソースを決定するステップであって、前記時間領域リソースは、前記参照信号を送信するために利用される時間−周波数リソースにおける時間領域リソースである、ステップと、
前記ネットワークデバイスによって、前記時間−周波数リソース上で前記参照信号を端末デバイスに送信するステップと、
を含む、参照信号送信方法。
【請求項２】
参照信号受信方法であって、前記方法は、
端末デバイスによって、不連続受信期間におけるページング機会の数量に基づいて、第１の持続時間における時間領域リソースを決定するステップであって、前記時間領域リソースは、前記参照信号を送信するために利用される時間−周波数リソースにおける時間領域リソースである、ステップと、
前記端末デバイスによって、前記時間−周波数リソース上で前記参照信号をネットワークデバイスから受信するステップと、
を含む、参照信号受信方法。
【請求項３】
ネットワークデバイスであって、前記ネットワークデバイスは、トランシーバモジュールと、処理モジュールとを含み、
前記処理モジュールは、不連続受信期間におけるページング機会の数量に基づいて、第１の持続時間における時間領域リソースを決定することであって、前記時間領域リソースは、前記参照信号を送信するために利用される時間−周波数リソースにおける時間領域リソースである、ことを行うように構成され、
前記トランシーバモジュールは、前記時間−周波数リソース上で、前記参照信号を端末デバイスに送信するように構成される、
ネットワークデバイス。
【請求項４】
端末デバイスであって、前記端末デバイスは、トランシーバモジュールと、処理モジュールとを含み、
前記処理モジュールは、不連続受信期間におけるページング機会の数量に基づいて、第１の持続時間における時間領域リソースを決定することであって、前記時間領域リソースは、前記参照信号を送信するために利用される時間−周波数リソースにおける時間領域リソースである、ことを行うように構成され、
前記トランシーバモジュールは、前記時間−周波数リソース上で、前記参照信号をネットワークデバイスから受信するように構成される、
端末デバイス。
【請求項５】
前記時間領域リソースは、第１の時間領域リソース及び第２の時間領域リソースのうちの少なくとも１つを含み、
前記第１の時間領域リソースは、前記第１の持続時間における１つ又は複数のページング機会に対応するサブフレームと、前記１つ又は複数のページング機会のそれぞれに対応するサブフレームの前のＸ１個のサブフレームと、前記１つ又は複数のページング機会のそれぞれに対応する前記サブフレームの後のＹ１個のサブフレームとを含み、Ｘ１は、０以上の整数であり、Ｙ１は、０以上の整数であり、Ｘ１とＹ１の和は、前記不連続受信期間における前記ページング機会の数量に関連し、
前記第２の時間領域リソースは、前記第１の時間期間における１つ又は複数のウェイクアップ信号の開始サブフレームと、前記１つ又は複数のウェイクアップ信号のそれぞれの開始サブフレームの前のＸ２個のサブフレームと、前記１つ又は複数のウェイクアップ信号のそれぞれの前記開始サブフレームの後のＹ２個のサブフレームとを含み、Ｘ２は、０以上の整数であり、Ｙ２は、０以上の整数であり、Ｘ２とＹ２の和は、前記不連続受信期間における前記ページング機会の数量に関連する、
請求項１〜４のいずれか１項に記載の送信方法、受信方法、ネットワークデバイス、又は端末デバイス。
【請求項６】
前記Ｘ１個のサブフレームは、各ページング機会に対応する前記サブフレームの前に続くＸ１個の連続したサブフレームであり、前記Ｙ１個のサブフレームは、各ページング機会に対応する前記サブフレームの後に続くＹ１個の連続したサブフレームである、
請求項５に記載の送信方法、受信方法、ネットワークデバイス、又は端末デバイス。
【請求項７】
前記方法は、
前記ネットワークデバイスによって、前記参照信号の第１の構成情報を前記端末デバイスに送信するステップであって、前記第１の構成情報は、Ｘ１と、Ｙ１と、第１の期間と、前記第１の持続時間と、前記第１の期間における前記第１の持続時間のオフセットと、前記第１の持続時間の繰り返しの数量と、のうちの少なくとも１つを含み、前記第１の期間は、前記不連続受信期間に関連する期間であり、前記第１の持続時間は、前記第１の期間における時間の期間である、ステップをさらに含む、
請求項５又は６に記載の送信方法。
【請求項８】
前記方法は、
前記端末デバイスによって、前記参照信号の第１の構成情報を前記ネットワークデバイスから受信するステップであって、前記第１の構成情報は、Ｘ１と、Ｙ１と、第１の期間と、前記第１の持続時間と、前記第１の期間における前記第１の持続時間のオフセットと、前記第１の持続時間の繰り返しの数量と、のうちの少なくとも１つを含み、前記第１の期間は、前記不連続受信期間に関連する期間であり、前記第１の持続時間は、前記第１の期間における時間の期間である、ステップをさらに含む、
請求項５又は６に記載の受信方法。
【請求項９】
前記トランシーバモジュールは、前記参照信号の第１の構成情報を前記端末デバイスに送信するようにさらに構成され、
前記第１の構成情報は、Ｘ１と、Ｙ１と、第１の期間と、前記第１の持続時間と、前記第１の期間における前記第１の持続時間のオフセットと、前記第１の持続時間の繰り返しの数量と、のうちの少なくとも１つを含み、前記第１の期間は、前記不連続受信期間に関連する期間であり、前記第１の持続時間は、前記第１の期間における時間の期間である、
請求項５又は６に記載のネットワークデバイス。
【請求項１０】
前記トランシーバモジュールは、前記参照信号の第１の構成情報を前記ネットワークデバイスから受信するようにさらに構成され、
前記第１の構成情報は、Ｘ１と、Ｙ１と、第１の期間と、前記第１の持続時間と、前記第１の期間における前記第１の持続時間のオフセットと、前記第１の持続時間の繰り返しの数量と、のうちの少なくとも１つを含み、前記第１の期間は、前記不連続受信期間に関連する期間であり、前記第１の持続時間は、前記第１の期間における時間の期間である、
請求項５又は６に記載の端末デバイス。
【請求項１１】
前記Ｘ２個のサブフレームは、各ウェイクアップ信号の前記開始サブフレームの前に続くＸ２個の連続したサブフレームであり、前記Ｙ２個のサブフレームは、各ウェイクアップ信号の前記開始サブフレームの後に続くＹ２個の連続したサブフレームである、
請求項５に記載の送信方法、受信方法、ネットワークデバイス、又は端末デバイス。
【請求項１２】
前記方法は、
前記ネットワークデバイスによって、前記参照信号の第２の構成情報を前記端末デバイスに送信するステップであって、前記第２の構成情報は、Ｘ２、Ｙ２、第１の期間、前記第１の持続時間、前記第１の期間における前記第１の持続時間のオフセット、又は、前記第１の持続時間の繰り返しの数量のうちの少なくとも１つを含み、前記第１の期間は、前記不連続受信期間に関連する期間であり、前記第１の持続時間は、前記第１の期間における時間の期間である、ステップをさらに含む、
請求項５〜１１のいずれか１項に記載の送信方法。
【請求項１３】
前記方法は、
前記端末デバイスによって、前記参照信号の第２の構成情報を前記ネットワークデバイスから受信するステップであって、前記第２の構成情報は、Ｘ２、Ｙ２、第１の期間、前記第１の持続時間、前記第１の期間における前記第１の持続時間のオフセット、又は、前記第１の持続時間の繰り返しの数量のうちの少なくとも１つを含み、前記第１の期間は、前記不連続受信期間に関連する期間であり、前記第１の持続時間は、前記第１の期間における時間の期間である、ステップをさらに含む、
請求項５又は１１に記載の受信方法。
【請求項１４】
前記トランシーバモジュールは、前記参照信号の第２の構成情報を前記端末デバイスに送信するようにさらに構成され、前記第２の構成情報は、Ｘ２、Ｙ２、第１の期間、前記第１の持続時間、前記第１の期間における前記第１の持続時間のオフセット、又は、前記第１の持続時間の繰り返しの数量のうちの少なくとも１つを含み、前記第１の期間は、前記不連続受信期間に関連する期間であり、前記第１の持続時間は、前記第１の期間における時間の期間である、
請求項５又は１１に記載のネットワークデバイス。
【請求項１５】
前記トランシーバモジュールは、前記参照信号の第２の構成情報を前記ネットワークデバイスから受信するようにさらに構成され、前記第２の構成情報は、Ｘ２、Ｙ２、第１の期間、前記第１の持続時間、前記第１の期間における前記第１の持続時間のオフセット、又は、前記第１の持続時間の繰り返しの数量のうちの少なくとも１つを含み、前記第１の期間は、前記不連続受信期間に関連する期間であり、前記第１の持続時間は、前記第１の期間における時間の期間である、
請求項５又は１１に記載の端末デバイス。
【請求項１６】
前記第１の持続時間における前記１つ又は複数のページング機会は、前記第１の持続時間における全ての前記ページング機会のＭ１個のページング機会毎に、Ｎ１個のページング機会を含み、Ｍ１は、１以上の整数であり、Ｎ１は、１以上の整数であり、Ｍ１は、Ｎ１以上である、
請求項５〜１５のいずれか１項に記載の送信方法、受信方法、ネットワークデバイス、又は端末デバイス。
【請求項１７】
前記Ｎ１個のページング機会は、Ｍ１個のページング機会毎の、最初のＮ１個の連続したページング機会である、又は、
前記Ｎ１個のページング機会は、Ｍ１個のページング機会毎の、最後のＮ１個の連続したページング機会である、又は、
前記Ｎ１個のページング機会は、Ｍ１ビットのビットマップによって表され、前記Ｍ１ビットのビットマップにおける各ビットが、全てのＭ１個のページング機会のそれぞれに対応するサブフレームにおいて前記参照信号が送信されるかどうかを示すために利用される、
請求項１６に記載の送信方法、受信方法、ネットワークデバイス、又は端末デバイス。
【請求項１８】
前記方法は、
前記ネットワークデバイスによって、前記参照信号の第３の構成情報を前記端末デバイスに送信するステップであって、前記第３の構成情報は、Ｍ１とＮ１とを含むか、又は前記Ｍ１ビットのビットマップを含む、ステップをさらに含む、
請求項１６又は１７に記載の送信方法。
【請求項１９】
前記方法は、
前記端末デバイスによって、前記参照信号の第３の構成情報を前記ネットワークデバイスから受信するステップであって、前記第３の構成情報は、Ｍ１とＮ１とを含むか、又は前記Ｍ１ビットのビットマップを含む、ステップをさらに含む、
請求項１６又は１７に記載の受信方法。
【請求項２０】
前記トランシーバモジュールは、前記参照信号の第３の構成情報を前記端末デバイスに送信するようにさらに構成され、前記第３の構成情報は、Ｍ１とＮ１とを含むか、又は前記Ｍ１ビットのビットマップを含む、
請求項１６又は１７に記載のネットワークデバイス。
【請求項２１】
前記方法は、
前記トランシーバモジュールが、前記参照信号の第３の構成情報を前記ネットワークデバイスから受信するようにさらに構成され、前記第３の構成情報が、Ｍ１とＮ１とを含むか、又は前記Ｍ１ビットのビットマップを含む、ことをさらに含む、
請求項１６又は１７に記載の受信方法。
【請求項２２】
前記第１の持続時間における前記１つ又は複数のウェイクアップ信号は、前記第１の持続時間における全ての前記ウェイクアップ信号のＭ２個のウェイクアップ信号毎に、Ｎ２個のウェイクアップ信号を含み、Ｍ２は、１以上の整数であり、Ｎ２は、１以上の整数であり、Ｍ２は、Ｎ２以上である、
請求項５〜１５のいずれか１項に記載の送信方法、受信方法、ネットワークデバイス、又は端末デバイス。
【請求項２３】
前記Ｎ２個のウェイクアップ信号は、Ｍ２個のウェイクアップ信号毎の、最初のＮ２個の連続したウェイクアップ信号である、又は、
前記Ｎ２個のウェイクアップ信号は、Ｍ２個のウェイクアップ信号毎の、最後のＮ２個の連続したウェイクアップ信号である、又は
前記Ｎ２個のウェイクアップ信号は、Ｍ２ビットのビットマップによって表され、前記Ｍ２ビットのビットマップにおける各ビットが、全てのＭ２個のウェイクアップ信号のそれぞれの開始サブフレームにおいて前記参照信号が送信されるかどうかを示すために利用される、
請求項２２に記載の送信方法、受信方法、ネットワークデバイス、又は端末デバイス。
【請求項２４】
前記方法は、
前記ネットワークデバイスによって、前記参照信号の第４の構成情報を前記端末デバイスに送信するステップであって、前記第４の構成情報は、Ｍ２とＮ２とを含むか、又は前記Ｍ２ビットのビットマップを含む、ステップをさらに含む、
請求項２２又は２３に記載の送信方法。
【請求項２５】
前記方法は、
前記端末デバイスによって、前記参照信号の第４の構成情報を前記ネットワークデバイスから受信するステップであって、前記第４の構成情報は、Ｍ２とＮ２とを含むか、又は前記Ｍ２ビットのビットマップを含む、ステップをさらに含む、
請求項２２又は２３に記載の受信方法。
【請求項２６】
前記トランシーバモジュールは、前記参照信号の第４の構成情報を前記端末デバイスに送信するようにさらに構成され、前記第４の構成情報は、Ｍ２とＮ２とを含むか、又は前記Ｍ２ビットのビットマップを含む、
請求項２２又は２３に記載のネットワークデバイス。
【請求項２７】
前記トランシーバモジュールは、前記参照信号の第４の構成情報を前記ネットワークデバイスから受信するようにさらに構成され、前記第４の構成情報は、Ｍ２とＮ２とを含むか、又は前記Ｍ２ビットのビットマップを含む、
請求項２２又は２３に記載の端末デバイス。
【請求項２８】
Ｘ１とＹ１の和が前記不連続受信期間における前記ページング機会の数量に関連することは、
前記Ｘ１とＹ１の和が、前記不連続受信期間における前記ページング機会の数量に対応する指定値であること、又は
前記Ｘ１とＹ１の和が、前記不連続受信期間における前記ページング機会の数量と、前記不連続受信期間と、第１の指定値とに基づいて前記ネットワークデバイスによって決定されること、を含む、
請求項５〜２７のいずれか１項に記載の送信方法、受信方法、ネットワークデバイス、又は端末デバイス。
【請求項２９】
Ｘ１とＹ１とは、以下の式、
Ｘ１＋Ｙ１＝ｍｉｎ｛４Ｔ／ｎＢ，ａ｝−１
を満たし、ｎＢは、前記不連続受信期間における前記ページング機会の数量を示し、Ｔは、前記不連続受信期間を示し、ａは、前記第１の指定値である、
請求項５〜２８のいずれか１項に記載の送信方法、受信方法、ネットワークデバイス、又は端末デバイス。
【請求項３０】
Ｘ２とＹ２の和が、前記不連続受信期間における前記ページング機会の数量に関連することは、
前記Ｘ２とＹ２の和が、前記不連続受信期間における前記ページング機会の数量に対応する指定値であること、又は
前記Ｘ２とＹ２の和が、前記不連続受信期間における前記ページング機会の数量と、前記不連続受信期間と、第２の指定値とに基づいて、前記ネットワークデバイスによって決定されること、を含む、
請求項５〜２９のいずれか１項に記載の送信方法、受信方法、ネットワークデバイス、又は端末デバイス。
【請求項３１】
Ｘ２とＹ２とは、以下の式、
Ｘ２＋Ｙ２＝ｍｉｎ｛４Ｔ／ｎＢ，ｂ｝−１
を満たし、ｎＢは、前記不連続受信期間における前記ページング機会の数量を示し、Ｔは、前記不連続受信期間を示し、ｂは、前記第２の指定値である、
請求項５〜３０のいずれか１項に記載の送信方法、受信方法、ネットワークデバイス、又は端末デバイス。
【請求項３２】
前記時間領域リソースは、第３の時間領域リソース又は第４の時間領域リソースのうちの少なくとも１つを含み、
前記第３の時間領域リソースは、前記第１の持続時間における全てのページング機会のＭ３個のページング機会毎の、Ｎ３個のページング機会に対応するサブフレーム、Ｍ３個のページング機会毎の前記Ｎ３個のページング機会のそれぞれに対応するサブフレームの前のＸ５個のサブフレーム、又は、Ｍ３個のページング機会毎の前記Ｎ３個のページング機会のそれぞれに対応する前記サブフレームの後のＹ５個のサブフレーム、の少なくとも１つを含み、Ｍ３は、１以上の整数であり、Ｎ３は、１以上の整数であり、Ｍ３は、Ｎ３以上であり、Ｘ５は、０以上の整数であり、Ｙ５は、０以上の整数であり、Ｍ３は、前記不連続受信期間における前記ページング機会の数量に関連し、
前記第４の時間領域リソースは、前記第１の持続時間における全てのウェイクアップ信号のＭ４個のウェイクアップ信号毎の、Ｎ４個のウェイクアップ信号の開始サブフレーム、Ｍ４個のウェイクアップ信号毎の前記Ｎ４個のウェイクアップ信号のそれぞれの開始サブフレームの前のＸ６個のサブフレーム、又は、Ｍ４個のウェイクアップ信号毎の前記Ｎ４個のウェイクアップ信号のそれぞれの前記開始サブフレームの後のＹ６個のサブフレーム、の少なくとも１つを含み、Ｍ４は、１以上の整数であり、Ｎ４は、１以上の整数であり、Ｍ４は、Ｎ４以上であり、Ｘ６は、０以上の整数であり、Ｙ６は、０以上の整数であり、Ｍ４は、前記不連続受信期間における前記ページング機会の数量に関連する、
請求項１〜４のいずれか１項に記載の送信方法、受信方法、ネットワークデバイス、又は端末デバイス。
【請求項３３】
前記Ｎ３個のページング機会は、Ｍ３個のページング機会毎の最初のＮ３個の連続したページング機会である、又は、
前記Ｎ３個のページング機会は、Ｍ３個のページング機会毎の最後のＮ３個の連続したページング機会である、又は、
前記Ｎ３個のページング機会は、Ｍ３ビットのビットマップによって表され、前記Ｍ３ビットのビットマップにおける各ビットは、前記参照信号が、全てのＭ３個のページング機会のそれぞれに対応するサブフレームにおいて送信されるかどうかを示すために利用される、
請求項３２に記載の送信方法、受信方法、ネットワークデバイス、又は端末デバイス。
【請求項３４】
前記Ｎ４個のウェイクアップ信号は、Ｍ４個のウェイクアップ信号毎の最初のＮ４個の連続したウェイクアップ信号である、又は、
前記Ｎ４個のウェイクアップ信号は、Ｍ４個のウェイクアップ信号毎の最後のＮ４個の連続したウェイクアップ信号である、又は、
前記Ｎ４個のウェイクアップ信号は、Ｍ４ビットのビットマップによって表され、前記Ｍ４ビットのビットマップにおける各ビットは、前記参照信号が、全てのＭ４個のウェイクアップ信号のそれぞれの開始サブフレームにおいて送信されるかどうかを示すために利用される、
請求項３２に記載の送信方法、受信方法、ネットワークデバイス、又は端末デバイス。
【請求項３５】
Ｍ３が、前記不連続受信期間における前記ページング機会の数量に関連することは、
Ｍ３が、前記不連続受信期間における前記ページング機会の数量に対応する指定値であること、又は、
Ｍ３が、前記ネットワークデバイスによって、前記不連続受信期間における前記ページング機会の数量、前記不連続受信期間、及び第５の指定値に基づいて決定されること、
を含む、
請求項３２〜３４のいずれか１項に記載の送信方法、受信方法、ネットワークデバイス、又は端末デバイス。
【請求項３６】
Ｍ３は、以下の式、
Ｍ３＝ｍａｘ｛ａｌｐｈａ１×（４／Ｔ）×ｎＢ，１｝
を満たし、ｎＢは、前記不連続受信期間における前記ページング機会の数量を示し、Ｔは、前記不連続受信期間を示し、ａｌｐｈａ１は、前記第５の指定値である、
請求項３２〜３５のいずれか１項に記載の送信方法、受信方法、ネットワークデバイス、又は端末デバイス。
【請求項３７】
Ｍ４が、前記不連続受信期間における前記ページング機会の数量に関連することは、
Ｍ４が、前記不連続受信期間における前記ページング機会の数量に対応する指定値であること、又は、
Ｍ４が、前記ネットワークデバイスによって、前記不連続受信期間における前記ページング機会の数量、前記不連続受信期間、及び第６の指定値に基づいて決定されること、
を含む、
請求項３２〜３６のいずれか１項に記載の送信方法、受信方法、ネットワークデバイス、又は端末デバイス。
【請求項３８】
Ｍ４は、以下の式、
Ｍ４＝ｍａｘ｛ａｌｐｈａ２×（４／Ｔ）×ｎＢ，１｝
を満たし、ｎＢは、前記不連続受信期間における前記ページング機会の数量を示し、Ｔは、前記不連続受信期間を示し、ａｌｐｈａ２は、前記第６の指定値である、
請求項３２〜３７のいずれか１項に記載の送信方法、受信方法、ネットワークデバイス、又は端末デバイス。
【請求項３９】
前記方法は、
前記ネットワークデバイスによって、第１の指示情報を前記端末デバイスに送信するステップであって、前記第１の指示情報は、前記第１の持続時間における前記時間領域リソースを、前記第１の持続時間における前記ページング機会の数量に基づいて決定することを前記ネットワークデバイスがサポートすることを示すために利用される、ステップをさらに含む、
請求項１、５〜３８のいずれか１項に記載の送信方法。
【請求項４０】
前記方法は、
前記端末デバイスによって、第１の指示情報を前記ネットワークデバイスから受信するステップであって、前記第１の指示情報は、前記第１の持続時間における前記時間領域リソースを、前記第１の持続時間における前記ページング機会の数量に基づいて決定することを前記ネットワークデバイスがサポートすることを示すために利用される、ステップをさらに含む、
請求項２、５〜３８のいずれか１項に記載の受信方法。
【請求項４１】
前記トランシーバモジュールは、第１の指示情報を前記端末デバイスに送信するようにさらに構成され、前記第１の指示情報は、前記第１の持続時間における前記時間領域リソースを、前記第１の持続時間における前記ページング機会の数量に基づいて決定することを前記ネットワークデバイスがサポートすることを示すために利用される、
請求項３、５〜３８のいずれか１項に記載のネットワークデバイス。
【請求項４２】
前記トランシーバモジュールは、第１の指示情報を前記ネットワークデバイスから受信するようにさらに構成され、前記第１の指示情報は、前記第１の持続時間における前記時間領域リソースを、前記第１の持続時間における前記ページング機会の数量に基づいて決定することを前記ネットワークデバイスがサポートすることを示すために利用される、
請求項４、５〜３９のいずれか１項に記載の端末デバイス。
【発明の詳細な説明】
【技術分野】
【０００１】
本出願は、その全体が参照により本明細書に組み込まれる、２０１８年８月３１日に中国国家知識産権局に出願された「ＲＥＦＥＲＥＮＣＥ  ＳＩＧＮＡＬ  ＳＥＮＤＩＮＧ  ＭＥＴＨＯＤ，  ＲＥＦＥＲＥＮＣＥ  ＳＩＧＮＡＬ  ＲＥＣＥＩＶＩＮＧ  ＭＥＴＨＯＤ，  ＤＥＶＩＣＥ，  ＡＮＤ  ＳＹＳＴＥＭ」と題する中国特許出願第ＰＣＴ／ＣＮ２０１８／１０３６６６号の優先権を主張する。
【０００２】
本出願は、通信技術の分野に関し、詳細には、参照信号送信方法、参照信号受信方法、デバイス、及びシステムに関する。
【背景技術】
【０００３】
ワイヤレス通信システムでは、端末デバイスは２つの状態を有する。１つは接続状態であり、これは、端末デバイスがネットワークデバイスへの接続を確立しており、通信を直接実施することができることを示す。１つはアイドル状態であるか、又はスリープ状態と呼ばれ、これは、端末デバイスがネットワークデバイスと直接通信することができないことを示す。端末デバイスが、送信するか又は受信すべきサービスデータを有しないとき、端末デバイスは、電力消費量を低減するためにアイドル状態に入り得る。ネットワークデバイスが、端末デバイスにサービスデータを送信する必要があるか、又は何らかのサービスデータを報告するように端末デバイスに要求するとき、ネットワークデバイスは、ページング機構を使用することによって端末デバイスに通知し得る。アイドル状態における端末デバイスは、周期的にウェイクアップして物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を監視し、ＰＤＣＣＨ中にページングスケジューリングメッセージが存在するかどうかを検出する。ページングスケジューリングメッセージが存在し、ページングスケジューリングがその端末デバイスに固有である場合、アイドル状態における端末デバイスは、接続状態に切り替わって、サービスデータを送信するか又は受信する。端末デバイスがウェイクアップするロケーションはページング機会（ｐａｇｉｎｇ  ｏｃｃａｓｉｏｎ、ＰＯ）と呼ばれる。
【０００４】
しかし、現在のモノのインターネットでは、多くのサービスはアクティブ報告タイプであり、即ち、アップリンク送信が主に実施され、ページング確率は比較的低い。従って、ネットワークデバイスは、開始サブフレームが、ＰＯに対応するサブフレームである、ほとんどのＰＤＣＣＨサーチスペース中で、対応するページングスケジューリングメッセージを送らないが、端末デバイスは、端末デバイスに対応する各ＰＯにおいてＰＤＣＣＨを監視し始める必要が依然としてある。開始サブフレームが、各ＰＯに対応するサブフレームである、ＰＤＣＣＨサーチスペースでは、端末デバイスは、ＰＤＣＣＨサーチスペースの第１の候補ロケーションから開始して、全ての候補ロケーション上でブラインド検出を実施し、次いで、ページングスケジューリングメッセージが存在しないと決定する。これは、端末デバイスの余分の電力消費を引き起こす。
【０００５】
これに基づいて、現在の技術では、ネットワークデバイスは、ＰＯの前に端末デバイスにウェイクアップ信号（ｗａｋｅｕｐ  ｓｉｇｎａｌ、ＷＵＳ）を送信し得るし、ＷＵＳは、端末デバイスがＰＤＣＣＨを監視する必要があるかどうかを示すために使用される。端末デバイスがＰＯの前にＷＵＳを検出するとき、端末デバイスは、ＰＤＣＣＨを監視し続ける必要がある。端末デバイスがＰＯの前にＷＵＳを検出しない場合、それは、開始サブフレームが、ＰＯに対応するサブフレームである、ＰＤＣＣＨサーチスペース中で、ネットワークデバイスが、対応するページングスケジューリングメッセージを送らず、端末デバイスがＰＤＣＣＨを監視する必要がないことを示す。
【０００６】
しかし、端末デバイスが、ＷＵＳがページング機会の前に存在するかどうかを検出するとき、ネットワークデバイスがページング機会の前にＷＵＳを送らない場合でも、端末デバイスは、ＷＵＳの開始サブフレームから監視することを実施し始める必要があり、最大ＷＵＳ持続時間（ｍａｘｉｍｕｍ  ＷＵＳ  ｄｕｒａｔｉｏｎ）が終了した後にのみ、端末デバイスは、ＷＵＳが存在しないことを知る。これも、端末デバイスの余分の電力消費を引き起こす。
【０００７】
従って、開始サブフレームが、ＰＯに対応するサブフレームである、ＰＤＣＣＨサーチスペース中で、ページングスケジューリングメッセージが存在するかどうかを端末デバイスが検出するとき、及び／又はＷＵＳがＰＯの前に存在するかどうかを端末デバイスが検出するとき、どのように端末デバイスの電力消費量を低減すべきかが、現在解決されるよう喫緊に求められている問題である。
【発明の概要】
【０００８】
本出願の実施形態は、端末デバイスの電力消費量を低減するための、参照信号受信方法、参照信号送信方法、デバイス、及びシステムを提供する。
【０００９】
上記の目的を達成するために、本出願の実施形態において以下の技術的解決策が使用される。
【００１０】
第１の態様によれば、参照信号送信方法が提供され、本方法は、ネットワークデバイスが、不連続受信期間中のページング機会の数量に基づいて第１の持続時間中の時間領域リソースを決定することであって、時間領域リソースが、参照信号を送信するために使用される時間−周波数リソース中の時間領域リソースである、ことを含む。ネットワークデバイスは、時間領域リソース上で端末デバイスに参照信号を送信する。言い換えれば、本出願のこの実施形態では、ネットワークデバイスがページング機会において対応するページングスケジューリングメッセージを送信するかどうかにかかわらず、ネットワークデバイスは、不連続受信期間中のページング機会の数量に基づいて決定された第１の持続時間中の時間領域リソースに対応する時間−周波数リソース上で端末デバイスに参照信号を送信する。従って、本出願のこの実施形態において提供される参照信号送信方法によれば、一態様では、開始サブフレームが、ページング機会に対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し、それにより、端末デバイスの電力消費量を低減し得る。別の態様では、ＷＵＳがページング機会の前に存在するかどうかを検出するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【００１１】
第２の態様によれば、参照信号受信方法が提供される。本方法は、端末デバイスが、不連続受信期間中のページング機会の数量に基づいて第１の持続時間中の時間領域リソースを決定することであって、時間領域リソースが、参照信号を送信するために使用される時間−周波数リソース中の時間領域リソースである、ことを含む。端末デバイスは、時間−周波数リソース上でネットワークデバイスから参照信号を受信する。言い換えれば、本出願のこの実施形態では、ネットワークデバイスがページング機会において対応するページングスケジューリングメッセージを送信するかどうかにかかわらず、端末デバイスは、不連続受信期間中のページング機会の数量に基づいて決定された第１の持続時間中の時間領域リソースに対応する時間−周波数リソース上でネットワークデバイスから参照信号を受信する。従って、本出願のこの実施形態において提供される参照信号受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００１２】
第１の態様又は第２の態様に関して、可能な設計では、例えば、時間−周波数リソース中の周波数領域リソースは、ページング機会又はウェイクアップ信号が現在位置する時間−周波数リソース中の周波数領域リソースであり得る。言い換えれば、参照信号を送信するための時間−周波数リソース中の周波数領域リソースと、ページング機会又はウェイクアップ信号が現在位置する時間−周波数リソース中の周波数領域リソースは、同じ周波数領域リソースであり得る。
【００１３】
代替として、第１の態様又は第２の態様に関して、可能な設計では、周波数領域リソースは、代替として、ページング機会又はウェイクアップ信号が現在位置する時間−周波数リソース中の周波数領域リソースでないことがある。言い換えれば、参照信号を送信するための時間−周波数リソース中の周波数領域リソースと、ページング機会又はウェイクアップ信号が現在位置する時間−周波数リソース中の周波数領域リソースは、異なる周波数領域リソースであり得る。この場合、ネットワークデバイスは、第１の周波数領域リソースインジケーションパラメータを使用することによって端末デバイスに、参照信号を送信するための時間−周波数リソース中の周波数領域リソースを示し得る。これは、本出願のこの実施形態では特に限定されない。
【００１４】
第１の態様又は第２の態様に関して、可能な設計では、時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ１個のサブフレーム、又は１つ又は複数のページング機会の各々に対応するサブフレームの後のＹ１個のサブフレームのうちの少なくとも１つを含み、Ｘ１は０以上の整数であり、Ｙ１は０以上の整数であり、Ｘ１とＹ１の和は、ＤＲＸ期間中のページング機会の数量に関係する。特定の実装では、第１の時間領域リソースは、第１の持続時間中の１つ又は複数のページング機会に対応するサブフレーム、１つ又は複数のページング機会の各々に対応するサブフレームの前のＸ１個のサブフレーム、及び１つ又は複数のページング機会の各々に対応するサブフレームの後のＹ１個のサブフレームを含み、Ｘ１は０以上の整数であり、Ｙ１は０以上の整数であり、Ｘ１とＹ１の和は、不連続受信期間中のページング機会の数量に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ２個のサブフレーム、又は１つ又は複数のウェイクアップ信号の開始サブフレーム中の各ウェイクアップ信号の開始サブフレームの後のＹ２個のサブフレームのうちの少なくとも１つを含み、Ｘ２は０以上の整数であり、Ｙ２は０以上の整数であり、Ｘ２とＹ２の和は、ＤＲＸ期間中のページング機会の数量に関係する。特定の実装方法では、第２の時間領域リソースは、第１の持続時間中の１つ又は複数のウェイクアップ信号の開始サブフレーム、１つ又は複数のウェイクアップ信号の各々の開始サブフレームの前のＸ２個のサブフレーム、及び１つ又は複数のウェイクアップ信号の各々の開始サブフレームの後のＹ２個のサブフレームを含み、Ｘ２は０以上の整数であり、Ｙ２は０以上の整数であり、Ｘ２とＹ２の和は、不連続受信期間中のページング機会の数量に関係する。
【００１５】
第１の態様又は第２の態様の上記の可能な設計のいずれか１つに関して、可能な設計では、Ｘ１個のサブフレームは、各ページング機会に対応するサブフレームの前にありそれに連続する、Ｘ１個の連続するサブフレームであり、Ｙ１個のサブフレームは、各ページング機会に対応するサブフレームの後にありそれに連続する、Ｙ１個の連続するサブフレームである。代替として、Ｘ１個のサブフレームは、各ページング機会に対応するサブフレームの前のＺ１個のサブフレーム中の、最初のＸ１個の（連続する）サブフレームであり、Ｙ１個のサブフレームは、各ページング機会に対応するサブフレームの後にありそれに連続する、Ｙ１個の連続するサブフレームである。
【００１６】
第１の態様又は第２の態様の上記の可能な設計のいずれか１つに関して、可能な設計では、第１の時間領域リソース上のサブフレームは、通常サブフレームを含み得るか、又は有効（ｖａｌｉｄ）サブフレームを含み得る。これは、本出願のこの実施形態では特に限定されない。第１の時間領域リソース上の全てのサブフレームが有効サブフレームであるとき、ページング機会に対応するサブフレームは、ページング機会が位置するサブフレームであり得るか、又はページング機会の後の第１の有効サブフレームであり得るし、Ｘ１個の（連続する）サブフレームは、Ｘ１個の（連続する）有効サブフレームであり、Ｙ１個の（連続する）サブフレームは、Ｙ１個の（連続する）有効サブフレームである。連続する有効サブフレームは、２つの有効サブフレーム間に他の有効サブフレームが存在しないことを意味する。
【００１７】
第１の態様の上記の可能な設計のいずれか１つに関して、可能な設計では、本方法は、ネットワークデバイスが、端末デバイスに参照信号の第１の構成情報を送信することをさらに含む。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。
【００１８】
第２の態様の上記の可能な設計のいずれか１つに関して、可能な設計では、本方法は、端末デバイスが、ネットワークデバイスから参照信号の第１の構成情報を受信することをさらに含む。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。このようにして、ネットワークデバイスから第１の構成情報を受信した後に、端末デバイスは、第１の構成情報及び不連続受信期間中のページング機会の数量に基づいて第１の持続時間中の時間領域リソース又は第１の期間中の時間領域リソースを決定し得る。例えば、第１の構成情報が、第１の持続時間と、Ｘ１及びＹ１のうちの少なくとも１つとを含むと仮定すると、端末デバイスは、第１の構成情報及び不連続受信期間中のページング機会の数量に基づいて第１の持続時間中の時間領域リソースを決定し得る。代替として、例えば、第１の構成情報が、Ｘ１及びＹ１のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第１の構成情報及び不連続受信期間中のページング機会の数量に基づいて第１の期間中の時間領域リソースを決定し得る。これは、本出願のこの実施形態では特に限定されない。
【００１９】
第１の態様又は第２の態様の上記の可能な設計のいずれか１つに関して、可能な設計では、Ｘ２個のサブフレームは、各ウェイクアップ信号の開始サブフレームの前にありそれに連続する、Ｘ２個の連続するサブフレームであり、Ｙ２個のサブフレームは、各ウェイクアップ信号の開始サブフレームの後にありそれに連続する、Ｙ２個の連続するサブフレームである。代替として、Ｘ２個のサブフレームは、各ウェイクアップ信号の開始サブフレームの前のＺ２個のサブフレーム中の、最初のＸ２個の連続するサブフレームであり、Ｙ２個のサブフレームは、各ウェイクアップ信号の開始サブフレームの後にありそれに連続する、Ｙ２個の連続するサブフレームである。
【００２０】
第１の態様又は第２の態様の上記の可能な設計のいずれか１つに関して、可能な設計では、第２の時間領域リソース上のサブフレームは、通常サブフレームを含み得るか、又は有効（ｖａｌｉｄ）サブフレームを含み得る。これは、本出願のこの実施形態では特に限定されない。ウェイクアップ信号の開始サブフレームが有効サブフレームであるので、第２の時間領域リソース上の全てのサブフレームが有効サブフレームであるとき、Ｘ２個の（連続する）サブフレームは、Ｘ２個の（連続する）有効サブフレームであり、Ｙ２個の（連続する）サブフレームは、Ｙ２個の（連続する）有効サブフレームである。連続する有効サブフレームは、２つの有効サブフレーム間に他の有効サブフレームが存在しないことを意味する。
【００２１】
第１の態様の上記の可能な設計のいずれか１つに関して、可能な設計では、本方法は、ネットワークデバイスが、端末デバイスに参照信号の第２の構成情報を送信することをさらに含む。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【００２２】
第２の態様の上記の可能な設計のいずれか１つに関して、可能な設計では、本方法は、端末デバイスが、ネットワークデバイスから参照信号の第２の構成情報を受信することをさらに含む。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。このようにして、ネットワークデバイスから第２の構成情報を受信した後に、端末デバイスは、第２の構成情報及び不連続受信期間中のページング機会の数量に基づいて第１の持続時間中の時間領域リソース又は第１の期間中の時間領域リソースを決定し得る。例えば、第２の構成情報が、第１の持続時間と、Ｘ２及びＹ２のうちの少なくとも１つとを含むと仮定すると、端末デバイスは、第２の構成情報及び不連続受信期間中のページング機会の数量に基づいて第１の持続時間中の時間領域リソースを決定し得る。代替として、例えば、第２の構成情報が、Ｘ２及びＹ２のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第２の構成情報及び不連続受信期間中のページング機会の数量に基づいて第１の期間中の時間領域リソースを決定し得る。これは、本出願のこの実施形態では特に限定されない。
【００２３】
第１の態様又は第２の態様の上記の可能な設計のいずれか１つに関して、可能な設計では、第１の持続時間中の１つ又は複数のページング機会は、Ｆ１ビットのビットマップによって表され得るし、Ｆ１ビットのビットマップ中の各ビットは、参照信号が、Ｆ１個のページング機会の各々に対応するサブフレーム中で送信されるかどうかを示すために使用され、Ｆ１は、第１の持続時間中の全てのページング機会の数量である。
【００２４】
代替として、第１の態様又は第２の態様の上記の可能な設計のいずれか１つに関して、可能な設計では、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【００２５】
第１の態様又は第２の態様の上記の可能な設計のいずれか１つに関して、可能な設計では、Ｎ１個のページング機会は、Ｍ１個毎のページング機会における、最初のＮ１個の連続するページング機会であるか、又はＮ１個のページング機会は、Ｍ１個毎のページング機会における、最後のＮ１個の連続するページング機会であるか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【００２６】
第１の態様の上記の可能な設計のいずれか１つに関して、可能な設計では、本方法は、ネットワークデバイスが、端末デバイスに参照信号の第３の構成情報を送信することをさらに含む。第３の構成情報は、Ｍ１及びＮ１を含むか、又はＭ１ビットのビットマップを含む。
【００２７】
第２の態様の上記の可能な設計のいずれか１つに関して、可能な設計では、本方法は、端末デバイスが、ネットワークデバイスから参照信号の第３の構成情報を受信することをさらに含む。第３の構成情報は、Ｍ１及びＮ１を含むか、又はＭ１ビットのビットマップを含む。このようにして、端末デバイスは、第３の構成情報を参照して第１の持続時間中の時間領域リソースを決定し得る。
【００２８】
第１の態様又は第２の態様の上記の可能な設計のいずれか１つに関して、可能な設計では、第１の持続時間中の１つ又は複数のウェイクアップ信号は、Ｆ２ビットのビットマップによって表され得るし、Ｆ２ビットのビットマップ中の各ビットは、参照信号が、Ｆ２個のウェイクアップ信号の各々の開始サブフレーム中で送信されるかどうかを示すために使用され、Ｆ２は、第１の持続時間中の全てのウェイクアップ信号の数量である。
【００２９】
第１の態様又は第２の態様の上記の可能な設計のいずれか１つに関して、可能な設計では、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【００３０】
第１の態様又は第２の態様の上記の可能な設計のいずれか１つに関して、可能な設計では、Ｎ２個のウェイクアップ信号は、Ｍ２個毎のウェイクアップ信号における、最初のＮ２個の連続するウェイクアップ信号であるか、又はＮ２個のウェイクアップ信号は、Ｍ２個毎のウェイクアップ信号における、最後のＮ２個の連続するウェイクアップ信号であるか、又はＮ２個のウェイクアップ信号は、Ｍ２ビットのビットマップによって表され、Ｍ２ビットのビットマップ中の各ビットは、参照信号が、Ｍ２個毎のウェイクアップ信号の各々の開始サブフレーム中で送信されるかどうかを示すために使用される。
【００３１】
第１の態様の上記の可能な設計のいずれか１つに関して、可能な設計では、本方法は、ネットワークデバイスが、端末デバイスに参照信号の第４の構成情報を送信することをさらに含む。第４の構成情報は、Ｍ２及びＮ２を含むか、又はＭ２ビットのビットマップを含む。
【００３２】
第２の態様の上記の可能な設計のいずれか１つに関して、可能な設計では、本方法は、端末デバイスが、ネットワークデバイスから参照信号の第４の構成情報を受信することをさらに含む。第４の構成情報は、Ｍ２及びＮ２を含むか、又はＭ２ビットのビットマップを含む。このようにして、端末デバイスは、第４の構成情報を参照して第１の持続時間中の時間領域リソースを決定し得る。
【００３３】
第１の態様又は第２の態様の上記の可能な設計のいずれか１つに関して、可能な設計では、Ｘ１とＹ１の和が不連続受信期間中のページング機会の数量に関係することは、Ｘ１とＹ１の和が、不連続受信期間中のページング機会の数量に対応する指定された値であること、又はＸ１とＹ１の和が、不連続受信期間中のページング機会の数量、不連続受信期間、及び第１の指定された値に基づいてネットワークデバイスによって決定されることを含む。
【００３４】
第１の態様又は第２の態様の上記の可能な設計のいずれか１つに関して、可能な設計では、Ｘ１及びＹ１は、式Ｘ１＋Ｙ１＝ｍｉｎ｛４Ｔ／ｎＢ，ａ｝−１を満たし、ｎＢは、不連続受信期間中のページング機会の数量を示し、Ｔは、不連続受信期間を示し、ａは、第１の指定された値である。
【００３５】
第１の態様又は第２の態様の上記の可能な設計のいずれか１つに関して、可能な設計では、Ｘ２とＹ２の和が不連続受信期間中のページング機会の数量に関係することは、Ｘ２とＹ２の和が、不連続受信期間中のページング機会の数量に対応する指定された値であること、又はＸ２とＹ２の和が、不連続受信期間中のページング機会の数量、不連続受信期間、及び第２の指定された値に基づいてネットワークデバイスによって決定されることを含む。
【００３６】
第１の態様又は第２の態様の上記の可能な設計のいずれか１つに関して、可能な設計では、Ｘ２及びＹ２は、式Ｘ２＋Ｙ２＝ｍｉｎ｛４Ｔ／ｎＢ，ｂ｝−１を満たし、ｎＢは、不連続受信期間中のページング機会の数量を示し、Ｔは、不連続受信期間を示し、ｂは、第２の指定された値である。
【００３７】
第１の態様の上記の可能な設計のいずれか１つに関して、可能な設計では、本方法は、ネットワークデバイスが、端末デバイスに第１のインジケーション情報を送信することをさらに含む。第１のインジケーション情報は、ネットワークデバイスが、第１の持続時間中のページング機会の数量に基づいて第１の持続時間中の時間領域リソースを決定することをサポートすることを示すために使用される。
【００３８】
第２の態様の上記の可能な設計のいずれか１つに関して、可能な設計では、本方法は、端末デバイスが、ネットワークデバイスから第１のインジケーション情報を受信することをさらに含む。第１のインジケーション情報は、ネットワークデバイスが、第１の持続時間中のページング機会の数量に基づいて第１の持続時間中の時間領域リソースを決定することをサポートすることを示すために使用される。
【００３９】
もちろん、本出願のこの実施形態では、代替として、第１のインジケーション情報は構成されなくてよいが、ネットワークデバイスが、第１の持続時間中のページング機会の数量に基づいて第１の持続時間中の時間領域リソースを決定することをサポートすることが、プロトコルにおいてあらかじめ決定される。これは、本出願のこの実施形態では特に限定されない。
【００４０】
第１の態様の上記の可能な設計のいずれか１つに関して、可能な設計では、本方法は、ネットワークデバイスが、端末デバイスから第２のインジケーション情報を受信することをさらに含む。第２のインジケーション情報は、端末デバイスが、前もってウェイクアップ信号及びＰＤＣＣＨのうちの少なくとも１つ上で監視することを終了することが可能であることを示すために使用される。
【００４１】
第２の態様の上記の可能な設計のいずれか１つに関して、可能な設計では、本方法は、端末デバイスが、ネットワークデバイスに第２のインジケーション情報を送信することをさらに含む。第２のインジケーション情報は、端末デバイスが、前もってウェイクアップ信号及びＰＤＣＣＨのうちの少なくとも１つ上で監視することを終了することが可能であることを示すために使用される。
【００４２】
第１の態様又は第２の態様の上記の可能な設計のいずれか１つに関して、可能な設計では、不連続受信期間中のページング機会の数量に基づいて決定された第１の持続時間中の時間領域リソースが第３の時間領域リソースと重複する（ｏｖｅｒｌａｐ）とき、参照信号は、それらの２つの時間領域リソースのユニオン集合上で送信され得る。第３の時間領域リソースは、候補ロケーションに対応する時間領域リソース、候補ロケーションにおける第１のサブフレームの前のＴ１個のサブフレーム、及び候補ロケーションにおける最後のサブフレームの後のＴ２個のサブフレームを含み、Ｔ１は０以上の整数であり、Ｔ２は０以上の整数である。例えば、ＮＢ−ＩｏＴシステムでは、Ｔ２は１０に等しいことがあり、Ｔ２は４に等しいことがある。これは、本出願のこの実施形態では特に限定されない。
【００４３】
第１の態様又は第２の態様の上記の可能な設計のいずれか１つに関して、可能な設計では、時間領域リソースは、第３の時間領域リソース又は第４の時間領域リソースのうちの少なくとも１つを含む。第３の時間領域リソースは、第１の持続時間中の全てのページング機会のうちのＭ３個毎のページング機会中のＮ３個のページング機会に対応するサブフレーム、Ｍ３個毎のページング機会中のＮ３個のページング機会の各々に対応するサブフレームの前のＸ５個のサブフレーム、又はＭ３個毎のページング機会中のＮ３個のページング機会の各々に対応するサブフレームの後のＹ５個のサブフレームのうちの少なくとも１つを含み、Ｍ３は１以上の整数であり、Ｎ３は１以上の整数であり、Ｍ３はＮ３以上であり、Ｘ５は０以上の整数であり、Ｙ５は０以上の整数であり、Ｍ３は、不連続受信期間中のページング機会の数量に関係する。第４の時間領域リソースは、第１の持続時間中の全てのウェイクアップ信号のうちのＭ４個毎のウェイクアップ信号中のＮ４個のウェイクアップ信号の開始サブフレーム、Ｍ４個毎のウェイクアップ信号中のＮ４個のウェイクアップ信号の各々の開始サブフレームの前のＸ６個のサブフレーム、又はＭ４個毎のウェイクアップ信号中のＮ４個のウェイクアップ信号の各々の開始サブフレームの後のＹ６個のサブフレームのうちの少なくとも１つを含み、Ｍ４は１以上の整数であり、Ｎ４は１以上の整数であり、Ｍ４はＮ４以上であり、Ｘ６は０以上の整数であり、Ｙ６は０以上の整数であり、Ｍ４は、不連続受信期間中のページング機会の数量に関係する。
【００４４】
第１の態様又は第２の態様の上記の可能な設計のいずれか１つに関して、可能な設計では、Ｘ５個のサブフレームは、各ページング機会に対応するサブフレームの前にありそれに連続する、Ｘ５個の連続するサブフレームであり、Ｙ５個のサブフレームは、各ページング機会に対応するサブフレームの後にありそれに連続する、Ｙ５個の連続するサブフレームである。
【００４５】
第１の態様又は第２の態様の上記の可能な設計のいずれか１つに関して、可能な設計では、Ｘ６個のサブフレームは、各ウェイクアップ信号の開始サブフレームの前にありそれに連続する、Ｘ６個の連続するサブフレームであり、Ｙ６個のサブフレームは、各ウェイクアップ信号の開始サブフレームの後にありそれに連続する、Ｙ６個の連続するサブフレームである。
【００４６】
第１の態様又は第２の態様の上記の可能な設計のいずれか１つに関して、可能な設計では、Ｎ３個のページング機会は、Ｍ３個毎のページング機会における、最初のＮ３個の連続するページング機会であるか、又はＮ３個のページング機会は、Ｍ３個毎のページング機会における、最後のＮ３個の連続するページング機会であるか、又はＮ３個のページング機会は、Ｍ３ビットのビットマップによって表され、Ｍ３ビットのビットマップ中の各ビットは、参照信号が、Ｍ３個毎のページング機会の各々に対応するサブフレーム中で送信されるかどうかを示すために使用される。
【００４７】
第１の態様又は第２の態様の上記の可能な設計のいずれか１つに関して、可能な設計では、Ｎ４個のウェイクアップ信号は、Ｍ４個毎のウェイクアップ信号における、最初のＮ４個の連続するウェイクアップ信号であるか、又はＮ４個のウェイクアップ信号は、Ｍ４個毎のウェイクアップ信号における、最後のＮ４個の連続するウェイクアップ信号であるか、又はＮ４個のウェイクアップ信号は、Ｍ４ビットのビットマップによって表され、Ｍ４ビットのビットマップ中の各ビットは、参照信号が、Ｍ４個毎のウェイクアップ信号の各々の開始サブフレーム中で送信されるかどうかを示すために使用される。
【００４８】
第１の態様又は第２の態様の上記の可能な設計のいずれか１つに関して、可能な設計では、Ｍ３が不連続受信期間中のページング機会の数量に関係することは、Ｍ３が、不連続受信期間中のページング機会の数量に対応する指定された値であること、又はＭ３が、不連続受信期間中のページング機会の数量、不連続受信期間、及び第５の指定された値に基づいてネットワークデバイスによって決定されることを含む。
【００４９】
第１の態様又は第２の態様の上記の可能な設計のいずれか１つに関して、可能な設計では、Ｍ３は、式Ｍ３＝ｍａｘ｛α１×（４／Ｔ）×ｎＢ，１｝を満たし、ｎＢは、不連続受信期間中のページング機会の数量を示し、Ｔは、不連続受信期間を示し、α１は、第５の指定された値である。
【００５０】
第１の態様又は第２の態様の上記の可能な設計のいずれか１つに関して、可能な設計では、Ｍ４が不連続受信期間中のページング機会の数量に関係することは、Ｍ４が、不連続受信期間中のページング機会の数量に対応する指定された値であること、又はＭ４が、不連続受信期間中のページング機会の数量、不連続受信期間、及び第６の指定された値に基づいてネットワークデバイスによって決定されることを含む。
【００５１】
第１の態様又は第２の態様の上記の可能な設計のいずれか１つに関して、可能な設計では、Ｍ４は、式Ｍ４＝ｍａｘ｛α２×（４／Ｔ）×ｎＢ，１｝を満たし、ｎＢは、不連続受信期間中のページング機会の数量を示し、Ｔは、不連続受信期間を示し、α２は、第６の指定された値である。
【００５２】
第３の態様によれば、参照信号送信方法が提供され、本方法は、ネットワークデバイスが、端末デバイスに測定サブフレームに関する情報を送信することを含む。ネットワークデバイスは、測定サブフレームに関する情報に基づいて第１の持続時間中の時間領域リソースを決定し、時間領域リソースは、参照信号を送信するために使用される時間−周波数リソース中の時間領域リソースである。ネットワークデバイスは、時間−周波数リソース上で端末デバイスに参照信号を送信する。言い換えれば、ネットワークデバイスが、ページング機会において対応するページングスケジューリングメッセージを送信するかどうかにかかわらず、ネットワークデバイスは、測定サブフレームに関する情報に基づいて決定された第１の持続時間中の時間領域リソースに対応する時間−周波数リソース上で端末デバイスに参照信号を送信する。従って、本出願のこの実施形態において提供される参照信号送信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５３】
第４の態様によれば、参照信号受信方法が提供され、本方法は、端末デバイスが、ネットワークデバイスから測定サブフレームに関する情報を受信することを含む。端末デバイスは、測定サブフレームに関する情報に基づいて第１の持続時間中の時間領域リソースを決定し、時間領域リソースは、参照信号を送信するために使用される時間−周波数リソース中の時間領域リソースである。端末デバイスは、時間−周波数リソース上でネットワークデバイスから参照信号を受信する。言い換えれば、ネットワークデバイスが、ページング機会において対応するページングスケジューリングメッセージを送信するかどうかにかかわらず、端末デバイスは、測定サブフレームに関する情報に基づいて決定された第１の持続時間中の時間領域リソースに対応する時間−周波数リソース上でネットワークデバイスから参照信号を受信する。従って、本出願のこの実施形態において提供される参照信号受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５４】
第３の態様又は第４の態様に関して、可能な設計では、測定サブフレームは、ｎビットのビットマップによって表され、ｎビットのビットマップ中の各ビットは、参照信号がｎ個のサブフレームの各々中で送信されるかどうかを示すために使用され、ｎは正の整数である。
【００５５】
第３の態様又は第４の態様の上記の可能な設計のいずれか１つに関して、可能な設計では、測定サブフレームに関する情報は、ビットマップを含み得る。
【００５６】
第３の態様又は第４の態様の上記の可能な設計のいずれか１つに関して、可能な設計では、測定サブフレームに関する情報は、ビットマップの期間、ビットマップのオフセット、及びビットマップの繰り返し数量のうちの少なくとも１つをさらに含み得る。
【００５７】
第５の態様によれば、参照信号送信方法が提供され、本方法は、ネットワークデバイスが、第１の持続時間中の時間領域リソースを決定することであって、時間領域リソースが、参照信号を送信するために使用される時間−周波数リソース中の時間領域リソースである、ことを含む。ネットワークデバイスは、時間領域リソース上で端末デバイスに参照信号を送信する。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ３個のサブフレーム、及び１つ又は複数のウェイクアップ信号の開始サブフレーム中の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。言い換えれば、ネットワークデバイスが、ページング機会において対応するページングスケジューリングメッセージを送信するかどうかにかかわらず、ネットワークデバイスは、第１の持続時間中の決定された時間領域リソースに対応する時間−周波数リソース上で端末デバイスに参照信号を送信する。従って、本出願のこの実施形態において提供される参照信号送信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５８】
第６の態様によれば、参照信号受信方法が提供され、本方法は、端末デバイスが、第１の持続時間中の時間領域リソースを決定することであって、時間領域リソースが、参照信号を送信するために使用される時間−周波数リソース中の時間領域リソースである、ことを含む。端末デバイスは、時間領域リソース上で、ネットワークデバイスによって送られた参照信号を受信する。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ３個のサブフレーム、及び１つ又は複数のウェイクアップ信号の開始サブフレーム中の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。言い換えれば、ネットワークデバイスが、ページング機会において対応するページングスケジューリングメッセージを送信するかどうかにかかわらず、端末デバイスは、第１の持続時間中の決定された時間領域リソースに対応する時間−周波数リソース上でネットワークデバイスから参照信号を受信する。従って、本出願のこの実施形態において提供される参照信号受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５９】
第５の態様又は第６の態様の関係する実装については、第１の態様又は第２の態様を参照されたい。例えば、違いは、第５の態様又は第６の態様では、ページング機会に対応するサブフレームの前のＸ３個のサブフレームと、ページング機会に対応するサブフレームの後のＹ３個のサブフレームの和が、第３の指定された値に関係し、ウェイクアップ信号の開始サブフレームの前のＸ４個のサブフレームと、ウェイクアップ信号の開始サブフレームの後のＹ４個のサブフレームの和が、第４の指定された値に関係するが、第１の態様又は第２の態様では、ページング機会に対応するサブフレームの前のＸ１個のサブフレームと、ページング機会に対応するサブフレームの後のＹ１個のサブフレームの和が、不連続受信期間中のページング機会の数量に関係し、ウェイクアップ信号の開始サブフレームの前のＸ２個のサブフレームと、ウェイクアップ信号の開始サブフレームの後のＹ２個のサブフレームの和が、不連続受信期間中のページング機会の数量に関係することにある。他の関係する説明については、第１の態様又は第２の態様を参照されたい。詳細について本明細書で再び説明されない。
【００６０】
任意選択で、本出願のこの実施形態では、第３の指定された値及び／又は第４の指定された値は、システムメッセージ若しくは上位レイヤシグナリングを使用することによって端末デバイスのためにネットワークデバイスによって構成され得るか、又はプロトコルにおいてあらかじめ決定され得る。これは、本出願のこの実施形態では特に限定されない。例えば、システムメッセージはＳＩＢ又はＭＩＢであり得るし、上位レイヤシグナリングはＲＲＣシグナリングであり得る。これは、本出願のこの実施形態では特に限定されない。
【００６１】
第７の態様によれば、ネットワークデバイスが提供される。ネットワークデバイスは、第１の態様、第３の態様、又は第５の態様による方法を実装する機能を有する。機能は、ハードウェアによって実装され得るか、又は対応するソフトウェアを実行するハードウェアによって実装され得る。ハードウェア又はソフトウェアは、機能に対応する１つ又は複数のモジュールを含む。
【００６２】
第８の態様によれば、プロセッサ及びメモリを含む、ネットワークデバイスが提供される。メモリは、コンピュータ実行可能命令を記憶するように構成される。ネットワークデバイスが走らされたとき、プロセッサは、メモリに記憶されたコンピュータ実行可能命令を実行し、それにより、ネットワークデバイスは、第１の態様、第３の態様、又は第５の態様のいずれか１つによる参照信号送信方法を実施する。
【００６３】
第９の態様によれば、プロセッサを含む、ネットワークデバイスが提供される。プロセッサは、メモリに結合し、メモリ中の命令を読み取り、次いで、命令に従って、第１の態様、第３の態様、又は第５の態様のいずれか１つによる参照信号送信方法を実施するように構成される。
【００６４】
第１０の態様によれば、コンピュータ可読記憶媒体が提供される。コンピュータ可読記憶媒体は命令を記憶する。命令がコンピュータ上で走らされたとき、コンピュータは、第１の態様、第３の態様、又は第５の態様のいずれか１つによる参照信号送信方法を実施することを可能にされる。
【００６５】
第１１の態様によれば、命令を含むコンピュータプログラム製品が提供される。コンピュータプログラム製品がコンピュータ上で走らされたとき、コンピュータは、第１の態様、第３の態様、又は第５の態様のいずれか１つによる参照信号送信方法を実施することを可能にされる。
【００６６】
第１２の態様によれば、装置（例えば、装置はチップシステムであり得る）が提供される。本装置は、第１の態様、第３の態様、又は第５の態様における機能、例えば、不連続受信期間中のページング機会の数量に基づいて第１の持続時間中の時間領域リソースを決定することを実装する際にネットワークデバイスをサポートするように構成された、プロセッサを含む。可能な設計では、本装置はメモリをさらに含む。メモリは、ネットワークデバイスのために必要であるプログラム命令及びデータを記憶するように構成される。本装置がチップシステムであるとき、チップシステムは、チップを含み得るか、又はチップ及び別の個別デバイスを含み得る。
【００６７】
第７の態様から第１２の態様におけるいずれかの設計方式の技術的効果については、第１の態様、第３の態様、又は第５の態様における様々な設計方式の技術的効果を参照されたい。詳細について本明細書で再び説明されない。
【００６８】
第１３の態様によれば、端末デバイスが提供される。端末デバイスは、第２の態様、第４の態様、又は第６の態様による方法を実装する機能を有する。機能は、ハードウェアによって実装され得るか、又は対応するソフトウェアを実行するハードウェアによって実装され得る。ハードウェア又はソフトウェアは、機能に対応する１つ又は複数のモジュールを含む。
【００６９】
第１４の態様によれば、プロセッサ及びメモリを含む、端末デバイスが提供される。メモリは、コンピュータ実行可能命令を記憶するように構成される。端末デバイスが走らされたとき、プロセッサは、メモリに記憶されたコンピュータ実行可能命令を実行し、それにより、端末デバイスは、第２の態様、第４の態様、又は第６の態様のいずれか１つによる参照信号送信方法を実施する。
【００７０】
第１５の態様によれば、プロセッサを含む、端末デバイスが提供される。プロセッサは、メモリに結合し、メモリ中の命令を読み取り、次いで、命令に従って、第２の態様、第４の態様、又は第６の態様による参照信号送信方法を実施するように構成される。
【００７１】
第１６の態様によれば、コンピュータ可読記憶媒体が提供される。コンピュータ可読記憶媒体は命令を記憶する。命令がコンピュータ上で走らされたとき、コンピュータは、第２の態様、第４の態様、又は第６の態様のいずれか１つによる参照信号送信方法を実施することを可能にされる。
【００７２】
第１７の態様によれば、命令を含むコンピュータプログラム製品が提供される。コンピュータプログラム製品がコンピュータ上で走らされたとき、コンピュータは、第２の態様、第４の態様、又は第６の態様のいずれか１つによる参照信号送信方法を実施することを可能にされる。
【００７３】
第１８の態様によれば、装置（例えば、装置はチップシステムであり得る）が提供される。本装置は、第２の態様、第４の態様、又は第６の態様における機能、例えば、不連続受信期間中のページング機会の数量に基づいて第１の持続時間中の時間領域リソースを決定することを実装する際に端末デバイスをサポートするように構成された、プロセッサを含む。可能な設計では、本装置はメモリをさらに含む。メモリは、端末デバイスのために必要であるプログラム命令及びデータを記憶するように構成される。本装置がチップシステムであるとき、チップシステムは、チップを含み得るか、又はチップ及び別の個別デバイスを含み得る。
【００７４】
第１３の態様から第１８の態様におけるいずれかの設計方式の技術的効果については、第２の態様、第４の態様、又は第６の態様における様々な設計方式の技術的効果を参照されたい。詳細について本明細書で再び説明されない。
【００７５】
第１９の態様によれば、通信システムが提供される。通信システムは、端末デバイス及びネットワークデバイスを含む。ネットワークデバイスは、本出願の実施形態において提供される第１の態様又は解決策においてネットワークデバイスによって実施されるステップを実施するように構成され、端末デバイスは、本出願の実施形態において提供される第２の態様又は解決策において端末デバイスによって実施されるステップを実施するように構成される。代替として、ネットワークデバイスは、本出願の実施形態において提供される第３の態様又は解決策においてネットワークデバイスによって実施されるステップを実施するように構成され、端末デバイスは、本出願の実施形態において提供される第４の態様又は解決策において端末デバイスによって実施されるステップを実施するように構成される。代替として、ネットワークデバイスは、本出願の実施形態において提供される第５の態様又は解決策においてネットワークデバイスによって実施されるステップを実施するように構成され、端末デバイスは、本出願の実施形態において提供される第６の態様又は解決策において端末デバイスによって実施されるステップを実施するように構成される。
【００７６】
本出願のこれらの態様又は他の態様は、以下の実施形態の説明においてより明らかであり、より理解しやすい。
【図面の簡単な説明】
【００７７】
【図１】現在の技術におけるＮＢ−ＩｏＴシステムにおいてＮＰＤＣＣＨサーチスペース中で検出を実施する概略図である。
【図２】現在の技術においてＤＲＸ期間中にネットワークデバイス上で構成されたＰＯロケーションの概略図である。
【図３】異なるｎＢに対応し、現在の技術におけるＮＢ−ＩｏＴシステムにおいてＤＲＸ期間中にネットワークデバイス上で構成されたＰＯロケーションの概略図である。
【図４】現在の技術においてＷＵＳの開始サブフレームを決定する概略図である。
【図５】本出願の実施形態による通信システムの概略アーキテクチャ図である。
【図６】本出願の実施形態による端末デバイス及びネットワークデバイスのハードウェア構造の概略図である。
【図７】本出願の実施形態による参照信号送信及び受信方法の概略フローチャート１である。
【図８】本出願の実施形態による参照信号に対応する時間領域リソースの概略図１である。
【図９】本出願の実施形態による参照信号に対応する時間領域リソースの概略図２である。
【図１０】本出願の実施形態による参照信号に対応する時間領域リソースの概略図３である。
【図１１】本出願の実施形態による参照信号に対応する時間領域リソースの概略図４である。
【図１２】本出願の実施形態によるＮＢ−ＩｏＴシステムにおいてＮＰＤＣＣＨサーチスペース中で検出を実施する概略図である。
【図１３】本出願の実施形態による参照信号に対応する時間領域リソースの概略図５である。
【図１４】本出願の実施形態による参照信号に対応する時間領域リソースの概略図６である。
【図１５】本出願の実施形態による参照信号に対応する時間領域リソースの概略図７である。
【図１６】本出願の実施形態による参照信号に対応する時間領域リソースの概略図８である。
【図１７】本出願の実施形態による参照信号に対応する時間領域リソースの概略図９である。
【図１８】本出願の実施形態による参照信号に対応する時間領域リソースの概略図１０である。
【図１９】本出願の実施形態による参照信号送信及び受信方法の概略フローチャート２である。
【図２０】本出願の実施形態による参照信号送信及び受信方法の概略フローチャート３である。
【図２１】本出願の実施形態による参照信号に対応する時間領域リソースの概略図１１である。
【図２２】本出願の実施形態によるネットワークデバイスの概略構造図である。
【図２３】本出願の実施形態による端末デバイスの概略構造図である。
【図２４】本出願の実施形態による参照信号に対応する時間領域リソースの概略図１２である。
【図２５】本出願の実施形態による参照信号に対応する時間領域リソースの概略図１３である。
【発明を実施するための形態】
【００７８】
本出願の実施形態における技術的解決策を理解しやすくするために、本出願の関係する技術について、最初に以下で手短に説明される。
【００７９】
１．ＰＯ
【００８０】
端末デバイスがアイドル状態にあるとき、ネットワークデバイスは、ページング機構を使用することによって、端末デバイスが接続状態に入って情報を交換する必要があるかどうかを端末デバイスに通知する。この場合、端末デバイスは、後続の応答を実施するためにＰＤＣＣＨを監視する必要がある。しかし、端末デバイスがアイドル状態でＰＤＣＣＨを監視し続けた場合、端末デバイスの大きい電力消費量が生じる。アイドル状態では、間欠受信（ｄｉｓｃｏｎｔｉｎｕｏｕｓ  ｒｅｃｅｐｔｉｏｎ、ＤＲＸ）期間に基づく動作機構は固定であり、固定のＤＲＸ期間が使用される。電力消費量を低減するために、ネットワークデバイスと端末デバイスは、互いにネゴシエートし、端末デバイスは、開始サブフレームが、ＤＲＸ期間中のＰＯが位置するサブフレームである（このサブフレームは以下でＰＯロケーションと呼ばれることもある）、ＰＤＣＣＨサーチスペース中でのみ、ブラインド検出の形態でＰＤＣＣＨ検出を実施する。ＰＤＣＣＨサーチスペースは、ターゲットＰＤＣＣＨが現れ得る可能な候補（ｃａｎｄｉｄａｔｅ）ロケーションのセットであり、ＰＯロケーションは、端末デバイスがＰＤＣＣＨを監視する開始ロケーションを示し、それにより、ＰＤＣＣＨサーチスペースの開始ロケーションが決定され、次いで、ＰＤＣＣＨサーチスペースの開始ロケーションに基づいてブラインドＰＤＣＣＨ検出が実施される。ＰＤＣＣＨサーチスペースでは、ブロックは候補と見なされ得る。
【００８１】
本出願の実施形態では、ＰＤＣＣＨは、狭帯域モノのインターネット（ｎａｒｒｏｗｂａｎｄ  ｉｎｔｅｒｎｅｔ  ｏｆ  ｔｈｉｎｇｓ、ＮＢ−ＩｏＴ）における狭帯域ＰＤＣＣＨ（ｎａｒｒｏｗｂａｎｄ、ＮＰＤＣＣＨ）であり得るか、又は別のＰＤＣＣＨであり得ることに留意されたい。これは、本出願の実施形態では特に限定されない。例えば、図１に示されているように、ＮＢ−ＩｏＴシステムにおいて、ＮＰＤＣＣＨサーチスペースは、候補０、候補１、候補２、…、及び候補７と示されている、最大８つの候補ロケーションを含む。本出願の実施形態では、候補ロケーションは、ｈ個のサブフレームを占有し、ｈは、候補ロケーションにおけるＮＰＤＣＣＨの繰り返し数量であり、ｈは正の整数である。これは本明細書において一律に記述され、詳細について以下で再び説明されない。現在の技術では、端末デバイスは、開始サブフレームが、ＰＯに対応するサブフレームである、ＮＰＤＣＣＨサーチスペース中で、検出が成功するまで、様々な候補上でブラインド検出を連続的に実施する。検出が成功しない場合、次のＤＲＸ期間において、端末デバイスは、開始サブフレームが、ＰＯに対応するサブフレームである、ＮＰＤＣＣＨサーチスペース中で、ＮＰＤＣＣＨを監視し続け、以下同様である。図１のＲｍａｘは、開始サブフレームが、ＰＯに対応するサブフレームである、ＮＰＤＣＣＨサーチスペースの長さを示し、ＮＰＤＣＣＨの繰り返しの最大数量として理解されてもよい。これは本明細書において一律に記述され、詳細について以下で再び説明されない。
【００８２】
本出願の実施形態では、ＤＲＸ期間は、端末デバイス上で事前構成され得るか、又はシステムメッセージを使用することによって端末デバイスのためにネットワークデバイスによって構成され得る。これは、本出願の実施形態では特に限定されない。ＤＲＸ期間は、アイドル状態における端末デバイスがそれに基づいて周期的にウェイクアップする期間として見なされてもよい。これは本明細書において一律に記述され、詳細について以下で再び説明されない。
【００８３】
図２は、ＤＲＸ期間中にネットワークデバイス上で構成されたＰＯロケーションの概略図である。図２から、複数のＰＯが、ネットワークデバイスのために１つのＤＲＸ期間において構成され得ることがわかる。ネットワークデバイスと通信している複数の端末デバイスのいずれか１つについて、その端末デバイスは、ＤＲＸ期間中に１つのＰＯロケーションにおいてのみウェイクアップする。従って、ＤＲＸが構成された場合、端末デバイスは、端末デバイスが起こり得るページングを監視するためにＤＲＸ期間中にウェイクアップする必要がある時間を正確に計算する必要がある。以下で、端末デバイスがウェイクアップするＰＯロケーションを決定する方式を提供する。
【００８４】
ＰＯロケーションは、システムフレーム番号（ｓｙｓｔｅｍ  ｆｒａｍｅ  ｎｕｍｂｅｒ、ＳＦＮ）とサブフレーム番号の両方を使用することによって決定される。言い換えれば、ＳＦＮ及びサブフレーム番号は、ＰＯロケーション、即ち、ページングスケジューリングメッセージが現れるべきであるＮＰＤＣＣＨサーチスペースの開始ロケーションを識別するために使用され得る。ＳＦＮは、ページングスケジューリングメッセージが現れるべきであるＮＰＤＣＣＨサーチスペースの開始ロケーションのシステムフレームロケーションを識別する。サブフレーム番号は、ページングスケジューリングメッセージが現れるべきであるＮＰＤＣＣＨサーチスペースの開始ロケーションの、システムフレーム中の、サブフレームロケーションを識別する。１つのシステムフレームは、１０個のサブフレーム、例えば、サブフレーム０、サブフレーム１、サブフレーム２、サブフレーム３、…、サブフレーム８、及びサブフレーム９を含む。これは本明細書において一律に記述され、詳細について以下で再び説明されない。
【００８５】
本出願の実施形態では、端末デバイスは、ネットワークデバイスによって送られたページング構成パラメータに基づいて、ＰＯに対応するＳＦＮ及びサブフレーム番号を決定し得る。例えば、以下の式（１）を満たすＳＦＮが、ＰＯに対応するＳＦＮとして使用され得る。
ＳＦＮ  ｍｏｄ  Ｔ＝（Ｔ  ｄｉｖ  Ｎ）×（ＵＥＩＤ  ｍｏｄ  Ｎ）  式（１）
【００８６】
ｍｏｄはモジュロを示し、ｄｉｖは整除、即ち、丸めを示し、ＴはＤＲＸ期間を示し、Ｎの値は、ｍｉｎ（Ｔ，ｎＢ）、即ち、ＴとｎＢとのうちのより小さい値に等しく、値範囲は｛Ｔ，Ｔ／２，Ｔ／４，Ｔ／８，Ｔ／１６，Ｔ／３２，Ｔ／６４，Ｔ／１２８，Ｔ／２５６，Ｔ／５１２，Ｔ／１０２４｝であり、ｎＢは、ページング密度、即ち、ＤＲＸ期間中のＰＯの数量を示し、値範囲は｛４Ｔ，２Ｔ，Ｔ／２，Ｔ／４，Ｔ／８，Ｔ／１６，Ｔ／３２，Ｔ／６４，Ｔ／１２８，Ｔ／２５６，Ｔ／５１２，Ｔ／１０２４｝であり、ＵＥＩＤの値は、（国際モバイル加入者識別情報（ｉｎｔｅｒｎａｔｉｏｎａｌ  ｍｏｂｉｌｅ  ｓｕｂｓｃｒｉｂｅｒ  ｉｄｅｎｔｉｔｙ，  ＩＭＳＩ）  ｍｏｄ  ４０９６）に等しく、各端末デバイスは一意のＩＭＳＩを有する。
【００８７】
例えば、ＰＯに対応するサブフレーム番号は、以下の式（２）を使用することによって決定され得る。
ｉ＿ｓ＝ｆｌｏｏｒ（ＵＥＩＤ／Ｎ）  ｍｏｄ  Ｎｓ  式（２）
【００８８】
ｆｌｏｏｒは切り捨てを示し、Ｎｓ＝ｍａｘ（１，ｎＢ／Ｔ）であり、ＰＯをもつシステムフレーム中のＰＯの数量を示し、値範囲は（４，２，１）であり、ｉ＿ｓは、サブフレーム番号のインデックスを示し、即ち、ｉ＿ｓが計算された後に、ＰＯに対応するサブフレーム番号がテーブルルックアップを通して取得され得るし、ｍｏｄ、Ｎ、及びＵＥＩＤの関係する説明については、式（１）を参照されたく、詳細について本明細書で再び説明されない。
【００８９】
式（１）及び式（２）から、Ｔ、ｎＢ、及びＵＥＩＤパラメータが決定されると、端末デバイスは、式（１）に基づいて１つのＤＲＸ期間中にただ１つのＳＦＮを決定し得るし、端末デバイスは、式（２）に基づいて１つのシステムフレーム中にただ１つのサブフレーム番号を決定し得るし、従って、端末デバイスは、システムフレーム番号及びサブフレーム番号に基づいて、端末デバイスがＤＲＸ期間中にウェイクアップするただ１つのＰＯロケーションを決定し得ることがわかる。
【００９０】
同様に、ネットワークデバイスと通信している複数の端末デバイスのいずれか１つについて、ネットワークデバイスも、式（１）及び式（２）に基づいて、端末デバイスが１つのＤＲＸ期間中にウェイクアップするただ１つのＰＯロケーションを決定し得る。詳細について本明細書で再び説明されない。
【００９１】
加えて、現在の技術では、端末デバイスとネットワークデバイスの両方は、Ｔ、ｎＢ、及びＵＥＩＤパラメータを使用することによって、１つのＤＲＸ期間中にネットワークデバイス上で構成された全てのＰＯロケーションを決定し得る。例えば、図３に示されているように、例としてＮＢ−ＩｏＴシステムを使用して、ｎＢ＝４Ｔは、１つのシステムフレームが、４つのＰＯを含み、４つのＰＯの時間領域リソースが、サブフレーム０、サブフレーム４、サブフレーム５、及びサブフレーム９であることを示す。ｎＢ＝２Ｔは、１つのシステムフレームが、２つのＰＯを含み、２つのＰＯの時間領域リソースが、サブフレーム４及びサブフレーム９であることを示す。ｎＢ＝Ｔは、１つのシステムフレームが、１つのＰＯを含み、ＰＯの時間領域リソースが、サブフレーム９であることを示す。ｎＢ＝Ｔ／２は、２つのシステムフレームが、１つのＰＯを含み、ＰＯの時間領域リソースが、２つのシステムフレームのうちの１つ中のサブフレーム９であることを示す。図３では、説明は、ＰＯの時間領域リソースが、示されている第２のシステムフレームのサブフレーム９、及び示されている第４のシステムフレームのサブフレーム９である例を使用することによって提供されている。ｎＢ＝Ｔ／４は、４つのシステムフレームが、１つのＰＯを含み、ＰＯの時間領域リソースが、４つのシステムフレームのうちの１つ中のサブフレーム９であることを示す。図２では、説明は、ＰＯの時間領域リソースが、示されている第２のシステムフレームのサブフレーム９である例を使用することによって提供されている。他の場合はアナロジーによって取得され得る。
【００９２】
現在のＮＢ−ＩｏＴシステムは、アンカー（ａｎｃｈｏｒ）キャリア及び非アンカー（ｎｏｎ−ａｎｃｈｏｒ）キャリアという、２つのタイプのキャリアを含む。アンカーキャリアは、狭帯域１次同期信号（ｎａｒｒｏｗｂａｎｄ  ｐｒｉｍａｒｙ  ｓｙｎｃｈｒｏｎｉｚａｔｉｏｎ  ｓｉｇｎａｌ、ＮＰＳＳ）、狭帯域２次同期信号（ｎａｒｒｏｗｂａｎｄ  ｓｅｃｏｎｄａｒｙ  ｓｙｎｃｈｒｏｎｉｚａｔｉｏｎ  ｓｉｇｎａｌ、ＮＳＳＳ）、狭帯域物理ブロードキャストチャネル（ｎａｒｒｏｗｂａｎｄ  ｐｈｙｓｉｃａｌ  ｂｒｏａｄｃａｓｔ  ｃｈａｎｎｅｌ、ＮＰＢＣＨ）、ＮＰＤＣＣＨ、及び狭帯域物理ダウンリンク共有チャネル（ｎａｒｒｏｗｂａｎｄ  ｐｈｙｓｉｃａｌ  ｄｏｗｎｌｉｎｋ  ｓｈａｒｅｄ  ｃｈａｎｎｅｌ、ＮＰＤＳＣＨ）を搬送するキャリアである。非アンカーキャリアは、ＮＰＤＣＣＨ及びＮＰＤＳＣＨのみを搬送するが、ＮＰＳＳ、ＮＳＳＳ、又はＮＰＢＣＨを搬送しないキャリアである。非アンカーキャリア上では、端末デバイスが式（１）及び式（２）を使用することによってＰＯロケーションを計算するとき、端末デバイスは、開始サブフレームが、ＰＯに対応するサブフレームである、ＮＰＤＣＣＨサーチスペース中で、ページングスケジューリングメッセージが存在するかどうかを知らない。従って、端末デバイスは、ブラインドＮＰＤＣＣＨ検出を実施する必要がある。開始サブフレームが、ＰＯに対応するサブフレームである、ＮＰＤＣＣＨサーチスペース中で、ページングスケジューリングメッセージが存在するとき、ネットワークデバイスは、端末デバイスがページングスケジューリングメッセージを検出することができる候補ロケーションにおいて狭帯域参照信号（ｎａｒｒｏｗｂａｎｄ  ｒｅｆｅｒｅｎｃｅ  ｓｉｇｎａｌ、ＮＲＳ）を送信し、候補ロケーションにおける第１のサブフレームの前の１０個のサブフレーム中の、及び候補ロケーションにおける最後のサブフレームの後の４つのサブフレーム中の、ページングスケジューリングメッセージが検出された候補ロケーションにおいてＮＲＳを送信する。開始サブフレームが、ＰＯに対応するサブフレームである、ＮＰＤＣＣＨサーチスペース中で、ページングスケジューリングメッセージが存在しないとき、ネットワークデバイスは、上記のロケーションにおいてＮＲＳを送らない。
【００９３】
従って、現在の技術では、開始サブフレームが、ＰＯに対応するサブフレームである、ＮＰＤＣＣＨサーチスペース中で、ページングスケジューリングメッセージが存在しないとき、端末デバイスが、良好なチャネル条件をもつ端末デバイスである場合でも、端末デバイスは、ＰＤＣＣＨサーチスペース中の第１の候補ロケーションから開始して、全ての候補ロケーション上でブラインド検出を実施する必要があり、次いで、ページングスケジューリングメッセージが存在しないと決定することができる。しかし、良好なチャネル条件をもつ端末デバイスは、強い検出能力を有し、ページングスケジューリングメッセージが存在するかどうかを知るために繰り返しＮＰＤＣＣＨ上で検出を実施する必要がない。これは、良好なチャネル条件をもつ端末デバイスの余分の電力消費を引き起こす。
【００９４】
本出願の実施形態では、良好なチャネル条件をもつ端末デバイスは、いくつかのインジケータにおいて比較的良好な性能をもつ端末デバイスであり、例えば、参照信号受信電力（ｒｅｆｅｒｅｎｃｅ  ｓｉｇｎａｌ  ｒｅｃｅｉｖｅｄ  ｐｏｗｅｒ、ＲＳＲＰ）が比較的良好である。これは本明細書において一律に記述され、詳細について以下で再び説明されない。
【００９５】
２．ＷＵＳ
【００９６】
現在、ネットワークデバイスは、ＰＯの前に、端末デバイスにＷＵＳを送信し得る。ＷＵＳは、端末デバイスがＰＤＣＣＨを監視する必要があるかどうかを示すために使用される。端末デバイスがＰＯの前にＷＵＳを検出するとき、端末デバイスは、ＰＤＣＣＨを監視し続ける必要がある。端末デバイスがＰＯの前にＷＵＳを検出しない場合、それは、開始サブフレームが、ＰＯに対応するサブフレームである、ＰＤＣＣＨサーチスペース中で、ネットワークデバイスが、対応するページングスケジューリングメッセージを送らず、端末デバイスがＰＤＣＣＨを監視する必要がないことを示す。
【００９７】
ネットワークデバイスがＷＵＳを送信する必要があるとき、ネットワークデバイスは、システムメッセージを使用することによって端末デバイスに、関係するパラメータを示す。パラメータは、第１のスケーリングファクタ（ｓｃａｌｉｎｇ  ｆａｃｔｏｒ）、ＷＵＳの終了ロケーションとＰＯロケーションとの間のギャップ（ｇａｐ）、及びＲｍａｘを含む。ＷＵＳの終了ロケーションとＰＯとの間のギャップは、ＤＲＸのギャップ、ｅＤＲＸ（ｅｘｔｅｎｄｅｄ  ＤＲＸ、ｅＤＲＸ）の短いギャップ、及びｅＤＲＸの長いギャップのうちの少なくとも１つであり得る。第１のスケーリングファクタの範囲は｛１／１２８，１／６４，１／３２，１／１６，１／８，１／４，１／２｝である。Ｒｍａｘの関係する説明については、図１を参照されたい。詳細について本明細書で再び説明されない。
【００９８】
端末デバイスは、以下の式（３）に基づいて最大ＷＵＳ持続時間（ｍａｘｉｍｕｍ  ＷＵＳ  ｄｕｒａｔｉｏｎ）を取得する。
最大ＷＵＳ持続時間＝Ｒｍａｘ×第１スケーリングファクタ  式（３）
【００９９】
ＰＯロケーションは式（１）及び式（２）を使用することによって決定されることが可能であるので、ＰＯロケーション、ギャップ、及び最大ＷＵＳ持続時間が知られているとき、端末デバイスは、図４に示されているように、ＷＵＳの開始ロケーション（又はＷＵＳの開始サブフレーム）を決定し得る。図４における実際のＷＵＳ持続時間（ＷＵＳ  ａｃｔｕａｌ  ｄｕｒａｔｉｏｎ）は、量が２のべき乗倍に等しいサブフレーム、例えば、１、２、４、８、…、又は最大のＷＵＳ持続時間を含む。
【０１００】
同様に、ネットワークデバイスと通信している複数の端末デバイスのいずれか１つについて、ネットワークデバイスも、上記の方式でＷＵＳの開始ロケーションを決定し得る。詳細について本明細書で再び説明されない。
【０１０１】
加えて、ＰＯの上記の説明から、端末デバイスとネットワークデバイスの両方は、Ｔ、ｎＢ、及びＵＥＩＤパラメータを使用することによって、１つのＤＲＸ期間中にネットワークデバイス上で構成された全てのＰＯロケーションを決定し得ることがわかる。従って、ＷＵＳの開始ロケーションを決定する上記の方式に従って、端末デバイスとネットワークデバイスの両方は、１つのＤＲＸ期間中にネットワークデバイス上で構成された全てのＷＵＳの開始ロケーションを決定し得る。これは本明細書において一律に記述され、詳細について以下で再び説明されない。
【０１０２】
目下、現在の技術では、端末デバイスが、ＷＵＳがページング機会の前に存在するかどうかを検出するとき、ネットワークデバイスがページング機会の前にＷＵＳを送らず、端末デバイスが良好なチャネル条件をもつ端末デバイスである場合でも、端末デバイスは、ＷＵＳの開始サブフレームから監視することを実施し始める必要があり、最大ＷＵＳ持続時間（ｍａｘｉｍｕｍ  ＷＵＳ  ｄｕｒａｔｉｏｎ）が終了した後にのみ、端末デバイスは、ＷＵＳが存在しないことを知る。これも、良好なチャネル条件をもつ端末デバイスの余分の電力消費を引き起こす。
【０１０３】
以下で、本出願の実施形態における添付の図面を参照しながら、本出願の実施形態における技術的解決策について説明する。本出願の説明では、別段に規定されていない限り、「／」は、関連するオブジェクト間の「又は」関係を示す。例えば、Ａ／Ｂは、Ａ又はＢを示し得る。本出願では、「及び／又は」は、関連するオブジェクトを記述するための関連付け関係のみを記述し、３つの関係が存在し得ることを示す。例えば、Ａ及び／又はＢは、Ａのみが存在する、ＡとＢの両方が存在する、及びＢのみが存在するという、３つの場合を示し得る。Ａ及びＢは、単数又は複数であり得る。加えて、本出願の説明では、「複数の」は、２又は２よりも大きいを意味する。「以下のうちの少なくとも１つ」又はそれの同様の表現は、以下の任意の組合せを示し、以下のうちの１つ又は複数の任意の組合せを含む。例えば、ａ、ｂ、又はｃのうちの少なくとも１つは、ａ、ｂ、ｃ、ａ及びｂ、ａ及びｃ、ｂ及びｃ、又はａ、ｂ、及びｃを示し得るし、ａ、ｂ、及びｃは、単数又は複数であり得る。加えて、本出願の実施形態における技術的解決策について明らかに説明するために、本出願の実施形態では、基本的に同じ機能及び使用法を有する同じ項目又は同様の項目の間で区別するために「第１の」及び「第２の」などの用語が使用される。当業者であれば、「第１の」及び「第２の」などの用語が量又は実行順序を限定することを意図されておらず、「第１の」及び「第２の」などの用語が明確な差異を示さないことを理解することができる。
【０１０４】
加えて、本出願の実施形態において説明されるネットワークアーキテクチャ及びサービスシナリオは、本出願の実施形態における技術的解決策についてより明らかに説明することを意図されており、本出願の実施形態において提供される技術的解決策に対する限定とはならない。当業者であれば、ネットワークアーキテクチャの発展及び新しいサービスシナリオの出現とともに、本出願の実施形態において提供される技術的解決策は、同様の技術的問題にも適用可能であることを知っているであろう。
【０１０５】
図５は、本出願の実施形態による通信システム５０を示す。通信システム５０は、ネットワークデバイス６０と、ネットワークデバイス６０に接続された１つ又は複数の端末デバイス７０とを含む。以下で、アクセスデバイス６０がいずれかの端末デバイス７０と対話する例を使用することによって説明を提供する。
【０１０６】
開始サブフレームが、ＰＯに対応するサブフレームである、ＰＤＣＣＨサーチスペース中で、ページングスケジューリングメッセージが存在するかどうかが検出される必要がある、及び／又はＷＵＳがＰＯの前に存在するかどうかが検出されるとき、ネットワークデバイス６０は、不連続受信期間中のページング機会の数量に基づいて第１の持続時間中の時間領域リソースを決定し、ここで、時間領域リソースは、参照信号を送信するために使用される時間−周波数リソース中の時間領域リソースであり、次いで、ネットワークデバイス６０は、時間−周波数リソース上で端末デバイス７０に参照信号を送信する。この場合、端末デバイス７０は、不連続受信期間中のページング機会の数量に基づいて第１の持続時間中の時間領域リソースを決定し、次いで、端末デバイス７０は、時間−周波数リソース上でネットワークデバイス６０から参照信号を受信する。
【０１０７】
代替として、任意選択で、開始サブフレームが、ＰＯに対応するサブフレームである、ＰＤＣＣＨサーチスペース中で、ページングスケジューリングメッセージが存在するかどうかが検出される必要がある、及び／又はＷＵＳがＰＯの前に存在するかどうかが検出されるとき、ネットワークデバイス６０は、第１の持続時間中の時間領域リソースを決定し、ここで、時間領域リソースは、参照信号を送信するために使用される時間−周波数リソース中の時間領域リソースであり、次いで、ネットワークデバイス６０は、時間−周波数リソース上で端末デバイス７０に参照信号を送信する。この場合、端末デバイス７０は、第１の持続時間中の時間領域リソースを決定し、次いで、端末デバイス７０は、時間−周波数リソース上でネットワークデバイス６０から参照信号を受信する。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ３個のサブフレーム、及び１つ又は複数のウェイクアップ信号の開始サブフレーム中の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。
【０１０８】
代替として、任意選択で、開始サブフレームが、ＰＯに対応するサブフレームである、ＰＤＣＣＨサーチスペース中で、ページングスケジューリングメッセージが存在するかどうかが検出される必要がある、及び／又はＷＵＳがＰＯの前に存在するかどうかが検出されるとき、ネットワークデバイス６０は、端末デバイス７０に、測定サブフレームに関する情報を送信し、ネットワークデバイス６０は、測定サブフレームに関する情報に基づいて第１の持続時間中の時間領域リソースを決定し、ここで、時間領域リソースは、参照信号を送信するために使用される時間−周波数リソース中の時間領域リソースであり、ネットワークデバイス６０は、時間−周波数リソース上で端末デバイス７０に参照信号を送信する。端末デバイス７０は、ネットワークデバイス６０から測定サブフレームに関する情報を受信し、測定サブフレームに関する情報に基づいて第１の持続時間中の時間領域リソースを決定し、時間領域リソースは、参照信号を送信するために使用される時間−周波数リソース中の時間領域リソースである。次いで、端末デバイス７０は、時間−周波数リソース上でネットワークデバイス６０から参照信号を受信する。
【０１０９】
上記の解決策の特定の実装については、以下の実施形態において詳細に説明されており、詳細について本明細書で説明されない。
【０１１０】
本出願のこの実施形態において提供される通信システムによれば、一態様では、開始サブフレームが、ページング機会に対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し、それにより、端末デバイスの電力消費量を低減し得る。別の態様では、ＷＵＳがページング機会の前に存在するかどうかを検出するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【０１１１】
図６は、本出願の実施形態によるネットワークデバイス６０及び端末デバイス７０のハードウェア構造の概略図である。
【０１１２】
端末デバイス７０は、少なくとも１つのプロセッサ７０１（図６では、説明は、１つのプロセッサ７０１が含まれる例を使用することによって提供されている）と、少なくとも１つのメモリ７０２（図６では、説明は、１つのメモリ７０２が含まれる例を使用することによって提供されている）と、少なくとも１つのトランシーバ７０３（図６では、説明は、１つのトランシーバ７０３が含まれる例を使用することによって提供されている）とを含む。任意選択で、端末デバイス７０は、出力デバイス７０４及び入力デバイス７０５をさらに含み得る。
【０１１３】
プロセッサ７０１、メモリ７０２、及びトランシーバ７０３は、通信回線を使用することによって接続される。通信回線は、上記の構成要素間で情報を送信するためのチャネルを含み得る。
【０１１４】
プロセッサ７０１は、汎用中央処理ユニット（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は本出願の解決策におけるプログラムの実行を制御するように構成された１つ又は複数の集積回路であり得る。特定の実装では、実施形態では、プロセッサ７０１は、代替として複数のＣＰＵを含み得るし、プロセッサ７０１は、シングルＣＰＵ（ｓｉｎｇｌｅ−ＣＰＵ）プロセッサ又はマルチＣＰＵ（ｍｕｌｔｉ−ＣＰＵ）プロセッサであり得る。本明細書におけるプロセッサは、データ（例えば、コンピュータプログラム命令）を処理するように構成された１つ又は複数のデバイス、回路、又は処理コアであり得る。
【０１１５】
メモリ７０２は、読取り専用メモリ（ｒｅａｄ−ｏｎｌｙ  ｍｅｍｏｒｙ、ＲＯＭ）、静的情報及び命令を記憶することができる別のタイプの静的記憶デバイス、ランダムアクセスメモリ（ｒａｎｄｏｍ  ａｃｃｅｓｓ  ｍｅｍｏｒｙ、ＲＡＭ）、若しくは情報及び命令を記憶することができる別のタイプの動的記憶デバイスであり得るか、又は電気消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）若しくは別の光ディスクストレージ、（コンパクト光ディスク、レーザーディスク、光ディスク、デジタル多用途ディスク、Ｂｌｕ−ｒａｙディスクなどを含む）光ディスクストレージ、磁気ディスク記憶媒体若しくは別の磁気記憶デバイス、又は命令若しくはデータ構造の形態の予想されるプログラムコードを搬送若しくは記憶するように構成されることが可能であり、コンピュータによってアクセスされることが可能な任意の他の媒体であり得る。しかし、これは、本明細書における限定とはならない。メモリ７０２は、独立して存在し得るし、通信回線を使用することによってプロセッサ７０１に接続される。代替として、メモリ７０２は、プロセッサ７０１と一体化され得る。
【０１１６】
メモリ７０２は、本出願の解決策を実行するためのコンピュータ実行可能命令を記憶するように構成され、プロセッサ７０１は、コンピュータ実行可能命令の実行を制御する。特に、プロセッサ７０１は、メモリ７０２に記憶されたコンピュータ実行可能命令を実行して、本出願の実施形態において参照信号受信方法を実装するように構成される。任意選択で、本出願のこの実施形態におけるコンピュータ実行可能命令は、アプリケーションプログラムコード又はコンピュータプログラムコードと呼ばれることもある。これは、本出願のこの実施形態では特に限定されない。
【０１１７】
トランシーバ７０３は、トランシーバのような任意の装置を使用することによって、別のデバイス又は通信ネットワーク、例えば、イーサネット、無線アクセスネットワーク（ｒａｄｉｏ  ａｃｃｅｓｓ  ｎｅｔｗｏｒｋ、ＲＡＮ）、又はワイヤレスローカルエリアネットワーク（ｗｉｒｅｌｅｓｓ  ｌｏｃａｌ  ａｒｅａ  ｎｅｔｗｏｒｋｓ、ＷＬＡＮ）と通信するように構成され得る。トランシーバ７０３は、送信機Ｔｘ及び受信機Ｒｘを含む。
【０１１８】
出力デバイス７０４は、プロセッサ７０１と通信し、複数の方式で情報を表示し得る。例えば、出力デバイス７０４は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、又はプロジェクタ（ｐｒｏｊｅｃｔｏｒ）であり得る。
【０１１９】
入力デバイス７０５は、プロセッサ７０１と通信し、複数の方式でユーザ入力を受信し得る。例えば、入力デバイス７０５は、マウス、キーボード、タッチスクリーンデバイス、又は感知デバイスであり得る。
【０１２０】
ネットワークデバイス６０は、少なくとも１つのプロセッサ６０１（図６では、説明は、１つのプロセッサ６０１が含まれる例を使用することによって提供されている）と、少なくとも１つのメモリ６０２（図６では、説明は、１つのメモリ６０２が含まれる例を使用することによって提供されている）と、少なくとも１つのトランシーバ６０３（図６では、説明は、１つのトランシーバ６０３が含まれる例を使用することによって提供されている）と、少なくとも１つのネットワークインターフェース６０４（図６では、説明は、１つのネットワークインターフェース６０４が含まれる例を使用することによって提供されている）とを含む。プロセッサ６０１、メモリ６０２、トランシーバ６０３、及びネットワークインターフェース６０４は、通信回線を使用することによって接続される。ネットワークインターフェース６０４は、リンク（例えば、Ｓ１インターフェース）を使用することによってコアネットワークデバイスに接続するか、又は（図６に示されていない）ワイヤード若しくはワイヤレスリンク（例えば、Ｘ２インターフェース）を使用することによって別のネットワークデバイスのネットワークインターフェースに接続するように構成される。これは、本出願のこの実施形態では特に限定されない。加えて、プロセッサ６０１、メモリ６０２、及びトランシーバ６０３の関係する説明については、端末デバイス７０中のプロセッサ７０１、メモリ７０２、及びトランシーバ７０３の説明を参照されたい。詳細について本明細書で再び説明されない。
【０１２１】
任意選択で、本出願のこの実施形態におけるネットワークデバイス６０は、コアネットワークにアクセスするデバイスである。例えば、ネットワークデバイス６０は、基地局、ブロードバンドネットワークゲートウェイ（ｂｒｏａｄｂａｎｄ  ｎｅｔｗｏｒｋ  ｇａｔｅｗａｙ、ＢＮＧ）、アグリゲーションスイッチ、非３ＧＰＰネットワークデバイス、若しくはロングタームエボリューション（ＬＴＥ）システム（例えば、上記のＮＢ−ＩｏＴシステム）における図６のものと同様の構造をもつデバイス、モバイル通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎ、ＧＳＭ）、ユニバーサルモバイルテレコミュニケーションズシステム（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ＵＭＴＳ）、符号分割多元接続（ｃｏｄｅ  ｄｉｖｉｓｉｏｎ  ｍｕｌｔｉｐｌｅ  ａｃｃｅｓｓ、ＣＤＭＡ）システム、又は将来の発展型パブリックランドモバイルネットワーク（ｐｕｂｌｉｃ  ｌａｎｄ  ｍｏｂｉｌｅ  ｎｅｔｗｏｒｋ、ＰＬＭＮ）であり得る。基地局は、様々な形態の基地局、例えば、マクロ基地局、マイクロ基地局（スモールセルとも呼ばれる）、リレー局、又はアクセスポイントを含み得る。これは、本出願のこの実施形態では特に限定されない。
【０１２２】
任意選択で、本出願のこの実施形態における端末デバイス７０は、端末、チップなどであり得る。これは、本出願のこの実施形態では特に限定されない。端末は、ユーザ機器（ｕｓｅｒ  ｅｑｕｉｐｍｅｎｔ、ＵＥ）、アクセス端末、端末ユニット、端末局、移動局、モバイルコンソール、リモート局、リモート端末、モバイルデバイス、ワイヤレス端末、端末エージェント、端末装置、又はＬＴＥシステム（例えば、上記のＮＢ−ＩｏＴシステム）、ＧＳＭ、ＵＭＴＳ、ＣＤＭＡシステム、若しくは将来の発展型ＰＬＭＮにおける図６に示されているものと同様の構造をもつデバイスであり得る。ワイヤレス端末は、モバイルフォン（又は「セルラー」フォンと呼ばれる）、セルラーフォン、コードレスフォン、セッション開始プロトコル（ｓｅｓｓｉｏｎ  ｉｎｉｔｉａｔｉｏｎ  ｐｒｏｔｏｃｏｌ、ＳＩＰ）フォン、ワイヤレスローカルループ（ｗｉｒｅｌｅｓｓ  ｌｏｃａｌ  ｌｏｏｐ、ＷＬＬ）局、携帯情報端末（ｐｅｒｓｏｎａｌ  ｄｉｇｉｔａｌ  ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載型デバイス、ウェアラブルデバイス、又は将来の５Ｇネットワークにおける端末デバイスなどであり得る。これは、本出願の実施形態では限定されない。
【０１２３】
以下で、図１から図６を参照しながら本出願の実施形態において提供される参照信号送信及び受信方法について詳細に説明する。
【０１２４】
本出願の以下の実施形態におけるネットワーク要素間のメッセージの名前、メッセージ中のパラメータの名前などは例にすぎず、特定の実装では他の名前があり得ることに留意されたい。これは、本出願の実施形態では特に限定されない。
【０１２５】
図７は、本出願の実施形態による参照信号送信及び受信方法を示す。本方法は以下のステップを含む。
【０１２６】
Ｓ７０１．ネットワークデバイスが、不連続受信期間（即ち、上記のＤＲＸ期間）中のページング機会（即ち、上記のＰＯ）の数量に基づいて第１の持続時間中の時間領域リソースを決定し、時間領域リソースが、参照信号を送信するために使用される時間−周波数リソース中の時間領域リソースである。
【０１２７】
Ｓ７０２．ネットワークデバイスが、時間−周波数リソース上で端末デバイスに参照信号を送信する。
【０１２８】
Ｓ７０３．端末デバイスが、不連続受信期間中のページング機会の数量に基づいて第１の持続時間中の時間領域リソースを決定し、次いで、対応する時間−周波数リソース上でネットワークデバイスから参照信号を受信する。
【０１２９】
任意選択で、例えば、ステップＳ７０１からＳ７０３における参照信号は、ＮＢ−ＩｏＴシステム中のＮＲＳであり得るか、又は別の参照信号であり得る。これは、本出願のこの実施形態では特に限定されない。
【０１３０】
任意選択で、例えば、ステップＳ７０１からＳ７０３における第１の持続時間は、第１の期間中の時間期間であり得る。例えば、第１の持続時間は、第１の期間で乗算された第２のスケーリングファクタに等しい。本明細書における第２のスケーリングファクタは、１に等しくなり得るか、又は０よりも大きく１よりも小さい小数であり得る。例えば、第２のスケーリングファクタは０．５又は１／３に等しい。これは、本出願のこの実施形態では特に限定されない。本明細書における第１の期間は、ＤＲＸ期間に関係する期間である。例えば、第１の期間は、ＤＲＸ期間で乗算された第３のスケーリングファクタに等しい。本明細書における第３のスケーリングファクタは、１以上の整数、例えば、１、２、３、…であり得るか、又は０よりも大きい小数、例えば、０．５又は１．５であり得る。これは、本出願のこの実施形態では特に限定されない。本出願のこの実施形態における第２のスケーリングファクタ及び／又は第３のスケーリングファクタは、ネットワークデバイスによって端末デバイスに示され得るか、又はプロトコルにおいて同意され得る。これは、本出願のこの実施形態では特に限定されない。
【０１３１】
任意選択で、例えば、ステップＳ７０１からＳ７０３における時間−周波数リソース中の周波数領域リソースは、ページング機会又はウェイクアップ信号が現在位置する時間−周波数リソース中の周波数領域リソースであり得る。言い換えれば、参照信号を送信するための時間−周波数リソース中の周波数領域リソースと、ページング機会又はウェイクアップ信号が現在位置する時間−周波数リソース中の周波数領域リソースは、同じ周波数領域リソースであり得る。
【０１３２】
任意選択で、ステップＳ７０１からＳ７０３における時間−周波数リソース中の周波数領域リソースは、代替として、ページング機会又はウェイクアップ信号が現在位置する時間−周波数リソース中の周波数領域リソースでないことがある。言い換えれば、参照信号を送信するための時間−周波数リソース中の周波数領域リソースと、ページング機会又はウェイクアップ信号が現在位置する時間−周波数リソース中の周波数領域リソースは、異なる周波数領域リソースであり得る。この場合、ネットワークデバイスは、第１の周波数領域リソースインジケーションパラメータを使用することによって端末デバイスに、参照信号を送信するための時間−周波数リソース中の周波数領域リソースを示し得る。これは、本出願のこの実施形態では特に限定されない。
【０１３３】
任意選択で、ステップＳ７０１からＳ７０３における時間−周波数リソース中の時間領域リソースは、第１の時間領域リソース及び第２の時間領域リソースのうちの少なくとも１つを含み得る。第１の時間領域リソースは、第１の持続時間中の１つ又は複数のページング機会に対応するサブフレーム、１つ又は複数のページング機会の各々に対応するサブフレームの前のＸ１個のサブフレーム、又は１つ又は複数のページング機会の各々に対応するサブフレームの後のＹ１個のサブフレームのうちの少なくとも１つを含み、Ｘ１は０以上の整数であり、Ｙ１は０以上の整数であり、Ｘ１とＹ１の和は、ＤＲＸ期間中のページング機会の数量に関係する。特定の実装では、第１の時間領域リソースは、第１の持続時間中の１つ又は複数のページング機会に対応するサブフレーム、１つ又は複数のページング機会の各々に対応するサブフレームの前のＸ１個のサブフレーム、及び１つ又は複数のページング機会の各々に対応するサブフレームの後のＹ１個のサブフレームを含み、Ｘ１は０以上の整数であり、Ｙ１は０以上の整数であり、Ｘ１とＹ１の和は、ＤＲＸ期間中のページング機会の数量に関係する。
【０１３４】
第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ２個のサブフレーム、又は１つ又は複数のウェイクアップ信号の開始サブフレーム中の各ウェイクアップ信号の開始サブフレームの後のＹ２個のサブフレームのうちの少なくとも１つを含み、Ｘ２は０以上の整数であり、Ｙ２は０以上の整数であり、Ｘ２とＹ２の和は、ＤＲＸ期間中のページング機会の数量に関係する。特定の実装方法では、第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ２個のサブフレーム、及び１つ又は複数のウェイクアップ信号の開始サブフレーム中の各ウェイクアップ信号の開始サブフレームの後のＹ２個のサブフレームを含み、Ｘ２は０以上の整数であり、Ｙ２は０以上の整数であり、Ｘ２とＹ２の和は、ＤＲＸ期間中のページング機会の数量に関係する。
【０１３５】
本出願のこの実施形態では、説明は、各ページング機会に対応するサブフレームの前のサブフレームの数量が、同じであり、Ｘ１であり、各ページング機会に対応するサブフレームの後のサブフレームの数量が、同じであり、Ｙ１であり、各ウェイクアップ信号の開始サブフレームの前のサブフレームの数量が、同じであり、Ｘ２であり、各ウェイクアップ信号の開始サブフレームの前のサブフレームの数量が、同じであり、Ｙ２である、例を使用することによって提供されていることに留意されたい。もちろん、異なるページング機会に対応するサブフレームの前のサブフレームの数量は、異なり得るか、又は異なるページング機会に対応するサブフレームの後のサブフレームの数量は、異なり得るか、又は異なるウェイクアップ信号の開始サブフレームの前のサブフレームの数量は、異なり得るか、又は異なるウェイクアップ信号の開始サブフレームの後のサブフレームの数量は、異なり得る。これは、本出願のこの実施形態では特に限定されない。
【０１３６】
任意選択で、本出願のこの実施形態では、Ｘ１とＹ１の和がＤＲＸ期間中のページング機会の数量に関係することは、Ｘ１とＹ１の和が、ＤＲＸ期間中のページング機会の数量、ＤＲＸ期間、及び第１の指定された値に関係することを含み得る。本出願のこの実施形態では、ＤＲＸ期間中のページング機会の数量、ＤＲＸ期間、及び第１の指定された値のうちの少なくとも１つが、プロトコルにおいて同意され得るか、又は端末デバイスのためにネットワークデバイスによって構成され得る。これは、本出願のこの実施形態では特に限定されない。
【０１３７】
任意選択で、本出願のこの実施形態では、Ｘ２とＹ２の和がＤＲＸ期間中のページング機会の数量に関係することは、Ｘ２とＹ２の和が、ＤＲＸ期間中のページング機会の数量、ＤＲＸ期間、及び第２の指定された値に関係することを含み得る。本出願のこの実施形態では、ＤＲＸ期間中のページング機会の数量、ＤＲＸ期間、及び第２の指定された値のうちの少なくとも１つが、プロトコルにおいて同意され得るか、又は端末デバイスのためにネットワークデバイスによって構成され得る。これは、本出願のこの実施形態では特に限定されない。
【０１３８】
任意選択で、ステップＳ７０１からＳ７０３における時間−周波数リソース中の時間領域リソースは、第３の時間領域リソース及び第４の時間領域リソースのうちの少なくとも１つを含み得る。第３の時間領域リソースは、第１の持続時間中の全てのページング機会のうちのＭ３個毎のページング機会中のＮ３個のページング機会に対応するサブフレーム、Ｍ３個毎のページング機会中のＮ３個のページング機会の各々に対応するサブフレームの前のＸ５個のサブフレーム、又はＭ３個毎のページング機会中のＮ３個のページング機会の各々に対応するサブフレームの後のＹ５個のサブフレームのうちの少なくとも１つを含み、Ｍ３は１以上の整数であり、Ｎ３は１以上の整数であり、Ｍ３はＮ３以上であり、Ｘ５は０以上の整数であり、Ｙ５は０以上の整数であり、Ｍ３は、不連続受信期間中のページング機会の数量に関係する。第４の時間領域リソースは、第１の持続時間中の全てのウェイクアップ信号のうちのＭ４個毎のウェイクアップ信号中のＮ４個のウェイクアップ信号の開始サブフレーム、Ｍ４個毎のウェイクアップ信号中のＮ４個のウェイクアップ信号の各々の開始サブフレームの前のＸ６個のサブフレーム、又はＭ４個毎のウェイクアップ信号中のＮ４個のウェイクアップ信号の各々の開始サブフレームの前のＸ６個のサブフレームの後のＹ６個のサブフレームのうちの少なくとも１つを含み、Ｍ４は１以上の整数であり、Ｎ４は１以上の整数であり、Ｍ４はＮ４以上であり、Ｘ６は０以上の整数であり、Ｙ６は０以上の整数であり、Ｍ４は、不連続受信期間中のページング機会の数量に関係する。
【０１３９】
本出願のこの実施形態では、説明は、各ページング機会に対応するサブフレームの前のサブフレームの数量が、同じであり、Ｘ５であり、各ページング機会に対応するサブフレームの後のサブフレームの数量が、同じであり、Ｙ５であり、各ウェイクアップ信号の開始サブフレームの前のサブフレームの数量が、同じであり、Ｘ６であり、各ウェイクアップ信号の開始サブフレームの前のサブフレームの数量が、同じであり、Ｙ６である、例を使用することによって提供されていることに留意されたい。もちろん、異なるページング機会に対応するサブフレームの前のサブフレームの数量は、異なり得るか、又は異なるページング機会に対応するサブフレームの後のサブフレームの数量は、異なり得るか、又は異なるウェイクアップ信号の開始サブフレームの前のサブフレームの数量は、異なり得るか、又は異なるウェイクアップ信号の開始サブフレームの後のサブフレームの数量は、異なり得る。これは、本出願のこの実施形態では特に限定されない。
【０１４０】
任意選択で、本出願のこの実施形態では、Ｍ３がＤＲＸ期間中のページング機会の数量に関係することは、Ｍ３が、ＤＲＸ期間中のページング機会の数量、ＤＲＸ期間、及び第５の指定された値に関係することを含み得る。本出願のこの実施形態では、ＤＲＸ期間中のページング機会の数量、ＤＲＸ期間、及び第５の指定された値のうちの少なくとも１つが、プロトコルにおいて同意され得るか、又は端末デバイスのためにネットワークデバイスによって構成され得る。これは、本出願のこの実施形態では特に限定されない。
【０１４１】
任意選択で、本出願のこの実施形態では、Ｍ４がＤＲＸ期間中のページング機会の数量に関係することは、Ｍ４が、ＤＲＸ期間中のページング機会の数量、ＤＲＸ期間、及び第６の指定された値に関係することを含み得る。本出願のこの実施形態では、ＤＲＸ期間中のページング機会の数量、ＤＲＸ期間、及び第６の指定された値のうちの少なくとも１つが、プロトコルにおいて同意され得るか、又は端末デバイスのためにネットワークデバイスによって構成され得る。これは、本出願のこの実施形態では特に限定されない。
【０１４２】
シナリオ１：ステップＳ７０１からＳ７０３における時間−周波数リソース中の時間領域リソースが、第１の時間領域リソースを含み得る。
【０１４３】
例えば、ステップＳ７０１からＳ７０３における時間−周波数リソース中の時間領域リソースは、第１の時間領域リソースを含む。この場合、Ｘ１個のサブフレームは、１つ又は複数のページング機会の各々に対応するサブフレームの前にありそれに連続する、Ｘ１個の連続するサブフレームであり得るし、Ｙ１個のサブフレームは、１つ又は複数のページング機会の各々に対応するサブフレームの後にありそれに連続する、Ｙ１個の連続するサブフレームであり得る。代替として、Ｘ１個のサブフレームは、１つ又は複数のページング機会の各々に対応するサブフレームの前のＺ１個のサブフレーム中の最初のＸ１個の（連続する）サブフレームであり得るし、ここで、Ｚ１は、ネットワークデバイスによって通知され得るか、又はプロトコルにおいて同意され得るし、例えば、Ｚ１が１０に等しいことがプロトコルにおいて同意され、Ｙ１個のサブフレームは、１つ又は複数のページング機会の各々に対応するサブフレームの後にありそれに連続する、Ｙ１個の連続するサブフレームであり得る。
【０１４４】
例えば、Ｘ１とＹ１の和は、以下の式（４）を満たす。
Ｘ１＋Ｙ１＝ｍｉｎ｛４Ｔ／ｎＢ，ａ｝−１  式（４）
【０１４５】
ｎＢは、ＤＲＸ期間中のページング機会の数量を示し、ページング密度と呼ばれることもあり、ＴはＤＲＸ期間を示し、ａは第１の指定された値である。ＰＯロケーションは図３に示され、１６≦ａ＜３２であると仮定される。
【０１４６】
ｎＢ＝４Ｔ及びＸ１＋Ｙ１＝０であるとき、参照信号に対応する時間領域リソースは図８の（ａ）に示され得るし、即ち、時間領域リソースは、第１の持続時間中の各ページング機会に対応するサブフレーム、例えば、ページング機会が位置するシステムフレーム中のサブフレーム０、サブフレーム４、サブフレーム５、及びサブフレーム９を含む。
【０１４７】
ｎＢ＝２Ｔ及びＸ１＋Ｙ１＝１であるとき、Ｘ１＝１及びＹ１＝０と仮定すると、参照信号に対応する時間領域リソースは図８の（ｂ）に示され得るし、即ち、時間領域リソースは、第１の持続時間中の各ページング機会に対応するサブフレーム、及び各ページング機会の前にありそれに連続する、１つのサブフレーム、例えば、ページング機会が位置するシステムフレーム中のサブフレーム３、サブフレーム４、サブフレーム８、及びサブフレーム９を含む。
【０１４８】
ｎＢ＝Ｔ及びＸ１＋Ｙ１＝３であるとき、Ｘ１＝０及びＹ１＝３と仮定すると、参照信号に対応する時間領域リソースは図８の（ｃ）に示され得るし、即ち、時間領域リソースは、第１の持続時間中の各ページング機会に対応するサブフレーム、及び各ページング機会の後にありそれに連続する、３つの連続するサブフレーム、例えば、ページング機会が位置するシステムフレーム中のサブフレーム９、並びにページング機会が位置するシステムフレームに連続する次のシステムフレーム中のサブフレーム０、サブフレーム１、及びサブフレーム２を含む。
【０１４９】
ｎＢ＝Ｔ／２及びＸ１＋Ｙ１＝７であるとき、Ｘ１＝６及びＹ１＝１と仮定すると、参照信号に対応する時間領域リソースは図８の（ｄ）に示され得るし、即ち、時間領域リソースは、第１の持続時間中の各ページング機会に対応するサブフレーム、各ページング機会の前にありそれに連続する、６つの連続するサブフレーム、及び各ページング機会の後にありそれに連続する、１つのサブフレーム、例えば、ページング機会が位置するシステムフレーム中のサブフレーム３からサブフレーム９、及びページング機会が位置するシステムフレームにおける連続する次のシステムフレーム中のサブフレーム０を含む。
【０１５０】
ｎＢ＝Ｔ／４及びＸ１＋Ｙ１＝１５であるとき、Ｘ１＝１１及びＹ１＝４と仮定すると、参照信号に対応する時間領域リソースは図８の（ｅ）に示され得るし、即ち、時間領域リソースは、第１の持続時間中の各ページング機会に対応するサブフレーム、各ページング機会の前にありそれに連続する、１１個の連続するサブフレーム、及び各ページング機会の後にありそれに連続する、４つの連続するサブフレーム、例えば、ページング機会が位置するシステムフレームに連続する、前のシステムフレーム中のサブフレーム８及びサブフレーム９、ページング機会が位置するシステムフレーム中のサブフレーム０からサブフレーム９、並びにＰＯが位置するシステムフレームに連続する次のシステムフレーム中のサブフレーム０からサブフレーム３を含む。
【０１５１】
ｎＢ＜Ｔ／４及びＸ１＋Ｙ１＝ａ−１であるとき、参照信号に対応する時間領域リソースに関する詳細については、図８の（ａ）から（ｅ）を参照されたい。詳細について本明細書で再び説明されない。
【０１５２】
任意選択で、本出願のこの実施形態では、Ｘ１とＹ１の和は、ＤＲＸ期間中のページング機会の数量、ＤＲＸ期間、及び第１の指定された値に基づいてネットワークデバイスによって決定され、例えば、式（４）に基づいて決定され得るか、又はＸ１とＹ１の和は、例えば、表１若しくは表２に示されているように、ＤＲＸ期間中のページング機会の数量に対応する指定された値である。これは、本出願のこの実施形態では特に限定されない。
【０１５３】
【表１】
2021536183.tif 000003
【０１５４】
【表２】
2021536183.tif 000004
【０１５５】
任意選択で、本出願のこの実施形態では、第１の時間領域リソース上のサブフレームは、通常サブフレームを含み得るか、又は有効（ｖａｌｉｄ）サブフレームを含み得る。これは、本出願のこの実施形態では特に限定されない。第１の時間領域リソース上の全てのサブフレームが有効サブフレームであるとき、ページング機会に対応するサブフレームは、ページング機会が位置するサブフレームであり得るか、又はページング機会の後の第１の有効サブフレームであり得るし、Ｘ１個の（連続する）サブフレームは、Ｘ１個の（連続する）有効サブフレームであり、Ｙ１個の（連続する）サブフレームは、Ｙ１個の（連続する）有効サブフレームである。これは本明細書において一律に記述され、詳細について以下で再び説明されない。
【０１５６】
本出願のこの実施形態では、連続する有効サブフレームは、２つの有効サブフレーム間に他の有効サブフレームが存在しないことを意味する。例えば、図８の（ｂ）において、ページング機会が位置するシステムフレーム中のサブフレーム３は、有効サブフレームでなく、ページング機会が位置するシステムフレーム中のサブフレーム２は、有効サブフレームであると仮定される。この場合、参照信号に対応する時間領域リソースは、図９に示されているように、ページング機会が位置するシステムフレーム中のサブフレーム２、サブフレーム４、サブフレーム８、及びサブフレーム９を含み得る。
【０１５７】
任意選択で、シナリオ１では、本出願のこの実施形態において提供される参照信号送信及び受信方法は、ネットワークデバイスが、端末デバイスに参照信号の第１の構成情報を送信することをさらに含み得る。第１の構成情報は、Ｘ１、Ｙ１、第１の期間（ｐｅｒｉｏｄ）、第１の持続時間、第１の期間中の第１の持続時間のオフセット（ｏｆｆｓｅｔ）、及び第１の持続時間の繰り返し数量のうちの少なくとも１つを含む。これは、本出願のこの実施形態では特に限定されない。
【０１５８】
第１の期間及び第１の持続時間の関係する説明については、上記の部分を参照されたい。詳細について本明細書で再び説明されない。第１の期間中の第１の持続時間のオフセットは、Ｓ１個のシステムフレーム又はＳ２個のサブフレームであり得るし、Ｓ１は、０又は正の整数であり、Ｓ２は、０又は正の整数である。第１の持続時間の繰り返し数量は、正の整数であり、（第１の持続時間×第１の持続時間の繰り返し数量）は、第１の期間の持続時間以下であり、第１の期間中の第１の持続時間のオフセットは、第１の期間の持続時間と、（第１の持続時間×第１の持続時間の繰り返し数量）との間の差以下である。これは本明細書において一律に記述され、詳細について以下で再び説明されない。
【０１５９】
このようにして、ネットワークデバイスから第１の構成情報を受信した後に、端末デバイスは、第１の構成情報及びＤＲＸ期間中のページング機会の数量に基づいて第１の持続時間中の時間領域リソース又は第１の期間中の時間領域リソースを決定し得る。例えば、第１の構成情報が、第１の持続時間と、Ｘ１及びＹ１のうちの少なくとも１つとを含むと仮定すると、端末デバイスは、第１の構成情報及びＤＲＸ期間中のページング機会の数量に基づいて第１の持続時間中の時間領域リソースを決定し得る。代替として、例えば、第１の構成情報が、Ｘ１及びＹ１のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第１の構成情報及びＤＲＸ期間中のページング機会の数量に基づいて第１の期間中の時間領域リソースを決定し得る。これは、本出願のこの実施形態では特に限定されない。
【０１６０】
例えば、ＤＲＸ期間＝１２８個のシステムフレーム、第１の期間＝０．５×ＤＲＸ期間＝６４個のシステムフレーム、第１の持続時間＝（１／３２）×第１の期間であり、第１の期間中の第１の持続時間のオフセットが１つのシステムフレームであり、第１の持続時間の繰り返し数量が２であり、ｎＢ＝２Ｔであるとき、参照信号に対応する時間領域リソースが図８の（ｂ）に示されていると仮定される。この場合、ｎＢ＝２Ｔであるとき、第１の期間中の時間領域リソースは、図１０に示されているように、第１の期間中の第２のシステムフレームから第５のシステムフレーム中のサブフレーム３、サブフレーム４、サブフレーム８、及びサブフレーム９を含み得る。
【０１６１】
任意選択で、上記の実施形態は、ネットワークデバイスが端末デバイスに第１の構成情報を送信する例を使用することによって説明される。ネットワークデバイスは、システムメッセージ又は上位レイヤシグナリング中で端末デバイスに第１の構成情報を送信し得る。例えば、システムメッセージは、システム情報ブロック（ｓｙｓｔｅｍ  ｉｎｆｏｒｍａｔｉｏｎ  ｂｌｏｃｋ、ＳＩＢ）又はマスタ情報ブロック（ｍａｓｔｅｒ  ｉｎｆｏｒｍａｔｉｏｎ  ｂｌｏｃｋ、ＭＩＢ）であり得るし、上位レイヤシグナリングは、無線リソース制御（ｒａｄｉｏ  ｒｅｓｏｕｒｃｅ  ｃｏｎｔｒｏｌ、ＲＲＣ）シグナリングであり得る。これは、本出願のこの実施形態では特に限定されない。
【０１６２】
任意選択で、Ｘ１、Ｙ１、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第１の構成情報は、Ｘ１、Ｙ１、第１の期間、第１の持続時間、第１の期間中の第１の持続時間のオフセット、及び第１の持続時間の繰り返し数量を含む。代替として、Ｘ１、Ｙ１、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第１の構成情報を送信する必要がない。代替として、Ｘ１、Ｙ１、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ１、Ｙ１、第１の期間、第１の持続時間、第１の期間中の第１の持続時間のオフセット、及び第１の持続時間の繰り返し数量の一部の情報が、プロトコルにおいて同意され得る。例えば、第１の構成情報は、Ｘ１又はＹ１のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０１６３】
任意選択で、本出願のこの実施形態において提供される参照信号送信及び受信方法が、非アンカーキャリア上で、ＮＢ−ＩｏＴシステムにおいて使用される場合、開始サブフレームが、ＰＯに対応するサブフレームである、ＮＰＤＣＣＨサーチスペース中で、ページングスケジューリングメッセージが存在しないとき、ネットワークデバイスは、対応する時間−周波数リソース上で端末デバイスにＮＲＳを送信し得るし、時間−周波数リソース中の時間領域リソースは、第１の時間領域リソースであり、このようにして、端末デバイスは、ＮＲＳに基づいて測定を実施し得る。開始サブフレームが、ＰＯに対応するサブフレームである、ＮＰＤＣＣＨサーチスペース中で、ページングスケジューリングメッセージが存在するとき、ネットワークデバイスは、対応する時間−周波数リソース上で端末デバイスにＮＲＳを送信し得るし、時間−周波数リソース中の時間領域リソースは、第１の時間領域リソースであり、このようにして、端末デバイスは、ＮＲＳに基づいて測定を実施し得る。加えて、ネットワークデバイスは、候補ロケーションにおける第１のサブフレームの前の１０個のサブフレーム中の、及び候補ロケーションにおける最後のサブフレームの後の４つのサブフレーム中の、ページングスケジューリングメッセージが検出されることが可能な候補ロケーションにおいてＮＲＳを送信し、それにより、端末デバイスは、ＮＲＳに基づいて復調を実施し得る。復調のために使用されるＮＲＳと、測定のために使用されるＮＲＳが重複する（ｏｖｅｒｌａｐ）とき、ネットワークデバイスは、時間−周波数リソースのユニオン集合、並びにページングスケジューリングメッセージが検出されることが可能な候補ロケーション、候補ロケーションにおける第１のサブフレームの前の１０個のサブフレーム、及び候補ロケーションにおける最後のサブフレームの後の４つのサブフレームを使用することによって、ＮＲＳを送信する。
【０１６４】
例えば、図１１に示されているように、ｎＢ＝４Ｔであり、第１の持続時間は４つのシステムフレームである。この場合、第１の時間領域リソースを決定する上記の方式に従って、ネットワークデバイスが、測定のために第１の持続時間中に各ＰＯにおいてＮＲＳを送信し得ると仮定される。図１１の第４のシステムフレーム中のサブフレーム０が、ページングスケジューリングメッセージが検出されることが可能な候補ロケーションであるとき（即ち、ページングスケジューリングメッセージが検出されることが可能な候補ロケーションが、１つのサブフレームを占有すると仮定すると）、ネットワークデバイスは、復調のために、図１１の第４のシステムフレーム中のサブフレーム０、図１１の第４のシステムフレーム中のサブフレーム０の前の１０個のサブフレーム、及び図１１の第４のシステムフレーム中のサブフレーム０の後の４つのサブフレーム中で、ＮＲＳを送信し得る。要約すれば、ネットワークデバイスは、第１のシステムフレーム及び第２のシステムフレーム中のサブフレーム０、サブフレーム４、サブフレーム５、及びサブフレーム９、第３のシステムフレーム中の全てのサブフレーム、並びに第４のシステムフレーム中のサブフレーム０、サブフレーム１、サブフレーム２、サブフレーム３、サブフレーム４、サブフレーム５、及びサブフレーム９中で、ＮＲＳを送信し得る。この場合、第３のシステムフレーム中のサブフレーム０、サブフレーム４、サブフレーム５、及びサブフレーム９、並びに第４のシステムフレーム中のサブフレーム０及びサブフレームは、測定のためにＮＲＳを送信するために使用され得るだけでなく、復調のためにＮＲＳを送信するためにも使用され得るし、言い換えれば、ネットワークデバイスは、測定と復調の両方のために上記のサブフレーム中でＮＲＳを送信する。
【０１６５】
開始サブフレームが、ページング機会に対応するサブフレームである、ＰＤＣＣＨサーチスペース中で、端末デバイスがＰＤＣＣＨを監視するとき、端末デバイスは、ページングスケジューリングメッセージが存在するかどうかを知らないので、端末デバイスは、ＮＲＳが明確に存在するサブフレームを使用することによって測定を実施し、候補ロケーションにおける第１のサブフレームの前の１０個のサブフレーム中の、及び候補ロケーションにおける最後のサブフレームの後の４つのサブフレーム中の、ページングスケジューリングメッセージが検出されることが可能な候補ロケーションに場合によっては存在するＮＲＳを使用することによって復調を実施する。これは本明細書において一律に記述され、詳細について以下で再び説明されない。
【０１６６】
任意選択で、本出願のこの実施形態では、開始サブフレームが、ＰＯに対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施して信号対干渉プラス雑音比（ｓｉｇｎａｌ  ｔｏ  ｉｎｔｅｒｆｅｒｅｎｃｅ  ｐｌｕｓ  ｎｏｉｓｅ  ｒａｔｉｏ、ＳＩＮＲ）を取得し得る。測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し得る。例えば、図１２に示されているように、カバーされた端末デバイスは、ＰＤＣＣＨサーチスペース中の最初の３つの候補ロケーション上でのみ検出を実施した後に、前もって検出を終了し、それにより、端末デバイスの電力消費量を低減し得る。
【０１６７】
シナリオ２：ステップＳ７０１からＳ７０３における時間−周波数リソース中の時間領域リソースが、第２の時間領域リソースを含み得る。
【０１６８】
例えば、ステップＳ７０１からＳ７０３における時間−周波数リソース中の時間領域リソースは、第２の時間領域リソースを含む。この場合、Ｘ２個のサブフレームは、１つ又は複数のウェイクアップ信号の各々の開始サブフレームの前にありそれに連続する、Ｘ２個の連続するサブフレームであり得るし、Ｙ２個のサブフレームは、１つ又は複数のウェイクアップ信号の各々の開始サブフレームの後にありそれに連続する、Ｙ２個の連続するサブフレームであり得る。代替として、Ｘ２個のサブフレームは、１つ又は複数のページングウェイクアップ信号の各々の開始サブフレームの前のＺ２個のサブフレーム中の、最初のＸ２個の連続するサブフレームであり得るし、ここで、Ｚ２は、ネットワークデバイスによって通知され得るか、又はプロトコルにおいて同意され得るし、例えば、Ｚ２が１０に等しいことがプロトコルにおいて同意され、Ｙ２個のサブフレームは、１つ又は複数のウェイクアップ信号の各々の開始サブフレームの後にありそれに連続する、Ｙ２個の連続するサブフレームであり得る。
【０１６９】
例えば、Ｘ２とＹ２の和は、以下の式（５）を満たす。
Ｘ２＋Ｙ２＝ｍｉｎ｛４Ｔ／ｎＢ，ｂ｝−１  式（５）
【０１７０】
ｎＢは、ＤＲＸ期間中のページング機会の数量を示し、ページング密度と呼ばれることもあり、Ｔは、ＤＲＸ期間を示し、ｂは、第２の指定された値であり、プロトコルにおいて同意され得るか、又はネットワークデバイスによって構成され得るし、これは、本出願のこの実施形態では特に限定されない。
【０１７１】
例えば、ＰＯロケーションが図３に示され、１６≦ａ＜３２、ギャップ＝３０ｍｓ、及び最大ＷＵＳ持続時間＝２ｍｓであると仮定される。
【０１７２】
ｎＢ＝４Ｔ及びＸ２＋Ｙ２＝０であるとき、各ＰＯロケーションに対応するＷＵＳの開始サブフレームが図１３の（ａ）に示されると仮定され、これは、示されている第４のシステムフレーム中のサブフレーム４に対応するＷＵＳの開始サブフレームが、示されている第１のシステムフレーム中のサブフレーム２であり、示されている第４のシステムフレーム中のサブフレーム５に対応するＷＵＳの開始サブフレームが、示されている第１のシステムフレーム中のサブフレーム３であり、示されている第４のシステムフレーム中のサブフレーム９に対応するＷＵＳの開始サブフレームが、示されている第１のシステムフレーム中のサブフレーム７であり、示されない第５のシステムフレーム中のサブフレーム４に対応するＷＵＳの開始サブフレームが、示されている第２のシステムフレーム中のサブフレーム２であり、示されない第５のシステムフレーム中のサブフレーム５に対応するＷＵＳの開始サブフレームが、示されている第２のシステムフレーム中のサブフレーム３であり、示されない第５のシステムフレーム中のサブフレーム９に対応するＷＵＳの開始サブフレームが、示されている第２のシステムフレーム中のサブフレーム７であり、示されない第６のシステムフレーム中のサブフレーム４に対応するＷＵＳの開始サブフレームが、示されている第３のシステムフレーム中のサブフレーム２であり、示されない第６のシステムフレーム中のサブフレーム５に対応するＷＵＳの開始サブフレームが、示されている第３のシステムフレーム中のサブフレーム３であり、示されない第６のシステムフレーム中のサブフレーム９に対応するＷＵＳの開始サブフレームが、示されている第３のシステムフレーム中のサブフレーム７であり、示されない第７のシステムフレーム中のサブフレーム４に対応するＷＵＳの開始サブフレームが、示されている第４のシステムフレーム中のサブフレーム２であり、示されない第７のシステムフレーム中のサブフレーム５に対応するＷＵＳの開始サブフレームが、示されている第４のシステムフレーム中のサブフレーム３であり、示されない第７のシステムフレーム中のサブフレーム９に対応するＷＵＳの開始サブフレームが、示されている第４のシステムフレーム中のサブフレーム７であることを含む。この場合、参照信号に対応する時間領域リソースは図１３の（ａ）に示され得るし、即ち、時間領域リソースは、第１の持続時間中の各ウェイクアップ信号の開始サブフレーム、例えば、ウェイクアップ信号の開始サブフレームが位置するシステムフレーム中のサブフレーム２、サブフレーム３、及びサブフレーム７を含む。
【０１７３】
ｎＢ＝２Ｔ及びＸ１＋Ｙ１＝１であるとき、各ＰＯロケーションに対応するＷＵＳの開始サブフレームが図１３の（ｂ）に示されると仮定され、これは、示されている第４のシステムフレーム中のサブフレーム４に対応するＷＵＳの開始サブフレームが、示されている第１のシステムフレーム中のサブフレーム２であり、示されている第４のシステムフレーム中のサブフレーム９に対応するＷＵＳの開始サブフレームが、示されている第１のシステムフレーム中のサブフレーム７であり、示されない第５のシステムフレーム中のサブフレーム４に対応するＷＵＳの開始サブフレームが、示されている第２のシステムフレーム中のサブフレーム２であり、示されない第５のシステムフレーム中のサブフレーム９に対応するＷＵＳの開始サブフレームが、示されている第２のシステムフレーム中のサブフレーム７であり、示されない第６のシステムフレーム中のサブフレーム４に対応するＷＵＳの開始サブフレームが、示されている第３のシステムフレーム中のサブフレーム２であり、示されない第６のシステムフレーム中のサブフレーム９に対応するＷＵＳの開始サブフレームが、示されている第３のシステムフレーム中のサブフレーム７であり、示されない第７のシステムフレーム中のサブフレーム４に対応するＷＵＳの開始サブフレームが、示されている第４のシステムフレーム中のサブフレーム２であり、示されない第７のシステムフレーム中のサブフレーム９に対応するＷＵＳの開始サブフレームが、示されている第４のシステムフレーム中のサブフレーム７であることを含む。この場合、参照信号に対応する時間領域リソースは図１３の（ｂ）に示され得るし、即ち、時間領域リソースは、第１の持続時間中の各ウェイクアップ信号の開始サブフレーム、及び各ウェイクアップ信号の開始サブフレームの前にありそれに連続する、１つのサブフレーム、例えば、ウェイクアップ信号の開始サブフレームが位置するシステムフレーム中のサブフレーム１、サブフレーム２、サブフレーム６、及びサブフレーム７を含む。
【０１７４】
ｎＢ＝Ｔ及びＸ２＋Ｙ２＝３、又はｎＢ＝Ｔ／２及びＸ２＋Ｙ２＝７、又はｎＢ＝Ｔ／４及びＸ２＋Ｙ２＝１５、又はｎＢ＜Ｔ／４及びＸ２＋Ｙ２＝ａ−１であるとき、参照信号に対応する時間領域リソースに関する詳細については、図１３の（ａ）及び（ｂ）を参照されたい。詳細について本明細書で再び説明されない。
【０１７５】
任意選択で、本出願のこの実施形態では、Ｘ２とＹ２の和は、ＤＲＸ期間中のページング機会の数量、ＤＲＸ期間、及び第２の指定された値に基づいてネットワークデバイスによって決定され得るし、例えば、式（５）に基づいて決定され得るか、又はＸ２とＹ２の和は、例えば、表３若しくは表４に示されているように、ＤＲＸ期間中のページング機会の数量に対応する指定された値である。これは、本出願のこの実施形態では特に限定されない。
【０１７６】
【表３】
2021536183.tif 000005
【０１７７】
【表４】
2021536183.tif 000006
【０１７８】
任意選択で、本出願のこの実施形態では、第２の時間領域リソース上のサブフレームは、通常サブフレームを含み得るか、又は有効（ｖａｌｉｄ）サブフレームを含み得る。これは、本出願のこの実施形態では特に限定されない。ウェイクアップ信号の開始サブフレームが有効サブフレームであるので、第２の時間領域リソース上の全てのサブフレームが有効サブフレームであるとき、Ｘ２個の（連続する）サブフレームは、Ｘ２個の（連続する）有効サブフレームであり、Ｙ２個の（連続する）サブフレームは、Ｙ２個の（連続する）有効サブフレームである。これは本明細書において一律に記述され、詳細について以下で再び説明されない。
【０１７９】
本出願のこの実施形態では、連続する有効サブフレームは、２つの有効サブフレーム間に他の有効サブフレームが存在しないことを意味する。例えば、図１３の（ｂ）において、ウェイクアップ信号の開始サブフレームが位置するシステムフレーム中のサブフレーム６は、有効サブフレームでなく、ウェイクアップ信号の開始サブフレームが位置するシステムフレーム中のサブフレーム５は、有効サブフレームであると仮定される。この場合、参照信号に対応する時間領域リソースは、図１４に示されているように、ウェイクアップ信号の開始サブフレームが位置するシステムフレーム中のサブフレーム１、サブフレーム２、サブフレーム５、及びサブフレーム７を含み得る。
【０１８０】
任意選択で、シナリオ２では、本出願のこの実施形態において提供される参照信号送信及び受信方法は、ネットワークデバイスが、端末デバイスに参照信号の第２の構成情報を送信することをさらに含み得る。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。これは、本出願のこの実施形態では特に限定されない。
【０１８１】
第１の期間、第１の持続時間、及び第１の期間中の第１の持続時間のオフセットの関係する説明については、シナリオ１を参照されたい。詳細について本明細書で再び説明されない。
【０１８２】
このようにして、ネットワークデバイスから第２の構成情報を受信した後に、端末デバイスは、第２の構成情報及びＤＲＸ期間中のページング機会の数量に基づいて第１の持続時間中の時間領域リソース又は第１の期間中の時間領域リソースを決定し得る。例えば、第２の構成情報が、第１の持続時間と、Ｘ２及びＹ２のうちの少なくとも１つとを含むと仮定すると、端末デバイスは、第２の構成情報及びＤＲＸ期間中のページング機会の数量に基づいて第１の持続時間中の時間領域リソースを決定し得る。代替として、例えば、第２の構成情報が、Ｘ２及びＹ２のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第２の構成情報及びＤＲＸ期間中のページング機会の数量に基づいて第１の期間中の時間領域リソースを決定し得る。これは、本出願のこの実施形態では特に限定されない。
【０１８３】
例えば、ＤＲＸ期間＝１２８個のシステムフレーム、第１の期間＝０．５×ＤＲＸ期間＝６４個のシステムフレーム、第１の持続時間＝（１／３２）×第１の期間であり、第１の期間中の第１の持続時間のオフセットが１つのシステムフレームであり、第１の持続時間の繰り返し数量が２であると仮定され、ｎＢ＝２Ｔであるとき、参照信号に対応する時間領域リソースが図１３の（ｂ）に示される。この場合、ｎＢ＝２Ｔであるとき、第１の期間中の時間領域リソースは、図１５に示されているように、第１の期間中の第２のシステムフレームから第５のシステムフレーム中のサブフレーム１、サブフレーム２、サブフレーム６、及びサブフレーム７を含み得る。
【０１８４】
任意選択で、上記の実施形態は、ネットワークデバイスが端末デバイスに第２の構成情報を送信する例を使用することによって説明される。ネットワークデバイスは、システムメッセージ又は上位レイヤシグナリング中で端末デバイスに第２の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０１８５】
任意選択で、Ｘ２、Ｙ２、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第１の構成情報は、Ｘ２、Ｙ２、第１の期間、第１の持続時間、第１の期間中の第１の持続時間のオフセット、及び第１の持続時間の繰り返し数量を含む。代替として、Ｘ２、Ｙ２、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第１の構成情報を送信する必要がない。代替として、Ｘ２、Ｙ２、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ２、Ｙ２、第１の期間、第１の持続時間、第１の期間中の第１の持続時間のオフセット、及び第１の持続時間の繰り返し数量の一部の情報が、プロトコルにおいて同意され得る。例えば、第１の構成情報は、Ｘ２及びＹ２のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０１８６】
任意選択で、本出願のこの実施形態では、ＷＵＳがＰＯの前に存在するかどうかを検出するとき、ＷＵＳをサポートする端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【０１８７】
シナリオ３：ステップＳ７０１からＳ７０３における時間−周波数リソース中の時間領域リソースが、第１の時間領域リソース及び第２の時間領域リソースを含み得る。
【０１８８】
このシナリオでは、第１の時間領域リソース（即ち、ページング機会に関係する参照信号を送信するための時間領域リソース）は、シナリオ１の方式で決定され得るし、第２の時間領域リソース（即ち、ウェイクアップ信号の開始サブフレームに関係する参照信号を送信するための時間領域リソース）は、シナリオ２の方式で決定され得る。関係する説明については、シナリオ１及びシナリオ２の説明を参照されたい。詳細について本明細書で再び説明されない。
【０１８９】
例えば、ｎＢ＝４Ｔであるとき、第１の時間領域リソースが図８の（ａ）に示され、第２の時間領域リソースが図１３の（ａ）に示されると仮定される。このシナリオでは、参照信号に対応する時間領域リソースは図１６の（ａ）に示され得るし、即ち、時間領域リソースは、第１の持続時間中の各ページング機会に対応するサブフレーム、及び各ウェイクアップ信号の開始サブフレーム、例えば、ページング機会が位置するシステムフレーム中のサブフレーム０、サブフレーム４、サブフレーム５、及びサブフレーム９、並びにウェイクアップ信号の開始サブフレームが位置するシステムフレーム中のサブフレーム２、サブフレーム３、及びサブフレーム７を含む。
【０１９０】
代替として、例えば、ｎＢ＝２Ｔであるとき、第１の時間領域リソースが図８の（ｂ）に示され、第２の時間領域リソースが図１３の（ｂ）に示されると仮定される。このシナリオでは、参照信号に対応する時間領域リソースは図１６の（ｂ）に示され得るし、即ち、時間領域リソースは、第１の持続時間中の各ページング機会に対応するサブフレーム、各ページング機会の前にありそれに連続する、１つのサブフレーム、各ウェイクアップ信号の開始サブフレーム、及び各ウェイクアップ信号の開始サブフレームの前にありそれに連続する、１つのサブフレーム、例えば、ページング機会が位置するシステムフレーム中のサブフレーム３、サブフレーム４、サブフレーム８、及びサブフレーム９、並びにウェイクアップ信号の開始サブフレームが位置するシステムフレーム中のサブフレーム１、サブフレーム２、サブフレーム６、及びサブフレーム７を含む。
【０１９１】
任意選択で、シナリオ３では、本出願のこの実施形態において提供される参照信号送信及び受信方法は、ネットワークデバイスが、端末デバイスに参照信号の第５の構成情報を送信することをさらに含み得る。第５の構成情報は、Ｘ１、Ｙ１、Ｘ２、Ｙ２、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０１９２】
第１の期間、第１の持続時間、及び第１の期間中の第１の持続時間のオフセットの関係する説明については、シナリオ１を参照されたい。詳細について本明細書で再び説明されない。
【０１９３】
このようにして、ネットワークデバイスから第５の構成情報を受信した後に、端末デバイスは、第５の構成情報及びＤＲＸ期間中のページング機会の数量に基づいて第１の期間中の時間領域リソースを決定し得る。関係する説明については、シナリオ１及びシナリオ２を参照されたい。詳細について本明細書で再び説明されない。
【０１９４】
任意選択で、上記の実施形態は、ネットワークデバイスが端末デバイスに第５の構成情報を送信する例を使用することによって説明される。ネットワークデバイスは、システムメッセージ又は上位レイヤシグナリング中で端末デバイスに第５の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０１９５】
任意選択で、Ｘ１、Ｙ１、Ｘ２、Ｙ２、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第１の構成情報は、Ｘ１、Ｙ１、Ｘ２、Ｙ２、第１の期間、第１の持続時間、第１の期間中の第１の持続時間のオフセット、及び第１の持続時間の繰り返し数量を含む。代替として、Ｘ１、Ｙ１、Ｘ２、Ｙ２、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第１の構成情報を送信する必要がない。代替として、Ｘ１、Ｙ１、Ｘ２、Ｙ２、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ１、Ｙ１、Ｘ２、Ｙ２、第１の期間、第１の持続時間、第１の期間中の第１の持続時間のオフセット、及び第１の持続時間の繰り返し数量の一部の情報が、プロトコルにおいて同意され得る。例えば、第１の構成情報は、Ｘ１、Ｙ１、Ｘ２、及びＹ２のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０１９６】
任意選択で、本出願のこの実施形態では、Ｘ１はＹ１と同じであり得るし、Ｘ２はＹ２と同じであり得る。これは、本出願のこの実施形態では特に限定されない。この場合、第５の構成情報は、Ｘ１（又はＸ２）、Ｙ１（又はＹ２）、第１の期間、第１の持続時間、第１の期間中の第１の持続時間のオフセット、及び第１の持続時間の繰り返し数量のうちの少なくとも１つを含み得る。これは、本出願のこの実施形態では特に限定されない。
【０１９７】
シナリオ１からシナリオ３では、関係する説明は、ステップＳ７０１からＳ７０３における時間−周波数リソース中の時間領域リソースが、第１の時間領域リソース、第２の時間領域リソース、又は第１の時間領域リソース及び第２の時間領域リソースを含み得る例を使用することによって提供されている。全ての所与の例は、第１の持続時間中の１つ又は複数のページング機会が、第１の持続時間中の全てのページング機会を含み、及び／又は第１の持続時間中の１つ又は複数のウェイクアップ信号が、第１の持続時間中の全てのウェイクアップ信号を含む例を使用することによって説明されている。任意選択で、第１の持続時間中の１つ又は複数のページング機会は、第１の持続時間中の全てのページング機会のうちのいくつかを含み得るか、及び／又は第１の持続時間中の１つ又は複数のウェイクアップ信号は、第１の持続時間中の全てのウェイクアップ信号のうちのいくつかを含む。詳細について以下で説明される。
【０１９８】
最初に、第１の持続時間中の１つ又は複数のページング機会が、第１の持続時間中の全てのページング機会のうちのいくつかを含み得ることについて以下で説明される。
【０１９９】
可能な実装では、第１の持続時間中の全てのページング機会のうちのいくつかは、ビットマップによって表され得る。例えば、第１の持続時間中の全てのページング機会の数量がＦ１であると仮定すると、ページング機会は、Ｆ１ビットのビットマップによって表され得るし、Ｆ１ビットのビットマップ中の各ビットは、参照信号が、Ｆ１個のページング機会の各々に対応するサブフレーム中で送信されるかどうかを示すために使用され、Ｆ１は正の整数である。
【０２００】
例えば、ｎＢ＝４Ｔであるとき、第１の持続時間は４つのシステムフレームであると仮定される。図８の（ａ）を参照すると、これらの４つのシステムフレームは、１６個のページング機会を含む。ビットマップは１１１０  ０１００  ００００  ００００であり、ビット値「１」は、参照信号が送信されることを示し、ビット値「０」は、参照信号が送信されないことを示すと仮定される。この場合、参照信号に対応する時間領域リソースは、図１７の（ａ）に示されているように、第１のシステムフレーム中のサブフレーム０、サブフレーム４、及びサブフレーム５、並びに第２のシステムフレーム中のサブフレーム４を含み得る。
【０２０１】
代替として、例えば、ｎＢ＝２Ｔであるとき、第１の持続時間は４つのシステムフレームであると仮定される。図８の（ｂ）を参照すると、これらの４つのシステムフレームは、８つのページング機会を含む。ビットマップは１１００  ００００であり、ビット値「１」は、参照信号が送信されることを示し、ビット値「０」は、参照信号が送信されないことを示すと仮定される。この場合、参照信号に対応する時間領域リソースは、図１７の（ｂ）に示されているように、第１のシステムフレーム中のサブフレーム３、サブフレーム４、サブフレーム８、及びサブフレーム９を含み得る。
【０２０２】
代替として、例えば、ｎＢ＝Ｔであるとき、第１の持続時間は４つのシステムフレームであると仮定される。図８の（ｃ）を参照すると、これらの４つのシステムフレームは、４つのページング機会を含む。ビットマップは０１００であり、ビット値「１」は、参照信号が送信されることを示し、ビット値「０」は、参照信号が送信されないことを示すと仮定される。この場合、参照信号に対応する時間領域リソースは、図１７の（ｃ）に示されているように、第２のシステムフレーム中のサブフレーム９、並びに第３のシステムフレーム中のサブフレーム０、サブフレーム１、及びサブフレーム２を含み得る。
【０２０３】
代替として、例えば、ｎＢ＝Ｔ／２であるとき、第１の持続時間は４つのシステムフレームであると仮定される。図８の（ｄ）を参照すると、これらの４つのシステムフレームは、４つのページング機会を含む。ビットマップは０１であり、ビット値「１」は、参照信号が送信されることを示し、ビット値「０」は、参照信号が送信されないことを示すと仮定される。この場合、参照信号に対応する時間領域リソースは、図１７の（ｄ）に示されているように、第４のシステムフレーム中のサブフレーム３からサブフレーム９、及び第５のシステムフレーム中のサブフレーム１を含み得る。
【０２０４】
代替として、例えば、ｎＢ＜Ｔ／２であるとき、関係する例については、上記の説明を参照されたい。詳細について本明細書で再び説明されない。
【０２０５】
別の可能な実装では、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【０２０６】
任意選択で、本出願のこの実施形態では、Ｎ１個のページング機会は、Ｍ１個毎のページング機会における、最初のＮ１個の連続するページング機会であり得るか、又はＮ１個のページング機会は、Ｍ１個毎のページング機会における、最後のＮ１個の連続するページング機会であり得るか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【０２０７】
例えば、ｎＢ＝２Ｔであり、第１の持続時間は４つのシステムフレームであると仮定される。図８の（ｂ）を参照すると、これらの４つのシステムフレームは、８つのページング機会を含む。Ｍ１＝４及びＮ１＝２であると仮定される。
【０２０８】
２つのページング機会は、４つ毎のページング機会における、最初の２つのページング機会であり得る。この場合、第１の時間−周波数リソースは、図１８の（ａ）に示されているように、第１のシステムフレーム及び第３のシステムフレーム中のサブフレーム３、サブフレーム４、サブフレーム８、及びサブフレーム９を含む。
【０２０９】
代替として、２つのページング機会は、４つ毎のページング機会における、最後の２つのページング機会であり得る。この場合、第１の時間−周波数リソースは、図１８の（ｂ）に示されているように、第２のシステムフレーム及び第４のシステムフレーム中のサブフレーム３、サブフレーム４、サブフレーム８、及びサブフレーム９を含む。
【０２１０】
代替として、２つのページング機会は、４ビットのビットマップによって表され得る。４ビットのビットマップは０１１０であり、ビット値「１」は、参照信号が送信されることを示し、ビット値「０」は、参照信号が送信されないことを示すと仮定される。この場合、第１の時間−周波数リソースは、図１８の（ｃ）に示されているように、第１のシステムフレーム及び第３のシステムフレーム中のサブフレーム８及びサブフレーム９、並びに第２のシステムフレーム及び第４のシステム中のサブフレーム３及びサブフレーム４を含む。
【０２１１】
本出願のこの実施形態における全ての上記の例は、ビット値「１」が、参照信号が送信されることを示し、ビット値「０」が、参照信号が送信されないことを示す例を使用することによって説明されていることに留意されたい。もちろん、代替として、ビット値「０」は、参照信号が送信されることを示し得るし、ビット値「１」は、参照信号が送信されないことを示し得る。これは、本出願のこの実施形態では特に限定されない。この説明は、以下の実施形態にも適用可能である。これは本明細書において一律に記述され、詳細について以下で再び説明されない。
【０２１２】
任意選択で、本出願のこの実施形態において提供される参照信号送信及び受信方法は、ネットワークデバイスが、端末デバイスに参照信号の第３の構成情報を送信することをさらに含み得る。第３の構成情報は、Ｍ１及びＮ１を含むか、又はＭ１ビットのビットマップを含む。例えば、Ｎ１個のページング機会が、Ｍ１個毎のページング機会における、最初のＮ１個の連続するページング機会であり得るか、若しくはＮ１個のページング機会が、Ｍ１個毎のページング機会における、最後のＮ１個の連続するページング機会であり得るとき、第３の構成情報は、Ｍ１及びＮ１を含み得るか、又はＮ１個のページング機会が、Ｍ１ビットのビットマップによって表されるとき、第３の構成情報は、Ｍ１ビットのビットマップを含み得る。これは、本出願のこの実施形態では特に限定されない。
【０２１３】
このようにして、ネットワークデバイスから第３の構成情報を受信した後に、端末デバイスは、第３の構成情報を参照して第１の持続時間中の時間領域リソースを決定し得る。詳細については、図１８に示されている例を参照されたい。詳細について本明細書で再び説明されない。
【０２１４】
任意選択で、上記の実施形態は、ネットワークデバイスが端末デバイスに第３の構成情報を送信する例を使用することによって説明される。ネットワークデバイスは、システムメッセージ又は上位レイヤシグナリング中で端末デバイスに第３の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。もちろん、Ｍ１及びＮ１、又はＭ１ビットのビットマップは、代替として、プロトコルにおいて同意され得る。これは、本出願のこの実施形態では特に限定されない。
【０２１５】
任意選択で、本出願のこの実施形態における第１の構成情報及び第３の構成情報は、１つのメッセージ若しくは１つのシグナリングを使用することによって端末デバイスのためにネットワークデバイスによって構成され得るか、又は異なるメッセージ若しくはシグナリングを使用することによって端末デバイスのためにネットワークデバイスによって構成され得る。これは、本出願のこの実施形態では特に限定されない。
【０２１６】
次に、第１の持続時間中の１つ又は複数のウェイクアップ信号が、第１の持続時間中の全てのウェイクアップ信号のうちのいくつかを含み得ることについて以下で説明される。
【０２１７】
可能な実装では、第１の持続時間中の全てのウェイクアップ信号のうちのいくつかは、ビットマップによって表され得る。例えば、第１の持続時間中の全てのウェイクアップ信号の数量がＦ２であると仮定すると、ウェイクアップ信号は、Ｆ２ビットのビットマップによって表され得るし、Ｆ２ビットのビットマップ中の各ビットは、参照信号が、Ｆ２個のウェイクアップ信号の各々の開始サブフレーム中で送信されるかどうかを示すために使用され、Ｆ２は正の整数である。関係する例については、図１７を参照されたい。詳細について本明細書で再び説明されない。
【０２１８】
別の可能な実装では、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【０２１９】
任意選択で、本出願のこの実施形態では、Ｎ２個のウェイクアップ信号は、Ｍ２個毎のウェイクアップ信号における、最初のＮ２個の連続するウェイクアップ信号であり得るか、又はＮ２個のウェイクアップ信号は、Ｍ２個毎のウェイクアップ信号における、最後のＮ２個の連続するウェイクアップ信号であり得るか、又はＮ２個のウェイクアップ信号は、Ｍ２ビットのビットマップによって表され、Ｍ１ビットのビットマップ中の各ビットは、参照信号が、Ｍ１個毎のウェイクアップ信号の各々の開始サブフレーム中で送信されるかどうかを示すために使用される。関係する例については、図１８を参照されたい。詳細について本明細書で再び説明されない。
【０２２０】
任意選択で、本出願のこの実施形態において提供される参照信号送信及び受信方法は、ネットワークデバイスが、端末デバイスに参照信号の第４の構成情報を送信することをさらに含み得る。第４の構成情報は、Ｍ２及びＮ２を含むか、又はＭ２ビットのビットマップを含む。例えば、Ｎ２個のページング機会が、Ｍ２個毎のページング機会における、最初のＮ２個の連続するページング機会であり得るか、若しくはＮ２個のページング機会が、Ｍ２個毎のページング機会における、最後のＮ２個の連続するページング機会であり得るとき、第４の構成情報は、Ｍ２及びＮ２を含み得るか、又はＮ２個のページング機会が、Ｍ２ビットのビットマップによって表されるとき、第４の構成情報は、Ｍ２ビットのビットマップを含み得る。これは、本出願のこの実施形態では特に限定されない。
【０２２１】
このようにして、ネットワークデバイスから第４の構成情報を受信した後に、端末デバイスは、第４の構成情報を参照して第１の持続時間中の時間領域リソースを決定し得る。詳細については、図１８に示されている例を参照されたい。詳細について本明細書で再び説明されない。
【０２２２】
任意選択で、上記の実施形態は、ネットワークデバイスが端末デバイスに第４の構成情報を送信する例を使用することによって説明される。ネットワークデバイスは、システムメッセージ又は上位レイヤシグナリング中で端末デバイスに第４の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。もちろん、Ｍ２及びＮ２、又はＭ２ビットのビットマップは、代替として、プロトコルにおいて同意され得る。これは、本出願のこの実施形態では特に限定されない。
【０２２３】
任意選択で、本出願のこの実施形態における第２の構成情報及び第４の構成情報は、１つのメッセージ若しくは１つのシグナリングを使用することによって端末デバイスのためにネットワークデバイスによって構成され得るか、又は異なるメッセージ若しくはシグナリングを使用することによって端末デバイスのためにネットワークデバイスによって構成され得る。これは、本出願のこの実施形態では特に限定されない。
【０２２４】
任意選択で、本出願のこの実施形態では、Ｍ１はＭ２と同じであり得るし、Ｎ１はＮ２と同じであり得る。これは、本出願のこの実施形態では特に限定されない。
【０２２５】
シナリオ４：ステップＳ７０１からＳ７０３における時間−周波数リソース中の時間領域リソースが、第３の時間領域リソースを含み得る。
【０２２６】
例えば、ステップＳ７０１からＳ７０３における時間−周波数リソース中の時間領域リソースは、第３の時間領域リソースを含む。この場合、Ｘ５個のサブフレームは、Ｍ３個毎のページング機会における、Ｎ３個のページング機会の各々に対応するサブフレームの前にありそれに連続する、Ｘ５個の連続するサブフレームであり得るし、Ｙ５個のサブフレームは、Ｍ３個毎のページング機会における、Ｎ３個のページング機会の各々に対応するサブフレームの後にありそれに連続する、Ｙ５個の連続するサブフレームである。代替として、Ｘ５個のサブフレームは、Ｍ３個毎のページング機会における、Ｎ３個のページング機会の各々に対応するサブフレームの前のＺ３個のサブフレーム中の、最初のＸ５個の連続するサブフレームであり得るし、ここで、Ｚ３は、ネットワークによって構成され得るか、又はプロトコルにおいて同意され得るし、例えば、Ｚ３が１０に等しいことがプロトコルにおいて同意され、Ｙ５個のサブフレームは、Ｍ３個毎のページング機会における、Ｎ３個のページング機会の各々に対応するサブフレームの後にありそれに連続する、Ｙ５個の連続するサブフレームである。
【０２２７】
例えば、Ｍ３は、以下の式（６）を満たす。
Ｍ３＝ｍａｘ｛α１×（４／Ｔ）×ｎＢ，１｝  式（６）
【０２２８】
ｎＢは、不連続受信期間中のページング機会の数量を示し、Ｔは、不連続受信期間を示し、α１は、第５の指定された値である。ＰＯロケーションは図３に示され、α１＝１、及びＮ３＝１であると仮定される。
【０２２９】
ｎＢ＝４Ｔ及びＭ３＝１６であるとき、参照信号に対応する時間領域リソースは、図２４の（ａ）、即ち、第１の持続時間中の全てのページング機会のうちの１６個毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。図２４の（ａ）及び図２４の（ｂ）から（ｅ）は、Ｘ５＝１及びＹ５＝０である例を使用することによって説明されている。もちろん、Ｘ５及びＹ５は、代替として他の値であってよい。これは、本出願のこの実施形態では特に限定されない。
【０２３０】
ｎＢ＝２Ｔ及びＭ３＝８であるとき、参照信号に対応する時間領域リソースは、図２４の（ｂ）、即ち、第１の持続時間中の全てのページング機会のうちの８つ毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３１】
ｎＢ＝Ｔ及びＭ３＝４であるとき、参照信号に対応する時間領域リソースは、図２４の（ｃ）、即ち、第１の持続時間中の全てのページング機会のうちの４つ毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３２】
ｎＢ＝Ｔ／２及びＭ３＝２であるとき、参照信号に対応する時間領域リソースは、図２４の（ｄ）、即ち、第１の持続時間中の全てのページング機会のうちの２つ毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３３】
ｎＢ＝Ｔ／４及びＭ３＝１であるとき、参照信号に対応する時間領域リソースは、図２４の（ｅ）、即ち、第１の持続時間中の全てのページング機会の各々に関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３４】
ｎＢ＜Ｔ／４及びＭ３＝１であるとき、参照信号に対応する時間領域リソースは、図２４の（ｅ）、即ち、第１の持続時間中の全てのページング機会の各々に関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３５】
ｎＢの異なる値について、ページング機会に対応するサブフレームの前のＸ５個のサブフレームは、同じであるか又は異なり得る。これは、本出願のこの実施形態では特に限定されない。加えて、Ｘ５及びＹ５は、ネットワークによって構成され得るか、又はプロトコルにおいて同意され得る。これは、本出願のこの実施形態では特に限定されない。
【０２３６】
任意選択で、本出願のこの実施形態では、Ｍ３は、ＤＲＸ期間中のページング機会の数量、ＤＲＸ期間、及び第５の指定された値に基づいてネットワークデバイスによって決定され得るし、例えば、式（６）に基づいて決定され得るか、又はＭ３は、例えば、表５に示されているように、ＤＲＸ期間中のページング機会の数量に対応する指定された値である。
【０２３７】
【表５】
2021536183.tif 000007
【０２３８】
任意選択で、本出願のこの実施形態では、第３の時間領域リソース上のサブフレームは、通常サブフレームを含み得るか、又は有効（ｖａｌｉｄ）サブフレームを含み得る。これは、本出願のこの実施形態では特に限定されない。第３の時間領域リソース上の全てのサブフレームが有効サブフレームであるとき、ページング機会に対応するサブフレームは、ページング機会が位置するサブフレームであり得るか、又はページング機会の後の第１の有効サブフレームであり得るし、Ｘ５個の（連続する）サブフレームは、Ｘ５個の（連続する）有効サブフレームであり、Ｙ５個の（連続する）サブフレームは、Ｙ５個の（連続する）有効サブフレームである。これは本明細書において一律に記述され、詳細について以下で再び説明されない。
【０２３９】
本出願のこの実施形態では、連続する有効サブフレームは、２つの有効サブフレーム間に他の有効サブフレームが存在しないことを意味する。詳細については、図９に示されているような、シナリオ１における説明を参照されたい。
【０２４０】
任意選択で、シナリオ４では、本出願のこの実施形態において提供される参照信号送信及び受信方法は、ネットワークデバイスが、端末デバイスに参照信号の第６の構成情報を送信することをさらに含み得る。第６の構成情報は、Ｘ５、Ｙ５、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０２４１】
第１の期間、第１の持続時間、及び第１の期間中の第１の持続時間のオフセットの関係する説明については、シナリオ１を参照されたい。詳細について本明細書で再び説明されない。
【０２４２】
このようにして、ネットワークデバイスから第６の構成情報を受信した後に、端末デバイスは、第６の構成情報及びＤＲＸ期間中のページング機会の数量に基づいて第１の持続時間中の時間領域リソース又は第１の期間中の時間領域リソースを決定し得る。例えば、第６の構成情報が、第１の持続時間と、Ｘ２及びＹ２のうちの少なくとも１つとを含むと仮定すると、端末デバイスは、第６の構成情報及びＤＲＸ期間中のページング機会の数量に基づいて第１の持続時間中の時間領域リソースを決定し得る。代替として、例えば、第６の構成情報が、Ｘ２及びＹ２のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第６の構成情報及びＤＲＸ期間中のページング機会の数量に基づいて第１の期間中の時間領域リソースを決定し得る。これは、本出願のこの実施形態では特に限定されない。
【０２４３】
任意選択で、上記の実施形態は、ネットワークデバイスが端末デバイスに第６の構成情報を送信する例を使用することによって説明される。ネットワークデバイスは、システムメッセージ又は上位レイヤシグナリング中で端末デバイスに第６の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０２４４】
任意選択で、Ｘ５、Ｙ５、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第６の構成情報は、Ｘ５、Ｙ５、第１の期間、第１の持続時間、第１の期間中の第１の持続時間のオフセット、及び第１の持続時間の繰り返し数量を含む。代替として、Ｘ５、Ｙ５、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第６の構成情報を送信する必要がない。代替として、Ｘ５、Ｙ５、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ５、Ｙ５、第１の期間、第１の持続時間、第１の期間中の第１の持続時間のオフセット、及び第１の持続時間の繰り返し数量の一部の情報が、プロトコルにおいて同意され得る。例えば、第６の構成情報は、Ｘ５及びＹ５のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０２４５】
任意選択で、本出願のこの実施形態では、Ｘ５とＹ５の和の値については、シナリオ１におけるＸ１とＹ１の和の関係する説明を参照されたい。詳細について本明細書で再び説明されない。
【０２４６】
任意選択で、本出願のこの実施形態では、開始サブフレームが、ＰＯに対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し得る。例えば、図１２に示されているように、カバーされた端末デバイスは、ＰＤＣＣＨサーチスペース中の最初の３つの候補ロケーション上でのみ検出を実施した後に、前もって検出を終了し、それにより、端末デバイスの電力消費量を低減し得る。
【０２４７】
シナリオ５：ステップＳ７０１からＳ７０３における時間−周波数リソース中の時間領域リソースが、第４の時間領域リソースを含み得る。
【０２４８】
例えば、ステップＳ７０１からＳ７０３における時間−周波数リソース中の時間領域リソースは、第４の時間領域リソースを含む。この場合、Ｘ６個のサブフレームは、Ｍ４個毎のウェイクアップ信号における、Ｎ４個のウェイクアップ信号の各々の開始サブフレームの前にありそれに連続する、Ｘ６個の連続するサブフレームであり得るし、Ｙ６個のサブフレームは、Ｍ４個毎のウェイクアップ信号における、Ｎ４個のウェイクアップ信号の各々の開始サブフレームの後にありそれに連続する、Ｙ６個の連続するサブフレームである。代替として、Ｘ６個のサブフレームは、Ｍ４個毎のウェイクアップ信号における、Ｎ４個のウェイクアップ信号の各々の開始サブフレームの前のＺ４個のサブフレーム中の、最初のＸ６個の連続するサブフレームであり得るし、ここで、Ｚ４は、ネットワークデバイスによって通知され得るか、又はプロトコルにおいて同意され得るし、例えば、Ｚ４が１０に等しいことがプロトコルにおいて同意され、Ｙ６個のサブフレームは、Ｍ４個毎のウェイクアップ信号における、Ｎ４個のウェイクアップ信号の各々の開始サブフレームの後にありそれに連続する、Ｙ６個の連続するサブフレームである。
【０２４９】
例えば、Ｍ４は、以下の式（７）を満たす。
Ｍ４＝ｍａｘ｛α２×（４／Ｔ）×ｎＢ，１｝  式（７）
【０２５０】
ｎＢは、不連続受信期間中のページング機会の数量を示し、Ｔは、不連続受信期間を示し、α２は、第６の指定された値である。ＰＯロケーションは図３に示され、α２＝１、及びＮ４＝１であると仮定される。
【０２５１】
ｎＢ＝４Ｔ及びＭ４＝１６であるとき、参照信号に対応する時間領域リソースは、図２５の（ａ）、即ち、第１の持続時間中の全てのウェイクアップ信号のうちの１６個毎のウェイクアップ信号のうちの１つに関係するサブフレームに示され得るし、ここで、ウェイクアップ信号に関係するサブフレームは、ウェイクアップ信号の開始サブフレーム、ウェイクアップ信号の開始サブフレームの前のＸ６個のサブフレーム、及びウェイクアップ信号の開始サブフレームの後のＹ６個のサブフレームを含む。図２５の（ａ）及び図２５の（ｂ）は、Ｘ６＝１及びＹ６＝０である例を使用することによって説明されている。もちろん、Ｘ６及びＹ６は、代替として他の値であってよい。これは、本出願のこの実施形態では特に限定されない。
【０２５２】
ｎＢ＝２Ｔ及びＭ４＝８であるとき、参照信号に対応する時間領域リソースは、図２５の（ｂ）、即ち、第１の持続時間中の全てのウェイクアップ信号のうちの８つ毎のウェイクアップ信号のうちの１つに関係するサブフレームに示され得るし、ここで、ウェイクアップ信号に関係するサブフレームは、ウェイクアップ信号の開始サブフレーム、ウェイクアップ信号の開始サブフレームの前のＸ５個のサブフレーム、及びウェイクアップ信号の開始サブフレームの後のＹ５個のサブフレームを含む。
【０２５３】
ｎＢ＝Ｔ及びＭ４＝４、又はｎＢ＝Ｔ／２及びＭ４＝２、又はｎＢ＝Ｔ／４及びＭ４＝１、又はｎＢ＜Ｔ／４及びＭ４＝１であるとき、参照信号に対応する時間領域リソースに関する詳細については、図２５の（ａ）及び（ｂ）を参照されたい。詳細について本明細書で再び説明されない。
【０２５４】
ｎＢの異なる値について、ページング機会に対応するサブフレームの前のＸ６個のサブフレームは、同じであるか又は異なり得る。これは、本出願のこの実施形態では特に限定されない。加えて、Ｘ６及びＹ６は、ネットワークによって構成され得るか、又はプロトコルにおいて同意され得る。これは、本出願のこの実施形態では特に限定されない。
【０２５５】
任意選択で、本出願のこの実施形態では、Ｍ４は、ＤＲＸ期間中のページング機会の数量、ＤＲＸ期間、及び第６の指定された値に基づいてネットワークデバイスによって決定され得るし、例えば、式（７）に基づいて決定され得るか、又はＭ４は、例えば、表６に示されているように、ＤＲＸ期間中のページング機会の数量に対応する指定された値である。
【０２５６】
【表６】
2021536183.tif 000008
【０２５７】
任意選択で、本出願のこの実施形態では、第４の時間領域リソース上のサブフレームは、通常サブフレームを含み得るか、又は有効（ｖａｌｉｄ）サブフレームを含み得る。これは、本出願のこの実施形態では特に限定されない。ウェイクアップ信号の開始サブフレームが有効サブフレームであるので、第４の時間領域リソース上の全てのサブフレームが有効サブフレームであるとき、Ｘ６個の（連続する）サブフレームは、Ｘ６個の（連続する）有効サブフレームであり、Ｙ６個の（連続する）サブフレームは、Ｙ６個の（連続する）有効サブフレームである。これは本明細書において一律に記述され、詳細について以下で再び説明されない。
【０２５８】
本出願のこの実施形態では、連続する有効サブフレームは、２つの有効サブフレーム間に他の有効サブフレームが存在しないことを意味する。詳細については、図１３に示されているような、シナリオ２における説明を参照されたい。
【０２５９】
任意選択で、シナリオ５では、本出願のこの実施形態において提供される参照信号送信及び受信方法は、ネットワークデバイスが、端末デバイスに参照信号の第７の構成情報を送信することをさらに含み得る。第７の構成情報は、Ｘ６、Ｙ６、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０２６０】
第１の期間、第１の持続時間、及び第１の期間中の第１の持続時間のオフセットの関係する説明については、シナリオ１を参照されたい。詳細について本明細書で再び説明されない。
【０２６１】
このようにして、ネットワークデバイスから第７の構成情報を受信した後に、端末デバイスは、第７の構成情報及びＤＲＸ期間中のページング機会の数量に基づいて第１の持続時間中の時間領域リソース又は第１の期間中の時間領域リソースを決定し得る。例えば、第７の構成情報が、第１の持続時間と、Ｘ６及びＹ６のうちの少なくとも１つとを含むと仮定すると、端末デバイスは、第７の構成情報及びＤＲＸ期間中のページング機会の数量に基づいて第１の持続時間中の時間領域リソースを決定し得る。代替として、例えば、第７の構成情報が、Ｘ６及びＹ６のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第７の構成情報及びＤＲＸ期間中のページング機会の数量に基づいて第１の期間中の時間領域リソースを決定し得る。これは、本出願のこの実施形態では特に限定されない。
【０２６２】
任意選択で、上記の実施形態は、ネットワークデバイスが端末デバイスに第７の構成情報を送信する例を使用することによって説明される。ネットワークデバイスは、システムメッセージ又は上位レイヤシグナリング中で端末デバイスに第７の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０２６３】
任意選択で、Ｘ６、Ｙ６、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第７の構成情報は、Ｘ６、Ｙ６、第１の期間、第１の持続時間、第１の期間中の第１の持続時間のオフセット、及び第１の持続時間の繰り返し数量を含む。代替として、Ｘ６、Ｙ６、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第７の構成情報を送信する必要がない。代替として、Ｘ６、Ｙ６、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ６、Ｙ６、第１の期間、第１の持続時間、第１の期間中の第１の持続時間のオフセット、及び第１の持続時間の繰り返し数量の一部の情報が、プロトコルにおいて同意され得る。例えば、第７の構成情報は、Ｘ６及びＹ６のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０２６４】
任意選択で、本出願のこの実施形態では、Ｘ６とＹ６の和の値については、シナリオ２におけるＸ２とＹ２の和の関係する説明を参照されたい。詳細について本明細書で再び説明されない。
【０２６５】
任意選択で、本出願のこの実施形態では、ＷＵＳがＰＯの前に存在するかどうかを検出するとき、ＷＵＳをサポートする端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。端末デバイスは、ＷＵＳの開始サブフレームからリスニングすることを実施し始め、ＷＵＳが存在しないことを知るために最大ＷＵＳ持続時間が終了するまで待つことなしに、前もってＷＵＳリスニングを終了し、それにより、端末デバイスの電力消費量を低減し得る。
【０２６６】
シナリオ６：ステップＳ７０１からＳ７０３における時間−周波数リソース中の時間領域リソースが、第３の時間領域リソース及び第４の時間領域リソースを含み得る。
【０２６７】
このシナリオでは、第３の時間領域リソース（即ち、ページング機会に関係する参照信号を送信するための時間領域リソース）は、シナリオ４の方式で決定され得るし、第４の時間領域リソース（即ち、ウェイクアップ信号の開始サブフレームに関係する参照信号を送信するための時間領域リソース）は、シナリオ５の方式で決定され得る。関係する説明については、シナリオ４及びシナリオ５の説明を参照されたい。詳細について本明細書で再び説明されない。
【０２６８】
任意選択で、シナリオ６では、本出願のこの実施形態において提供される参照信号送信及び受信方法は、ネットワークデバイスが、端末デバイスに参照信号の第８の構成情報を送信することをさらに含み得る。第８の構成情報は、Ｘ５、Ｙ５、Ｘ６、Ｙ６、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０２６９】
第１の期間、第１の持続時間、及び第１の期間中の第１の持続時間のオフセットの関係する説明については、シナリオ１を参照されたい。詳細について本明細書で再び説明されない。
【０２７０】
任意選択で、本出願のこの実施形態において提供される参照信号送信及び受信方法は、ネットワークデバイスが、端末デバイスに参照信号の第９の構成情報を送信することをさらに含み得る。第９の構成情報は、Ｎ３を含むか、又はＭ３ビットのビットマップを含む。例えば、Ｎ３個のページング機会が、Ｍ３個毎のページング機会における、最初のＮ３個の連続するページング機会であり得るか、若しくはＮ３個のページング機会が、Ｍ３個毎のページング機会における、最後のＮ３個の連続するページング機会であり得るとき、第９の構成情報は、Ｎ３を含み得るか、又はＮ３個のページング機会が、Ｍ３ビットのビットマップによって表されるとき、第９の構成情報は、Ｍ３ビットのビットマップを含み得る。これは、本出願のこの実施形態では特に限定されない。
【０２７１】
このようにして、ネットワークデバイスから第９の構成情報を受信した後に、端末デバイスは、第９の構成情報を参照して第１の持続時間中の時間領域リソースを決定し得る。詳細については、図１８に示されている例を参照されたい。詳細について本明細書で再び説明されない。
【０２７２】
任意選択で、本出願のこの実施形態において提供される参照信号送信及び受信方法は、ネットワークデバイスが、端末デバイスに参照信号の第１０の構成情報を送信することをさらに含み得る。第１０の構成情報は、Ｎ４を含むか、又はＭ４ビットのビットマップを含む。例えば、Ｎ４個のウェイクアップ信号が、Ｍ４個毎のウェイクアップ信号における、最初のＮ４個の連続するウェイクアップ信号であり得るか、若しくはＮ４個のウェイクアップ信号が、Ｍ４個毎のウェイクアップ信号における、最後のＮ４個の連続するウェイクアップ信号であり得るとき、第１０の構成情報は、Ｎ４を含み得るか、又はＮ４個のウェイクアップ信号が、Ｍ４ビットのビットマップによって表されるとき、第１０の構成情報は、Ｍ４ビットのビットマップを含み得る。これは、本出願のこの実施形態では特に限定されない。
【０２７３】
このようにして、ネットワークデバイスから第１０の構成情報を受信した後に、端末デバイスは、第１０の構成情報を参照して第１の持続時間中の時間領域リソースを決定し得る。詳細については、図１８に示されている例を参照されたい。詳細について本明細書で再び説明されない。
【０２７４】
シナリオ４からシナリオ６では、Ｍ３が不連続受信期間中のページング機会の数量に関係することは、不連続受信期間中のページング機会の数量がしきい値Ａよりも大きいとき、Ｍ３が１よりも大きいこと、又は不連続受信期間中のページング機会の数量がしきい値Ａ以下であるとき、Ｍ３が１に等しいことを含む。Ｍ４が不連続受信期間中のページング機会の数量に関係することは、不連続受信期間中のページング機会の数量がしきい値Ｂよりも大きいとき、Ｍ４が１よりも大きいこと、又は不連続受信期間中のページング機会の数量がしきい値Ｂ以下であるとき、Ｍ４が１に等しいことを含む。しきい値Ａ及びしきい値Ｂは、ネットワークによって構成され得るか、又はプロトコルにおいて同意され得る。これは本明細書では限定されない。しきい値Ａとしきい値Ｂの値は、同じであるか又は異なり得る。
【０２７５】
任意選択で、シナリオ１からシナリオ６では、ページング機会に対応するサブフレームの後のＹ１個の連続するサブフレームは、ＰＯを含まず、開始サブフレームがＰＯであるＰＤＣＣＨサーチスペース中にある、最初のＹ１個の連続するサブフレームであり得るし、ページング機会に対応するサブフレームの後のＹ３個の連続するサブフレームは、ＰＯを含まず、開始サブフレームがＰＯであるＰＤＣＣＨサーチスペース中にある、最初のＹ３個の連続するサブフレームであり得るし、ページング機会に対応するサブフレームの後のＹ５個の連続するサブフレームは、ＰＯを含まず、開始サブフレームがＰＯであるＰＤＣＣＨサーチスペース中にある、最初のＹ５個の連続するサブフレームであり得る。これは本明細書において一律に記述され、詳細について以下で再び説明されない。
【０２７６】
任意選択で、本出願のこの実施形態において提供される参照信号送信及び受信方法は、ネットワークデバイスが、端末デバイスに第１のインジケーション情報を送信し、それにより、端末デバイスが、ネットワークデバイスから第１のインジケーション情報を受信することをさらに含み得る。第１のインジケーション情報は、ネットワークデバイスが、第１の持続時間中のページング機会の数量に基づいて第１の持続時間中の時間領域リソースを決定することをサポートすることを示すために使用される。
【０２７７】
任意選択で、本出願のこの実施形態では、第１のインジケーション情報は、明示的インジケーション情報であり得るか、又は暗黙的インジケーション情報であり得る。これは、本出願のこの実施形態では特に限定されない。
【０２７８】
例えば、第１のインジケーション情報は、ビットでの候補値によって表され得る。ビットは、２つの候補値、例えば、０又は１を含む。候補値０は、ネットワークデバイスが、第１の持続時間中のページング機会の数量に基づいて第１の持続時間中の時間領域リソースを決定することをサポートすることを示し得るし、候補値１は、ネットワークデバイスが、第１の持続時間中のページング機会の数量に基づいて第１の持続時間中の時間領域リソースを決定することをサポートしないことを示し得る。代替として、候補値０は、ネットワークデバイスが、第１の持続時間中のページング機会の数量に基づいて第１の持続時間中の時間領域リソースを決定することをサポートしないことを示し得るし、候補値１は、ネットワークデバイスが、第１の持続時間中のページング機会の数量に基づいて第１の持続時間中の時間領域リソースを決定することをサポートすることを示し得る。
【０２７９】
代替として、例えば、第１のインジケーション情報は、指定された値であり得る。例えば、指定された値を送信することは、ネットワークデバイスが、第１の持続時間中のページング機会の数量に基づいて第１の持続時間中の時間領域リソースを決定することをサポートすることを示し、指定された値を送らないことは、ネットワークデバイスが、第１の持続時間中のページング機会の数量に基づいて第１の持続時間中の時間領域リソースを決定することをサポートしないことを示す。代替として、指定された値を送信することは、ネットワークデバイスが、第１の持続時間中のページング機会の数量に基づいて第１の持続時間中の時間領域リソースを決定することをサポートしないことを示し、指定された値を送らないことは、ネットワークデバイスが、第１の持続時間中のページング機会の数量に基づいて第１の持続時間中の時間領域リソースを決定することをサポートすることを示す。これは、本出願のこの実施形態では特に限定されない。
【０２８０】
任意選択で、本出願のこの実施形態では、第１のインジケーション情報は、システムメッセージ、上位レイヤシグナリング、若しくは他のシグナリングを使用することによって端末デバイスのためにネットワークデバイスによって構成され得るか、又はプロトコルにおいてあらかじめ決定され得る。これは、本出願のこの実施形態では特に限定されない。例えば、システムメッセージはＳＩＢ又はＭＩＢであり得るし、上位レイヤシグナリングはＲＲＣシグナリングであり得るし、他のシグナリングは（ダウンリンク制御情報、ＤＣＩ）シグナリングであり得る。これは、本出願のこの実施形態では特に限定されない。
【０２８１】
任意選択で、本出願のこの実施形態では、第１のインジケーション情報は、第１の構成情報、第２の構成情報、第３の構成情報、及び第４の構成情報のうちの少なくとも１つとともに端末デバイスのために構成され得るか、又は端末デバイスのために別々に構成され得る。これは、本出願のこの実施形態では特に限定されない。
【０２８２】
任意選択で、本出願のこの実施形態では、代替として、第１のインジケーション情報は構成されなくてよいが、ネットワークデバイスが、第１の持続時間中のページング機会の数量に基づいて第１の持続時間中の時間領域リソースを決定することをサポートすることが、プロトコルにおいてあらかじめ決定される。これは、本出願のこの実施形態では特に限定されない。
【０２８３】
任意選択で、本出願のこの実施形態では、端末デバイスは、端末デバイスが前もってＷＵＳ及びＰＤＣＣＨのうちの少なくとも１つ上で監視することを終了することが可能であるかどうかを、ネットワークデバイスにさらに報告し得る。例えば、端末デバイスは、ネットワークデバイスに第２のインジケーション情報を送信し得るし、第２のインジケーション情報は、端末デバイスが前もってＷＵＳ及びＰＤＣＣＨのうちの少なくとも１つ上で監視することを終了することが可能であることを示すために使用される。
【０２８４】
任意選択で、本出願のこの実施形態では、第２のインジケーション情報は、明示的インジケーション情報であり得るか、又は暗黙的インジケーション情報であり得る。これは、本出願のこの実施形態では特に限定されない。
【０２８５】
例えば、第２のインジケーション情報は、ビットでの候補値によって表され得る。ビットは、２つの候補値、例えば、０又は１を含む。候補値０は、端末デバイスが前もってＷＵＳ及びＰＤＣＣＨのうちの少なくとも１つ上で監視することを終了することが可能であることを示し得るし、候補値１は、端末デバイスが前もってＷＵＳ及びＰＤＣＣＨのうちの少なくとも１つ上で監視することを終了することが不可能であることを示し得る。代替として、候補値０は、端末デバイスが前もってＷＵＳ及びＰＤＣＣＨのうちの少なくとも１つ上で監視することを終了することが不可能であることを示し得るし、候補値１は、端末デバイスが前もってＷＵＳ及びＰＤＣＣＨのうちの少なくとも１つ上で監視することを終了することが可能であることを示し得る。
【０２８６】
代替として、例えば、第２のインジケーション情報は、指定された値であり得る。例えば、指定された値を送信することは、端末デバイスが前もってＷＵＳ及びＰＤＣＣＨのうちの少なくとも１つ上で監視することを終了することが可能であることを示し、指定された値を送らないことは、端末デバイスが前もってＷＵＳ及びＰＤＣＣＨのうちの少なくとも１つ上で監視することを終了することが不可能であることを示す。代替として、指定された値を送信することは、端末デバイスが前もってＷＵＳ及びＰＤＣＣＨのうちの少なくとも１つ上で監視することを終了することが不可能であることを示し、指定された値を送らないことは、端末デバイスが前もってＷＵＳ及びＰＤＣＣＨのうちの少なくとも１つ上で監視することを終了することが可能であることを示す。これは、本出願のこの実施形態では特に限定されない。
【０２８７】
任意選択で、本出願のこの実施形態において提供される参照信号送信及び受信方法は、参照信号が、ページング機会に対応するサブフレーム及び／又はウェイクアップ信号の開始サブフレーム中で送信され得る例を使用することによって説明される。任意選択で、代替として、参照信号は、ページング機会に対応するサブフレーム及び／又はウェイクアップ信号の開始サブフレーム中で送信されないことがある。具体的には、第１の時間領域リソースは、第１の持続時間中の１つ又は複数のページング機会の各々に対応するサブフレームの前のＰ１個のサブフレーム、及び第１の持続時間中の１つ又は複数のページング機会の各々に対応するサブフレームの後のＱ１個のサブフレームを含み、Ｐ１は０以上の整数であり、Ｑ１は０以上の整数であり、Ｐ１とＱ１の和は、不連続受信期間中のページング機会の数量に関係し、Ｐ１とＱ１の和は１以上であるか、又は第２の時間領域リソースは、第１の持続時間中の１つ又は複数のウェイクアップ信号の各々の開始サブフレームの前のＰ２個のサブフレーム、及び第１の持続時間中の１つ又は複数のウェイクアップ信号の各々の開始サブフレームの後のＱ２個のサブフレームを含み、Ｐ２は０以上の整数であり、Ｑ２は０以上の整数であり、Ｐ２とＱ２の和は、不連続受信期間中のページング機会の数量に関係し、Ｐ２とＱ２の和は１以上である。この場合は、本出願のこの実施形態では特に限定されない。この場合に対応する関係する説明については、参照信号が、ページング機会に対応するサブフレーム及び／又はウェイクアップ信号の開始サブフレーム中で送信され得ることに関する上記の説明を参照されたい。例えば、違いは、Ｘ１＋Ｙ１＋１＝Ｐ１＋Ｑ１であることにある。詳細について本明細書で再び説明されない。
【０２８８】
本出願のこの実施形態において提供される参照信号送信及び受信方法によれば、ネットワークデバイスがページング機会において対応するページングスケジューリングメッセージを送信するかどうかにかかわらず、ネットワークデバイスは、不連続受信期間中のページング機会の数量に基づいて決定された第１の持続時間中の時間領域リソースに対応する時間−周波数リソース上で参照信号を送信する。従って、一態様では、開始サブフレームが、ページング機会に対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、第１の持続時間中のいくつかの参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し得る。例えば、図１２に示されているように、良好なチャネル条件をもつ端末デバイスは、ＰＤＣＣＨサーチスペース中の最初の３つの候補ロケーション上でのみ検出を実施した後に、前もって検出を終了し、それにより、端末デバイスの電力消費量を低減し得る。別の態様では、ＷＵＳがページング機会の前に存在するかどうかを検出するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【０２８９】
ステップＳ７０１からＳ７０３におけるネットワークデバイスの行為は、メモリ６０２に記憶されたアプリケーションプログラムコードを呼び出すことによって、図６に示されているネットワークデバイス６０中のプロセッサ６０１によって命令されたネットワークデバイスによって実施され得るし、ステップＳ７０１からＳ７０３における端末デバイスの行為は、メモリ７０２に記憶されたアプリケーションプログラムコードを呼び出すことによって、図６に示されている端末デバイス７０中のプロセッサ７０１によって命令されたネットワークデバイスによって実施され得る。これは、この実施形態では限定されない。
【０２９０】
任意選択で、図１９は、本出願の実施形態による別の参照信号送信及び受信方法を示す。本方法は以下のステップを含む。
【０２９１】
Ｓ１９０１．ネットワークデバイスが、第１の持続時間中の時間領域リソースを決定し、時間領域リソースが、参照信号を送信するために使用される時間−周波数リソース中の時間領域リソースである。
【０２９２】
時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ４個のサブフレーム、及び１つ又は複数のウェイクアップ信号の開始サブフレーム中の各ウェイクアップ信号の開始サブフレームの後のＹ４個のサブフレームを含み、Ｘ４は０以上の整数であり、Ｙ４は０以上の整数であり、Ｘ４とＹ４の和は、第４の指定された値に関係する。
【０２９３】
Ｓ１９０２．ネットワークデバイスが、時間−周波数リソース上で端末デバイスに参照信号を送信する。
【０２９４】
Ｓ１９０３．端末デバイスが、第１の持続時間中の時間領域リソースを決定し、次いで、対応する時間−周波数リソース上でネットワークデバイスから参照信号を受信する。
【０２９５】
ステップＳ１９０１からＳ１９０３の関係する説明については、ステップＳ７０１からＳ７０３を参照されたい。例えば、違いは、本出願のこの実施形態では、ページング機会に対応するサブフレームの前のＸ３個のサブフレームと、ページング機会に対応するサブフレームの後のＹ３個のサブフレームの和が、第３の指定された値に関係し、ウェイクアップ信号の開始サブフレームの前のＸ４個のサブフレームと、ウェイクアップ信号の開始サブフレームの後のＹ４個のサブフレームの和が、第４の指定された値に関係するが、ステップＳ７０１からＳ７０３では、ページング機会に対応するサブフレームの前のＸ１個のサブフレームと、ページング機会に対応するサブフレームの後のＹ１個のサブフレームの和が、ＤＲＸ期間中のページング機会の数量に関係し、ウェイクアップ信号の開始サブフレームの前のＸ２個のサブフレームと、ウェイクアップ信号の開始サブフレームの後のＹ２個のサブフレームの和が、ＤＲＸ期間中のページング機会の数量に関係することにある。他の関係する説明については、ステップＳ７０１からＳ７０３を参照されたい。詳細について本明細書で再び説明されない。
【０２９６】
任意選択で、本出願のこの実施形態では、第３の指定された値及び／又は第４の指定された値は、システムメッセージ若しくは上位レイヤシグナリングを使用することによって端末デバイスのためにネットワークデバイスによって構成され得るか、又はプロトコルにおいてあらかじめ決定され得る。これは、本出願のこの実施形態では特に限定されない。例えば、システムメッセージはＳＩＢ又はＭＩＢであり得るし、上位レイヤシグナリングはＲＲＣシグナリングであり得る。これは、本出願のこの実施形態では特に限定されない。
【０２９７】
本出願のこの実施形態において提供される参照信号送信及び受信方法によれば、ネットワークデバイスがページング機会において対応するページングスケジューリングメッセージを送信するかどうかにかかわらず、ネットワークデバイスは、第１の持続時間中の決定された時間領域リソースに対応する時間−周波数リソース上で参照信号を送信する。従って、本出願のこの実施形態において提供される参照信号送信及び受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、図７に示されている本実施形態を参照されたい。詳細について本明細書で再び説明されない。
【０２９８】
ステップＳ１９０１からＳ１９０３におけるネットワークデバイスの行為は、メモリ６０２に記憶されたアプリケーションプログラムコードを呼び出すことによって、図６に示されているネットワークデバイス６０中のプロセッサ６０１によって命令されたネットワークデバイスによって実施され得るし、ステップＳ１９０１からＳ１９０３における端末デバイスの行為は、メモリ７０２に記憶されたアプリケーションプログラムコードを呼び出すことによって、図６に示されている端末デバイス７０中のプロセッサ７０１によって命令されたネットワークデバイスによって実施され得る。これは、この実施形態では限定されない。
【０２９９】
任意選択で、図２０は、本出願の実施形態による別の参照信号送信及び受信方法を示す。本方法は以下のステップを含む。
【０３００】
Ｓ２００１．ネットワークデバイスが、端末デバイスに、測定サブフレームに関する情報を送信する。
【０３０１】
Ｓ２００２．端末デバイスが、ネットワークデバイスから測定サブフレームに関する情報を受信する。
【０３０２】
Ｓ２００３．ネットワークデバイスが、測定サブフレームに関する情報に基づいて第１の持続時間中の時間領域リソースを決定し、時間領域リソースが、参照信号を送信するために使用される時間−周波数リソース中の時間領域リソースである。
【０３０３】
Ｓ２００４．ネットワークデバイスが、時間−周波数リソース上で端末デバイスに参照信号を送信する。
【０３０４】
Ｓ２００５．端末デバイスが、測定サブフレームに関する情報に基づいて第１の持続時間中の時間領域リソースを決定し、次いで、対応する時間−周波数リソース上でネットワークデバイスから参照信号を受信する。
【０３０５】
ステップＳ２００１からＳ２００５における参照信号、第１の持続時間、及び時間−周波数リソース中の周波数領域リソースの関係する説明については、図７に示されている実施形態における関係する説明を参照されたい。詳細について本明細書で再び説明されない。
【０３０６】
任意選択で、ステップＳ２００１からＳ２００５における測定サブフレームは、ｎビットのビットマップによって表され得るし、ｎビットのビットマップ中の各ビットは、参照信号がｎ個のサブフレームの各々中で送信されるかどうかを示すために使用され、ｎは正の整数である。
【０３０７】
例えば、ｎビットのビットマップ中のビットの候補値が１であるとき、それは、ビットに対応するサブフレームが測定サブフレームであり、ネットワークデバイスがサブフレーム中で参照信号を送信する必要があることを示し、ビットの候補値が０であるとき、それは、ビットに対応するサブフレームが測定サブフレームでなく、ネットワークデバイスがサブフレーム中で参照信号を送信する必要がないことを示す。代替として、ｎビットのビットマップ中のビットの候補値が０であるとき、それは、ビットに対応するサブフレームが測定サブフレームであり、ネットワークデバイスがサブフレーム中で参照信号を送信する必要があることを示し、ビットの候補値が１であるとき、それは、ビットに対応するサブフレームが測定サブフレームでなく、ネットワークデバイスがサブフレーム中で参照信号を送信する必要がないことを示す。これは、本出願のこの実施形態では特に限定されない。
【０３０８】
任意選択で、本出願のこの実施形態では、ネットワークデバイスは、ｎビットのビットマップによって表されるサブフレームと、有効サブフレームビットマップによって表される有効サブフレームとの交わり集合又はユニオン集合中で参照信号を送信し得る。これは、本出願のこの実施形態では特に限定されない。
【０３０９】
任意選択で、本出願のこの実施形態では、期間（ｐｅｒｉｏｄ）、オフセット（ｏｆｆｓｅｔ）、繰り返し数量などが、測定サブフレームのためにさらにフレキシブルに構成され得る。これは、本出願のこの実施形態では特に限定されない。
【０３１０】
任意選択で、本出願のこの実施形態では、ビットマップの期間は、１、２、…、又はＫ１などの正の整数であり得る。これは、本出願のこの実施形態では特に限定されない。
【０３１１】
任意選択で、本出願のこの実施形態では、ビットマップのオフセットは、Ｋ２個のシステムフレーム又はＫ３個のサブフレームであり得るし、Ｋ２は０又は正の整数であり、Ｋ３は０又は正の整数である。ビットマップのオフセットは、第１の持続時間と（ビットマップの長さ×ビットマップの繰り返し数量）との間の差以下である。これは本明細書において一律に記述され、詳細について以下で再び説明されない。
【０３１２】
任意選択で、本出願のこの実施形態では、ビットマップの繰り返し数量は、１、２、…、又はＫ４などの正の整数であり得る。これは、本出願のこの実施形態では特に限定されない。
【０３１３】
例えば、第１の持続時間は４つのシステムフレームであり、ｎＢ＝４Ｔ、ｎ＝１０であり、ビットマップの期間は３つのシステムフレームであり、ビットマップのオフセットは１つのシステムフレームであり、ビットマップの繰り返し数量は１であり、ｎビットのビットマップ中のビットの候補値が１であるとき、それは、ビットに対応するサブフレームが測定サブフレームであり、ネットワークデバイスがサブフレーム中で参照信号を送信する必要があることを示し、ビットの候補値が０であるとき、それは、ビットに対応するサブフレームが測定サブフレームでなく、ネットワークデバイスがサブフレーム中で参照信号を送信する必要がないことを示す。この場合、第１の持続時間中の時間領域リソースは、図２１に示されているように、第３のシステムフレーム中のサブフレーム２及びサブフレーム７を含み得る。
【０３１４】
任意選択で、本出願のこの実施形態では、期間（ｐｅｒｉｏｄ）、オフセット（ｏｆｆｓｅｔ）、及び繰り返し数量が測定サブフレームのために構成される必要がないとき、ネットワークデバイスによって端末デバイスに送られる測定サブフレームに関する情報は、ｎビットのビットマップを含み得るか、又は期間（ｐｅｒｉｏｄ）、オフセット（ｏｆｆｓｅｔ）、若しくは繰り返し数量が測定サブフレームのために構成される必要があるとき、ネットワークデバイスによって端末デバイスに送られる測定サブフレームに関する情報は、ｎビットのビットマップと、ビットマップの期間、ビットマップのオフセット、及びビットマップの繰り返し数量のうちの少なくとも１つとを含み得る。これは本明細書において一律に記述され、詳細について以下で再び説明されない。
【０３１５】
言い換えれば、本出願のこの実施形態では、ビットマップの期間、ビットマップのオフセット、及びビットマップの繰り返し数量は、端末デバイスのためにネットワークデバイスによって構成され得るか、又はプロトコルにおいて同意され得る。これは、本出願のこの実施形態では特に限定されない。
【０３１６】
任意選択で、本出願のこの実施形態では、測定サブフレームに関する情報は、システムメッセージ又は上位レイヤシグナリング中でネットワークデバイスによって端末デバイスに送られ得る。例えば、システムメッセージはＳＩＢ又はＭＩＢであり得るし、上位レイヤシグナリングはＲＲＣシグナリングであり得る。これは、本出願のこの実施形態では特に限定されない。
【０３１７】
本出願のこの実施形態において提供される参照信号送信及び受信方法によれば、ネットワークデバイスがページング機会において対応するページングスケジューリングメッセージを送信するかどうかにかかわらず、ネットワークデバイスは、測定サブフレームに関する情報に基づいて決定された第１の持続時間中の時間領域リソースに対応する時間−周波数リソース上で参照信号を送信する。従って、本出願のこの実施形態において提供される参照信号送信及び受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、図７に示されている本実施形態を参照されたい。詳細について本明細書で再び説明されない。
【０３１８】
ステップＳ２００１からＳ２００５におけるネットワークデバイスの行為は、メモリ６０２に記憶されたアプリケーションプログラムコードを呼び出すことによって、図６に示されているネットワークデバイス６０中のプロセッサ６０１によって命令されたネットワークデバイスによって実施され得るし、ステップＳ２００１からＳ２００５における端末デバイスの行為は、メモリ７０２に記憶されたアプリケーションプログラムコードを呼び出すことによって、図６に示されている端末デバイス７０中のプロセッサ７０１によって命令されたネットワークデバイスによって実施され得る。これは、この実施形態では限定されない。
【０３１９】
上記は、ネットワーク要素間の対話の観点から、本出願の実施形態において提供される解決策について主に説明している。上記の機能を実装するために、上記のネットワークデバイス又は端末デバイスは、機能を実装するための対応するハードウェア構造及び／又はソフトウェアモジュールを含むことが理解されよう。当業者は、本明細書で開示される実施形態において説明されるユニット及びアルゴリズムステップの例と組み合わせて、本出願が、ハードウェア、又はハードウェアとコンピュータソフトウェアの組合せによって実装されることが可能であることに容易に気づいているはずである。機能がハードウェアによって実施されるか、コンピュータソフトウェアによって駆動されたハードウェアによって実施されるかは、特定の適用例及び技術的解決策の設計制約に依存する。当業者は、特定の適用例毎に説明される機能を実装するために異なる方法を使用してよいが、その実装が本出願の範囲を越えると考えられるべきではない。
【０３２０】
本出願の実施形態では、機能モジュールへの分割が、上記の方法例に基づいてネットワークデバイス又は端末デバイス上で実施されてよい。例えば、各機能モジュールが、各機能に対応する分割を通して取得され得るか、又は２つ以上の機能が、１つの処理モジュールに一体化され得る。一体化されたモジュールは、ハードウェアの形態で実装され得るか、又はソフトウェア機能モジュールの形態で実装され得る。本出願の実施形態では、モジュールへの分割は例であり、論理的機能分割に過ぎないことに留意されたい。実際の実装では、別の分割方式が使用されてよい。
【０３２１】
例えば、機能モジュールが、一体化方式における分割を通して取得されたときの、図２２は、ネットワークデバイス２２０の概略構造図である。ネットワークデバイス２２０は、処理モジュール２２０１及びトランシーバモジュール２２０２を含む。
【０３２２】
可能な実装では、処理モジュール２２０１は、不連続受信期間中のページング機会の数量に基づいて第１の持続時間中の時間領域リソースを決定するように構成され、時間領域リソースは、参照信号を送信するために使用される時間−周波数リソース中の時間領域リソースである。トランシーバモジュール２２０２は、時間−周波数リソース上で端末デバイスに参照信号を送信するように構成される。
【０３２３】
任意選択で、時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ１個のサブフレーム、又は１つ又は複数のページング機会の各々に対応するサブフレームの後のＹ１個のサブフレームのうちの少なくとも１つを含み、Ｘ１は０以上の整数であり、Ｙ１は０以上の整数であり、Ｘ１とＹ１の和は、ＤＲＸ期間中のページング機会の数量に関係する。特定の実装では、第１の時間領域リソースは、第１の持続時間中の１つ又は複数のページング機会に対応するサブフレーム、１つ又は複数のページング機会の各々に対応するサブフレームの前のＸ１個のサブフレーム、及び１つ又は複数のページング機会の各々に対応するサブフレームの後のＹ１個のサブフレームを含み、Ｘ１は０以上の整数であり、Ｙ１は０以上の整数であり、Ｘ１とＹ１の和は、不連続受信期間中のページング機会の数量に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ２個のサブフレーム、又は１つ又は複数のウェイクアップ信号の開始サブフレーム中の各ウェイクアップ信号の開始サブフレームの後のＹ２個のサブフレームのうちの少なくとも１つを含み、Ｘ２は０以上の整数であり、Ｙ２は０以上の整数であり、Ｘ２とＹ２の和は、ＤＲＸ期間中のページング機会の数量に関係する。特定の実装方法では、第２の時間領域リソースは、第１の持続時間中の１つ又は複数のウェイクアップ信号の開始サブフレーム、１つ又は複数のウェイクアップ信号の各々の開始サブフレームの前のＸ２個のサブフレーム、及び１つ又は複数のウェイクアップ信号の各々の開始サブフレームの後のＹ２個のサブフレームを含み、Ｘ２は０以上の整数であり、Ｙ２は０以上の整数であり、Ｘ２とＹ２の和は、不連続受信期間中のページング機会の数量に関係する。
【０３２４】
任意選択で、Ｘ１個のサブフレームは、各ページング機会に対応するサブフレームの前にありそれに連続する、Ｘ１個の連続するサブフレームであり、Ｙ１個のサブフレームは、各ページング機会に対応するサブフレームの後にありそれに連続する、Ｙ１個の連続するサブフレームである。代替として、Ｘ１個のサブフレームは、各ページング機会に対応するサブフレームの前のＺ１個のサブフレーム中の、最初のＸ１個の（連続する）サブフレームであり、Ｙ１個のサブフレームは、各ページング機会に対応するサブフレームの後にありそれに連続する、Ｙ１個の連続するサブフレームである。
【０３２５】
任意選択で、トランシーバモジュール２２０２は、端末デバイスに参照信号の第１の構成情報を送信するようにさらに構成される。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。
【０３２６】
任意選択で、Ｘ２個のサブフレームは、各ウェイクアップ信号の開始サブフレームの前にありそれに連続する、Ｘ２個の連続するサブフレームであり、Ｙ２個のサブフレームは、各ウェイクアップ信号の開始サブフレームの後にありそれに連続する、Ｙ２個の連続するサブフレームである。代替として、Ｘ２個のサブフレームは、各ウェイクアップ信号の開始サブフレームの前のＺ２個のサブフレーム中の、最初のＸ２個の連続するサブフレームであり、Ｙ２個のサブフレームは、各ウェイクアップ信号の開始サブフレームの後にありそれに連続する、Ｙ２個の連続するサブフレームである。
【０３２７】
任意選択で、トランシーバモジュール２２０２は、端末デバイスに参照信号の第２の構成情報を送信するようにさらに構成される。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３２８】
任意選択で、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【０３２９】
任意選択で、Ｎ１個のページング機会は、Ｍ１個毎のページング機会における、最初のＮ１個の連続するページング機会であるか、又はＮ１個のページング機会は、Ｍ１個毎のページング機会における、最後のＮ１個の連続するページング機会であるか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【０３３０】
任意選択で、トランシーバモジュール２２０２は、端末デバイスに参照信号の第３の構成情報を送信するようにさらに構成される。第３の構成情報は、Ｍ１及びＮ１を含むか、又はＭ１ビットのビットマップを含む。
【０３３１】
任意選択で、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【０３３２】
任意選択で、Ｎ２個のウェイクアップ信号は、Ｍ２個毎のウェイクアップ信号における、最初のＮ２個の連続するウェイクアップ信号であるか、又はＮ２個のウェイクアップ信号は、Ｍ２個毎のウェイクアップ信号における、最後のＮ２個の連続するウェイクアップ信号であるか、又はＮ２個のウェイクアップ信号は、Ｍ２ビットのビットマップによって表され、Ｍ２ビットのビットマップ中の各ビットは、参照信号が、Ｍ２個毎のウェイクアップ信号の各々の開始サブフレーム中で送信されるかどうかを示すために使用される。
【０３３３】
任意選択で、トランシーバモジュール２２０２は、端末デバイスに参照信号の第４の構成情報を送信するようにさらに構成される。第４の構成情報は、Ｍ２及びＮ２を含むか、又はＭ２ビットのビットマップを含む。
【０３３４】
任意選択で、Ｘ１とＹ１の和が不連続受信期間中のページング機会の数量に関係することは、Ｘ１とＹ１の和が、不連続受信期間中のページング機会の数量に対応する指定された値であること、又はＸ１とＹ１の和が、不連続受信期間中のページング機会の数量、不連続受信期間、及び第１の指定された値に基づいてネットワークデバイスによって決定されることを含む。
【０３３５】
任意選択で、Ｘ１及びＹ１は、式Ｘ１＋Ｙ１＝ｍｉｎ｛４Ｔ／ｎＢ，ａ｝−１を満たし、ｎＢは、不連続受信期間中のページング機会の数量を示し、Ｔは、不連続受信期間を示し、ａは、第１の指定された値である。
【０３３６】
任意選択で、Ｘ２とＹ２の和が不連続受信期間中のページング機会の数量に関係することは、Ｘ２とＹ２の和が、不連続受信期間中のページング機会の数量に対応する指定された値であること、又はＸ２とＹ２の和が、不連続受信期間中のページング機会の数量、不連続受信期間、及び第２の指定された値に基づいてネットワークデバイスによって決定されることを含む。
【０３３７】
任意選択で、Ｘ２及びＹ２は、式Ｘ２＋Ｙ２＝ｍｉｎ｛４Ｔ／ｎＢ，ｂ｝−１を満たし、ｎＢは、不連続受信期間中のページング機会の数量を示し、Ｔは、不連続受信期間を示し、ｂは、第２の指定された値である。
【０３３８】
任意選択で、トランシーバモジュール２２０２は、端末デバイスに第１のインジケーション情報を送信するようにさらに構成される。第１のインジケーション情報は、ネットワークデバイスが、第１の持続時間中のページング機会の数量に基づいて第１の持続時間中の時間領域リソースを決定することをサポートすることを示すために使用される。
【０３３９】
代替として、任意選択で、時間領域リソースは、第３の時間領域リソース又は第４の時間領域リソースのうちの少なくとも１つを含む。第３の時間領域リソース又は第４の時間領域リソースの関係する説明については、上記の方法実施形態を参照されたい。詳細について本明細書で再び説明されない。
【０３４０】
任意選択で、Ｘ５個のサブフレームは、各ページング機会に対応するサブフレームの前にありそれに連続する、Ｘ５個の連続するサブフレームであり、Ｙ５個のサブフレームは、各ページング機会に対応するサブフレームの後にありそれに連続する、Ｙ５個の連続するサブフレームである。代替として、Ｘ５個のサブフレームは、各ページング機会に対応するサブフレームの前のＺ３個のサブフレーム中の、最初のＸ５個の連続するサブフレームであり、Ｙ５個のサブフレームは、各ページング機会に対応するサブフレームの後にありそれに連続する、Ｙ５個の連続するサブフレームである。
【０３４１】
任意選択で、トランシーバモジュール２２０２は、端末デバイスに参照信号の第６の構成情報を送信するようにさらに構成される。第６の構成情報は、Ｘ５、Ｙ５、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３４２】
任意選択で、Ｘ６個のサブフレームは、各ウェイクアップ信号の開始サブフレームの前にありそれに連続する、Ｘ６個の連続するサブフレームであり、Ｙ６個のサブフレームは、各ウェイクアップ信号の開始サブフレームの後にありそれに連続する、Ｙ６個の連続するサブフレームである。代替として、Ｘ６個のサブフレームは、各ウェイクアップ信号の開始サブフレームの前のＺ４個のサブフレーム中の、最初のＸ６個の連続するサブフレームであり、Ｙ６個のサブフレームは、各ウェイクアップ信号の開始サブフレームの後にありそれに連続する、Ｙ６個の連続するサブフレームである。
【０３４３】
任意選択で、トランシーバモジュール２２０２は、端末デバイスに参照信号の第７の構成情報を送信するようにさらに構成される。第７の構成情報は、Ｘ６、Ｙ６、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３４４】
任意選択で、Ｎ３個のページング機会は、Ｍ３個毎のページング機会における、最初のＮ３個の連続するページング機会であるか、又はＮ３個のページング機会は、Ｍ３個毎のページング機会における、最後のＮ３個の連続するページング機会であるか、又はＮ３個のページング機会は、Ｍ３ビットのビットマップによって表され、Ｍ３ビットのビットマップ中の各ビットは、参照信号が、Ｍ３個毎のページング機会の各々に対応するサブフレーム中で送信されるかどうかを示すために使用される。
【０３４５】
任意選択で、トランシーバモジュール２２０２は、端末デバイスに参照信号の第８の構成情報を送信するようにさらに構成される。第８の構成情報は、Ｎ３を含むか、又はＭ３ビットのビットマップを含む。
【０３４６】
任意選択で、Ｎ４個のウェイクアップ信号は、Ｍ４個毎のウェイクアップ信号における、最初のＮ４個の連続するウェイクアップ信号であるか、又はＮ４個のウェイクアップ信号は、Ｍ４個毎のウェイクアップ信号における、最後のＮ４個の連続するウェイクアップ信号であるか、又はＮ４個のウェイクアップ信号は、Ｍ４ビットのビットマップによって表され、Ｍ４ビットのビットマップ中の各ビットは、参照信号が、Ｍ４個毎のウェイクアップ信号の各々の開始サブフレーム中で送信されるかどうかを示すために使用される。
【０３４７】
任意選択で、トランシーバモジュール２２０２は、端末デバイスに参照信号の第９の構成情報を送信するようにさらに構成される。第９の構成情報は、Ｎ４を含むか、又はＭ４ビットのビットマップを含む。
【０３４８】
任意選択で、Ｍ３及びＭ４の値の関係する説明については、上記の方法実施形態を参照されたい。詳細について本明細書で再び説明されない。
【０３４９】
別の可能な実装では、トランシーバモジュール２２０２は、端末デバイスに、測定サブフレームに関する情報を送信するように構成される。処理モジュール２２０１は、測定サブフレームに関する情報に基づいて第１の持続時間中の時間領域リソースを決定するように構成され、時間領域リソースは、参照信号を送信するために使用される時間−周波数リソース中の時間領域リソースである。トランシーバモジュール２２０２は、時間−周波数リソース上で端末デバイスに参照信号を送信するようにさらに構成される。
【０３５０】
任意選択で、測定サブフレームは、ｎビットのビットマップによって表され、ｎビットのビットマップ中の各ビットは、参照信号がｎ個のサブフレームの各々中で送信されるかどうかを示すために使用され、ｎは正の整数である。
【０３５１】
任意選択で、測定サブフレームに関する情報は、ビットマップを含み得る。
【０３５２】
任意選択で、測定サブフレームに関する情報は、ビットマップの期間、ビットマップのオフセット、及びビットマップの繰り返し数量のうちの少なくとも１つをさらに含み得る。
【０３５３】
さらに別の可能な実装では、処理モジュール２２０１は、第１の持続時間中の時間領域リソースを決定するように構成され、時間領域リソースは、参照信号を送信するために使用される時間−周波数リソース中の時間領域リソースである。トランシーバモジュール２２０２は、時間領域リソース上で端末デバイスに参照信号を送信するように構成される。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ３個のサブフレーム、及び１つ又は複数のウェイクアップ信号の開始サブフレーム中の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。
【０３５４】
上記の方法実施形態におけるステップの全ての関係する内容は、対応する機能モジュールの機能説明において引用され得る。詳細について本明細書で再び説明されない。
【０３５５】
この実施形態では、ネットワークデバイス２２０は、一体化方式における分割を通して取得された機能モジュールの形態で提示されている。本明細書における「モジュール」は、特定のＡＳＩＣ、回路、プロセッサ、及び１つ又は複数のソフトウェア若しくはファームウェアプログラムを実行するメモリ、集積論理回路、及び／又は上記の機能を提供することができる別の部分であり得る。単純な実施形態では、当業者は、ネットワークデバイス２２０が、図６に示されているネットワークデバイス６０の形態であってよいことを理解されよう。
【０３５６】
例えば、図６に示されているネットワークデバイス６０中のプロセッサ６０１は、メモリ６０２に記憶されたコンピュータ実行可能命令を呼び出して、ネットワークデバイス２２０が、上記の方法実施形態における参照信号送信及び受信方法におけるネットワークデバイスによって実施されるステップを実施することを可能にし得る。
【０３５７】
特に、図２２の処理モジュール２２０１の機能／実装処理は、メモリ６０２に記憶されたコンピュータ実行可能命令を呼び出すことによって、図６に示されているネットワークデバイス６０中のプロセッサ６０１によって実装され得る。代替として、図２２のトランシーバモジュール２２０２の機能／実装処理は、図６に示されているネットワークデバイス６０中のトランシーバ６０３によって実装され得る。
【０３５８】
この実施形態において提供されるネットワークデバイスは、上記の方法実施形態における参照信号送信及び受信方法におけるネットワークデバイスによって実施されるステップを実施し得る。従って、ネットワークデバイスによって達成されることが可能な技術的効果については、上記の方法実施形態を参照されたい。詳細について本明細書で再び説明されない。
【０３５９】
任意選択で、本出願の実施形態は、チップシステムをさらに提供する。チップシステムは、上記の方法実施形態における参照信号送信及び受信方法におけるネットワークデバイスによって実施されるステップ、例えば、不連続受信期間中のページング機会の数量に基づいて第１の持続時間中の時間領域リソースを決定することを実装する際にネットワークデバイスをサポートするように構成された、プロセッサを含む。可能な設計では、チップシステムはメモリをさらに含む。メモリは、ネットワークデバイスのために必要であるプログラム命令及びデータを記憶するように構成される。もちろん、メモリは、代替として、チップシステム中に存在しなくてよい。チップシステムは、チップを含み得るか、又はチップ及び別の個別デバイスを含み得る。これは、本出願のこの実施形態では特に限定されない。
【０３６０】
例えば、機能モジュールが、一体化方式における分割を通して取得されたときの、図２３は、端末デバイス２３０の概略構造図である。端末デバイス２３０は、処理モジュール２３０１及びトランシーバモジュール２３０２を含む。
【０３６１】
可能な実装では、処理モジュール２３０１は、不連続受信期間中のページング機会の数量に基づいて第１の持続時間中の時間領域リソースを決定するように構成され、時間領域リソースは、参照信号を送信するために使用される時間−周波数リソース中の時間領域リソースである。トランシーバモジュール２３０２は、時間−周波数リソース上でネットワークデバイスから参照信号を受信するように構成される。
【０３６２】
任意選択で、時間領域リソースは、第１の時間領域リソース及び第２の時間領域リソースのうちの少なくとも１つを含む。第１の時間領域リソース又は第２の時間領域リソースの関係する説明については、上記の方法実施形態を参照されたい。詳細について本明細書で再び説明されない。
【０３６３】
任意選択で、Ｘ１個のサブフレームは、各ページング機会に対応するサブフレームの前にありそれに連続する、Ｘ１個の連続するサブフレームであり、Ｙ１個のサブフレームは、各ページング機会に対応するサブフレームの後にありそれに連続する、Ｙ１個の連続するサブフレームである。代替として、Ｘ１個のサブフレームは、各ページング機会に対応するサブフレームの前のＺ１個のサブフレーム中の、最初のＸ１個の（連続する）サブフレームであり、Ｙ１個のサブフレームは、各ページング機会に対応するサブフレームの後にありそれに連続する、Ｙ１個の連続するサブフレームである。
【０３６４】
任意選択で、トランシーバモジュール２３０２は、ネットワークデバイスから参照信号の第１の構成情報を受信するようにさらに構成される。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。
【０３６５】
任意選択で、Ｘ２個のサブフレームは、各ウェイクアップ信号の開始サブフレームの前にありそれに連続する、Ｘ２個の連続するサブフレームであり、Ｙ２個のサブフレームは、各ウェイクアップ信号の開始サブフレームの後にありそれに連続する、Ｙ２個の連続するサブフレームである。代替として、Ｘ２個のサブフレームは、各ウェイクアップ信号の開始サブフレームの前のＺ２個のサブフレーム中の、最初のＸ２個の連続するサブフレームであり、Ｙ２個のサブフレームは、各ウェイクアップ信号の開始サブフレームの後にありそれに連続する、Ｙ２個の連続するサブフレームである。
【０３６６】
任意選択で、トランシーバモジュール２３０２は、ネットワークデバイスから参照信号の第２の構成情報を受信するようにさらに構成される。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３６７】
任意選択で、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【０３６８】
任意選択で、Ｎ１個のページング機会は、Ｍ１個毎のページング機会における、最初のＮ１個の連続するページング機会であるか、又はＮ１個のページング機会は、Ｍ１個毎のページング機会における、最後のＮ１個の連続するページング機会であるか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【０３６９】
任意選択で、トランシーバモジュール２３０２は、ネットワークデバイスから参照信号の第３の構成情報を受信するようにさらに構成される。第３の構成情報は、Ｍ１及びＮ１を含むか、又はＭ１ビットのビットマップを含む。
【０３７０】
任意選択で、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【０３７１】
任意選択で、Ｎ２個のウェイクアップ信号は、Ｍ２個毎のウェイクアップ信号における、最初のＮ２個の連続するウェイクアップ信号であるか、又はＮ２個のウェイクアップ信号は、Ｍ２個毎のウェイクアップ信号における、最後のＮ２個の連続するウェイクアップ信号であるか、又はＮ２個のウェイクアップ信号は、Ｍ２ビットのビットマップによって表され、Ｍ２ビットのビットマップ中の各ビットは、参照信号が、Ｍ２個毎のウェイクアップ信号の各々の開始サブフレーム中で送信されるかどうかを示すために使用される。
【０３７２】
任意選択で、トランシーバモジュール２３０２は、ネットワークデバイスから参照信号の第４の構成情報を受信するようにさらに構成される。第４の構成情報は、Ｍ２及びＮ２を含むか、又はＭ２ビットのビットマップを含む。
【０３７３】
任意選択で、Ｘ１とＹ１の和が不連続受信期間中のページング機会の数量に関係することは、Ｘ１とＹ１の和が、不連続受信期間中のページング機会の数量に対応する指定された値であること、又はＸ１とＹ１の和が、不連続受信期間中のページング機会の数量、不連続受信期間、及び第１の指定された値に基づいて端末デバイスによって決定されることを含む。
【０３７４】
任意選択で、Ｘ１及びＹ１は、式Ｘ１＋Ｙ１＝ｍｉｎ｛４Ｔ／ｎＢ，ａ｝−１を満たし、ｎＢは、不連続受信期間中のページング機会の数量を示し、Ｔは、不連続受信期間を示し、ａは、第１の指定された値である。
【０３７５】
任意選択で、Ｘ２とＹ２の和が不連続受信期間中のページング機会の数量に関係することは、Ｘ２とＹ２の和が、不連続受信期間中のページング機会の数量に対応する指定された値であること、又はＸ２とＹ２の和が、不連続受信期間中のページング機会の数量、不連続受信期間、及び第２の指定された値に基づいて端末デバイスによって決定されることを含む。
【０３７６】
任意選択で、Ｘ２及びＹ２は、式Ｘ２＋Ｙ２＝ｍｉｎ｛４Ｔ／ｎＢ，ｂ｝−１を満たし、ｎＢは、不連続受信期間中のページング機会の数量を示し、Ｔは、不連続受信期間を示し、ｂは、第２の指定された値である。
【０３７７】
任意選択で、トランシーバモジュール２３０２は、ネットワークデバイスから第１のインジケーション情報を受信するようにさらに構成される。第１のインジケーション情報は、端末デバイスが、第１の持続時間中のページング機会の数量に基づいて第１の持続時間中の時間領域リソースを決定することをサポートすることを示すために使用される。
【０３７８】
別の可能な実装では、トランシーバモジュール２３０２は、ネットワークデバイスから測定サブフレームに関する情報を受信するように構成される。処理モジュール２３０１は、測定サブフレームに関する情報に基づいて第１の持続時間中の時間領域リソースを決定するように構成され、時間領域リソースは、参照信号を送信するために使用される時間−周波数リソース中の時間領域リソースである。トランシーバモジュール２３０２は、時間−周波数リソース上でネットワークデバイスから参照信号を受信するようにさらに構成される。
【０３７９】
任意選択で、測定サブフレームは、ｎビットのビットマップによって表され、ｎビットのビットマップ中の各ビットは、参照信号がｎ個のサブフレームの各々中で送信されるかどうかを示すために使用され、ｎは正の整数である。
【０３８０】
任意選択で、測定サブフレームに関する情報は、ビットマップを含み得る。
【０３８１】
任意選択で、測定サブフレームに関する情報は、ビットマップの期間、ビットマップのオフセット、及びビットマップの繰り返し数量のうちの少なくとも１つをさらに含み得る。
【０３８２】
さらに別の可能な実装では、処理モジュール２３０１は、第１の持続時間中の時間領域リソースを決定するように構成され、時間領域リソースは、参照信号を送信するために使用される時間−周波数リソース中の時間領域リソースである。トランシーバモジュール２３０２は、時間領域リソース上でネットワークデバイスから参照信号を受信するように構成される。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の開始サブフレーム中の各ウェイクアップ信号の開始サブフレームの前のＸ３個のサブフレーム、及び１つ又は複数のウェイクアップ信号の開始サブフレーム中の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。
【０３８３】
代替として、任意選択で、時間領域リソースは、第３の時間領域リソース又は第４の時間領域リソースのうちの少なくとも１つを含む。第３の時間領域リソース又は第４の時間領域リソースの関係する説明については、上記の方法実施形態を参照されたい。詳細について本明細書で再び説明されない。
【０３８４】
任意選択で、Ｘ５個のサブフレームは、各ページング機会に対応するサブフレームの前にありそれに連続する、Ｘ５個の連続するサブフレームであり、Ｙ５個のサブフレームは、各ページング機会に対応するサブフレームの後にありそれに連続する、Ｙ５個の連続するサブフレームである。代替として、Ｘ５個のサブフレームは、各ページング機会に対応するサブフレームの前のＺ３個のサブフレーム中の、最初のＸ５個の連続するサブフレームであり、Ｙ５個のサブフレームは、各ページング機会に対応するサブフレームの後にありそれに連続する、Ｙ５個の連続するサブフレームである。
【０３８５】
任意選択で、トランシーバモジュール２３０２は、ネットワークデバイスから参照信号の第６の構成情報を受信するようにさらに構成される。第６の構成情報は、Ｘ５、Ｙ５、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３８６】
任意選択で、Ｘ６個のサブフレームは、各ウェイクアップ信号の開始サブフレームの前にありそれに連続する、Ｘ６個の連続するサブフレームであり、Ｙ６個のサブフレームは、各ウェイクアップ信号の開始サブフレームの後にありそれに連続する、Ｙ６個の連続するサブフレームである。代替として、Ｘ６個のサブフレームは、各ウェイクアップ信号の開始サブフレームの前のＺ４個のサブフレーム中の、最初のＸ６個の連続するサブフレームであり、Ｙ６個のサブフレームは、各ウェイクアップ信号の開始サブフレームの後にありそれに連続する、Ｙ６個の連続するサブフレームである。
【０３８７】
任意選択で、トランシーバモジュール２３０２は、ネットワークデバイスから参照信号の第７の構成情報を受信するようにさらに構成される。第７の構成情報は、Ｘ６、Ｙ６、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３８８】
任意選択で、Ｎ３個のページング機会は、Ｍ３個毎のページング機会における、最初のＮ３個の連続するページング機会であるか、又はＮ３個のページング機会は、Ｍ３個毎のページング機会における、最後のＮ３個の連続するページング機会であるか、又はＮ３個のページング機会は、Ｍ３ビットのビットマップによって表され、Ｍ３ビットのビットマップ中の各ビットは、参照信号が、Ｍ３個毎のページング機会の各々に対応するサブフレーム中で送信されるかどうかを示すために使用される。
【０３８９】
任意選択で、トランシーバモジュールは、ネットワークデバイスから参照信号の第８の構成情報を受信するようにさらに構成される。第８の構成情報は、Ｎ３を含むか、又はＭ３ビットのビットマップを含む。
【０３９０】
任意選択で、Ｎ４個のウェイクアップ信号は、Ｍ４個毎のウェイクアップ信号における、最初のＮ４個の連続するウェイクアップ信号であるか、又はＮ４個のウェイクアップ信号は、Ｍ４個毎のウェイクアップ信号における、最後のＮ４個の連続するウェイクアップ信号であるか、又はＮ４個のウェイクアップ信号は、Ｍ４ビットのビットマップによって表され、Ｍ４ビットのビットマップ中の各ビットは、参照信号が、Ｍ４個毎のウェイクアップ信号の各々の開始サブフレーム中で送信されるかどうかを示すために使用される。
【０３９１】
任意選択で、トランシーバモジュール２３０２は、ネットワークデバイスから参照信号の第９の構成情報を受信するようにさらに構成される。第９の構成情報は、Ｎ４を含むか、又はＭ４ビットのビットマップを含む。
【０３９２】
任意選択で、Ｍ３又はＭ４の値の関係する説明については、上記の方法実施形態を参照されたい。詳細について本明細書で再び説明されない。
【０３９３】
上記の方法実施形態におけるステップの全ての関係する内容は、対応する機能モジュールの機能説明において引用され得る。詳細について本明細書で再び説明されない。
【０３９４】
この実施形態では、端末デバイス２３０は、一体化方式における分割を通して取得された機能モジュールの形態で提示されている。本明細書における「モジュール」は、特定のＡＳＩＣ、回路、プロセッサ、及び１つ又は複数のソフトウェア若しくはファームウェアプログラムを実行するメモリ、集積論理回路、及び／又は上記の機能を提供することができる別の部分であり得る。単純な実施形態では、当業者は、端末デバイス２３０が、図６に示されている端末デバイス７０の形態であってよいことを理解されよう。
【０３９５】
例えば、図６に示されている端末デバイス７０中のプロセッサ７０１は、メモリ７０２に記憶されたコンピュータ実行可能命令を呼び出して、端末デバイス２３０が、上記の方法実施形態における参照信号送信及び受信方法における端末デバイスによって実施されるステップを実施することを可能にし得る。
【０３９６】
特に、図２３の処理モジュール２３０１の機能／実装処理は、メモリ７０２に記憶されたコンピュータ実行可能命令を呼び出すことによって、図６に示されている端末デバイス７０中のプロセッサ７０１によって実装され得る。代替として、図２３のトランシーバモジュール２３０２の機能／実装処理は、図６に示されている端末デバイス７０中のトランシーバ７０３によって実装され得る。
【０３９７】
この実施形態において提供される端末デバイスは、上記の方法実施形態における参照信号送信及び受信方法における端末デバイスによって実施されるステップを実施し得る。従って、端末デバイスによって達成されることが可能な技術的効果については、上記の方法実施形態を参照されたい。詳細について本明細書で再び説明されない。
【０３９８】
任意選択で、本出願の実施形態は、チップシステムをさらに提供する。チップシステムは、上記の方法実施形態における参照信号送信及び受信方法における端末デバイスによって実施されるステップ、例えば、不連続受信期間中のページング機会の数量に基づいて第１の持続時間中の時間領域リソースを決定することを実装する際に端末デバイスをサポートするように構成された、プロセッサを含む。可能な設計では、チップシステムはメモリをさらに含む。メモリは、端末デバイスのために必要であるプログラム命令及びデータを記憶するように構成される。もちろん、メモリは、代替として、チップシステム中に存在しなくてよい。チップシステムは、チップを含み得るか、又はチップ及び別の個別デバイスを含み得る。これは、本出願のこの実施形態では特に限定されない。
【０３９９】
上記の実施形態の全部又は一部は、ソフトウェア、ハードウェア、ファームウェア、又はそれらの任意の組合せによって実装され得る。実施形態を実装するためにソフトウェアプログラムが使用されるとき、実施形態の全部又は一部はコンピュータプログラム製品の形態で実装され得る。コンピュータプログラム製品は、１つ又は複数のコンピュータ命令を含む。コンピュータプログラム命令がコンピュータ上にロードされ、実行されたとき、本出願の実施形態による手順又は機能が、全て又は部分的に生成される。コンピュータは、汎用コンピュータ、専用コンピュータ、コンピュータネットワーク、又は別のプログラマブル装置であり得る。コンピュータ命令は、コンピュータ可読記憶媒体に記憶され得るか、又は１つのコンピュータ可読記憶媒体から別のコンピュータ可読記憶媒体に送信され得る。例えば、コンピュータ命令は、ワイヤード（例えば、同軸ケーブル、光ファイバー、若しくはデジタル加入者回線（ｄｉｇｉｔａｌ  ｓｕｂｓｃｒｉｂｅｒ  ｌｉｎｅ、ＤＳＬ））又はワイヤレス（例えば、赤外線、ワイヤレス、又はマイクロ波）方式で、ウェブサイト、コンピュータ、サーバ、又はデータセンターから別のウェブサイト、コンピュータ、サーバ、又はデータセンターに送信され得る。コンピュータ可読記憶媒体は、１つ又は複数の使用可能な媒体を組み込んでいる、サーバ又はデータセンターなどのコンピュータ又はデータ記憶デバイスによってアクセス可能な任意の使用可能な媒体であり得る。使用可能な媒体は、磁気媒体（例えば、フロッピーディスク、ハードディスク、又は磁気テープ）、光媒体（例えば、ＤＶＤ）、半導体媒体（例えば、ソリッドステートディスク（ｓｏｌｉｄ  ｓｔａｔｅ  ｄｉｓｋ、ＳＳＤ））などであり得る。
【０４００】
本出願について実施形態に関して説明されたが、保護を請求する本出願を実装する処理において、当業者は、添付の図面、開示された内容、及び添付の特許請求の範囲を閲覧することによって、開示された実施形態の別の変形を理解及び実装し得る。特許請求の範囲において、「備える」（ｃｏｍｐｒｉｓｉｎｇ）という用語は、別の構成要素又は別のステップを除外せず、「ａ」又は「ｏｎｅ」は、複数の場合を除外しない。単一のプロセッサ又は別のユニットは、特許請求の範囲において列挙されたいくつかの機能を実装し得る。いくつかの手段が、互いに異なる従属請求項に記録されているが、これは、これらの手段が、より良い効果を奏するために組み合わされることが不可能であることを意味しない。
【０４０１】
本出願について特定の特徴及びそれの実施形態に関して説明されたが、本出願の趣旨及び範囲から逸脱することなくそれらに対して様々な修正及び組合せが行われ得ることが明らかである。対応して、本明細書及び添付の図面は、添付の特許請求の範囲によって定義される本出願の例示的な説明にすぎず、本出願の範囲内のあらゆる又は全ての修正、変形、組合せ、又は均等物を包含することを意図されている。当業者は、本出願の趣旨及び範囲から逸脱することなく本出願に対して様々な修正及び変形を行うことができることが明らかである。本出願は、以下の特許請求の範囲によって定義される保護の範囲及びその等価な技術内にそれらが入るという条件で、本出願のこれらの修正及び変形を包含することを意図されている。
【図１】
2021536183.tif 000009
【図２】
2021536183.tif 000010
【図３】
2021536183.tif 000011
【図４】
2021536183.tif 000012
【図５】
2021536183.tif 000013
【図６】
2021536183.tif 000014
【図７】
2021536183.tif 000015
【図８】
2021536183.tif 000016
【図９】
2021536183.tif 000017
【図１０】
2021536183.tif 000018
【図１１】
2021536183.tif 000019
【図１２】
2021536183.tif 000020
【図１３】
2021536183.tif 000021
【図１４】
2021536183.tif 000022
【図１５】
2021536183.tif 000023
【図１６】
2021536183.tif 000024
【図１７】
2021536183.tif 000025
【図１８】
2021536183.tif 000026
【図１９】
2021536183.tif 000027
【図２０】
2021536183.tif 000028
【図２１】
2021536183.tif 000029
【図２２】
2021536183.tif 000030
【図２３】
2021536183.tif 000031
【図２４】
2021536183.tif 000032
【図２５】
2021536183.tif 000033
【手続補正書】
【提出日】令和3年4月7日(2021.4.7)
【手続補正１】
【補正対象書類名】特許請求の範囲
【補正対象項目名】全文
【補正方法】変更
【補正の内容】
【特許請求の範囲】
【請求項１】
参照信号送信方法であって、前記方法は、
ネットワークデバイスによって、不連続受信期間におけるページング機会の数量に基づいて、第１の持続時間における時間領域リソースを決定するステップであって、前記時間領域リソースは、参照信号を送信するために利用される時間−周波数リソースにおける時間領域リソースである、ステップと、
前記ネットワークデバイスによって、前記時間−周波数リソース上で前記参照信号を端末デバイスに送信するステップと、
を含む、参照信号送信方法。
【請求項２】
前記時間領域リソースは、第１の時間領域リソース及び第２の時間領域リソースのうちの少なくとも１つを含み、
前記第１の時間領域リソースは、前記第１の持続時間における１つ又は複数のページング機会の各ページング機会の前にＰ１個のサブフレームを含み、Ｐ１は、正の整数であり、Ｐ１は、前記不連続受信期間におけるページング機会の数に関連し、
前記第２の時間領域リソースは、前記第１の持続時間における１つ又は複数のウェイクアップシグナリングの各ウェイクアップシグナリングの開始サブフレームの前のＰ２個のサブフレームと、前記各ウェイクアップシグナリングの前記開始サブフレームの後のＱ２個のサブフレームとを含み、Ｐ２は、０以上の整数であり、Ｑ２は、０以上の整数であり、Ｐ２とＱ２との和は、前記不連続受信期間における前記ページング機会の数に関連する、
請求項１に記載の送信方法。
【請求項３】
前記第１の持続時間における前記１つ又は複数のページング機会は、前記第１の持続時間における全ての前記ページング機会のＭ１個のページング機会毎に、Ｎ１個のページング機会を含み、Ｍ１は、１以上の整数であり、Ｎ１は、１以上の整数であり、Ｍ１は、Ｎ１以上である、
請求項２に記載の送信方法。
【請求項４】
前記Ｎ１個のページング機会は、Ｍ１個のページング機会毎の、最初のＮ１個の連続したページング機会である、又は、
前記Ｎ１個のページング機会は、Ｍ１個のページング機会毎の、最後のＮ１個の連続したページング機会である、又は、
前記Ｎ１個のページング機会は、Ｍ１ビットのビットマップによって表され、前記Ｍ１ビットのビットマップにおける各ビットが、全てのＭ１個のページング機会のそれぞれに対応するサブフレームにおいて前記参照信号が送信されるかどうかを示すために利用される、
請求項３に記載の送信方法。
【請求項５】
前記方法は、
前記ネットワークデバイスによって、前記参照信号の第３の構成情報を前記端末デバイスに送信するステップであって、前記第３の構成情報は、Ｍ１とＮ１とを含むか、又はＭ１ビットのビットマップを含む、ステップをさらに含む、
請求項３又は４に記載の送信方法。
【請求項６】
Ｐ１は、前記不連続受信期間における前記ページング機会の数に対応する指定値である、
請求項２〜５のいずれか１項に記載の送信方法。
【請求項７】
Ｔは、前記不連続受信期間であり、
前記不連続受信期間における前記ページング機会の数は４Ｔに等しく、Ｐ１は１に等しい、又は、
前記不連続受信期間における前記ページング機会の数は２Ｔに等しく、Ｐ１は２に等しい、
請求項６に記載の送信方法。
【請求項８】
前記時間領域リソースは、第３の時間領域リソース又は第４の時間領域リソースのうちの少なくとも１つを含み、
前記第３の時間領域リソースは、前記第１の持続時間における全てのページング機会のＭ３個のページング機会毎の、Ｎ３個のページング機会に対応するサブフレーム、Ｍ３個のページング機会毎の前記Ｎ３個のページング機会のそれぞれに対応するサブフレームの前のＸ５個のサブフレーム、又は、Ｍ３個のページング機会毎の前記Ｎ３個のページング機会のそれぞれに対応する前記サブフレームの後のＹ５個のサブフレーム、の少なくとも１つを含み、Ｍ３は、１以上の整数であり、Ｎ３は、１以上の整数であり、Ｍ３は、Ｎ３以上であり、Ｘ５は、０以上の整数であり、Ｙ５は、０以上の整数であり、Ｍ３は、前記不連続受信期間における前記ページング機会の数量に関連し、
前記第４の時間領域リソースは、前記第１の持続時間における全てのウェイクアップ信号のＭ４個のウェイクアップ信号毎の、Ｎ４個のウェイクアップ信号の開始サブフレーム、Ｍ４個のウェイクアップ信号毎の前記Ｎ４個のウェイクアップ信号のそれぞれの開始サブフレームの前のＸ６個のサブフレーム、又は、Ｍ４個のウェイクアップ信号毎の前記Ｎ４個のウェイクアップ信号のそれぞれの前記開始サブフレームの後のＹ６個のサブフレーム、の少なくとも１つを含み、Ｍ４は、１以上の整数であり、Ｎ４は、１以上の整数であり、Ｍ４は、Ｎ４以上であり、Ｘ６は、０以上の整数であり、Ｙ６は、０以上の整数であり、Ｍ４は、前記不連続受信期間における前記ページング機会の数量に関連する、
請求項１に記載の送信方法。
【請求項９】
前記Ｎ３個のページング機会は、Ｍ３個のページング機会毎の最初のＮ３個の連続したページング機会である、又は、
前記Ｎ３個のページング機会は、Ｍ３個のページング機会毎の最後のＮ３個の連続したページング機会である、又は、
前記Ｎ３個のページング機会は、Ｍ３ビットのビットマップによって表され、前記Ｍ３ビットのビットマップにおける各ビットは、前記参照信号が、全てのＭ３個のページング機会のそれぞれに対応するサブフレームにおいて送信されるかどうかを示すために利用される、
請求項８に記載の送信方法。
【請求項１０】
前記Ｎ４個のウェイクアップ信号は、Ｍ４個のウェイクアップ信号毎の最初のＮ４個の連続したウェイクアップ信号である、又は、
前記Ｎ４個のウェイクアップ信号は、Ｍ４個のウェイクアップ信号毎の最後のＮ４個の連続したウェイクアップ信号である、又は、
前記Ｎ４個のウェイクアップ信号は、Ｍ４ビットのビットマップによって表され、前記Ｍ４ビットのビットマップにおける各ビットは、前記参照信号が、全てのＭ４個のウェイクアップ信号のそれぞれの開始サブフレームにおいて送信されるかどうかを示すために利用される、
請求項８に記載の送信方法。
【請求項１１】
Ｍ３が、前記不連続受信期間における前記ページング機会の数量に関連することは、
Ｍ３が、前記不連続受信期間における前記ページング機会の数量に対応する指定値であること、又は、
Ｍ３が、前記ネットワークデバイスによって、前記不連続受信期間における前記ページング機会の数量、前記不連続受信期間、及び第５の指定値に基づいて決定されること、
を含む、
請求項８〜１０のいずれか１項に記載の送信方法。
【請求項１２】
Ｔは、前記不連続受信期間であり、
前記不連続受信期間における前記ページング機会の数はＴ／２に等しく、Ｍ３は２に等しい、又は、
前記不連続受信期間における前記ページング機会の数はＴ／４に等しく、Ｍ３は１に等しい、
請求項１１に記載の送信方法。
【請求項１３】
Ｍ３は、以下の式、
Ｍ３＝ｍａｘ｛ａｌｐｈａ１×（４／Ｔ）×ｎＢ，１｝
を満たし、ｎＢは、前記不連続受信期間における前記ページング機会の数量を示し、Ｔは、前記不連続受信期間を示し、ａｌｐｈａ１は、第５の指定値である、
請求項８〜１１のいずれか１項に記載の送信方法。
【請求項１４】
Ｍ４が、前記不連続受信期間における前記ページング機会の数量に関連することは、
Ｍ４が、前記不連続受信期間における前記ページング機会の数量に対応する指定値であること、又は、
Ｍ４が、前記ネットワークデバイスによって、前記不連続受信期間における前記ページング機会の数量、前記不連続受信期間、及び第６の指定値に基づいて決定されること、
を含む、
請求項８〜１３のいずれか１項に記載の送信方法。
【請求項１５】
Ｍ４は、以下の式、
Ｍ４＝ｍａｘ｛ａｌｐｈａ２×（４／Ｔ）×ｎＢ，１｝
を満たし、ｎＢは、前記不連続受信期間における前記ページング機会の数量を示し、Ｔは、前記不連続受信期間を示し、ａｌｐｈａ２は、第６の指定値である、
請求項８〜１４のいずれか１項に記載の送信方法。
【請求項１６】
前記方法は、
前記ネットワークデバイスによって、第１の指示情報を前記端末デバイスに送信するステップであって、前記第１の指示情報は、前記第１の持続時間における前記時間領域リソースを、前記第１の持続時間における前記ページング機会の数量に基づいて決定することを前記ネットワークデバイスがサポートすることを示すために利用される、ステップをさらに含む、
請求項１〜１５のいずれか１項に記載の送信方法。
【請求項１７】
参照信号受信方法であって、前記方法は、
端末デバイスによって、不連続受信期間におけるページング機会の数量に基づいて、第１の持続時間における時間領域リソースを決定するステップであって、前記時間領域リソースは、参照信号を送信するために利用される時間−周波数リソースにおける時間領域リソースである、ステップと、
前記端末デバイスによって、前記時間−周波数リソース上で前記参照信号をネットワークデバイスから受信するステップと、
を含む、参照信号受信方法。
【請求項１８】
前記時間領域リソースは、第１の時間領域リソース及び第２の時間領域リソースのうちの少なくとも１つを含み、
前記第１の時間領域リソースは、前記第１の持続時間における１つ又は複数のページング機会の各ページング機会の前にＰ１個のサブフレームを含み、Ｐ１は、正の整数であり、Ｐ１は、前記不連続受信期間におけるページング機会の数に関連し、
前記第２の時間領域リソースは、前記第１の持続時間における１つ又は複数のウェイクアップシグナリングの各ウェイクアップシグナリングの開始サブフレームの前のＰ２個のサブフレームと、前記各ウェイクアップシグナリングの前記開始サブフレームの後のＱ２個のサブフレームとを含み、Ｐ２は、０以上の整数であり、Ｑ２は、０以上の整数であり、Ｐ２とＱ２との和は、前記不連続受信期間における前記ページング機会の数に関連する、
請求項１７に記載の受信方法。
【請求項１９】
前記第１の持続時間における前記１つ又は複数のページング機会は、前記第１の持続時間における全ての前記ページング機会のＭ１個のページング機会毎に、Ｎ１個のページング機会を含み、Ｍ１は、１以上の整数であり、Ｎ１は、１以上の整数であり、Ｍ１は、Ｎ１以上である、
請求項１８に記載の受信方法。
【請求項２０】
前記Ｎ１個のページング機会は、Ｍ１個のページング機会毎の、最初のＮ１個の連続したページング機会である、又は、
前記Ｎ１個のページング機会は、Ｍ１個のページング機会毎の、最後のＮ１個の連続したページング機会である、又は、
前記Ｎ１個のページング機会は、Ｍ１ビットのビットマップによって表され、前記Ｍ１ビットのビットマップにおける各ビットが、全てのＭ１個のページング機会のそれぞれに対応するサブフレームにおいて前記参照信号が送信されるかどうかを示すために利用される、
請求項１９に記載の受信方法。
【請求項２１】
前記方法は、
前記端末デバイスによって、前記参照信号の第３の構成情報を前記ネットワークデバイスから受信するステップであって、前記第３の構成情報は、Ｍ１とＮ１とを含むか、又はＭ１ビットのビットマップを含む、ステップをさらに含む、
請求項１９又は２０に記載の受信方法。
【請求項２２】
Ｐ１は、前記不連続受信期間における前記ページング機会の数に対応する指定値である、
請求項１８〜２１のいずれか１項に記載の受信方法。
【請求項２３】
Ｔは、前記不連続受信期間であり、
前記不連続受信期間における前記ページング機会の数は４Ｔに等しく、Ｐ１は１に等しい、又は、  前記不連続受信期間における前記ページング機会の数は２Ｔに等しく、Ｐ１は２に等しい、
請求項２２に記載の受信方法。
【請求項２４】
前記時間領域リソースは、第３の時間領域リソース又は第４の時間領域リソースのうちの少なくとも１つを含み、
前記第３の時間領域リソースは、前記第１の持続時間における全てのページング機会のＭ３個のページング機会毎の、Ｎ３個のページング機会に対応するサブフレーム、Ｍ３個のページング機会毎の前記Ｎ３個のページング機会のそれぞれに対応するサブフレームの前のＸ５個のサブフレーム、又は、Ｍ３個のページング機会毎の前記Ｎ３個のページング機会のそれぞれに対応する前記サブフレームの後のＹ５個のサブフレーム、の少なくとも１つを含み、Ｍ３は、１以上の整数であり、Ｎ３は、１以上の整数であり、Ｍ３は、Ｎ３以上であり、Ｘ５は、０以上の整数であり、Ｙ５は、０以上の整数であり、Ｍ３は、前記不連続受信期間における前記ページング機会の数量に関連し、
前記第４の時間領域リソースは、前記第１の持続時間における全てのウェイクアップ信号のＭ４個のウェイクアップ信号毎の、Ｎ４個のウェイクアップ信号の開始サブフレーム、Ｍ４個のウェイクアップ信号毎の前記Ｎ４個のウェイクアップ信号のそれぞれの開始サブフレームの前のＸ６個のサブフレーム、又は、Ｍ４個のウェイクアップ信号毎の前記Ｎ４個のウェイクアップ信号のそれぞれの前記開始サブフレームの後のＹ６個のサブフレーム、の少なくとも１つを含み、Ｍ４は、１以上の整数であり、Ｎ４は、１以上の整数であり、Ｍ４は、Ｎ４以上であり、Ｘ６は、０以上の整数であり、Ｙ６は、０以上の整数であり、Ｍ４は、前記不連続受信期間における前記ページング機会の数量に関連する、
請求項１７に記載の受信方法。
【請求項２５】
前記Ｎ３個のページング機会は、Ｍ３個のページング機会毎の最初のＮ３個の連続したページング機会である、又は、
前記Ｎ３個のページング機会は、Ｍ３個のページング機会毎の最後のＮ３個の連続したページング機会である、又は、
前記Ｎ３個のページング機会は、Ｍ３ビットのビットマップによって表され、前記Ｍ３ビットのビットマップにおける各ビットは、前記参照信号が、全てのＭ３個のページング機会のそれぞれに対応するサブフレームにおいて送信されるかどうかを示すために利用される、
請求項２４に記載の受信方法。
【請求項２６】
前記Ｎ４個のウェイクアップ信号は、Ｍ４個のウェイクアップ信号毎の最初のＮ４個の連続したウェイクアップ信号である、又は、
前記Ｎ４個のウェイクアップ信号は、Ｍ４個のウェイクアップ信号毎の最後のＮ４個の連続したウェイクアップ信号である、又は、
前記Ｎ４個のウェイクアップ信号は、Ｍ４ビットのビットマップによって表され、前記Ｍ４ビットのビットマップにおける各ビットは、前記参照信号が、全てのＭ４個のウェイクアップ信号のそれぞれの開始サブフレームにおいて送信されるかどうかを示すために利用される、
請求項２４に記載の受信方法。
【請求項２７】
Ｍ３が、前記不連続受信期間における前記ページング機会の数量に関連することは、
Ｍ３が、前記不連続受信期間における前記ページング機会の数量に対応する指定値であること、又は、
Ｍ３が、前記ネットワークデバイスによって、前記不連続受信期間における前記ページング機会の数量、前記不連続受信期間、及び第５の指定値に基づいて決定されること、
を含む、
請求項２４〜２６のいずれか１項に記載の受信方法。
【請求項２８】
Ｔは、前記不連続受信期間であり、
前記不連続受信期間における前記ページング機会の数はＴ／２に等しく、Ｍ３は２に等しい、又は、
前記不連続受信期間における前記ページング機会の数はＴ／４に等しく、Ｍ３は１に等しい、
請求項２７に記載の受信方法。
【請求項２９】
Ｍ３は、以下の式、
Ｍ３＝ｍａｘ｛ａｌｐｈａ１×（４／Ｔ）×ｎＢ，１｝
を満たし、ｎＢは、前記不連続受信期間における前記ページング機会の数量を示し、Ｔは、前記不連続受信期間を示し、ａｌｐｈａ１は、第５の指定値である、
請求項２４〜２７のいずれか１項に記載の受信方法。
【請求項３０】
Ｍ４が、前記不連続受信期間における前記ページング機会の数量に関連することは、
Ｍ４が、前記不連続受信期間における前記ページング機会の数量に対応する指定値であること、又は、
Ｍ４が、前記ネットワークデバイスによって、前記不連続受信期間における前記ページング機会の数量、前記不連続受信期間、及び第６の指定値に基づいて決定されること、
を含む、
請求項２４〜２９のいずれか１項に記載の受信方法。
【請求項３１】
Ｍ４は、以下の式、
Ｍ４＝ｍａｘ｛ａｌｐｈａ２×（４／Ｔ）×ｎＢ，１｝
を満たし、ｎＢは、前記不連続受信期間における前記ページング機会の数量を示し、Ｔは、前記不連続受信期間を示し、ａｌｐｈａ２は、第６の指定値である、
請求項２４〜３０のいずれか１項に記載の受信方法。
【請求項３２】
前記方法は、
前記端末デバイスによって、第１の指示情報を前記ネットワークデバイスから受信するステップであって、前記第１の指示情報は、前記第１の持続時間における前記時間領域リソースを、前記第１の持続時間における前記ページング機会の数量に基づいて決定することを前記ネットワークデバイスがサポートすることを示すために利用される、ステップをさらに含む、
請求項１７〜３１のいずれか１項に記載の受信方法。
【請求項３３】
請求項１〜１６のいずれか１項に記載の送信方法を実行するように構成された、
ネットワークデバイス。
【請求項３４】
請求項１７〜３２のいずれか１項に記載の受信方法を実行するように構成された、
端末デバイス。
【請求項３５】
コンピュータ上で実行されたとき、前記コンピュータに請求項１〜１６のいずれか１項に記載の送信方法を実行させることを可能にするプログラムを記憶する、コンピュータ可読記憶媒体。
【請求項３６】
コンピュータ上で実行されたとき、前記コンピュータに請求項１７〜３２のいずれか１項に記載の受信方法を実行させることを可能にするプログラムを記憶する、コンピュータ可読記憶媒体。
【請求項３７】
コンピュータ上で実行されたとき、前記コンピュータに請求項１〜１６のいずれか１項に記載の送信方法を実行させることを可能にする、プログラム。
【請求項３８】
コンピュータ上で実行されたとき、前記コンピュータに請求項１７〜３２のいずれか１項に記載の受信方法を実行させることを可能にする、プログラム。
【手続補正２】
【補正対象書類名】明細書
【補正対象項目名】全文
【補正方法】変更
【補正の内容】
【発明の詳細な説明】
【技術分野】
【０００１】
本出願は、通信技術の分野に関し、詳細には、参照信号送信方法、参照信号受信方法、デバイス、及びシステムに関する。
【背景技術】
【０００２】
ワイヤレス通信システムでは、端末デバイスは２つの状態を有する。１つは接続状態であり、これは、端末デバイスがネットワークデバイスへの接続を確立しており、通信を直接実施することができることを示す。１つはアイドル状態であるか、又はスリープ状態と呼ばれ、これは、端末デバイスがネットワークデバイスと直接通信することができないことを示す。端末デバイスが、送信するか又は受信すべきサービスデータを有しないとき、端末デバイスは、電力消費量を低減するためにアイドル状態に入り得る。ネットワークデバイスが、端末デバイスにサービスデータを送信する必要があるか、又は何らかのサービスデータを報告するように端末デバイスに要求するとき、ネットワークデバイスは、ページング機構を使用することによって端末デバイスに通知し得る。アイドル状態における端末デバイスは、周期的にウェイクアップして物理ダウンリンク制御チャネル（ｐｈｙｓｉｃａｌ  ｄｏｗｎｌｉｎｋ  ｃｏｎｔｒｏｌ  ｃｈａｎｎｅｌ、ＰＤＣＣＨ）を監視し、ＰＤＣＣＨ中にページングスケジューリングメッセージが存在するかどうかを検出する。ページングスケジューリングメッセージが存在し、ページングスケジューリングがその端末デバイスに固有である場合、アイドル状態における端末デバイスは、接続状態に切り替わって、サービスデータを送信するか又は受信する。端末デバイスがウェイクアップするロケーションはページング機会（ｐａｇｉｎｇ  ｏｃｃａｓｉｏｎ、ＰＯ）と呼ばれる。
【０００３】
しかし、現在のモノのインターネットでは、多くのサービスはアクティブ報告タイプであり、即ち、アップリンク送信が主に実施され、ページング確率は比較的低い。従って、ネットワークデバイスは、開始サブフレームが、ＰＯに対応するサブフレームである、ほとんどのＰＤＣＣＨサーチスペース中で、対応するページングスケジューリングメッセージを送らないが、端末デバイスは、端末デバイスに対応する各ＰＯにおいてＰＤＣＣＨを監視し始める必要が依然としてある。開始サブフレームが、各ＰＯに対応するサブフレームである、ＰＤＣＣＨサーチスペースでは、端末デバイスは、ＰＤＣＣＨサーチスペースの第１の候補ロケーションから開始して、全ての候補ロケーション上でブラインド検出を実施し、次いで、ページングスケジューリングメッセージが存在しないと決定する。これは、端末デバイスの余分の電力消費を引き起こす。
【０００４】
これに基づいて、現在の技術では、ネットワークデバイスは、ＰＯの前に端末デバイスにウェイクアップ信号（ｗａｋｅｕｐ  ｓｉｇｎａｌ、ＷＵＳ）を送信し得るし、ＷＵＳは、端末デバイスがＰＤＣＣＨを監視する必要があるかどうかを示すために使用される。端末デバイスがＰＯの前にＷＵＳを検出するとき、端末デバイスは、ＰＤＣＣＨを監視し続ける必要がある。端末デバイスがＰＯの前にＷＵＳを検出しない場合、それは、開始サブフレームが、ＰＯに対応するサブフレームである、ＰＤＣＣＨサーチスペース中で、ネットワークデバイスが、対応するページングスケジューリングメッセージを送らず、端末デバイスがＰＤＣＣＨを監視する必要がないことを示す。
【０００５】
しかし、端末デバイスが、ＷＵＳがページング機会の前に存在するかどうかを検出するとき、ネットワークデバイスがページング機会の前にＷＵＳを送らない場合でも、端末デバイスは、ＷＵＳの開始サブフレームから監視することを実施し始める必要があり、最大ＷＵＳ持続時間（ｍａｘｉｍｕｍ  ＷＵＳ  ｄｕｒａｔｉｏｎ）が終了した後にのみ、端末デバイスは、ＷＵＳが存在しないことを知る。これも、端末デバイスの余分の電力消費を引き起こす。
【０００６】
従って、開始サブフレームが、ＰＯに対応するサブフレームである、ＰＤＣＣＨサーチスペース中で、ページングスケジューリングメッセージが存在するかどうかを端末デバイスが検出するとき、及び／又はＷＵＳがＰＯの前に存在するかどうかを端末デバイスが検出するとき、どのように端末デバイスの電力消費量を低減すべきかが、現在解決されるよう喫緊に求められている問題である。
【発明の概要】
【０００７】
本出願の実施形態は、端末デバイスの電力消費量を低減するための、参照信号受信方法、参照信号送信方法、デバイス、及びシステムを提供する。
【０００８】
上記の目的を達成するために、本出願の実施形態において以下の技術的解決策が使用される。
【０００９】
第１の態様によれば、参照信号送信方法が提供され、本方法は、ネットワークデバイスが、不連続受信期間中のページング機会の数量に基づいて第１の持続時間中の時間領域リソースを決定することであって、時間領域リソースが、参照信号を送信するために使用される時間−周波数リソース中の時間領域リソースである、ことを含む。ネットワークデバイスは、時間領域リソース上で端末デバイスに参照信号を送信する。言い換えれば、本出願のこの実施形態では、ネットワークデバイスがページング機会において対応するページングスケジューリングメッセージを送信するかどうかにかかわらず、ネットワークデバイスは、不連続受信期間中のページング機会の数量に基づいて決定された第１の持続時間中の時間領域リソースに対応する時間−周波数リソース上で端末デバイスに参照信号を送信する。従って、本出願のこの実施形態において提供される参照信号送信方法によれば、一態様では、開始サブフレームが、ページング機会に対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し、それにより、端末デバイスの電力消費量を低減し得る。別の態様では、ＷＵＳがページング機会の前に存在するかどうかを検出するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【００１０】
第２の態様によれば、参照信号受信方法が提供される。本方法は、端末デバイスが、不連続受信期間中のページング機会の数量に基づいて第１の持続時間中の時間領域リソースを決定することであって、時間領域リソースが、参照信号を送信するために使用される時間−周波数リソース中の時間領域リソースである、ことを含む。端末デバイスは、時間−周波数リソース上でネットワークデバイスから参照信号を受信する。言い換えれば、本出願のこの実施形態では、ネットワークデバイスがページング機会において対応するページングスケジューリングメッセージを送信するかどうかにかかわらず、端末デバイスは、不連続受信期間中のページング機会の数量に基づいて決定された第１の持続時間中の時間領域リソースに対応する時間−周波数リソース上でネットワークデバイスから参照信号を受信する。従って、本出願のこの実施形態において提供される参照信号受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００１１】
第１の態様又は第２の態様に関して、可能な設計では、例えば、時間−周波数リソース中の周波数領域リソースは、ページング機会又はウェイクアップ信号が現在位置する時間−周波数リソース中の周波数領域リソースであり得る。言い換えれば、参照信号を送信するための時間−周波数リソース中の周波数領域リソースと、ページング機会又はウェイクアップ信号が現在位置する時間−周波数リソース中の周波数領域リソースは、同じ周波数領域リソースであり得る。
【００１２】
代替として、第１の態様又は第２の態様に関して、可能な設計では、周波数領域リソースは、代替として、ページング機会又はウェイクアップ信号が現在位置する時間−周波数リソース中の周波数領域リソースでないことがある。言い換えれば、参照信号を送信するための時間−周波数リソース中の周波数領域リソースと、ページング機会又はウェイクアップ信号が現在位置する時間−周波数リソース中の周波数領域リソースは、異なる周波数領域リソースであり得る。この場合、ネットワークデバイスは、第１の周波数領域リソースインジケーションパラメータを使用することによって端末デバイスに、参照信号を送信するための時間−周波数リソース中の周波数領域リソースを示し得る。これは、本出願のこの実施形態では特に限定されない。
【００１３】
第１の態様又は第２の態様に関して、可能な設計では、時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ１個のサブフレーム、又は１つ又は複数のページング機会の各々に対応するサブフレームの後のＹ１個のサブフレームのうちの少なくとも１つを含み、Ｘ１は０以上の整数であり、Ｙ１は０以上の整数であり、Ｘ１とＹ１の和は、ＤＲＸ期間中のページング機会の数量に関係する。特定の実装では、第１の時間領域リソースは、第１の持続時間中の１つ又は複数のページング機会に対応するサブフレーム、１つ又は複数のページング機会の各々に対応するサブフレームの前のＸ１個のサブフレーム、及び１つ又は複数のページング機会の各々に対応するサブフレームの後のＹ１個のサブフレームを含み、Ｘ１は０以上の整数であり、Ｙ１は０以上の整数であり、Ｘ１とＹ１の和は、不連続受信期間中のページング機会の数量に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ２個のサブフレーム、又は１つ又は複数のウェイクアップ信号の各ウェイクアップ信号の開始サブフレームの後のＹ２個のサブフレームのうちの少なくとも１つを含み、Ｘ２は０以上の整数であり、Ｙ２は０以上の整数であり、Ｘ２とＹ２の和は、ＤＲＸ期間中のページング機会の数量に関係する。特定の実装方法では、第２の時間領域リソースは、第１の持続時間中の１つ又は複数のウェイクアップ信号の開始サブフレーム、１つ又は複数のウェイクアップ信号の各々の開始サブフレームの前のＸ２個のサブフレーム、及び１つ又は複数のウェイクアップ信号の各々の開始サブフレームの後のＹ２個のサブフレームを含み、Ｘ２は０以上の整数であり、Ｙ２は０以上の整数であり、Ｘ２とＹ２の和は、不連続受信期間中のページング機会の数量に関係する。
【００１４】
第１の態様又は第２の態様の上記の可能な設計のいずれか１つに関して、可能な設計では、Ｘ１個のサブフレームは、各ページング機会に対応するサブフレームの前にありそれに連続する、Ｘ１個の連続するサブフレームであり、Ｙ１個のサブフレームは、各ページング機会に対応するサブフレームの後にありそれに連続する、Ｙ１個の連続するサブフレームである。代替として、Ｘ１個のサブフレームは、各ページング機会に対応するサブフレームの前のＺ１個のサブフレーム中の、最初のＸ１個の（連続する）サブフレームであり、Ｙ１個のサブフレームは、各ページング機会に対応するサブフレームの後にありそれに連続する、Ｙ１個の連続するサブフレームである。
【００１５】
第１の態様又は第２の態様の上記の可能な設計のいずれか１つに関して、可能な設計では、第１の時間領域リソース上のサブフレームは、通常サブフレームを含み得るか、又は有効（ｖａｌｉｄ）サブフレームを含み得る。これは、本出願のこの実施形態では特に限定されない。第１の時間領域リソース上の全てのサブフレームが有効サブフレームであるとき、ページング機会に対応するサブフレームは、ページング機会が位置するサブフレームであり得るか、又はページング機会の後の第１の有効サブフレームであり得るし、Ｘ１個の（連続する）サブフレームは、Ｘ１個の（連続する）有効サブフレームであり、Ｙ１個の（連続する）サブフレームは、Ｙ１個の（連続する）有効サブフレームである。連続する有効サブフレームは、２つの有効サブフレーム間に他の有効サブフレームが存在しないことを意味する。
【００１６】
第１の態様の上記の可能な設計のいずれか１つに関して、可能な設計では、本方法は、ネットワークデバイスが、端末デバイスに参照信号の第１の構成情報を送信することをさらに含む。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。
【００１７】
第２の態様の上記の可能な設計のいずれか１つに関して、可能な設計では、本方法は、端末デバイスが、ネットワークデバイスから参照信号の第１の構成情報を受信することをさらに含む。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。このようにして、ネットワークデバイスから第１の構成情報を受信した後に、端末デバイスは、第１の構成情報及び不連続受信期間中のページング機会の数量に基づいて第１の持続時間中の時間領域リソース又は第１の期間中の時間領域リソースを決定し得る。例えば、第１の構成情報が、第１の持続時間と、Ｘ１及びＹ１のうちの少なくとも１つとを含むと仮定すると、端末デバイスは、第１の構成情報及び不連続受信期間中のページング機会の数量に基づいて第１の持続時間中の時間領域リソースを決定し得る。代替として、例えば、第１の構成情報が、Ｘ１及びＹ１のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第１の構成情報及び不連続受信期間中のページング機会の数量に基づいて第１の期間中の時間領域リソースを決定し得る。これは、本出願のこの実施形態では特に限定されない。
【００１８】
第１の態様又は第２の態様の上記の可能な設計のいずれか１つに関して、可能な設計では、Ｘ２個のサブフレームは、各ウェイクアップ信号の開始サブフレームの前にありそれに連続する、Ｘ２個の連続するサブフレームであり、Ｙ２個のサブフレームは、各ウェイクアップ信号の開始サブフレームの後にありそれに連続する、Ｙ２個の連続するサブフレームである。代替として、Ｘ２個のサブフレームは、各ウェイクアップ信号の開始サブフレームの前のＺ２個のサブフレーム中の、最初のＸ２個の連続するサブフレームであり、Ｙ２個のサブフレームは、各ウェイクアップ信号の開始サブフレームの後にありそれに連続する、Ｙ２個の連続するサブフレームである。
【００１９】
第１の態様又は第２の態様の上記の可能な設計のいずれか１つに関して、可能な設計では、第２の時間領域リソース上のサブフレームは、通常サブフレームを含み得るか、又は有効（ｖａｌｉｄ）サブフレームを含み得る。これは、本出願のこの実施形態では特に限定されない。ウェイクアップ信号の開始サブフレームが有効サブフレームであるので、第２の時間領域リソース上の全てのサブフレームが有効サブフレームであるとき、Ｘ２個の（連続する）サブフレームは、Ｘ２個の（連続する）有効サブフレームであり、Ｙ２個の（連続する）サブフレームは、Ｙ２個の（連続する）有効サブフレームである。連続する有効サブフレームは、２つの有効サブフレーム間に他の有効サブフレームが存在しないことを意味する。
【００２０】
第１の態様の上記の可能な設計のいずれか１つに関して、可能な設計では、本方法は、ネットワークデバイスが、端末デバイスに参照信号の第２の構成情報を送信することをさらに含む。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【００２１】
第２の態様の上記の可能な設計のいずれか１つに関して、可能な設計では、本方法は、端末デバイスが、ネットワークデバイスから参照信号の第２の構成情報を受信することをさらに含む。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。このようにして、ネットワークデバイスから第２の構成情報を受信した後に、端末デバイスは、第２の構成情報及び不連続受信期間中のページング機会の数量に基づいて第１の持続時間中の時間領域リソース又は第１の期間中の時間領域リソースを決定し得る。例えば、第２の構成情報が、第１の持続時間と、Ｘ２及びＹ２のうちの少なくとも１つとを含むと仮定すると、端末デバイスは、第２の構成情報及び不連続受信期間中のページング機会の数量に基づいて第１の持続時間中の時間領域リソースを決定し得る。代替として、例えば、第２の構成情報が、Ｘ２及びＹ２のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第２の構成情報及び不連続受信期間中のページング機会の数量に基づいて第１の期間中の時間領域リソースを決定し得る。これは、本出願のこの実施形態では特に限定されない。
【００２２】
第１の態様又は第２の態様の上記の可能な設計のいずれか１つに関して、可能な設計では、第１の持続時間中の１つ又は複数のページング機会は、Ｆ１ビットのビットマップによって表され得るし、Ｆ１ビットのビットマップ中の各ビットは、参照信号が、Ｆ１個のページング機会の各々に対応するサブフレーム中で送信されるかどうかを示すために使用され、Ｆ１は、第１の持続時間中の全てのページング機会の数量である。
【００２３】
代替として、第１の態様又は第２の態様の上記の可能な設計のいずれか１つに関して、可能な設計では、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【００２４】
第１の態様又は第２の態様の上記の可能な設計のいずれか１つに関して、可能な設計では、Ｎ１個のページング機会は、Ｍ１個毎のページング機会における、最初のＮ１個の連続するページング機会であるか、又はＮ１個のページング機会は、Ｍ１個毎のページング機会における、最後のＮ１個の連続するページング機会であるか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【００２５】
第１の態様の上記の可能な設計のいずれか１つに関して、可能な設計では、本方法は、ネットワークデバイスが、端末デバイスに参照信号の第３の構成情報を送信することをさらに含む。第３の構成情報は、Ｍ１及びＮ１を含むか、又はＭ１ビットのビットマップを含む。
【００２６】
第２の態様の上記の可能な設計のいずれか１つに関して、可能な設計では、本方法は、端末デバイスが、ネットワークデバイスから参照信号の第３の構成情報を受信することをさらに含む。第３の構成情報は、Ｍ１及びＮ１を含むか、又はＭ１ビットのビットマップを含む。このようにして、端末デバイスは、第３の構成情報を参照して第１の持続時間中の時間領域リソースを決定し得る。
【００２７】
第１の態様又は第２の態様の上記の可能な設計のいずれか１つに関して、可能な設計では、第１の持続時間中の１つ又は複数のウェイクアップ信号は、Ｆ２ビットのビットマップによって表され得るし、Ｆ２ビットのビットマップ中の各ビットは、参照信号が、Ｆ２個のウェイクアップ信号の各々の開始サブフレーム中で送信されるかどうかを示すために使用され、Ｆ２は、第１の持続時間中の全てのウェイクアップ信号の数量である。
【００２８】
第１の態様又は第２の態様の上記の可能な設計のいずれか１つに関して、可能な設計では、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【００２９】
第１の態様又は第２の態様の上記の可能な設計のいずれか１つに関して、可能な設計では、Ｎ２個のウェイクアップ信号は、Ｍ２個毎のウェイクアップ信号における、最初のＮ２個の連続するウェイクアップ信号であるか、又はＮ２個のウェイクアップ信号は、Ｍ２個毎のウェイクアップ信号における、最後のＮ２個の連続するウェイクアップ信号であるか、又はＮ２個のウェイクアップ信号は、Ｍ２ビットのビットマップによって表され、Ｍ２ビットのビットマップ中の各ビットは、参照信号が、Ｍ２個毎のウェイクアップ信号の各々の開始サブフレーム中で送信されるかどうかを示すために使用される。
【００３０】
第１の態様の上記の可能な設計のいずれか１つに関して、可能な設計では、本方法は、ネットワークデバイスが、端末デバイスに参照信号の第４の構成情報を送信することをさらに含む。第４の構成情報は、Ｍ２及びＮ２を含むか、又はＭ２ビットのビットマップを含む。
【００３１】
第２の態様の上記の可能な設計のいずれか１つに関して、可能な設計では、本方法は、端末デバイスが、ネットワークデバイスから参照信号の第４の構成情報を受信することをさらに含む。第４の構成情報は、Ｍ２及びＮ２を含むか、又はＭ２ビットのビットマップを含む。このようにして、端末デバイスは、第４の構成情報を参照して第１の持続時間中の時間領域リソースを決定し得る。
【００３２】
第１の態様又は第２の態様の上記の可能な設計のいずれか１つに関して、可能な設計では、Ｘ１とＹ１の和が不連続受信期間中のページング機会の数量に関係することは、Ｘ１とＹ１の和が、不連続受信期間中のページング機会の数量に対応する指定された値であること、又はＸ１とＹ１の和が、不連続受信期間中のページング機会の数量、不連続受信期間、及び第１の指定された値に基づいてネットワークデバイスによって決定されることを含む。
【００３３】
第１の態様又は第２の態様の上記の可能な設計のいずれか１つに関して、可能な設計では、Ｘ１及びＹ１は、式Ｘ１＋Ｙ１＝ｍｉｎ｛４Ｔ／ｎＢ，ａ｝−１を満たし、ｎＢは、不連続受信期間中のページング機会の数量を示し、Ｔは、不連続受信期間を示し、ａは、第１の指定された値である。
【００３４】
第１の態様又は第２の態様の上記の可能な設計のいずれか１つに関して、可能な設計では、Ｘ２とＹ２の和が不連続受信期間中のページング機会の数量に関係することは、Ｘ２とＹ２の和が、不連続受信期間中のページング機会の数量に対応する指定された値であること、又はＸ２とＹ２の和が、不連続受信期間中のページング機会の数量、不連続受信期間、及び第２の指定された値に基づいてネットワークデバイスによって決定されることを含む。
【００３５】
第１の態様又は第２の態様の上記の可能な設計のいずれか１つに関して、可能な設計では、Ｘ２及びＹ２は、式Ｘ２＋Ｙ２＝ｍｉｎ｛４Ｔ／ｎＢ，ｂ｝−１を満たし、ｎＢは、不連続受信期間中のページング機会の数量を示し、Ｔは、不連続受信期間を示し、ｂは、第２の指定された値である。
【００３６】
第１の態様の上記の可能な設計のいずれか１つに関して、可能な設計では、本方法は、ネットワークデバイスが、端末デバイスに第１のインジケーション情報を送信することをさらに含む。第１のインジケーション情報は、ネットワークデバイスが、第１の持続時間中のページング機会の数量に基づいて第１の持続時間中の時間領域リソースを決定することをサポートすることを示すために使用される。
【００３７】
第２の態様の上記の可能な設計のいずれか１つに関して、可能な設計では、本方法は、端末デバイスが、ネットワークデバイスから第１のインジケーション情報を受信することをさらに含む。第１のインジケーション情報は、ネットワークデバイスが、第１の持続時間中のページング機会の数量に基づいて第１の持続時間中の時間領域リソースを決定することをサポートすることを示すために使用される。
【００３８】
もちろん、本出願のこの実施形態では、代替として、第１のインジケーション情報は構成されなくてよいが、ネットワークデバイスが、第１の持続時間中のページング機会の数量に基づいて第１の持続時間中の時間領域リソースを決定することをサポートすることが、プロトコルにおいてあらかじめ決定される。これは、本出願のこの実施形態では特に限定されない。
【００３９】
第１の態様の上記の可能な設計のいずれか１つに関して、可能な設計では、本方法は、ネットワークデバイスが、端末デバイスから第２のインジケーション情報を受信することをさらに含む。第２のインジケーション情報は、端末デバイスが、前もってウェイクアップ信号及びＰＤＣＣＨのうちの少なくとも１つ上で監視することを終了することが可能であることを示すために使用される。
【００４０】
第２の態様の上記の可能な設計のいずれか１つに関して、可能な設計では、本方法は、端末デバイスが、ネットワークデバイスに第２のインジケーション情報を送信することをさらに含む。第２のインジケーション情報は、端末デバイスが、前もってウェイクアップ信号及びＰＤＣＣＨのうちの少なくとも１つ上で監視することを終了することが可能であることを示すために使用される。
【００４１】
第１の態様又は第２の態様の上記の可能な設計のいずれか１つに関して、可能な設計では、不連続受信期間中のページング機会の数量に基づいて決定された第１の持続時間中の時間領域リソースが第３の時間領域リソースと重複する（ｏｖｅｒｌａｐ）とき、参照信号は、それらの２つの時間領域リソースのユニオン集合上で送信され得る。第３の時間領域リソースは、候補ロケーションに対応する時間領域リソース、候補ロケーションにおける第１のサブフレームの前のＴ１個のサブフレーム、及び候補ロケーションにおける最後のサブフレームの後のＴ２個のサブフレームを含み、Ｔ１は０以上の整数であり、Ｔ２は０以上の整数である。例えば、ＮＢ−ＩｏＴシステムでは、Ｔ１は１０に等しいことがあり、Ｔ２は４に等しいことがある。これは、本出願のこの実施形態では特に限定されない。
【００４２】
第１の態様又は第２の態様の上記の可能な設計のいずれか１つに関して、可能な設計では、時間領域リソースは、第３の時間領域リソース又は第４の時間領域リソースのうちの少なくとも１つを含む。第３の時間領域リソースは、第１の持続時間中の全てのページング機会のうちのＭ３個毎のページング機会中のＮ３個のページング機会に対応するサブフレーム、Ｍ３個毎のページング機会中のＮ３個のページング機会の各々に対応するサブフレームの前のＸ５個のサブフレーム、又はＭ３個毎のページング機会中のＮ３個のページング機会の各々に対応するサブフレームの後のＹ５個のサブフレームのうちの少なくとも１つを含み、Ｍ３は１以上の整数であり、Ｎ３は１以上の整数であり、Ｍ３はＮ３以上であり、Ｘ５は０以上の整数であり、Ｙ５は０以上の整数であり、Ｍ３は、不連続受信期間中のページング機会の数量に関係する。第４の時間領域リソースは、第１の持続時間中の全てのウェイクアップ信号のうちのＭ４個毎のウェイクアップ信号中のＮ４個のウェイクアップ信号の開始サブフレーム、Ｍ４個毎のウェイクアップ信号中のＮ４個のウェイクアップ信号の各々の開始サブフレームの前のＸ６個のサブフレーム、又はＭ４個毎のウェイクアップ信号中のＮ４個のウェイクアップ信号の各々の開始サブフレームの後のＹ６個のサブフレームのうちの少なくとも１つを含み、Ｍ４は１以上の整数であり、Ｎ４は１以上の整数であり、Ｍ４はＮ４以上であり、Ｘ６は０以上の整数であり、Ｙ６は０以上の整数であり、Ｍ４は、不連続受信期間中のページング機会の数量に関係する。
【００４３】
第１の態様又は第２の態様の上記の可能な設計のいずれか１つに関して、可能な設計では、Ｘ５個のサブフレームは、各ページング機会に対応するサブフレームの前にありそれに連続する、Ｘ５個の連続するサブフレームであり、Ｙ５個のサブフレームは、各ページング機会に対応するサブフレームの後にありそれに連続する、Ｙ５個の連続するサブフレームである。
【００４４】
第１の態様又は第２の態様の上記の可能な設計のいずれか１つに関して、可能な設計では、Ｘ６個のサブフレームは、各ウェイクアップ信号の開始サブフレームの前にありそれに連続する、Ｘ６個の連続するサブフレームであり、Ｙ６個のサブフレームは、各ウェイクアップ信号の開始サブフレームの後にありそれに連続する、Ｙ６個の連続するサブフレームである。
【００４５】
第１の態様又は第２の態様の上記の可能な設計のいずれか１つに関して、可能な設計では、Ｎ３個のページング機会は、Ｍ３個毎のページング機会における、最初のＮ３個の連続するページング機会であるか、又はＮ３個のページング機会は、Ｍ３個毎のページング機会における、最後のＮ３個の連続するページング機会であるか、又はＮ３個のページング機会は、Ｍ３ビットのビットマップによって表され、Ｍ３ビットのビットマップ中の各ビットは、参照信号が、Ｍ３個毎のページング機会の各々に対応するサブフレーム中で送信されるかどうかを示すために使用される。
【００４６】
第１の態様又は第２の態様の上記の可能な設計のいずれか１つに関して、可能な設計では、Ｎ４個のウェイクアップ信号は、Ｍ４個毎のウェイクアップ信号における、最初のＮ４個の連続するウェイクアップ信号であるか、又はＮ４個のウェイクアップ信号は、Ｍ４個毎のウェイクアップ信号における、最後のＮ４個の連続するウェイクアップ信号であるか、又はＮ４個のウェイクアップ信号は、Ｍ４ビットのビットマップによって表され、Ｍ４ビットのビットマップ中の各ビットは、参照信号が、Ｍ４個毎のウェイクアップ信号の各々の開始サブフレーム中で送信されるかどうかを示すために使用される。
【００４７】
第１の態様又は第２の態様の上記の可能な設計のいずれか１つに関して、可能な設計では、Ｍ３が不連続受信期間中のページング機会の数量に関係することは、Ｍ３が、不連続受信期間中のページング機会の数量に対応する指定された値であること、又はＭ３が、不連続受信期間中のページング機会の数量、不連続受信期間、及び第５の指定された値に基づいてネットワークデバイスによって決定されることを含む。
【００４８】
第１の態様又は第２の態様の上記の可能な設計のいずれか１つに関して、可能な設計では、Ｍ３は、式Ｍ３＝ｍａｘ｛α１×（４／Ｔ）×ｎＢ，１｝を満たし、ｎＢは、不連続受信期間中のページング機会の数量を示し、Ｔは、不連続受信期間を示し、α１は、第５の指定された値である。
【００４９】
第１の態様又は第２の態様の上記の可能な設計のいずれか１つに関して、可能な設計では、Ｍ４が不連続受信期間中のページング機会の数量に関係することは、Ｍ４が、不連続受信期間中のページング機会の数量に対応する指定された値であること、又はＭ４が、不連続受信期間中のページング機会の数量、不連続受信期間、及び第６の指定された値に基づいてネットワークデバイスによって決定されることを含む。
【００５０】
第１の態様又は第２の態様の上記の可能な設計のいずれか１つに関して、可能な設計では、Ｍ４は、式Ｍ４＝ｍａｘ｛α２×（４／Ｔ）×ｎＢ，１｝を満たし、ｎＢは、不連続受信期間中のページング機会の数量を示し、Ｔは、不連続受信期間を示し、α２は、第６の指定された値である。
【００５１】
第３の態様によれば、参照信号送信方法が提供され、本方法は、ネットワークデバイスが、端末デバイスに測定サブフレームに関する情報を送信することを含む。ネットワークデバイスは、測定サブフレームに関する情報に基づいて第１の持続時間中の時間領域リソースを決定し、時間領域リソースは、参照信号を送信するために使用される時間−周波数リソース中の時間領域リソースである。ネットワークデバイスは、時間−周波数リソース上で端末デバイスに参照信号を送信する。言い換えれば、ネットワークデバイスが、ページング機会において対応するページングスケジューリングメッセージを送信するかどうかにかかわらず、ネットワークデバイスは、測定サブフレームに関する情報に基づいて決定された第１の持続時間中の時間領域リソースに対応する時間−周波数リソース上で端末デバイスに参照信号を送信する。従って、本出願のこの実施形態において提供される参照信号送信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５２】
第４の態様によれば、参照信号受信方法が提供され、本方法は、端末デバイスが、ネットワークデバイスから測定サブフレームに関する情報を受信することを含む。端末デバイスは、測定サブフレームに関する情報に基づいて第１の持続時間中の時間領域リソースを決定し、時間領域リソースは、参照信号を送信するために使用される時間−周波数リソース中の時間領域リソースである。端末デバイスは、時間−周波数リソース上でネットワークデバイスから参照信号を受信する。言い換えれば、ネットワークデバイスが、ページング機会において対応するページングスケジューリングメッセージを送信するかどうかにかかわらず、端末デバイスは、測定サブフレームに関する情報に基づいて決定された第１の持続時間中の時間領域リソースに対応する時間−周波数リソース上でネットワークデバイスから参照信号を受信する。従って、本出願のこの実施形態において提供される参照信号受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５３】
第３の態様又は第４の態様に関して、可能な設計では、測定サブフレームは、ｎビットのビットマップによって表され、ｎビットのビットマップ中の各ビットは、参照信号がｎ個のサブフレームの各々中で送信されるかどうかを示すために使用され、ｎは正の整数である。
【００５４】
第３の態様又は第４の態様の上記の可能な設計のいずれか１つに関して、可能な設計では、測定サブフレームに関する情報は、ビットマップを含み得る。
【００５５】
第３の態様又は第４の態様の上記の可能な設計のいずれか１つに関して、可能な設計では、測定サブフレームに関する情報は、ビットマップの期間、ビットマップのオフセット、及びビットマップの繰り返し数量のうちの少なくとも１つをさらに含み得る。
【００５６】
第５の態様によれば、参照信号送信方法が提供され、本方法は、ネットワークデバイスが、第１の持続時間中の時間領域リソースを決定することであって、時間領域リソースが、参照信号を送信するために使用される時間−周波数リソース中の時間領域リソースである、ことを含む。ネットワークデバイスは、時間領域リソース上で端末デバイスに参照信号を送信する。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ３個のサブフレーム、及び１つ又は複数のウェイクアップ信号の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。言い換えれば、ネットワークデバイスが、ページング機会において対応するページングスケジューリングメッセージを送信するかどうかにかかわらず、ネットワークデバイスは、第１の持続時間中の決定された時間領域リソースに対応する時間−周波数リソース上で端末デバイスに参照信号を送信する。従って、本出願のこの実施形態において提供される参照信号送信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５７】
第６の態様によれば、参照信号受信方法が提供され、本方法は、端末デバイスが、第１の持続時間中の時間領域リソースを決定することであって、時間領域リソースが、参照信号を送信するために使用される時間−周波数リソース中の時間領域リソースである、ことを含む。端末デバイスは、時間領域リソース上で、ネットワークデバイスによって送られた参照信号を受信する。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ３個のサブフレーム、及び１つ又は複数のウェイクアップ信号の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。言い換えれば、ネットワークデバイスが、ページング機会において対応するページングスケジューリングメッセージを送信するかどうかにかかわらず、端末デバイスは、第１の持続時間中の決定された時間領域リソースに対応する時間−周波数リソース上でネットワークデバイスから参照信号を受信する。従って、本出願のこの実施形態において提供される参照信号受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、第１の態様を参照されたい。詳細について本明細書で再び説明されない。
【００５８】
第５の態様又は第６の態様の関係する実装については、第１の態様又は第２の態様を参照されたい。例えば、違いは、第５の態様又は第６の態様では、ページング機会に対応するサブフレームの前のＸ３個のサブフレームと、ページング機会に対応するサブフレームの後のＹ３個のサブフレームの和が、第３の指定された値に関係し、ウェイクアップ信号の開始サブフレームの前のＸ４個のサブフレームと、ウェイクアップ信号の開始サブフレームの後のＹ４個のサブフレームの和が、第４の指定された値に関係するが、第１の態様又は第２の態様では、ページング機会に対応するサブフレームの前のＸ１個のサブフレームと、ページング機会に対応するサブフレームの後のＹ１個のサブフレームの和が、不連続受信期間中のページング機会の数量に関係し、ウェイクアップ信号の開始サブフレームの前のＸ２個のサブフレームと、ウェイクアップ信号の開始サブフレームの後のＹ２個のサブフレームの和が、不連続受信期間中のページング機会の数量に関係することにある。他の関係する説明については、第１の態様又は第２の態様を参照されたい。詳細について本明細書で再び説明されない。
【００５９】
任意選択で、本出願のこの実施形態では、第３の指定された値及び／又は第４の指定された値は、システムメッセージ若しくは上位レイヤシグナリングを使用することによって端末デバイスのためにネットワークデバイスによって構成され得るか、又はプロトコルにおいてあらかじめ決定され得る。これは、本出願のこの実施形態では特に限定されない。例えば、システムメッセージはＳＩＢ又はＭＩＢであり得るし、上位レイヤシグナリングはＲＲＣシグナリングであり得る。これは、本出願のこの実施形態では特に限定されない。
【００６０】
第７の態様によれば、ネットワークデバイスが提供される。ネットワークデバイスは、第１の態様、第３の態様、又は第５の態様による方法を実装する機能を有する。機能は、ハードウェアによって実装され得るか、又は対応するソフトウェアを実行するハードウェアによって実装され得る。ハードウェア又はソフトウェアは、機能に対応する１つ又は複数のモジュールを含む。
【００６１】
第８の態様によれば、プロセッサ及びメモリを含む、ネットワークデバイスが提供される。メモリは、コンピュータ実行可能命令を記憶するように構成される。ネットワークデバイスが走らされたとき、プロセッサは、メモリに記憶されたコンピュータ実行可能命令を実行し、それにより、ネットワークデバイスは、第１の態様、第３の態様、又は第５の態様のいずれか１つによる参照信号送信方法を実施する。
【００６２】
第９の態様によれば、プロセッサを含む、ネットワークデバイスが提供される。プロセッサは、メモリに結合し、メモリ中の命令を読み取り、次いで、命令に従って、第１の態様、第３の態様、又は第５の態様のいずれか１つによる参照信号送信方法を実施するように構成される。
【００６３】
第１０の態様によれば、コンピュータ可読記憶媒体が提供される。コンピュータ可読記憶媒体は命令を記憶する。命令がコンピュータ上で走らされたとき、コンピュータは、第１の態様、第３の態様、又は第５の態様のいずれか１つによる参照信号送信方法を実施することを可能にされる。
【００６４】
第１１の態様によれば、命令を含むコンピュータプログラム製品が提供される。コンピュータプログラム製品がコンピュータ上で走らされたとき、コンピュータは、第１の態様、第３の態様、又は第５の態様のいずれか１つによる参照信号送信方法を実施することを可能にされる。
【００６５】
第１２の態様によれば、装置（例えば、装置はチップシステムであり得る）が提供される。本装置は、第１の態様、第３の態様、又は第５の態様における機能、例えば、不連続受信期間中のページング機会の数量に基づいて第１の持続時間中の時間領域リソースを決定することを実装する際にネットワークデバイスをサポートするように構成された、プロセッサを含む。可能な設計では、本装置はメモリをさらに含む。メモリは、ネットワークデバイスのために必要であるプログラム命令及びデータを記憶するように構成される。本装置がチップシステムであるとき、チップシステムは、チップを含み得るか、又はチップ及び別の個別デバイスを含み得る。
【００６６】
第７の態様から第１２の態様におけるいずれかの設計方式の技術的効果については、第１の態様、第３の態様、又は第５の態様における様々な設計方式の技術的効果を参照されたい。詳細について本明細書で再び説明されない。
【００６７】
第１３の態様によれば、端末デバイスが提供される。端末デバイスは、第２の態様、第４の態様、又は第６の態様による方法を実装する機能を有する。機能は、ハードウェアによって実装され得るか、又は対応するソフトウェアを実行するハードウェアによって実装され得る。ハードウェア又はソフトウェアは、機能に対応する１つ又は複数のモジュールを含む。
【００６８】
第１４の態様によれば、プロセッサ及びメモリを含む、端末デバイスが提供される。メモリは、コンピュータ実行可能命令を記憶するように構成される。端末デバイスが走らされたとき、プロセッサは、メモリに記憶されたコンピュータ実行可能命令を実行し、それにより、端末デバイスは、第２の態様、第４の態様、又は第６の態様のいずれか１つによる参照信号受信方法を実施する。
【００６９】
第１５の態様によれば、プロセッサを含む、端末デバイスが提供される。プロセッサは、メモリに結合し、メモリ中の命令を読み取り、次いで、命令に従って、第２の態様、第４の態様、又は第６の態様による参照信号送信方法を実施するように構成される。
【００７０】
第１６の態様によれば、コンピュータ可読記憶媒体が提供される。コンピュータ可読記憶媒体は命令を記憶する。命令がコンピュータ上で走らされたとき、コンピュータは、第２の態様、第４の態様、又は第６の態様のいずれか１つによる参照信号受信方法を実施することを可能にされる。
【００７１】
第１７の態様によれば、命令を含むコンピュータプログラム製品が提供される。コンピュータプログラム製品がコンピュータ上で走らされたとき、コンピュータは、第２の態様、第４の態様、又は第６の態様のいずれか１つによる参照信号受信方法を実施することを可能にされる。
【００７２】
第１８の態様によれば、装置（例えば、装置はチップシステムであり得る）が提供される。本装置は、第２の態様、第４の態様、又は第６の態様における機能、例えば、不連続受信期間中のページング機会の数量に基づいて第１の持続時間中の時間領域リソースを決定することを実装する際に端末デバイスをサポートするように構成された、プロセッサを含む。可能な設計では、本装置はメモリをさらに含む。メモリは、端末デバイスのために必要であるプログラム命令及びデータを記憶するように構成される。本装置がチップシステムであるとき、チップシステムは、チップを含み得るか、又はチップ及び別の個別デバイスを含み得る。
【００７３】
第１３の態様から第１８の態様におけるいずれかの設計方式の技術的効果については、第２の態様、第４の態様、又は第６の態様における様々な設計方式の技術的効果を参照されたい。詳細について本明細書で再び説明されない。
【００７４】
第１９の態様によれば、通信システムが提供される。通信システムは、端末デバイス及びネットワークデバイスを含む。ネットワークデバイスは、本出願の実施形態において提供される第１の態様又は解決策においてネットワークデバイスによって実施されるステップを実施するように構成され、端末デバイスは、本出願の実施形態において提供される第２の態様又は解決策において端末デバイスによって実施されるステップを実施するように構成される。代替として、ネットワークデバイスは、本出願の実施形態において提供される第３の態様又は解決策においてネットワークデバイスによって実施されるステップを実施するように構成され、端末デバイスは、本出願の実施形態において提供される第４の態様又は解決策において端末デバイスによって実施されるステップを実施するように構成される。代替として、ネットワークデバイスは、本出願の実施形態において提供される第５の態様又は解決策においてネットワークデバイスによって実施されるステップを実施するように構成され、端末デバイスは、本出願の実施形態において提供される第６の態様又は解決策において端末デバイスによって実施されるステップを実施するように構成される。
【００７５】
本出願のこれらの態様又は他の態様は、以下の実施形態の説明においてより明らかであり、より理解しやすい。
【図面の簡単な説明】
【００７６】
【図１】現在の技術におけるＮＢ−ＩｏＴシステムにおいてＮＰＤＣＣＨサーチスペース中で検出を実施する概略図である。
【図２】現在の技術においてＤＲＸ期間中にネットワークデバイス上で構成されたＰＯロケーションの概略図である。
【図３】異なるｎＢに対応し、現在の技術におけるＮＢ−ＩｏＴシステムにおいてＤＲＸ期間中にネットワークデバイス上で構成されたＰＯロケーションの概略図である。
【図４】現在の技術においてＷＵＳの開始サブフレームを決定する概略図である。
【図５】本出願の実施形態による通信システムの概略アーキテクチャ図である。
【図６】本出願の実施形態による端末デバイス及びネットワークデバイスのハードウェア構造の概略図である。
【図７】本出願の実施形態による参照信号送信及び受信方法の概略フローチャート１である。
【図８】本出願の実施形態による参照信号に対応する時間領域リソースの概略図１である。
【図９】本出願の実施形態による参照信号に対応する時間領域リソースの概略図２である。
【図１０】本出願の実施形態による参照信号に対応する時間領域リソースの概略図３である。
【図１１】本出願の実施形態による参照信号に対応する時間領域リソースの概略図４である。
【図１２】本出願の実施形態によるＮＢ−ＩｏＴシステムにおいてＮＰＤＣＣＨサーチスペース中で検出を実施する概略図である。
【図１３】本出願の実施形態による参照信号に対応する時間領域リソースの概略図５である。
【図１４】本出願の実施形態による参照信号に対応する時間領域リソースの概略図６である。
【図１５】本出願の実施形態による参照信号に対応する時間領域リソースの概略図７である。
【図１６】本出願の実施形態による参照信号に対応する時間領域リソースの概略図８である。
【図１７】本出願の実施形態による参照信号に対応する時間領域リソースの概略図９である。
【図１８】本出願の実施形態による参照信号に対応する時間領域リソースの概略図１０である。
【図１９】本出願の実施形態による参照信号送信及び受信方法の概略フローチャート２である。
【図２０】本出願の実施形態による参照信号送信及び受信方法の概略フローチャート３である。
【図２１】本出願の実施形態による参照信号に対応する時間領域リソースの概略図１１である。
【図２２】本出願の実施形態によるネットワークデバイスの概略構造図である。
【図２３】本出願の実施形態による端末デバイスの概略構造図である。
【図２４】本出願の実施形態による参照信号に対応する時間領域リソースの概略図１２である。
【図２５】本出願の実施形態による参照信号に対応する時間領域リソースの概略図１３である。
【発明を実施するための形態】
【００７７】
本出願の実施形態における技術的解決策を理解しやすくするために、本出願の関係する技術について、最初に以下で手短に説明される。
【００７８】
１．ＰＯ
【００７９】
端末デバイスがアイドル状態にあるとき、ネットワークデバイスは、ページング機構を使用することによって、端末デバイスが接続状態に入って情報を交換する必要があるかどうかを端末デバイスに通知する。この場合、端末デバイスは、後続の応答を実施するためにＰＤＣＣＨを監視する必要がある。しかし、端末デバイスがアイドル状態でＰＤＣＣＨを監視し続けた場合、端末デバイスの大きい電力消費量が生じる。アイドル状態では、間欠受信（ｄｉｓｃｏｎｔｉｎｕｏｕｓ  ｒｅｃｅｐｔｉｏｎ、ＤＲＸ）期間に基づく動作機構は固定であり、固定のＤＲＸ期間が使用される。電力消費量を低減するために、ネットワークデバイスと端末デバイスは、互いにネゴシエートし、端末デバイスは、開始サブフレームが、ＤＲＸ期間中のＰＯが位置するサブフレームである（このサブフレームは以下でＰＯロケーションと呼ばれることもある）、ＰＤＣＣＨサーチスペース中でのみ、ブラインド検出の形態でＰＤＣＣＨ検出を実施する。ＰＤＣＣＨサーチスペースは、ターゲットＰＤＣＣＨが現れ得る可能な候補（ｃａｎｄｉｄａｔｅ）ロケーションのセットであり、ＰＯロケーションは、端末デバイスがＰＤＣＣＨを監視する開始ロケーションを示し、それにより、ＰＤＣＣＨサーチスペースの開始ロケーションが決定され、次いで、ＰＤＣＣＨサーチスペースの開始ロケーションに基づいてブラインドＰＤＣＣＨ検出が実施される。ＰＤＣＣＨサーチスペースでは、ブロックは候補と見なされ得る。
【００８０】
本出願の実施形態では、ＰＤＣＣＨは、狭帯域モノのインターネット（ｎａｒｒｏｗｂａｎｄ  ｉｎｔｅｒｎｅｔ  ｏｆ  ｔｈｉｎｇｓ、ＮＢ−ＩｏＴ）における狭帯域ＰＤＣＣＨ（ｎａｒｒｏｗｂａｎｄ  ＰＤＣＣＨ、ＮＰＤＣＣＨ）であり得るか、又は別のＰＤＣＣＨであり得ることに留意されたい。これは、本出願の実施形態では特に限定されない。例えば、図１に示されているように、ＮＢ−ＩｏＴシステムにおいて、ＮＰＤＣＣＨサーチスペースは、候補０、候補１、候補２、…、及び候補７と示されている、最大８つの候補ロケーションを含む。本出願の実施形態では、候補ロケーションは、ｈ個のサブフレームを占有し、ｈは、候補ロケーションにおけるＮＰＤＣＣＨの繰り返し数量であり、ｈは正の整数である。これは本明細書において一律に記述され、詳細について以下で再び説明されない。現在の技術では、端末デバイスは、開始サブフレームが、ＰＯに対応するサブフレームである、ＮＰＤＣＣＨサーチスペース中で、検出が成功するまで、様々な候補上でブラインド検出を連続的に実施する。検出が成功しない場合、次のＤＲＸ期間において、端末デバイスは、開始サブフレームが、ＰＯに対応するサブフレームである、ＮＰＤＣＣＨサーチスペース中で、ＮＰＤＣＣＨを監視し続け、以下同様である。図１のＲｍａｘは、開始サブフレームが、ＰＯに対応するサブフレームである、ＮＰＤＣＣＨサーチスペースの長さを示し、ＮＰＤＣＣＨの繰り返しの最大数量として理解されてもよい。これは本明細書において一律に記述され、詳細について以下で再び説明されない。
【００８１】
本出願の実施形態では、ＤＲＸ期間は、端末デバイス上で事前構成され得るか、又はシステムメッセージを使用することによって端末デバイスのためにネットワークデバイスによって構成され得る。これは、本出願の実施形態では特に限定されない。ＤＲＸ期間は、アイドル状態における端末デバイスがそれに基づいて周期的にウェイクアップする期間として見なされてもよい。これは本明細書において一律に記述され、詳細について以下で再び説明されない。
【００８２】
図２は、ＤＲＸ期間中にネットワークデバイス上で構成されたＰＯロケーションの概略図である。図２から、複数のＰＯが、ネットワークデバイスのために１つのＤＲＸ期間において構成され得ることがわかる。ネットワークデバイスと通信している複数の端末デバイスのいずれか１つについて、その端末デバイスは、ＤＲＸ期間中に１つのＰＯロケーションにおいてのみウェイクアップする。従って、ＤＲＸが構成された場合、端末デバイスは、端末デバイスが起こり得るページングを監視するためにＤＲＸ期間中にウェイクアップする必要がある時間を正確に計算する必要がある。以下で、端末デバイスがウェイクアップするＰＯロケーションを決定する方式を提供する。
【００８３】
ＰＯロケーションは、システムフレーム番号（ｓｙｓｔｅｍ  ｆｒａｍｅ  ｎｕｍｂｅｒ、ＳＦＮ）とサブフレーム番号の両方を使用することによって決定される。言い換えれば、ＳＦＮ及びサブフレーム番号は、ＰＯロケーション、即ち、ページングスケジューリングメッセージが現れるべきであるＮＰＤＣＣＨサーチスペースの開始ロケーションを識別するために使用され得る。ＳＦＮは、ページングスケジューリングメッセージが現れるべきであるＮＰＤＣＣＨサーチスペースの開始ロケーションのシステムフレームロケーションを識別する。サブフレーム番号は、ページングスケジューリングメッセージが現れるべきであるＮＰＤＣＣＨサーチスペースの開始ロケーションの、システムフレーム中の、サブフレームロケーションを識別する。１つのシステムフレームは、１０個のサブフレーム、例えば、サブフレーム０、サブフレーム１、サブフレーム２、サブフレーム３、…、サブフレーム８、及びサブフレーム９を含む。これは本明細書において一律に記述され、詳細について以下で再び説明されない。
【００８４】
本出願の実施形態では、端末デバイスは、ネットワークデバイスによって送られたページング構成パラメータに基づいて、ＰＯに対応するＳＦＮ及びサブフレーム番号を決定し得る。例えば、以下の式（１）を満たすＳＦＮが、ＰＯに対応するＳＦＮとして使用され得る。
ＳＦＮ  ｍｏｄ  Ｔ＝（Ｔ  ｄｉｖ  Ｎ）×（ＵＥＩＤ  ｍｏｄ  Ｎ）  式（１）
【００８５】
ｍｏｄはモジュロを示し、ｄｉｖは整除、即ち、丸めを示し、ＴはＤＲＸ期間を示し、Ｎの値は、ｍｉｎ（Ｔ，ｎＢ）、即ち、ＴとｎＢとのうちのより小さい値に等しく、値範囲は｛Ｔ，Ｔ／２，Ｔ／４，Ｔ／８，Ｔ／１６，Ｔ／３２，Ｔ／６４，Ｔ／１２８，Ｔ／２５６，Ｔ／５１２，Ｔ／１０２４｝であり、ｎＢは、ページング密度、即ち、ＤＲＸ期間中のＰＯの数量を示し、値範囲は｛４Ｔ，２Ｔ，Ｔ／２，Ｔ／４，Ｔ／８，Ｔ／１６，Ｔ／３２，Ｔ／６４，Ｔ／１２８，Ｔ／２５６，Ｔ／５１２，Ｔ／１０２４｝であり、ＵＥＩＤの値は、（国際モバイル加入者識別情報（ｉｎｔｅｒｎａｔｉｏｎａｌ  ｍｏｂｉｌｅ  ｓｕｂｓｃｒｉｂｅｒ  ｉｄｅｎｔｉｔｙ，  ＩＭＳＩ）  ｍｏｄ  ４０９６）に等しく、各端末デバイスは一意のＩＭＳＩを有する。
【００８６】
例えば、ＰＯに対応するサブフレーム番号は、以下の式（２）を使用することによって決定され得る。
ｉ＿ｓ＝ｆｌｏｏｒ（ＵＥＩＤ／Ｎ）  ｍｏｄ  Ｎｓ  式（２）
【００８７】
ｆｌｏｏｒは切り捨てを示し、Ｎｓ＝ｍａｘ（１，ｎＢ／Ｔ）であり、ＰＯをもつシステムフレーム中のＰＯの数量を示し、値範囲は（４，２，１）であり、ｉ＿ｓは、サブフレーム番号のインデックスを示し、即ち、ｉ＿ｓが計算された後に、ＰＯに対応するサブフレーム番号がテーブルルックアップを通して取得され得るし、ｍｏｄ、Ｎ、及びＵＥＩＤの関係する説明については、式（１）を参照されたく、詳細について本明細書で再び説明されない。
【００８８】
式（１）及び式（２）から、Ｔ、ｎＢ、及びＵＥＩＤパラメータが決定されると、端末デバイスは、式（１）に基づいて１つのＤＲＸ期間中にただ１つのＳＦＮを決定し得るし、端末デバイスは、式（２）に基づいて１つのシステムフレーム中にただ１つのサブフレーム番号を決定し得るし、従って、端末デバイスは、システムフレーム番号及びサブフレーム番号に基づいて、端末デバイスがＤＲＸ期間中にウェイクアップするただ１つのＰＯロケーションを決定し得ることがわかる。
【００８９】
同様に、ネットワークデバイスと通信している複数の端末デバイスのいずれか１つについて、ネットワークデバイスも、式（１）及び式（２）に基づいて、端末デバイスが１つのＤＲＸ期間中にウェイクアップするただ１つのＰＯロケーションを決定し得る。詳細について本明細書で再び説明されない。
【００９０】
加えて、現在の技術では、端末デバイスとネットワークデバイスの両方は、Ｔ、ｎＢ、及びＵＥＩＤパラメータを使用することによって、１つのＤＲＸ期間中にネットワークデバイス上で構成された全てのＰＯロケーションを決定し得る。例えば、図３に示されているように、例としてＮＢ−ＩｏＴシステムを使用して、ｎＢ＝４Ｔは、１つのシステムフレームが、４つのＰＯを含み、４つのＰＯの時間領域リソースが、サブフレーム０、サブフレーム４、サブフレーム５、及びサブフレーム９であることを示す。ｎＢ＝２Ｔは、１つのシステムフレームが、２つのＰＯを含み、２つのＰＯの時間領域リソースが、サブフレーム４及びサブフレーム９であることを示す。ｎＢ＝Ｔは、１つのシステムフレームが、１つのＰＯを含み、ＰＯの時間領域リソースが、サブフレーム９であることを示す。ｎＢ＝Ｔ／２は、２つのシステムフレームが、１つのＰＯを含み、ＰＯの時間領域リソースが、２つのシステムフレームのうちの１つ中のサブフレーム９であることを示す。図３では、説明は、ＰＯの時間領域リソースが、示されている第２のシステムフレームのサブフレーム９、及び示されている第４のシステムフレームのサブフレーム９である例を使用することによって提供されている。ｎＢ＝Ｔ／４は、４つのシステムフレームが、１つのＰＯを含み、ＰＯの時間領域リソースが、４つのシステムフレームのうちの１つ中のサブフレーム９であることを示す。図２では、説明は、ＰＯの時間領域リソースが、示されている第２のシステムフレームのサブフレーム９である例を使用することによって提供されている。他の場合はアナロジーによって取得され得る。
【００９１】
現在のＮＢ−ＩｏＴシステムは、アンカー（ａｎｃｈｏｒ）キャリア及び非アンカー（ｎｏｎ−ａｎｃｈｏｒ）キャリアという、２つのタイプのキャリアを含む。アンカーキャリアは、狭帯域１次同期信号（ｎａｒｒｏｗｂａｎｄ  ｐｒｉｍａｒｙ  ｓｙｎｃｈｒｏｎｉｚａｔｉｏｎ  ｓｉｇｎａｌ、ＮＰＳＳ）、狭帯域２次同期信号（ｎａｒｒｏｗｂａｎｄ  ｓｅｃｏｎｄａｒｙ  ｓｙｎｃｈｒｏｎｉｚａｔｉｏｎ  ｓｉｇｎａｌ、ＮＳＳＳ）、狭帯域物理ブロードキャストチャネル（ｎａｒｒｏｗｂａｎｄ  ｐｈｙｓｉｃａｌ  ｂｒｏａｄｃａｓｔ  ｃｈａｎｎｅｌ、ＮＰＢＣＨ）、ＮＰＤＣＣＨ、及び狭帯域物理ダウンリンク共有チャネル（ｎａｒｒｏｗｂａｎｄ  ｐｈｙｓｉｃａｌ  ｄｏｗｎｌｉｎｋ  ｓｈａｒｅｄ  ｃｈａｎｎｅｌ、ＮＰＤＳＣＨ）を搬送するキャリアである。非アンカーキャリアは、ＮＰＤＣＣＨ及びＮＰＤＳＣＨのみを搬送するが、ＮＰＳＳ、ＮＳＳＳ、又はＮＰＢＣＨを搬送しないキャリアである。非アンカーキャリア上では、端末デバイスが式（１）及び式（２）を使用することによってＰＯロケーションを計算するとき、端末デバイスは、開始サブフレームが、ＰＯに対応するサブフレームである、ＮＰＤＣＣＨサーチスペース中で、ページングスケジューリングメッセージが存在するかどうかを知らない。従って、端末デバイスは、ブラインドＮＰＤＣＣＨ検出を実施する必要がある。開始サブフレームが、ＰＯに対応するサブフレームである、ＮＰＤＣＣＨサーチスペース中で、ページングスケジューリングメッセージが存在するとき、ネットワークデバイスは、端末デバイスがページングスケジューリングメッセージを検出することができる候補ロケーションにおいて狭帯域参照信号（ｎａｒｒｏｗｂａｎｄ  ｒｅｆｅｒｅｎｃｅ  ｓｉｇｎａｌ、ＮＲＳ）を送信し、候補ロケーションにおける第１のサブフレームの前の１０個のサブフレーム中の、及び候補ロケーションにおける最後のサブフレームの後の４つのサブフレーム中の、ページングスケジューリングメッセージが検出された候補ロケーションにおいてＮＲＳを送信する。開始サブフレームが、ＰＯに対応するサブフレームである、ＮＰＤＣＣＨサーチスペース中で、ページングスケジューリングメッセージが存在しないとき、ネットワークデバイスは、上記のロケーションにおいてＮＲＳを送らない。
【００９２】
従って、現在の技術では、開始サブフレームが、ＰＯに対応するサブフレームである、ＮＰＤＣＣＨサーチスペース中で、ページングスケジューリングメッセージが存在しないとき、端末デバイスが、良好なチャネル条件をもつ端末デバイスである場合でも、端末デバイスは、ＮＰＤＣＣＨサーチスペース中の第１の候補ロケーションから開始して、全ての候補ロケーション上でブラインド検出を実施する必要があり、次いで、ページングスケジューリングメッセージが存在しないと決定することができる。しかし、良好なチャネル条件をもつ端末デバイスは、強い検出能力を有し、ページングスケジューリングメッセージが存在するかどうかを知るために繰り返しＮＰＤＣＣＨ上で検出を実施する必要がない。これは、良好なチャネル条件をもつ端末デバイスの余分の電力消費を引き起こす。
【００９３】
本出願の実施形態では、良好なチャネル条件をもつ端末デバイスは、いくつかのインジケータにおいて比較的良好な性能をもつ端末デバイスであり、例えば、参照信号受信電力（ｒｅｆｅｒｅｎｃｅ  ｓｉｇｎａｌ  ｒｅｃｅｉｖｅｄ  ｐｏｗｅｒ、ＲＳＲＰ）が比較的良好である。これは本明細書において一律に記述され、詳細について以下で再び説明されない。
【００９４】
２．ＷＵＳ
【００９５】
現在、ネットワークデバイスは、ＰＯの前に、端末デバイスにＷＵＳを送信し得る。ＷＵＳは、端末デバイスがＰＤＣＣＨを監視する必要があるかどうかを示すために使用される。端末デバイスがＰＯの前にＷＵＳを検出するとき、端末デバイスは、ＰＤＣＣＨを監視し続ける必要がある。端末デバイスがＰＯの前にＷＵＳを検出しない場合、それは、開始サブフレームが、ＰＯに対応するサブフレームである、ＰＤＣＣＨサーチスペース中で、ネットワークデバイスが、対応するページングスケジューリングメッセージを送らず、端末デバイスがＰＤＣＣＨを監視する必要がないことを示す。
【００９６】
ネットワークデバイスがＷＵＳを送信する必要があるとき、ネットワークデバイスは、システムメッセージを使用することによって端末デバイスに、関係するパラメータを示す。パラメータは、第１のスケーリングファクタ（ｓｃａｌｉｎｇ  ｆａｃｔｏｒ）、ＷＵＳの終了ロケーションとＰＯロケーションとの間のギャップ（ｇａｐ）、及びＲｍａｘを含む。ＷＵＳの終了ロケーションとＰＯロケーションとの間のギャップは、ＤＲＸのギャップ、ｅＤＲＸ（ｅｘｔｅｎｄｅｄ  ＤＲＸ、ｅＤＲＸ）の短いギャップ、及びｅＤＲＸの長いギャップのうちの少なくとも１つであり得る。第１のスケーリングファクタの範囲は｛１／１２８，１／６４，１／３２，１／１６，１／８，１／４，１／２｝である。Ｒｍａｘの関係する説明については、図１を参照されたい。詳細について本明細書で再び説明されない。
【００９７】
端末デバイスは、以下の式（３）に基づいて最大ＷＵＳ持続時間（ｍａｘｉｍｕｍ  ＷＵＳ  ｄｕｒａｔｉｏｎ）を取得する。
最大ＷＵＳ持続時間＝Ｒｍａｘ×第１スケーリングファクタ  式（３）
【００９８】
ＰＯロケーションは式（１）及び式（２）を使用することによって決定されることが可能であるので、ＰＯロケーション、ギャップ、及び最大ＷＵＳ持続時間が知られているとき、端末デバイスは、図４に示されているように、ＷＵＳの開始ロケーション（又はＷＵＳの開始サブフレーム）を決定し得る。図４における実際のＷＵＳ持続時間（ＷＵＳ  ａｃｔｕａｌ  ｄｕｒａｔｉｏｎ）は、量が２のべき乗倍に等しいサブフレーム、例えば、１、２、４、８、…、又は最大のＷＵＳ持続時間を含む。
【００９９】
同様に、ネットワークデバイスと通信している複数の端末デバイスのいずれか１つについて、ネットワークデバイスも、上記の方式でＷＵＳの開始ロケーションを決定し得る。詳細について本明細書で再び説明されない。
【０１００】
加えて、ＰＯの上記の説明から、端末デバイスとネットワークデバイスの両方は、Ｔ、ｎＢ、及びＵＥＩＤパラメータを使用することによって、１つのＤＲＸ期間中にネットワークデバイス上で構成された全てのＰＯロケーションを決定し得ることがわかる。従って、ＷＵＳの開始ロケーションを決定する上記の方式に従って、端末デバイスとネットワークデバイスの両方は、１つのＤＲＸ期間中にネットワークデバイス上で構成された全てのＷＵＳの開始ロケーションを決定し得る。これは本明細書において一律に記述され、詳細について以下で再び説明されない。
【０１０１】
目下、現在の技術では、端末デバイスが、ＷＵＳがページング機会の前に存在するかどうかを検出するとき、ネットワークデバイスがページング機会の前にＷＵＳを送らず、端末デバイスが良好なチャネル条件をもつ端末デバイスである場合でも、端末デバイスは、ＷＵＳの開始サブフレームから監視することを実施し始める必要があり、最大ＷＵＳ持続時間（ｍａｘｉｍｕｍ  ＷＵＳ  ｄｕｒａｔｉｏｎ）が終了した後にのみ、端末デバイスは、ＷＵＳが存在しないことを知る。これも、良好なチャネル条件をもつ端末デバイスの余分の電力消費を引き起こす。
【０１０２】
以下で、本出願の実施形態における添付の図面を参照しながら、本出願の実施形態における技術的解決策について説明する。本出願の説明では、別段に規定されていない限り、「／」は、関連するオブジェクト間の「又は」関係を示す。例えば、Ａ／Ｂは、Ａ又はＢを示し得る。本出願では、「及び／又は」は、関連するオブジェクトを記述するための関連付け関係のみを記述し、３つの関係が存在し得ることを示す。例えば、Ａ及び／又はＢは、Ａのみが存在する、ＡとＢの両方が存在する、及びＢのみが存在するという、３つの場合を示し得る。Ａ及びＢは、単数又は複数であり得る。加えて、本出願の説明では、「複数の」は、２又は２よりも大きいを意味する。「以下のうちの少なくとも１つ」又はそれの同様の表現は、以下の任意の組合せを示し、以下のうちの１つ又は複数の任意の組合せを含む。例えば、ａ、ｂ、又はｃのうちの少なくとも１つは、ａ、ｂ、ｃ、ａ及びｂ、ａ及びｃ、ｂ及びｃ、又はａ、ｂ、及びｃを示し得るし、ａ、ｂ、及びｃは、単数又は複数であり得る。加えて、本出願の実施形態における技術的解決策について明らかに説明するために、本出願の実施形態では、基本的に同じ機能及び使用法を有する同じ項目又は同様の項目の間で区別するために「第１の」及び「第２の」などの用語が使用される。当業者であれば、「第１の」及び「第２の」などの用語が量又は実行順序を限定することを意図されておらず、「第１の」及び「第２の」などの用語が明確な差異を示さないことを理解することができる。
【０１０３】
加えて、本出願の実施形態において説明されるネットワークアーキテクチャ及びサービスシナリオは、本出願の実施形態における技術的解決策についてより明らかに説明することを意図されており、本出願の実施形態において提供される技術的解決策に対する限定とはならない。当業者であれば、ネットワークアーキテクチャの発展及び新しいサービスシナリオの出現とともに、本出願の実施形態において提供される技術的解決策は、同様の技術的問題にも適用可能であることを知っているであろう。
【０１０４】
図５は、本出願の実施形態による通信システム５０を示す。通信システム５０は、ネットワークデバイス６０と、ネットワークデバイス６０に接続された１つ又は複数の端末デバイス７０とを含む。以下で、ネットワークデバイス６０がいずれかの端末デバイス７０と対話する例を使用することによって説明を提供する。
【０１０５】
開始サブフレームが、ＰＯに対応するサブフレームである、ＰＤＣＣＨサーチスペース中で、ページングスケジューリングメッセージが存在するかどうかが検出される必要がある、及び／又はＷＵＳがＰＯの前に存在するかどうかが検出されるとき、ネットワークデバイス６０は、不連続受信期間中のページング機会の数量に基づいて第１の持続時間中の時間領域リソースを決定し、ここで、時間領域リソースは、参照信号を送信するために使用される時間−周波数リソース中の時間領域リソースであり、次いで、ネットワークデバイス６０は、時間−周波数リソース上で端末デバイス７０に参照信号を送信する。この場合、端末デバイス７０は、不連続受信期間中のページング機会の数量に基づいて第１の持続時間中の時間領域リソースを決定し、次いで、端末デバイス７０は、時間−周波数リソース上でネットワークデバイス６０から参照信号を受信する。
【０１０６】
代替として、任意選択で、開始サブフレームが、ＰＯに対応するサブフレームである、ＰＤＣＣＨサーチスペース中で、ページングスケジューリングメッセージが存在するかどうかが検出される必要がある、及び／又はＷＵＳがＰＯの前に存在するかどうかが検出されるとき、ネットワークデバイス６０は、第１の持続時間中の時間領域リソースを決定し、ここで、時間領域リソースは、参照信号を送信するために使用される時間−周波数リソース中の時間領域リソースであり、次いで、ネットワークデバイス６０は、時間−周波数リソース上で端末デバイス７０に参照信号を送信する。この場合、端末デバイス７０は、第１の持続時間中の時間領域リソースを決定し、次いで、端末デバイス７０は、時間−周波数リソース上でネットワークデバイス６０から参照信号を受信する。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ３個のサブフレーム、及び１つ又は複数のウェイクアップ信号の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。
【０１０７】
代替として、任意選択で、開始サブフレームが、ＰＯに対応するサブフレームである、ＰＤＣＣＨサーチスペース中で、ページングスケジューリングメッセージが存在するかどうかが検出される必要がある、及び／又はＷＵＳがＰＯの前に存在するかどうかが検出されるとき、ネットワークデバイス６０は、端末デバイス７０に、測定サブフレームに関する情報を送信し、ネットワークデバイス６０は、測定サブフレームに関する情報に基づいて第１の持続時間中の時間領域リソースを決定し、ここで、時間領域リソースは、参照信号を送信するために使用される時間−周波数リソース中の時間領域リソースであり、ネットワークデバイス６０は、時間−周波数リソース上で端末デバイス７０に参照信号を送信する。端末デバイス７０は、ネットワークデバイス６０から測定サブフレームに関する情報を受信し、測定サブフレームに関する情報に基づいて第１の持続時間中の時間領域リソースを決定し、時間領域リソースは、参照信号を送信するために使用される時間−周波数リソース中の時間領域リソースである。次いで、端末デバイス７０は、時間−周波数リソース上でネットワークデバイス６０から参照信号を受信する。
【０１０８】
上記の解決策の特定の実装については、以下の実施形態において詳細に説明されており、詳細について本明細書で説明されない。
【０１０９】
本出願のこの実施形態において提供される通信システムによれば、一態様では、開始サブフレームが、ページング機会に対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し、それにより、端末デバイスの電力消費量を低減し得る。別の態様では、ＷＵＳがページング機会の前に存在するかどうかを検出するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【０１１０】
図６は、本出願の実施形態によるネットワークデバイス６０及び端末デバイス７０のハードウェア構造の概略図である。
【０１１１】
端末デバイス７０は、少なくとも１つのプロセッサ７０１（図６では、説明は、１つのプロセッサ７０１が含まれる例を使用することによって提供されている）と、少なくとも１つのメモリ７０２（図６では、説明は、１つのメモリ７０２が含まれる例を使用することによって提供されている）と、少なくとも１つのトランシーバ７０３（図６では、説明は、１つのトランシーバ７０３が含まれる例を使用することによって提供されている）とを含む。任意選択で、端末デバイス７０は、出力デバイス７０４及び入力デバイス７０５をさらに含み得る。
【０１１２】
プロセッサ７０１、メモリ７０２、及びトランシーバ７０３は、通信回線を使用することによって接続される。通信回線は、上記の構成要素間で情報を送信するためのチャネルを含み得る。
【０１１３】
プロセッサ７０１は、汎用中央処理ユニット（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は本出願の解決策におけるプログラムの実行を制御するように構成された１つ又は複数の集積回路であり得る。特定の実装では、実施形態では、プロセッサ７０１は、代替として複数のＣＰＵを含み得るし、プロセッサ７０１は、シングルＣＰＵ（ｓｉｎｇｌｅ−ＣＰＵ）プロセッサ又はマルチＣＰＵ（ｍｕｌｔｉ−ＣＰＵ）プロセッサであり得る。本明細書におけるプロセッサは、データ（例えば、コンピュータプログラム命令）を処理するように構成された１つ又は複数のデバイス、回路、又は処理コアであり得る。
【０１１４】
メモリ７０２は、読取り専用メモリ（ｒｅａｄ−ｏｎｌｙ  ｍｅｍｏｒｙ、ＲＯＭ）、静的情報及び命令を記憶することができる別のタイプの静的記憶デバイス、ランダムアクセスメモリ（ｒａｎｄｏｍ  ａｃｃｅｓｓ  ｍｅｍｏｒｙ、ＲＡＭ）、若しくは情報及び命令を記憶することができる別のタイプの動的記憶デバイスであり得るか、又は電気消去可能プログラマブル読取り専用メモリ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ、ＥＥＰＲＯＭ）、コンパクトディスク読取り専用メモリ（ｃｏｍｐａｃｔ  ｄｉｓｃ  ｒｅａｄ−ｏｎｌｙ  ｍｅｍｏｒｙ、ＣＤ−ＲＯＭ）若しくは別の光ディスクストレージ、（コンパクト光ディスク、レーザーディスク、光ディスク、デジタル多用途ディスク、Ｂｌｕ−ｒａｙディスクなどを含む）光ディスクストレージ、磁気ディスク記憶媒体若しくは別の磁気記憶デバイス、又は命令若しくはデータ構造の形態の予想されるプログラムコードを搬送若しくは記憶するように構成されることが可能であり、コンピュータによってアクセスされることが可能な任意の他の媒体であり得る。しかし、これは、本明細書における限定とはならない。メモリ７０２は、独立して存在し得るし、通信回線を使用することによってプロセッサ７０１に接続される。代替として、メモリ７０２は、プロセッサ７０１と一体化され得る。
【０１１５】
メモリ７０２は、本出願の解決策を実行するためのコンピュータ実行可能命令を記憶するように構成され、プロセッサ７０１は、コンピュータ実行可能命令の実行を制御する。特に、プロセッサ７０１は、メモリ７０２に記憶されたコンピュータ実行可能命令を実行して、本出願の実施形態において参照信号受信方法を実装するように構成される。任意選択で、本出願のこの実施形態におけるコンピュータ実行可能命令は、アプリケーションプログラムコード又はコンピュータプログラムコードと呼ばれることもある。これは、本出願のこの実施形態では特に限定されない。
【０１１６】
トランシーバ７０３は、トランシーバのような任意の装置を使用することによって、別のデバイス又は通信ネットワーク、例えば、イーサネット、無線アクセスネットワーク（ｒａｄｉｏ  ａｃｃｅｓｓ  ｎｅｔｗｏｒｋ、ＲＡＮ）、又はワイヤレスローカルエリアネットワーク（ｗｉｒｅｌｅｓｓ  ｌｏｃａｌ  ａｒｅａ  ｎｅｔｗｏｒｋ、ＷＬＡＮ）と通信するように構成され得る。トランシーバ７０３は、送信機Ｔｘ及び受信機Ｒｘを含む。
【０１１７】
出力デバイス７０４は、プロセッサ７０１と通信し、複数の方式で情報を表示し得る。例えば、出力デバイス７０４は、液晶ディスプレイ（ｌｉｑｕｉｄ  ｃｒｙｓｔａｌ  ｄｉｓｐｌａｙ、ＬＣＤ）、発光ダイオード（ｌｉｇｈｔ  ｅｍｉｔｔｉｎｇ  ｄｉｏｄｅ、ＬＥＤ）ディスプレイデバイス、陰極線管（ｃａｔｈｏｄｅ  ｒａｙ  ｔｕｂｅ、ＣＲＴ）ディスプレイデバイス、又はプロジェクタ（ｐｒｏｊｅｃｔｏｒ）であり得る。
【０１１８】
入力デバイス７０５は、プロセッサ７０１と通信し、複数の方式でユーザ入力を受信し得る。例えば、入力デバイス７０５は、マウス、キーボード、タッチスクリーンデバイス、又は感知デバイスであり得る。
【０１１９】
ネットワークデバイス６０は、少なくとも１つのプロセッサ６０１（図６では、説明は、１つのプロセッサ６０１が含まれる例を使用することによって提供されている）と、少なくとも１つのメモリ６０２（図６では、説明は、１つのメモリ６０２が含まれる例を使用することによって提供されている）と、少なくとも１つのトランシーバ６０３（図６では、説明は、１つのトランシーバ６０３が含まれる例を使用することによって提供されている）と、少なくとも１つのネットワークインターフェース６０４（図６では、説明は、１つのネットワークインターフェース６０４が含まれる例を使用することによって提供されている）とを含む。プロセッサ６０１、メモリ６０２、トランシーバ６０３、及びネットワークインターフェース６０４は、通信回線を使用することによって接続される。ネットワークインターフェース６０４は、リンク（例えば、Ｓ１インターフェース）を使用することによってコアネットワークデバイスに接続するか、又は（図６に示されていない）ワイヤード若しくはワイヤレスリンク（例えば、Ｘ２インターフェース）を使用することによって別のネットワークデバイスのネットワークインターフェースに接続するように構成される。これは、本出願のこの実施形態では特に限定されない。加えて、プロセッサ６０１、メモリ６０２、及びトランシーバ６０３の関係する説明については、端末デバイス７０中のプロセッサ７０１、メモリ７０２、及びトランシーバ７０３の説明を参照されたい。詳細について本明細書で再び説明されない。
【０１２０】
任意選択で、本出願のこの実施形態におけるネットワークデバイス６０は、コアネットワークにアクセスするデバイスである。例えば、ネットワークデバイス６０は、基地局、ブロードバンドネットワークゲートウェイ（ｂｒｏａｄｂａｎｄ  ｎｅｔｗｏｒｋ  ｇａｔｅｗａｙ、ＢＮＧ）、アグリゲーションスイッチ、非３ＧＰＰネットワークデバイス、若しくはロングタームエボリューション（ＬＴＥ）システム（例えば、上記のＮＢ−ＩｏＴシステム）における図６のものと同様の構造をもつデバイス、モバイル通信用グローバルシステム（ｇｌｏｂａｌ  ｓｙｓｔｅｍ  ｆｏｒ  ｍｏｂｉｌｅ  ｃｏｍｍｕｎｉｃａｔｉｏｎｓ、ＧＳＭ）、ユニバーサルモバイルテレコミュニケーションズシステム（ｕｎｉｖｅｒｓａｌ  ｍｏｂｉｌｅ  ｔｅｌｅｃｏｍｍｕｎｉｃａｔｉｏｎｓ  ｓｙｓｔｅｍ、ＵＭＴＳ）、符号分割多元接続（ｃｏｄｅ  ｄｉｖｉｓｉｏｎ  ｍｕｌｔｉｐｌｅ  ａｃｃｅｓｓ、ＣＤＭＡ）システム、又は将来の発展型パブリックランドモバイルネットワーク（ｐｕｂｌｉｃ  ｌａｎｄ  ｍｏｂｉｌｅ  ｎｅｔｗｏｒｋ、ＰＬＭＮ）であり得る。基地局は、様々な形態の基地局、例えば、マクロ基地局、マイクロ基地局（スモールセルとも呼ばれる）、リレー局、又はアクセスポイントを含み得る。これは、本出願のこの実施形態では特に限定されない。
【０１２１】
任意選択で、本出願のこの実施形態における端末デバイス７０は、端末、チップなどであり得る。これは、本出願のこの実施形態では特に限定されない。端末は、ユーザ機器（ｕｓｅｒ  ｅｑｕｉｐｍｅｎｔ、ＵＥ）、アクセス端末、端末ユニット、端末局、移動局、モバイルコンソール、リモート局、リモート端末、モバイルデバイス、ワイヤレス端末、端末エージェント、端末装置、又はＬＴＥシステム（例えば、上記のＮＢ−ＩｏＴシステム）、ＧＳＭ、ＵＭＴＳ、ＣＤＭＡシステム、若しくは将来の発展型ＰＬＭＮにおける図６に示されているものと同様の構造をもつデバイスであり得る。ワイヤレス端末は、モバイルフォン（又は「セルラー」フォンと呼ばれる）、セルラーフォン、コードレスフォン、セッション開始プロトコル（ｓｅｓｓｉｏｎ  ｉｎｉｔｉａｔｉｏｎ  ｐｒｏｔｏｃｏｌ、ＳＩＰ）フォン、ワイヤレスローカルループ（ｗｉｒｅｌｅｓｓ  ｌｏｃａｌ  ｌｏｏｐ、ＷＬＬ）局、携帯情報端末（ｐｅｒｓｏｎａｌ  ｄｉｇｉｔａｌ  ａｓｓｉｓｔａｎｔ、ＰＤＡ）、ワイヤレス通信機能を有するハンドヘルドデバイス、コンピューティングデバイス、ワイヤレスモデムに接続された別の処理デバイス、車載型デバイス、ウェアラブルデバイス、又は将来の５Ｇネットワークにおける端末デバイスなどであり得る。これは、本出願の実施形態では限定されない。
【０１２２】
以下で、図１から図６を参照しながら本出願の実施形態において提供される参照信号送信及び受信方法について詳細に説明する。
【０１２３】
本出願の以下の実施形態におけるネットワーク要素間のメッセージの名前、メッセージ中のパラメータの名前などは例にすぎず、特定の実装では他の名前があり得ることに留意されたい。これは、本出願の実施形態では特に限定されない。
【０１２４】
図７は、本出願の実施形態による参照信号送信及び受信方法を示す。本方法は以下のステップを含む。
【０１２５】
Ｓ７０１．ネットワークデバイスが、不連続受信期間（即ち、上記のＤＲＸ期間）中のページング機会（即ち、上記のＰＯ）の数量に基づいて第１の持続時間中の時間領域リソースを決定し、時間領域リソースが、参照信号を送信するために使用される時間−周波数リソース中の時間領域リソースである。
【０１２６】
Ｓ７０２．ネットワークデバイスが、時間−周波数リソース上で端末デバイスに参照信号を送信する。
【０１２７】
Ｓ７０３．端末デバイスが、不連続受信期間中のページング機会の数量に基づいて第１の持続時間中の時間領域リソースを決定し、次いで、対応する時間−周波数リソース上でネットワークデバイスから参照信号を受信する。
【０１２８】
任意選択で、例えば、ステップＳ７０１からＳ７０３における参照信号は、ＮＢ−ＩｏＴシステム中のＮＲＳであり得るか、又は別の参照信号であり得る。これは、本出願のこの実施形態では特に限定されない。
【０１２９】
任意選択で、例えば、ステップＳ７０１からＳ７０３における第１の持続時間は、第１の期間中の時間期間であり得る。例えば、第１の持続時間は、第１の期間で乗算された第２のスケーリングファクタに等しい。本明細書における第２のスケーリングファクタは、１に等しくなり得るか、又は０よりも大きく１よりも小さい小数であり得る。例えば、第２のスケーリングファクタは０．５又は１／３に等しい。これは、本出願のこの実施形態では特に限定されない。本明細書における第１の期間は、ＤＲＸ期間に関係する期間である。例えば、第１の期間は、ＤＲＸ期間で乗算された第３のスケーリングファクタに等しい。本明細書における第３のスケーリングファクタは、１以上の整数、例えば、１、２、３、…であり得るか、又は０よりも大きい小数、例えば、０．５又は１．５であり得る。これは、本出願のこの実施形態では特に限定されない。本出願のこの実施形態における第２のスケーリングファクタ及び／又は第３のスケーリングファクタは、ネットワークデバイスによって端末デバイスに示され得るか、又はプロトコルにおいて同意され得る。これは、本出願のこの実施形態では特に限定されない。
【０１３０】
任意選択で、例えば、ステップＳ７０１からＳ７０３における時間−周波数リソース中の周波数領域リソースは、ページング機会又はウェイクアップ信号が現在位置する時間−周波数リソース中の周波数領域リソースであり得る。言い換えれば、参照信号を送信するための時間−周波数リソース中の周波数領域リソースと、ページング機会又はウェイクアップ信号が現在位置する時間−周波数リソース中の周波数領域リソースは、同じ周波数領域リソースであり得る。
【０１３１】
任意選択で、ステップＳ７０１からＳ７０３における時間−周波数リソース中の周波数領域リソースは、代替として、ページング機会又はウェイクアップ信号が現在位置する時間−周波数リソース中の周波数領域リソースでないことがある。言い換えれば、参照信号を送信するための時間−周波数リソース中の周波数領域リソースと、ページング機会又はウェイクアップ信号が現在位置する時間−周波数リソース中の周波数領域リソースは、異なる周波数領域リソースであり得る。この場合、ネットワークデバイスは、第１の周波数領域リソースインジケーションパラメータを使用することによって端末デバイスに、参照信号を送信するための時間−周波数リソース中の周波数領域リソースを示し得る。これは、本出願のこの実施形態では特に限定されない。
【０１３２】
任意選択で、ステップＳ７０１からＳ７０３における時間−周波数リソース中の時間領域リソースは、第１の時間領域リソース及び第２の時間領域リソースのうちの少なくとも１つを含み得る。第１の時間領域リソースは、第１の持続時間中の１つ又は複数のページング機会に対応するサブフレーム、１つ又は複数のページング機会の各々に対応するサブフレームの前のＸ１個のサブフレーム、又は１つ又は複数のページング機会の各々に対応するサブフレームの後のＹ１個のサブフレームのうちの少なくとも１つを含み、Ｘ１は０以上の整数であり、Ｙ１は０以上の整数であり、Ｘ１とＹ１の和は、ＤＲＸ期間中のページング機会の数量に関係する。特定の実装では、第１の時間領域リソースは、第１の持続時間中の１つ又は複数のページング機会に対応するサブフレーム、１つ又は複数のページング機会の各々に対応するサブフレームの前のＸ１個のサブフレーム、及び１つ又は複数のページング機会の各々に対応するサブフレームの後のＹ１個のサブフレームを含み、Ｘ１は０以上の整数であり、Ｙ１は０以上の整数であり、Ｘ１とＹ１の和は、ＤＲＸ期間中のページング機会の数量に関係する。
【０１３３】
第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ２個のサブフレーム、又は１つ又は複数のウェイクアップ信号の各ウェイクアップ信号の開始サブフレームの後のＹ２個のサブフレームのうちの少なくとも１つを含み、Ｘ２は０以上の整数であり、Ｙ２は０以上の整数であり、Ｘ２とＹ２の和は、ＤＲＸ期間中のページング機会の数量に関係する。特定の実装方法では、第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ２個のサブフレーム、及び１つ又は複数のウェイクアップ信号の各ウェイクアップ信号の開始サブフレームの後のＹ２個のサブフレームを含み、Ｘ２は０以上の整数であり、Ｙ２は０以上の整数であり、Ｘ２とＹ２の和は、ＤＲＸ期間中のページング機会の数量に関係する。
【０１３４】
本出願のこの実施形態では、説明は、各ページング機会に対応するサブフレームの前のサブフレームの数量が、同じであり、Ｘ１であり、各ページング機会に対応するサブフレームの後のサブフレームの数量が、同じであり、Ｙ１であり、各ウェイクアップ信号の開始サブフレームの前のサブフレームの数量が、同じであり、Ｘ２であり、各ウェイクアップ信号の開始サブフレームの後のサブフレームの数量が、同じであり、Ｙ２である、例を使用することによって提供されていることに留意されたい。もちろん、異なるページング機会に対応するサブフレームの前のサブフレームの数量は、異なり得るか、又は異なるページング機会に対応するサブフレームの後のサブフレームの数量は、異なり得るか、又は異なるウェイクアップ信号の開始サブフレームの前のサブフレームの数量は、異なり得るか、又は異なるウェイクアップ信号の開始サブフレームの後のサブフレームの数量は、異なり得る。これは、本出願のこの実施形態では特に限定されない。
【０１３５】
任意選択で、本出願のこの実施形態では、Ｘ１とＹ１の和がＤＲＸ期間中のページング機会の数量に関係することは、Ｘ１とＹ１の和が、ＤＲＸ期間中のページング機会の数量、ＤＲＸ期間、及び第１の指定された値に関係することを含み得る。本出願のこの実施形態では、ＤＲＸ期間中のページング機会の数量、ＤＲＸ期間、及び第１の指定された値のうちの少なくとも１つが、プロトコルにおいて同意され得るか、又は端末デバイスのためにネットワークデバイスによって構成され得る。これは、本出願のこの実施形態では特に限定されない。
【０１３６】
任意選択で、本出願のこの実施形態では、Ｘ２とＹ２の和がＤＲＸ期間中のページング機会の数量に関係することは、Ｘ２とＹ２の和が、ＤＲＸ期間中のページング機会の数量、ＤＲＸ期間、及び第２の指定された値に関係することを含み得る。本出願のこの実施形態では、ＤＲＸ期間中のページング機会の数量、ＤＲＸ期間、及び第２の指定された値のうちの少なくとも１つが、プロトコルにおいて同意され得るか、又は端末デバイスのためにネットワークデバイスによって構成され得る。これは、本出願のこの実施形態では特に限定されない。
【０１３７】
任意選択で、ステップＳ７０１からＳ７０３における時間−周波数リソース中の時間領域リソースは、第３の時間領域リソース及び第４の時間領域リソースのうちの少なくとも１つを含み得る。第３の時間領域リソースは、第１の持続時間中の全てのページング機会のうちのＭ３個毎のページング機会中のＮ３個のページング機会に対応するサブフレーム、Ｍ３個毎のページング機会中のＮ３個のページング機会の各々に対応するサブフレームの前のＸ５個のサブフレーム、又はＭ３個毎のページング機会中のＮ３個のページング機会の各々に対応するサブフレームの後のＹ５個のサブフレームのうちの少なくとも１つを含み、Ｍ３は１以上の整数であり、Ｎ３は１以上の整数であり、Ｍ３はＮ３以上であり、Ｘ５は０以上の整数であり、Ｙ５は０以上の整数であり、Ｍ３は、不連続受信期間中のページング機会の数量に関係する。第４の時間領域リソースは、第１の持続時間中の全てのウェイクアップ信号のうちのＭ４個毎のウェイクアップ信号中のＮ４個のウェイクアップ信号の開始サブフレーム、Ｍ４個毎のウェイクアップ信号中のＮ４個のウェイクアップ信号の各々の開始サブフレームの前のＸ６個のサブフレーム、又はＭ４個毎のウェイクアップ信号中のＮ４個のウェイクアップ信号の各々の開始サブフレームの後のＹ６個のサブフレームのうちの少なくとも１つを含み、Ｍ４は１以上の整数であり、Ｎ４は１以上の整数であり、Ｍ４はＮ４以上であり、Ｘ６は０以上の整数であり、Ｙ６は０以上の整数であり、Ｍ４は、不連続受信期間中のページング機会の数量に関係する。
【０１３８】
本出願のこの実施形態では、説明は、各ページング機会に対応するサブフレームの前のサブフレームの数量が、同じであり、Ｘ５であり、各ページング機会に対応するサブフレームの後のサブフレームの数量が、同じであり、Ｙ５であり、各ウェイクアップ信号の開始サブフレームの前のサブフレームの数量が、同じであり、Ｘ６であり、各ウェイクアップ信号の開始サブフレームの後のサブフレームの数量が、同じであり、Ｙ６である、例を使用することによって提供されていることに留意されたい。もちろん、異なるページング機会に対応するサブフレームの前のサブフレームの数量は、異なり得るか、又は異なるページング機会に対応するサブフレームの後のサブフレームの数量は、異なり得るか、又は異なるウェイクアップ信号の開始サブフレームの前のサブフレームの数量は、異なり得るか、又は異なるウェイクアップ信号の開始サブフレームの後のサブフレームの数量は、異なり得る。これは、本出願のこの実施形態では特に限定されない。
【０１３９】
任意選択で、本出願のこの実施形態では、Ｍ３がＤＲＸ期間中のページング機会の数量に関係することは、Ｍ３が、ＤＲＸ期間中のページング機会の数量、ＤＲＸ期間、及び第５の指定された値に関係することを含み得る。本出願のこの実施形態では、ＤＲＸ期間中のページング機会の数量、ＤＲＸ期間、及び第５の指定された値のうちの少なくとも１つが、プロトコルにおいて同意され得るか、又は端末デバイスのためにネットワークデバイスによって構成され得る。これは、本出願のこの実施形態では特に限定されない。
【０１４０】
任意選択で、本出願のこの実施形態では、Ｍ４がＤＲＸ期間中のページング機会の数量に関係することは、Ｍ４が、ＤＲＸ期間中のページング機会の数量、ＤＲＸ期間、及び第６の指定された値に関係することを含み得る。本出願のこの実施形態では、ＤＲＸ期間中のページング機会の数量、ＤＲＸ期間、及び第６の指定された値のうちの少なくとも１つが、プロトコルにおいて同意され得るか、又は端末デバイスのためにネットワークデバイスによって構成され得る。これは、本出願のこの実施形態では特に限定されない。
【０１４１】
シナリオ１：ステップＳ７０１からＳ７０３における時間−周波数リソース中の時間領域リソースが、第１の時間領域リソースを含み得る。
【０１４２】
例えば、ステップＳ７０１からＳ７０３における時間−周波数リソース中の時間領域リソースは、第１の時間領域リソースを含む。この場合、Ｘ１個のサブフレームは、１つ又は複数のページング機会の各々に対応するサブフレームの前にありそれに連続する、Ｘ１個の連続するサブフレームであり得るし、Ｙ１個のサブフレームは、１つ又は複数のページング機会の各々に対応するサブフレームの後にありそれに連続する、Ｙ１個の連続するサブフレームであり得る。代替として、Ｘ１個のサブフレームは、１つ又は複数のページング機会の各々に対応するサブフレームの前のＺ１個のサブフレーム中の最初のＸ１個の（連続する）サブフレームであり得るし、ここで、Ｚ１は、ネットワークデバイスによって通知され得るか、又はプロトコルにおいて同意され得るし、例えば、Ｚ１が１０に等しいことがプロトコルにおいて同意され、Ｙ１個のサブフレームは、１つ又は複数のページング機会の各々に対応するサブフレームの後にありそれに連続する、Ｙ１個の連続するサブフレームであり得る。
【０１４３】
例えば、Ｘ１とＹ１の和は、以下の式（４）を満たす。
Ｘ１＋Ｙ１＝ｍｉｎ｛４Ｔ／ｎＢ，ａ｝−１  式（４）
【０１４４】
ｎＢは、ＤＲＸ期間中のページング機会の数量を示し、ページング密度と呼ばれることもあり、ＴはＤＲＸ期間を示し、ａは第１の指定された値である。ＰＯロケーションは図３に示され、１６≦ａ＜３２であると仮定される。
【０１４５】
ｎＢ＝４Ｔ及びＸ１＋Ｙ１＝０であるとき、参照信号に対応する時間領域リソースは図８の（ａ）に示され得るし、即ち、時間領域リソースは、第１の持続時間中の各ページング機会に対応するサブフレーム、例えば、ページング機会が位置するシステムフレーム中のサブフレーム０、サブフレーム４、サブフレーム５、及びサブフレーム９を含む。
【０１４６】
ｎＢ＝２Ｔ及びＸ１＋Ｙ１＝１であるとき、Ｘ１＝１及びＹ１＝０と仮定すると、参照信号に対応する時間領域リソースは図８の（ｂ）に示され得るし、即ち、時間領域リソースは、第１の持続時間中の各ページング機会に対応するサブフレーム、及び各ページング機会に対応するサブフレームの前にありそれに連続する、１つのサブフレーム、例えば、ページング機会が位置するシステムフレーム中のサブフレーム３、サブフレーム４、サブフレーム８、及びサブフレーム９を含む。
【０１４７】
ｎＢ＝Ｔ及びＸ１＋Ｙ１＝３であるとき、Ｘ１＝０及びＹ１＝３と仮定すると、参照信号に対応する時間領域リソースは図８の（ｃ）に示され得るし、即ち、時間領域リソースは、第１の持続時間中の各ページング機会に対応するサブフレーム、及び各ページング機会に対応するサブフレームの後にありそれに連続する、３つの連続するサブフレーム、例えば、ページング機会が位置するシステムフレーム中のサブフレーム９、並びにページング機会が位置するシステムフレームに連続する次のシステムフレーム中のサブフレーム０、サブフレーム１、及びサブフレーム２を含む。
【０１４８】
ｎＢ＝Ｔ／２及びＸ１＋Ｙ１＝７であるとき、Ｘ１＝６及びＹ１＝１と仮定すると、参照信号に対応する時間領域リソースは図８の（ｄ）に示され得るし、即ち、時間領域リソースは、第１の持続時間中の各ページング機会に対応するサブフレーム、各ページング機会に対応するサブフレームの前にありそれに連続する、６つの連続するサブフレーム、及び各ページング機会に対応するサブフレームの後にありそれに連続する、１つのサブフレーム、例えば、ページング機会が位置するシステムフレーム中のサブフレーム３からサブフレーム９、及びページング機会が位置するシステムフレームにおける連続する次のシステムフレーム中のサブフレーム０を含む。
【０１４９】
ｎＢ＝Ｔ／４及びＸ１＋Ｙ１＝１５であるとき、Ｘ１＝１１及びＹ１＝４と仮定すると、参照信号に対応する時間領域リソースは図８の（ｅ）に示され得るし、即ち、時間領域リソースは、第１の持続時間中の各ページング機会に対応するサブフレーム、各ページング機会に対応するサブフレームの前にありそれに連続する、１１個の連続するサブフレーム、及び各ページング機会に対応するサブフレームの後にありそれに連続する、４つの連続するサブフレーム、例えば、ページング機会が位置するシステムフレームに連続する、前のシステムフレーム中のサブフレーム８及びサブフレーム９、ページング機会が位置するシステムフレーム中のサブフレーム０からサブフレーム９、並びにＰＯが位置するシステムフレームに連続する次のシステムフレーム中のサブフレーム０からサブフレーム３を含む。
【０１５０】
ｎＢ＜Ｔ／４及びＸ１＋Ｙ１＝ａ−１であるとき、参照信号に対応する時間領域リソースに関する詳細については、図８の（ａ）から（ｅ）を参照されたい。詳細について本明細書で再び説明されない。
【０１５１】
任意選択で、本出願のこの実施形態では、Ｘ１とＹ１の和は、ＤＲＸ期間中のページング機会の数量、ＤＲＸ期間、及び第１の指定された値に基づいてネットワークデバイスによって決定され、例えば、式（４）に基づいて決定され得るか、又はＸ１とＹ１の和は、例えば、表１若しくは表２に示されているように、ＤＲＸ期間中のページング機会の数量に対応する指定された値である。これは、本出願のこの実施形態では特に限定されない。
【０１５２】
【表１】
2021536183.tif 000034
【０１５３】
【表２】
2021536183.tif 000035
【０１５４】
任意選択で、本出願のこの実施形態では、第１の時間領域リソース上のサブフレームは、通常サブフレームを含み得るか、又は有効（ｖａｌｉｄ）サブフレームを含み得る。これは、本出願のこの実施形態では特に限定されない。第１の時間領域リソース上の全てのサブフレームが有効サブフレームであるとき、ページング機会に対応するサブフレームは、ページング機会が位置するサブフレームであり得るか、又はページング機会の後の第１の有効サブフレームであり得るし、Ｘ１個の（連続する）サブフレームは、Ｘ１個の（連続する）有効サブフレームであり、Ｙ１個の（連続する）サブフレームは、Ｙ１個の（連続する）有効サブフレームである。これは本明細書において一律に記述され、詳細について以下で再び説明されない。
【０１５５】
本出願のこの実施形態では、連続する有効サブフレームは、２つの有効サブフレーム間に他の有効サブフレームが存在しないことを意味する。例えば、図８の（ｂ）において、ページング機会が位置するシステムフレーム中のサブフレーム３は、有効サブフレームでなく、ページング機会が位置するシステムフレーム中のサブフレーム２は、有効サブフレームであると仮定される。この場合、参照信号に対応する時間領域リソースは、図９に示されているように、ページング機会が位置するシステムフレーム中のサブフレーム２、サブフレーム４、サブフレーム８、及びサブフレーム９を含み得る。
【０１５６】
任意選択で、シナリオ１では、本出願のこの実施形態において提供される参照信号送信及び受信方法は、ネットワークデバイスが、端末デバイスに参照信号の第１の構成情報を送信することをさらに含み得る。第１の構成情報は、Ｘ１、Ｙ１、第１の期間（ｐｅｒｉｏｄ）、第１の持続時間、第１の期間中の第１の持続時間のオフセット（ｏｆｆｓｅｔ）、及び第１の持続時間の繰り返し数量のうちの少なくとも１つを含む。これは、本出願のこの実施形態では特に限定されない。
【０１５７】
第１の期間及び第１の持続時間の関係する説明については、上記の部分を参照されたい。詳細について本明細書で再び説明されない。第１の期間中の第１の持続時間のオフセットは、Ｓ１個のシステムフレーム又はＳ２個のサブフレームであり得るし、Ｓ１は、０又は正の整数であり、Ｓ２は、０又は正の整数である。第１の持続時間の繰り返し数量は、正の整数であり、（第１の持続時間×第１の持続時間の繰り返し数量）は、第１の期間の持続時間以下であり、第１の期間中の第１の持続時間のオフセットは、第１の期間の持続時間と、（第１の持続時間×第１の持続時間の繰り返し数量）との間の差以下である。これは本明細書において一律に記述され、詳細について以下で再び説明されない。
【０１５８】
このようにして、ネットワークデバイスから第１の構成情報を受信した後に、端末デバイスは、第１の構成情報及びＤＲＸ期間中のページング機会の数量に基づいて第１の持続時間中の時間領域リソース又は第１の期間中の時間領域リソースを決定し得る。例えば、第１の構成情報が、第１の持続時間と、Ｘ１及びＹ１のうちの少なくとも１つとを含むと仮定すると、端末デバイスは、第１の構成情報及びＤＲＸ期間中のページング機会の数量に基づいて第１の持続時間中の時間領域リソースを決定し得る。代替として、例えば、第１の構成情報が、Ｘ１及びＹ１のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第１の構成情報及びＤＲＸ期間中のページング機会の数量に基づいて第１の期間中の時間領域リソースを決定し得る。これは、本出願のこの実施形態では特に限定されない。
【０１５９】
例えば、ＤＲＸ期間＝１２８個のシステムフレーム、第１の期間＝０．５×ＤＲＸ期間＝６４個のシステムフレーム、第１の持続時間＝（１／３２）×第１の期間であり、第１の期間中の第１の持続時間のオフセットが１つのシステムフレームであり、第１の持続時間の繰り返し数量が２であり、ｎＢ＝２Ｔであるとき、参照信号に対応する時間領域リソースが図８の（ｂ）に示されていると仮定される。この場合、ｎＢ＝２Ｔであるとき、第１の期間中の時間領域リソースは、図１０に示されているように、第１の期間中の第２のシステムフレームから第５のシステムフレーム中のサブフレーム３、サブフレーム４、サブフレーム８、及びサブフレーム９を含み得る。
【０１６０】
任意選択で、上記の実施形態は、ネットワークデバイスが端末デバイスに第１の構成情報を送信する例を使用することによって説明される。ネットワークデバイスは、システムメッセージ又は上位レイヤシグナリング中で端末デバイスに第１の構成情報を送信し得る。例えば、システムメッセージは、システム情報ブロック（ｓｙｓｔｅｍ  ｉｎｆｏｒｍａｔｉｏｎ  ｂｌｏｃｋ、ＳＩＢ）又はマスタ情報ブロック（ｍａｓｔｅｒ  ｉｎｆｏｒｍａｔｉｏｎ  ｂｌｏｃｋ、ＭＩＢ）であり得るし、上位レイヤシグナリングは、無線リソース制御（ｒａｄｉｏ  ｒｅｓｏｕｒｃｅ  ｃｏｎｔｒｏｌ、ＲＲＣ）シグナリングであり得る。これは、本出願のこの実施形態では特に限定されない。
【０１６１】
任意選択で、Ｘ１、Ｙ１、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第１の構成情報は、Ｘ１、Ｙ１、第１の期間、第１の持続時間、第１の期間中の第１の持続時間のオフセット、及び第１の持続時間の繰り返し数量を含む。代替として、Ｘ１、Ｙ１、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第１の構成情報を送信する必要がない。代替として、Ｘ１、Ｙ１、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ１、Ｙ１、第１の期間、第１の持続時間、第１の期間中の第１の持続時間のオフセット、及び第１の持続時間の繰り返し数量の一部の情報が、プロトコルにおいて同意され得る。例えば、第１の構成情報は、Ｘ１又はＹ１のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０１６２】
任意選択で、本出願のこの実施形態において提供される参照信号送信及び受信方法が、非アンカーキャリア上で、ＮＢ−ＩｏＴシステムにおいて使用される場合、開始サブフレームが、ＰＯに対応するサブフレームである、ＮＰＤＣＣＨサーチスペース中で、ページングスケジューリングメッセージが存在しないとき、ネットワークデバイスは、対応する時間−周波数リソース上で端末デバイスにＮＲＳを送信し得るし、時間−周波数リソース中の時間領域リソースは、第１の時間領域リソースであり、このようにして、端末デバイスは、ＮＲＳに基づいて測定を実施し得る。開始サブフレームが、ＰＯに対応するサブフレームである、ＮＰＤＣＣＨサーチスペース中で、ページングスケジューリングメッセージが存在するとき、ネットワークデバイスは、対応する時間−周波数リソース上で端末デバイスにＮＲＳを送信し得るし、時間−周波数リソース中の時間領域リソースは、第１の時間領域リソースであり、このようにして、端末デバイスは、ＮＲＳに基づいて測定を実施し得る。加えて、ネットワークデバイスは、候補ロケーションにおける第１のサブフレームの前の１０個のサブフレーム中の、及び候補ロケーションにおける最後のサブフレームの後の４つのサブフレーム中の、ページングスケジューリングメッセージが検出されることが可能な候補ロケーションにおいてＮＲＳを送信し、それにより、端末デバイスは、ＮＲＳに基づいて復調を実施し得る。復調のために使用されるＮＲＳと、測定のために使用されるＮＲＳが重複する（ｏｖｅｒｌａｐ）とき、ネットワークデバイスは、時間−周波数リソースのユニオン集合、並びにページングスケジューリングメッセージが検出されることが可能な候補ロケーション、候補ロケーションにおける第１のサブフレームの前の１０個のサブフレーム、及び候補ロケーションにおける最後のサブフレームの後の４つのサブフレームを使用することによって、ＮＲＳを送信する。
【０１６３】
例えば、図１１に示されているように、ｎＢ＝４Ｔであり、第１の持続時間は４つのシステムフレームである。この場合、第１の時間領域リソースを決定する上記の方式に従って、ネットワークデバイスが、測定のために第１の持続時間中に各ＰＯにおいてＮＲＳを送信し得ると仮定される。図１１の第４のシステムフレーム中のサブフレーム０が、ページングスケジューリングメッセージが検出されることが可能な候補ロケーションであるとき（即ち、ページングスケジューリングメッセージが検出されることが可能な候補ロケーションが、１つのサブフレームを占有すると仮定すると）、ネットワークデバイスは、復調のために、図１１の第４のシステムフレーム中のサブフレーム０、図１１の第４のシステムフレーム中のサブフレーム０の前の１０個のサブフレーム、及び図１１の第４のシステムフレーム中のサブフレーム０の後の４つのサブフレーム中で、ＮＲＳを送信し得る。要約すれば、ネットワークデバイスは、第１のシステムフレーム及び第２のシステムフレーム中のサブフレーム０、サブフレーム４、サブフレーム５、及びサブフレーム９、第３のシステムフレーム中の全てのサブフレーム、並びに第４のシステムフレーム中のサブフレーム０、サブフレーム１、サブフレーム２、サブフレーム３、サブフレーム４、サブフレーム５、及びサブフレーム９中で、ＮＲＳを送信し得る。この場合、第３のシステムフレーム中のサブフレーム０、サブフレーム４、サブフレーム５、及びサブフレーム９、並びに第４のシステムフレーム中のサブフレーム０及びサブフレーム４は、測定のためにＮＲＳを送信するために使用され得るだけでなく、復調のためにＮＲＳを送信するためにも使用され得るし、言い換えれば、ネットワークデバイスは、測定と復調の両方のために上記のサブフレーム中でＮＲＳを送信する。
【０１６４】
開始サブフレームが、ページング機会に対応するサブフレームである、ＰＤＣＣＨサーチスペース中で、端末デバイスがＰＤＣＣＨを監視するとき、端末デバイスは、ページングスケジューリングメッセージが存在するかどうかを知らないので、端末デバイスは、サブフレーム内に明確に存在するＮＲＳを使用することによって測定を実施し、候補ロケーションにおける第１のサブフレームの前の１０個のサブフレーム中の、及び候補ロケーションにおける最後のサブフレームの後の４つのサブフレーム中の、ページングスケジューリングメッセージが検出されることが可能な候補ロケーションに場合によっては存在するＮＲＳを使用することによって復調を実施する。これは本明細書において一律に記述され、詳細について以下で再び説明されない。
【０１６５】
任意選択で、本出願のこの実施形態では、開始サブフレームが、ＰＯに対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施して信号対干渉プラス雑音比（ｓｉｇｎａｌ  ｔｏ  ｉｎｔｅｒｆｅｒｅｎｃｅ  ｐｌｕｓ  ｎｏｉｓｅ  ｒａｔｉｏ、ＳＩＮＲ）を取得し得る。測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し得る。例えば、図１２に示されているように、カバーされた端末デバイスは、ＰＤＣＣＨサーチスペース中の最初の３つの候補ロケーション上でのみ検出を実施した後に、前もって検出を終了し、それにより、端末デバイスの電力消費量を低減し得る。
【０１６６】
シナリオ２：ステップＳ７０１からＳ７０３における時間−周波数リソース中の時間領域リソースが、第２の時間領域リソースを含み得る。
【０１６７】
例えば、ステップＳ７０１からＳ７０３における時間−周波数リソース中の時間領域リソースは、第２の時間領域リソースを含む。この場合、Ｘ２個のサブフレームは、１つ又は複数のウェイクアップ信号の各々の開始サブフレームの前にありそれに連続する、Ｘ２個の連続するサブフレームであり得るし、Ｙ２個のサブフレームは、１つ又は複数のウェイクアップ信号の各々の開始サブフレームの後にありそれに連続する、Ｙ２個の連続するサブフレームであり得る。代替として、Ｘ２個のサブフレームは、１つ又は複数のページングウェイクアップ信号の各々の開始サブフレームの前のＺ２個のサブフレーム中の、最初のＸ２個の連続するサブフレームであり得るし、ここで、Ｚ２は、ネットワークデバイスによって通知され得るか、又はプロトコルにおいて同意され得るし、例えば、Ｚ２が１０に等しいことがプロトコルにおいて同意され、Ｙ２個のサブフレームは、１つ又は複数のウェイクアップ信号の各々の開始サブフレームの後にありそれに連続する、Ｙ２個の連続するサブフレームであり得る。
【０１６８】
例えば、Ｘ２とＹ２の和は、以下の式（５）を満たす。
Ｘ２＋Ｙ２＝ｍｉｎ｛４Ｔ／ｎＢ，ｂ｝−１  式（５）
【０１６９】
ｎＢは、ＤＲＸ期間中のページング機会の数量を示し、ページング密度と呼ばれることもあり、Ｔは、ＤＲＸ期間を示し、ｂは、第２の指定された値であり、プロトコルにおいて同意され得るか、又はネットワークデバイスによって構成され得るし、これは、本出願のこの実施形態では特に限定されない。
【０１７０】
例えば、ＰＯロケーションが図３に示され、１６≦ａ＜３２、ギャップ＝３０ｍｓ、及び最大ＷＵＳ持続時間＝２ｍｓであると仮定される。
【０１７１】
ｎＢ＝４Ｔ及びＸ２＋Ｙ２＝０であるとき、各ＰＯロケーションに対応するＷＵＳの開始サブフレームが図１３の（ａ）に示されると仮定される。示されている第４のシステムフレーム中のサブフレーム４に対応するＷＵＳの開始サブフレームが、示されている第１のシステムフレーム中のサブフレーム２であり、示されている第４のシステムフレーム中のサブフレーム５に対応するＷＵＳの開始サブフレームが、示されている第１のシステムフレーム中のサブフレーム３であり、示されている第４のシステムフレーム中のサブフレーム９に対応するＷＵＳの開始サブフレームが、示されている第１のシステムフレーム中のサブフレーム７であり、示されない第５のシステムフレーム中のサブフレーム４に対応するＷＵＳの開始サブフレームが、示されている第２のシステムフレーム中のサブフレーム２であり、示されない第５のシステムフレーム中のサブフレーム５に対応するＷＵＳの開始サブフレームが、示されている第２のシステムフレーム中のサブフレーム３であり、示されない第５のシステムフレーム中のサブフレーム９に対応するＷＵＳの開始サブフレームが、示されている第２のシステムフレーム中のサブフレーム７であり、示されない第６のシステムフレーム中のサブフレーム４に対応するＷＵＳの開始サブフレームが、示されている第３のシステムフレーム中のサブフレーム２であり、示されない第６のシステムフレーム中のサブフレーム５に対応するＷＵＳの開始サブフレームが、示されている第３のシステムフレーム中のサブフレーム３であり、示されない第６のシステムフレーム中のサブフレーム９に対応するＷＵＳの開始サブフレームが、示されている第３のシステムフレーム中のサブフレーム７であり、示されない第７のシステムフレーム中のサブフレーム４に対応するＷＵＳの開始サブフレームが、示されている第４のシステムフレーム中のサブフレーム２であり、示されない第７のシステムフレーム中のサブフレーム５に対応するＷＵＳの開始サブフレームが、示されている第４のシステムフレーム中のサブフレーム３であり、示されない第７のシステムフレーム中のサブフレーム９に対応するＷＵＳの開始サブフレームが、示されている第４のシステムフレーム中のサブフレーム７である。この場合、参照信号に対応する時間領域リソースは図１３の（ａ）に示され得るし、即ち、時間領域リソースは、第１の持続時間中の各ウェイクアップ信号の開始サブフレーム、例えば、ウェイクアップ信号の開始サブフレームが位置するシステムフレーム中のサブフレーム２、サブフレーム３、及びサブフレーム７を含む。
【０１７２】
ｎＢ＝２Ｔ及びＸ１＋Ｙ１＝１であるとき、各ＰＯロケーションに対応するＷＵＳの開始サブフレームが図１３の（ｂ）に示されると仮定される。示されている第４のシステムフレーム中のサブフレーム４に対応するＷＵＳの開始サブフレームが、示されている第１のシステムフレーム中のサブフレーム２であり、示されている第４のシステムフレーム中のサブフレーム９に対応するＷＵＳの開始サブフレームが、示されている第１のシステムフレーム中のサブフレーム７であり、示されない第５のシステムフレーム中のサブフレーム４に対応するＷＵＳの開始サブフレームが、示されている第２のシステムフレーム中のサブフレーム２であり、示されない第５のシステムフレーム中のサブフレーム９に対応するＷＵＳの開始サブフレームが、示されている第２のシステムフレーム中のサブフレーム７であり、示されない第６のシステムフレーム中のサブフレーム４に対応するＷＵＳの開始サブフレームが、示されている第３のシステムフレーム中のサブフレーム２であり、示されない第６のシステムフレーム中のサブフレーム９に対応するＷＵＳの開始サブフレームが、示されている第３のシステムフレーム中のサブフレーム７であり、示されない第７のシステムフレーム中のサブフレーム４に対応するＷＵＳの開始サブフレームが、示されている第４のシステムフレーム中のサブフレーム２であり、示されない第７のシステムフレーム中のサブフレーム９に対応するＷＵＳの開始サブフレームが、示されている第４のシステムフレーム中のサブフレーム７である。この場合、参照信号に対応する時間領域リソースは図１３の（ｂ）に示され得るし、即ち、時間領域リソースは、第１の持続時間中の各ウェイクアップ信号の開始サブフレーム、及び各ウェイクアップ信号の開始サブフレームの前にありそれに連続する、１つのサブフレーム、例えば、ウェイクアップ信号の開始サブフレームが位置するシステムフレーム中のサブフレーム１、サブフレーム２、サブフレーム６、及びサブフレーム７を含む。
【０１７３】
ｎＢ＝Ｔ及びＸ２＋Ｙ２＝３、又はｎＢ＝Ｔ／２及びＸ２＋Ｙ２＝７、又はｎＢ＝Ｔ／４及びＸ２＋Ｙ２＝１５、又はｎＢ＜Ｔ／４及びＸ２＋Ｙ２＝ａ−１であるとき、参照信号に対応する時間領域リソースに関する詳細については、図１３の（ａ）及び（ｂ）を参照されたい。詳細について本明細書で再び説明されない。
【０１７４】
任意選択で、本出願のこの実施形態では、Ｘ２とＹ２の和は、ＤＲＸ期間中のページング機会の数量、ＤＲＸ期間、及び第２の指定された値に基づいてネットワークデバイスによって決定され得るし、例えば、式（５）に基づいて決定され得るか、又はＸ２とＹ２の和は、例えば、表３若しくは表４に示されているように、ＤＲＸ期間中のページング機会の数量に対応する指定された値である。これは、本出願のこの実施形態では特に限定されない。
【０１７５】
【表３】
2021536183.tif 000036
【０１７６】
【表４】
2021536183.tif 000037
【０１７７】
任意選択で、本出願のこの実施形態では、第２の時間領域リソース上のサブフレームは、通常サブフレームを含み得るか、又は有効（ｖａｌｉｄ）サブフレームを含み得る。これは、本出願のこの実施形態では特に限定されない。ウェイクアップ信号の開始サブフレームが有効サブフレームであるので、第２の時間領域リソース上の全てのサブフレームが有効サブフレームであるとき、Ｘ２個の（連続する）サブフレームは、Ｘ２個の（連続する）有効サブフレームであり、Ｙ２個の（連続する）サブフレームは、Ｙ２個の（連続する）有効サブフレームである。これは本明細書において一律に記述され、詳細について以下で再び説明されない。
【０１７８】
本出願のこの実施形態では、連続する有効サブフレームは、２つの有効サブフレーム間に他の有効サブフレームが存在しないことを意味する。例えば、図１３の（ｂ）において、ウェイクアップ信号の開始サブフレームが位置するシステムフレーム中のサブフレーム６は、有効サブフレームでなく、ウェイクアップ信号の開始サブフレームが位置するシステムフレーム中のサブフレーム５は、有効サブフレームであると仮定される。この場合、参照信号に対応する時間領域リソースは、図１４に示されているように、ウェイクアップ信号の開始サブフレームが位置するシステムフレーム中のサブフレーム１、サブフレーム２、サブフレーム５、及びサブフレーム７を含み得る。
【０１７９】
任意選択で、シナリオ２では、本出願のこの実施形態において提供される参照信号送信及び受信方法は、ネットワークデバイスが、端末デバイスに参照信号の第２の構成情報を送信することをさらに含み得る。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。これは、本出願のこの実施形態では特に限定されない。
【０１８０】
第１の期間、第１の持続時間、及び第１の期間中の第１の持続時間のオフセットの関係する説明については、シナリオ１を参照されたい。詳細について本明細書で再び説明されない。
【０１８１】
このようにして、ネットワークデバイスから第２の構成情報を受信した後に、端末デバイスは、第２の構成情報及びＤＲＸ期間中のページング機会の数量に基づいて第１の持続時間中の時間領域リソース又は第１の期間中の時間領域リソースを決定し得る。例えば、第２の構成情報が、第１の持続時間と、Ｘ２及びＹ２のうちの少なくとも１つとを含むと仮定すると、端末デバイスは、第２の構成情報及びＤＲＸ期間中のページング機会の数量に基づいて第１の持続時間中の時間領域リソースを決定し得る。代替として、例えば、第２の構成情報が、Ｘ２及びＹ２のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第２の構成情報及びＤＲＸ期間中のページング機会の数量に基づいて第１の期間中の時間領域リソースを決定し得る。これは、本出願のこの実施形態では特に限定されない。
【０１８２】
例えば、ＤＲＸ期間＝１２８個のシステムフレーム、第１の期間＝０．５×ＤＲＸ期間＝６４個のシステムフレーム、第１の持続時間＝（１／３２）×第１の期間であり、第１の期間中の第１の持続時間のオフセットが１つのシステムフレームであり、第１の持続時間の繰り返し数量が２であると仮定され、ｎＢ＝２Ｔであるとき、参照信号に対応する時間領域リソースが図１３の（ｂ）に示される。この場合、ｎＢ＝２Ｔであるとき、第１の期間中の時間領域リソースは、図１５に示されているように、第１の期間中の第２のシステムフレームから第５のシステムフレーム中のサブフレーム１、サブフレーム２、サブフレーム６、及びサブフレーム７を含み得る。
【０１８３】
任意選択で、上記の実施形態は、ネットワークデバイスが端末デバイスに第２の構成情報を送信する例を使用することによって説明される。ネットワークデバイスは、システムメッセージ又は上位レイヤシグナリング中で端末デバイスに第２の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０１８４】
任意選択で、Ｘ２、Ｙ２、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第２の構成情報は、Ｘ２、Ｙ２、第１の期間、第１の持続時間、第１の期間中の第１の持続時間のオフセット、及び第１の持続時間の繰り返し数量を含む。代替として、Ｘ２、Ｙ２、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第２の構成情報を送信する必要がない。代替として、Ｘ２、Ｙ２、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ２、Ｙ２、第１の期間、第１の持続時間、第１の期間中の第１の持続時間のオフセット、及び第１の持続時間の繰り返し数量の一部の情報が、プロトコルにおいて同意され得る。例えば、第２の構成情報は、Ｘ２及びＹ２のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０１８５】
任意選択で、本出願のこの実施形態では、ＷＵＳがＰＯの前に存在するかどうかを検出するとき、ＷＵＳをサポートする端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【０１８６】
シナリオ３：ステップＳ７０１からＳ７０３における時間−周波数リソース中の時間領域リソースが、第１の時間領域リソース及び第２の時間領域リソースを含み得る。
【０１８７】
このシナリオでは、第１の時間領域リソース（即ち、ページング機会に関係する参照信号を送信するための時間領域リソース）は、シナリオ１の方式で決定され得るし、第２の時間領域リソース（即ち、ウェイクアップ信号の開始サブフレームに関係する参照信号を送信するための時間領域リソース）は、シナリオ２の方式で決定され得る。関係する説明については、シナリオ１及びシナリオ２の説明を参照されたい。詳細について本明細書で再び説明されない。
【０１８８】
例えば、ｎＢ＝４Ｔであるとき、第１の時間領域リソースが図８の（ａ）に示され、第２の時間領域リソースが図１３の（ａ）に示されると仮定される。このシナリオでは、参照信号に対応する時間領域リソースは図１６の（ａ）に示され得るし、即ち、時間領域リソースは、第１の持続時間中の各ページング機会に対応するサブフレーム、及び各ウェイクアップ信号の開始サブフレーム、例えば、ページング機会が位置するシステムフレーム中のサブフレーム０、サブフレーム４、サブフレーム５、及びサブフレーム９、並びにウェイクアップ信号の開始サブフレームが位置するシステムフレーム中のサブフレーム２、サブフレーム３、及びサブフレーム７を含む。
【０１８９】
代替として、例えば、ｎＢ＝２Ｔであるとき、第１の時間領域リソースが図８の（ｂ）に示され、第２の時間領域リソースが図１３の（ｂ）に示されると仮定される。このシナリオでは、参照信号に対応する時間領域リソースは図１６の（ｂ）に示され得るし、即ち、時間領域リソースは、第１の持続時間中の各ページング機会に対応するサブフレーム、各ページング機会に対応するサブフレームの前にありそれに連続する、１つのサブフレーム、各ウェイクアップ信号の開始サブフレーム、及び各ウェイクアップ信号の開始サブフレームの前にありそれに連続する、１つのサブフレーム、例えば、ページング機会が位置するシステムフレーム中のサブフレーム３、サブフレーム４、サブフレーム８、及びサブフレーム９、並びにウェイクアップ信号の開始サブフレームが位置するシステムフレーム中のサブフレーム１、サブフレーム２、サブフレーム６、及びサブフレーム７を含む。
【０１９０】
任意選択で、シナリオ３では、本出願のこの実施形態において提供される参照信号送信及び受信方法は、ネットワークデバイスが、端末デバイスに参照信号の第５の構成情報を送信することをさらに含み得る。第５の構成情報は、Ｘ１、Ｙ１、Ｘ２、Ｙ２、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０１９１】
第１の期間、第１の持続時間、及び第１の期間中の第１の持続時間のオフセットの関係する説明については、シナリオ１を参照されたい。詳細について本明細書で再び説明されない。
【０１９２】
このようにして、ネットワークデバイスから第５の構成情報を受信した後に、端末デバイスは、第５の構成情報及びＤＲＸ期間中のページング機会の数量に基づいて第１の期間中の時間領域リソースを決定し得る。関係する説明については、シナリオ１及びシナリオ２を参照されたい。詳細について本明細書で再び説明されない。
【０１９３】
任意選択で、上記の実施形態は、ネットワークデバイスが端末デバイスに第５の構成情報を送信する例を使用することによって説明される。ネットワークデバイスは、システムメッセージ又は上位レイヤシグナリング中で端末デバイスに第５の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０１９４】
任意選択で、Ｘ１、Ｙ１、Ｘ２、Ｙ２、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第５の構成情報は、Ｘ１、Ｙ１、Ｘ２、Ｙ２、第１の期間、第１の持続時間、第１の期間中の第１の持続時間のオフセット、及び第１の持続時間の繰り返し数量を含む。代替として、Ｘ１、Ｙ１、Ｘ２、Ｙ２、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第５の構成情報を送信する必要がない。代替として、Ｘ１、Ｙ１、Ｘ２、Ｙ２、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ１、Ｙ１、Ｘ２、Ｙ２、第１の期間、第１の持続時間、第１の期間中の第１の持続時間のオフセット、及び第１の持続時間の繰り返し数量の一部の情報が、プロトコルにおいて同意され得る。例えば、第５の構成情報は、Ｘ１、Ｙ１、Ｘ２、及びＹ２のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０１９５】
任意選択で、本出願のこの実施形態では、Ｘ１はＹ１と同じであり得るし、Ｘ２はＹ２と同じであり得る。これは、本出願のこの実施形態では特に限定されない。この場合、第５の構成情報は、Ｘ１（又はＸ２）、Ｙ１（又はＹ２）、第１の期間、第１の持続時間、第１の期間中の第１の持続時間のオフセット、及び第１の持続時間の繰り返し数量のうちの少なくとも１つを含み得る。これは、本出願のこの実施形態では特に限定されない。
【０１９６】
シナリオ１からシナリオ３では、関係する説明は、ステップＳ７０１からＳ７０３における時間−周波数リソース中の時間領域リソースが、第１の時間領域リソース、第２の時間領域リソース、又は第１の時間領域リソース及び第２の時間領域リソースを含み得る例を使用することによって提供されている。全ての所与の例は、第１の持続時間中の１つ又は複数のページング機会が、第１の持続時間中の全てのページング機会を含み、及び／又は第１の持続時間中の１つ又は複数のウェイクアップ信号が、第１の持続時間中の全てのウェイクアップ信号を含む例を使用することによって説明されている。任意選択で、第１の持続時間中の１つ又は複数のページング機会は、第１の持続時間中の全てのページング機会のうちのいくつかを含み得るか、及び／又は第１の持続時間中の１つ又は複数のウェイクアップ信号は、第１の持続時間中の全てのウェイクアップ信号のうちのいくつかを含む。詳細について以下で説明される。
【０１９７】
最初に、第１の持続時間中の１つ又は複数のページング機会が、第１の持続時間中の全てのページング機会のうちのいくつかを含み得ることについて以下で説明される。
【０１９８】
可能な実装では、第１の持続時間中の全てのページング機会のうちのいくつかは、ビットマップによって表され得る。例えば、第１の持続時間中の全てのページング機会の数量がＦ１であると仮定すると、ページング機会は、Ｆ１ビットのビットマップによって表され得るし、Ｆ１ビットのビットマップ中の各ビットは、参照信号が、Ｆ１個のページング機会の各々に対応するサブフレーム中で送信されるかどうかを示すために使用され、Ｆ１は正の整数である。
【０１９９】
例えば、ｎＢ＝４Ｔであるとき、第１の持続時間は４つのシステムフレームであると仮定される。図８の（ａ）を参照すると、これらの４つのシステムフレームは、１６個のページング機会を含む。ビットマップは１１１０  ０１００  ００００  ００００であり、ビット値「１」は、参照信号が送信されることを示し、ビット値「０」は、参照信号が送信されないことを示すと仮定される。この場合、参照信号に対応する時間領域リソースは、図１７の（ａ）に示されているように、第１のシステムフレーム中のサブフレーム０、サブフレーム４、及びサブフレーム５、並びに第２のシステムフレーム中のサブフレーム４を含み得る。
【０２００】
代替として、例えば、ｎＢ＝２Ｔであるとき、第１の持続時間は４つのシステムフレームであると仮定される。図８の（ｂ）を参照すると、これらの４つのシステムフレームは、８つのページング機会を含む。ビットマップは１１００  ００００であり、ビット値「１」は、参照信号が送信されることを示し、ビット値「０」は、参照信号が送信されないことを示すと仮定される。この場合、参照信号に対応する時間領域リソースは、図１７の（ｂ）に示されているように、第１のシステムフレーム中のサブフレーム３、サブフレーム４、サブフレーム８、及びサブフレーム９を含み得る。
【０２０１】
代替として、例えば、ｎＢ＝Ｔであるとき、第１の持続時間は４つのシステムフレームであると仮定される。図８の（ｃ）を参照すると、これらの４つのシステムフレームは、４つのページング機会を含む。ビットマップは０１００であり、ビット値「１」は、参照信号が送信されることを示し、ビット値「０」は、参照信号が送信されないことを示すと仮定される。この場合、参照信号に対応する時間領域リソースは、図１７の（ｃ）に示されているように、第２のシステムフレーム中のサブフレーム９、並びに第３のシステムフレーム中のサブフレーム０、サブフレーム１、及びサブフレーム２を含み得る。
【０２０２】
代替として、例えば、ｎＢ＝Ｔ／２であるとき、第１の持続時間は４つのシステムフレームであると仮定される。図８の（ｄ）を参照すると、これらの４つのシステムフレームは、４つのページング機会を含む。ビットマップは０１であり、ビット値「１」は、参照信号が送信されることを示し、ビット値「０」は、参照信号が送信されないことを示すと仮定される。この場合、参照信号に対応する時間領域リソースは、図１７の（ｄ）に示されているように、第４のシステムフレーム中のサブフレーム３からサブフレーム９、及び第５のシステムフレーム中のサブフレーム１を含み得る。
【０２０３】
代替として、例えば、ｎＢ＜Ｔ／２であるとき、関係する例については、上記の説明を参照されたい。詳細について本明細書で再び説明されない。
【０２０４】
別の可能な実装では、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【０２０５】
任意選択で、本出願のこの実施形態では、Ｎ１個のページング機会は、Ｍ１個毎のページング機会における、最初のＮ１個の連続するページング機会であり得るか、又はＮ１個のページング機会は、Ｍ１個毎のページング機会における、最後のＮ１個の連続するページング機会であり得るか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【０２０６】
例えば、ｎＢ＝２Ｔであり、第１の持続時間は４つのシステムフレームであると仮定される。図８の（ｂ）を参照すると、これらの４つのシステムフレームは、８つのページング機会を含む。Ｍ１＝４及びＮ１＝２であると仮定される。
【０２０７】
２つのページング機会は、４つ毎のページング機会における、最初の２つのページング機会であり得る。この場合、第１の時間−周波数リソースは、図１８の（ａ）に示されているように、第１のシステムフレーム及び第３のシステムフレーム中のサブフレーム３、サブフレーム４、サブフレーム８、及びサブフレーム９を含む。
【０２０８】
代替として、２つのページング機会は、４つ毎のページング機会における、最後の２つのページング機会であり得る。この場合、第１の時間−周波数リソースは、図１８の（ｂ）に示されているように、第２のシステムフレーム及び第４のシステムフレーム中のサブフレーム３、サブフレーム４、サブフレーム８、及びサブフレーム９を含む。
【０２０９】
代替として、２つのページング機会は、４ビットのビットマップによって表され得る。４ビットのビットマップは０１１０であり、ビット値「１」は、参照信号が送信されることを示し、ビット値「０」は、参照信号が送信されないことを示すと仮定される。この場合、第１の時間−周波数リソースは、図１８の（ｃ）に示されているように、第１のシステムフレーム及び第３のシステムフレーム中のサブフレーム８及びサブフレーム９、並びに第２のシステムフレーム及び第４のシステムフレーム中のサブフレーム３及びサブフレーム４を含む。
【０２１０】
本出願のこの実施形態における全ての上記の例は、ビット値「１」が、参照信号が送信されることを示し、ビット値「０」が、参照信号が送信されないことを示す例を使用することによって説明されていることに留意されたい。もちろん、代替として、ビット値「０」は、参照信号が送信されることを示し得るし、ビット値「１」は、参照信号が送信されないことを示し得る。これは、本出願のこの実施形態では特に限定されない。この説明は、以下の実施形態にも適用可能である。これは本明細書において一律に記述され、詳細について以下で再び説明されない。
【０２１１】
任意選択で、本出願のこの実施形態において提供される参照信号送信及び受信方法は、ネットワークデバイスが、端末デバイスに参照信号の第３の構成情報を送信することをさらに含み得る。第３の構成情報は、Ｍ１及びＮ１を含むか、又はＭ１ビットのビットマップを含む。例えば、Ｎ１個のページング機会が、Ｍ１個毎のページング機会における、最初のＮ１個の連続するページング機会であり得るか、若しくはＮ１個のページング機会が、Ｍ１個毎のページング機会における、最後のＮ１個の連続するページング機会であり得るとき、第３の構成情報は、Ｍ１及びＮ１を含み得るか、又はＮ１個のページング機会が、Ｍ１ビットのビットマップによって表されるとき、第３の構成情報は、Ｍ１ビットのビットマップを含み得る。これは、本出願のこの実施形態では特に限定されない。
【０２１２】
このようにして、ネットワークデバイスから第３の構成情報を受信した後に、端末デバイスは、第３の構成情報を参照して第１の持続時間中の時間領域リソースを決定し得る。詳細については、図１８に示されている例を参照されたい。詳細について本明細書で再び説明されない。
【０２１３】
任意選択で、上記の実施形態は、ネットワークデバイスが端末デバイスに第３の構成情報を送信する例を使用することによって説明される。ネットワークデバイスは、システムメッセージ又は上位レイヤシグナリング中で端末デバイスに第３の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。もちろん、Ｍ１及びＮ１、又はＭ１ビットのビットマップは、代替として、プロトコルにおいて同意され得る。これは、本出願のこの実施形態では特に限定されない。
【０２１４】
任意選択で、本出願のこの実施形態における第１の構成情報及び第３の構成情報は、１つのメッセージ若しくは１つのシグナリングを使用することによって端末デバイスのためにネットワークデバイスによって構成され得るか、又は異なるメッセージ若しくはシグナリングを使用することによって端末デバイスのためにネットワークデバイスによって構成され得る。これは、本出願のこの実施形態では特に限定されない。
【０２１５】
次に、第１の持続時間中の１つ又は複数のウェイクアップ信号が、第１の持続時間中の全てのウェイクアップ信号のうちのいくつかを含み得ることについて以下で説明される。
【０２１６】
可能な実装では、第１の持続時間中の全てのウェイクアップ信号のうちのいくつかは、ビットマップによって表され得る。例えば、第１の持続時間中の全てのウェイクアップ信号の数量がＦ２であると仮定すると、ウェイクアップ信号は、Ｆ２ビットのビットマップによって表され得るし、Ｆ２ビットのビットマップ中の各ビットは、参照信号が、Ｆ２個のウェイクアップ信号の各々の開始サブフレーム中で送信されるかどうかを示すために使用され、Ｆ２は正の整数である。関係する例については、図１７を参照されたい。詳細について本明細書で再び説明されない。
【０２１７】
別の可能な実装では、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【０２１８】
任意選択で、本出願のこの実施形態では、Ｎ２個のウェイクアップ信号は、Ｍ２個毎のウェイクアップ信号における、最初のＮ２個の連続するウェイクアップ信号であり得るか、又はＮ２個のウェイクアップ信号は、Ｍ２個毎のウェイクアップ信号における、最後のＮ２個の連続するウェイクアップ信号であり得るか、又はＮ２個のウェイクアップ信号は、Ｍ２ビットのビットマップによって表され、Ｍ２ビットのビットマップ中の各ビットは、参照信号が、Ｍ２個毎のウェイクアップ信号の各々の開始サブフレーム中で送信されるかどうかを示すために使用される。関係する例については、図１８を参照されたい。詳細について本明細書で再び説明されない。
【０２１９】
任意選択で、本出願のこの実施形態において提供される参照信号送信及び受信方法は、ネットワークデバイスが、端末デバイスに参照信号の第４の構成情報を送信することをさらに含み得る。第４の構成情報は、Ｍ２及びＮ２を含むか、又はＭ２ビットのビットマップを含む。例えば、Ｎ２個のウェイクアップ信号が、Ｍ２個毎のウェイクアップ信号における、最初のＮ２個の連続するウェイクアップ信号であり得るか、若しくはＮ２個のウェイクアップ信号が、Ｍ２個毎のウェイクアップ信号における、最後のＮ２個の連続するウェイクアップ信号であり得るとき、第４の構成情報は、Ｍ２及びＮ２を含み得るか、又はＮ２個のウェイクアップ信号が、Ｍ２ビットのビットマップによって表されるとき、第４の構成情報は、Ｍ２ビットのビットマップを含み得る。これは、本出願のこの実施形態では特に限定されない。
【０２２０】
このようにして、ネットワークデバイスから第４の構成情報を受信した後に、端末デバイスは、第４の構成情報を参照して第１の持続時間中の時間領域リソースを決定し得る。詳細については、図１８に示されている例を参照されたい。詳細について本明細書で再び説明されない。
【０２２１】
任意選択で、上記の実施形態は、ネットワークデバイスが端末デバイスに第４の構成情報を送信する例を使用することによって説明される。ネットワークデバイスは、システムメッセージ又は上位レイヤシグナリング中で端末デバイスに第４の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。もちろん、Ｍ２及びＮ２、又はＭ２ビットのビットマップは、代替として、プロトコルにおいて同意され得る。これは、本出願のこの実施形態では特に限定されない。
【０２２２】
任意選択で、本出願のこの実施形態における第２の構成情報及び第４の構成情報は、１つのメッセージ若しくは１つのシグナリングを使用することによって端末デバイスのためにネットワークデバイスによって構成され得るか、又は異なるメッセージ若しくはシグナリングを使用することによって端末デバイスのためにネットワークデバイスによって構成され得る。これは、本出願のこの実施形態では特に限定されない。
【０２２３】
任意選択で、本出願のこの実施形態では、Ｍ１はＭ２と同じであり得るし、Ｎ１はＮ２と同じであり得る。これは、本出願のこの実施形態では特に限定されない。
【０２２４】
シナリオ４：ステップＳ７０１からＳ７０３における時間−周波数リソース中の時間領域リソースが、第３の時間領域リソースを含み得る。
【０２２５】
例えば、ステップＳ７０１からＳ７０３における時間−周波数リソース中の時間領域リソースは、第３の時間領域リソースを含む。この場合、Ｘ５個のサブフレームは、Ｍ３個毎のページング機会における、Ｎ３個のページング機会の各々に対応するサブフレームの前にありそれに連続する、Ｘ５個の連続するサブフレームであり得るし、Ｙ５個のサブフレームは、Ｍ３個毎のページング機会における、Ｎ３個のページング機会の各々に対応するサブフレームの後にありそれに連続する、Ｙ５個の連続するサブフレームである。代替として、Ｘ５個のサブフレームは、Ｍ３個毎のページング機会における、Ｎ３個のページング機会の各々に対応するサブフレームの前のＺ３個のサブフレーム中の、最初のＸ５個の連続するサブフレームであり得るし、ここで、Ｚ３は、ネットワークによって構成され得るか、又はプロトコルにおいて同意され得るし、例えば、Ｚ３が１０に等しいことがプロトコルにおいて同意され、Ｙ５個のサブフレームは、Ｍ３個毎のページング機会における、Ｎ３個のページング機会の各々に対応するサブフレームの後にありそれに連続する、Ｙ５個の連続するサブフレームである。
【０２２６】
例えば、Ｍ３は、以下の式（６）を満たす。
Ｍ３＝ｍａｘ｛α１×（４／Ｔ）×ｎＢ，１｝  式（６）
【０２２７】
ｎＢは、不連続受信期間中のページング機会の数量を示し、Ｔは、不連続受信期間を示し、α１は、第５の指定された値である。ＰＯロケーションは図３に示され、α１＝１、及びＮ３＝１であると仮定される。
【０２２８】
ｎＢ＝４Ｔ及びＭ３＝１６であるとき、参照信号に対応する時間領域リソースは、図２４の（ａ）、即ち、第１の持続時間中の全てのページング機会のうちの１６個毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。図２４の（ａ）及び図２４の（ｂ）から（ｅ）は、Ｘ５＝１及びＹ５＝０である例を使用することによって説明されている。もちろん、Ｘ５及びＹ５は、代替として他の値であってよい。これは、本出願のこの実施形態では特に限定されない。
【０２２９】
ｎＢ＝２Ｔ及びＭ３＝８であるとき、参照信号に対応する時間領域リソースは、図２４の（ｂ）、即ち、第１の持続時間中の全てのページング機会のうちの８つ毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３０】
ｎＢ＝Ｔ及びＭ３＝４であるとき、参照信号に対応する時間領域リソースは、図２４の（ｃ）、即ち、第１の持続時間中の全てのページング機会のうちの４つ毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３１】
ｎＢ＝Ｔ／２及びＭ３＝２であるとき、参照信号に対応する時間領域リソースは、図２４の（ｄ）、即ち、第１の持続時間中の全てのページング機会のうちの２つ毎のページング機会のうちの１つに関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３２】
ｎＢ＝Ｔ／４及びＭ３＝１であるとき、参照信号に対応する時間領域リソースは、図２４の（ｅ）、即ち、第１の持続時間中の全てのページング機会の各々に関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３３】
ｎＢ＜Ｔ／４及びＭ３＝１であるとき、参照信号に対応する時間領域リソースは、図２４の（ｅ）、即ち、第１の持続時間中の全てのページング機会の各々に関係するサブフレームに示され得るし、ここで、ページング機会に関係するサブフレームは、ページング機会に対応するサブフレーム、ページング機会に対応するサブフレームの前のＸ５個のサブフレーム、及びページング機会に対応するサブフレームの後のＹ５個のサブフレームを含む。
【０２３４】
ｎＢの異なる値について、ページング機会に対応するサブフレームの前のＸ５個のサブフレームは、同じであるか又は異なり得る。これは、本出願のこの実施形態では特に限定されない。加えて、Ｘ５及びＹ５は、ネットワークによって構成され得るか、又はプロトコルにおいて同意され得る。これは、本出願のこの実施形態では特に限定されない。
【０２３５】
任意選択で、本出願のこの実施形態では、Ｍ３は、ＤＲＸ期間中のページング機会の数量、ＤＲＸ期間、及び第５の指定された値に基づいてネットワークデバイスによって決定され得るし、例えば、式（６）に基づいて決定され得るか、又はＭ３は、例えば、表５に示されているように、ＤＲＸ期間中のページング機会の数量に対応する指定された値である。
【０２３６】
【表５】
2021536183.tif 000038
【０２３７】
任意選択で、本出願のこの実施形態では、第３の時間領域リソース上のサブフレームは、通常サブフレームを含み得るか、又は有効（ｖａｌｉｄ）サブフレームを含み得る。これは、本出願のこの実施形態では特に限定されない。第３の時間領域リソース上の全てのサブフレームが有効サブフレームであるとき、ページング機会に対応するサブフレームは、ページング機会が位置するサブフレームであり得るか、又はページング機会の後の第１の有効サブフレームであり得るし、Ｘ５個の（連続する）サブフレームは、Ｘ５個の（連続する）有効サブフレームであり、Ｙ５個の（連続する）サブフレームは、Ｙ５個の（連続する）有効サブフレームである。これは本明細書において一律に記述され、詳細について以下で再び説明されない。
【０２３８】
本出願のこの実施形態では、連続する有効サブフレームは、２つの有効サブフレーム間に他の有効サブフレームが存在しないことを意味する。詳細については、図９に示されているような、シナリオ１における説明を参照されたい。
【０２３９】
任意選択で、シナリオ４では、本出願のこの実施形態において提供される参照信号送信及び受信方法は、ネットワークデバイスが、端末デバイスに参照信号の第６の構成情報を送信することをさらに含み得る。第６の構成情報は、Ｘ５、Ｙ５、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０２４０】
第１の期間、第１の持続時間、及び第１の期間中の第１の持続時間のオフセットの関係する説明については、シナリオ１を参照されたい。詳細について本明細書で再び説明されない。
【０２４１】
このようにして、ネットワークデバイスから第６の構成情報を受信した後に、端末デバイスは、第６の構成情報及びＤＲＸ期間中のページング機会の数量に基づいて第１の持続時間中の時間領域リソース又は第１の期間中の時間領域リソースを決定し得る。例えば、第６の構成情報が、第１の持続時間と、Ｘ５及びＹ５のうちの少なくとも１つとを含むと仮定すると、端末デバイスは、第６の構成情報及びＤＲＸ期間中のページング機会の数量に基づいて第１の持続時間中の時間領域リソースを決定し得る。代替として、例えば、第６の構成情報が、Ｘ５及びＹ５のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第６の構成情報及びＤＲＸ期間中のページング機会の数量に基づいて第１の期間中の時間領域リソースを決定し得る。これは、本出願のこの実施形態では特に限定されない。
【０２４２】
任意選択で、上記の実施形態は、ネットワークデバイスが端末デバイスに第６の構成情報を送信する例を使用することによって説明される。ネットワークデバイスは、システムメッセージ又は上位レイヤシグナリング中で端末デバイスに第６の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０２４３】
任意選択で、Ｘ５、Ｙ５、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第６の構成情報は、Ｘ５、Ｙ５、第１の期間、第１の持続時間、第１の期間中の第１の持続時間のオフセット、及び第１の持続時間の繰り返し数量を含む。代替として、Ｘ５、Ｙ５、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第６の構成情報を送信する必要がない。代替として、Ｘ５、Ｙ５、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ５、Ｙ５、第１の期間、第１の持続時間、第１の期間中の第１の持続時間のオフセット、及び第１の持続時間の繰り返し数量の一部の情報が、プロトコルにおいて同意され得る。例えば、第６の構成情報は、Ｘ５及びＹ５のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０２４４】
任意選択で、本出願のこの実施形態では、Ｘ５とＹ５の和の値については、シナリオ１におけるＸ１とＹ１の和の関係する説明を参照されたい。詳細について本明細書で再び説明されない。
【０２４５】
任意選択で、本出願のこの実施形態では、開始サブフレームが、ＰＯに対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し得る。例えば、図１２に示されているように、カバーされた端末デバイスは、ＰＤＣＣＨサーチスペース中の最初の３つの候補ロケーション上でのみ検出を実施した後に、前もって検出を終了し、それにより、端末デバイスの電力消費量を低減し得る。
【０２４６】
シナリオ５：ステップＳ７０１からＳ７０３における時間−周波数リソース中の時間領域リソースが、第４の時間領域リソースを含み得る。
【０２４７】
例えば、ステップＳ７０１からＳ７０３における時間−周波数リソース中の時間領域リソースは、第４の時間領域リソースを含む。この場合、Ｘ６個のサブフレームは、Ｍ４個毎のウェイクアップ信号における、Ｎ４個のウェイクアップ信号の各々の開始サブフレームの前にありそれに連続する、Ｘ６個の連続するサブフレームであり得るし、Ｙ６個のサブフレームは、Ｍ４個毎のウェイクアップ信号における、Ｎ４個のウェイクアップ信号の各々の開始サブフレームの後にありそれに連続する、Ｙ６個の連続するサブフレームである。代替として、Ｘ６個のサブフレームは、Ｍ４個毎のウェイクアップ信号における、Ｎ４個のウェイクアップ信号の各々の開始サブフレームの前のＺ４個のサブフレーム中の、最初のＸ６個の連続するサブフレームであり得るし、ここで、Ｚ４は、ネットワークデバイスによって通知され得るか、又はプロトコルにおいて同意され得るし、例えば、Ｚ４が１０に等しいことがプロトコルにおいて同意され、Ｙ６個のサブフレームは、Ｍ４個毎のウェイクアップ信号における、Ｎ４個のウェイクアップ信号の各々の開始サブフレームの後にありそれに連続する、Ｙ６個の連続するサブフレームである。
【０２４８】
例えば、Ｍ４は、以下の式（７）を満たす。
Ｍ４＝ｍａｘ｛α２×（４／Ｔ）×ｎＢ，１｝  式（７）
【０２４９】
ｎＢは、不連続受信期間中のページング機会の数量を示し、Ｔは、不連続受信期間を示し、α２は、第６の指定された値である。ＰＯロケーションは図３に示され、α２＝１、及びＮ４＝１であると仮定される。
【０２５０】
ｎＢ＝４Ｔ及びＭ４＝１６であるとき、参照信号に対応する時間領域リソースは、図２５の（ａ）、即ち、第１の持続時間中の全てのウェイクアップ信号のうちの１６個毎のウェイクアップ信号のうちの１つに関係するサブフレームに示され得るし、ここで、ウェイクアップ信号に関係するサブフレームは、ウェイクアップ信号の開始サブフレーム、ウェイクアップ信号の開始サブフレームの前のＸ６個のサブフレーム、及びウェイクアップ信号の開始サブフレームの後のＹ６個のサブフレームを含む。図２５の（ａ）及び図２５の（ｂ）は、Ｘ６＝１及びＹ６＝０である例を使用することによって説明されている。もちろん、Ｘ６及びＹ６は、代替として他の値であってよい。これは、本出願のこの実施形態では特に限定されない。
【０２５１】
ｎＢ＝２Ｔ及びＭ４＝８であるとき、参照信号に対応する時間領域リソースは、図２５の（ｂ）、即ち、第１の持続時間中の全てのウェイクアップ信号のうちの８つ毎のウェイクアップ信号のうちの１つに関係するサブフレームに示され得るし、ここで、ウェイクアップ信号に関係するサブフレームは、ウェイクアップ信号の開始サブフレーム、ウェイクアップ信号の開始サブフレームの前のＸ６個のサブフレーム、及びウェイクアップ信号の開始サブフレームの後のＹ６個のサブフレームを含む。
【０２５２】
ｎＢ＝Ｔ及びＭ４＝４、又はｎＢ＝Ｔ／２及びＭ４＝２、又はｎＢ＝Ｔ／４及びＭ４＝１、又はｎＢ＜Ｔ／４及びＭ４＝１であるとき、参照信号に対応する時間領域リソースに関する詳細については、図２５の（ａ）及び（ｂ）を参照されたい。詳細について本明細書で再び説明されない。
【０２５３】
ｎＢの異なる値について、ウェイクアップ信号の開始サブフレームの前のＸ６個のサブフレームは、同じであるか又は異なり得る。これは、本出願のこの実施形態では特に限定されない。加えて、Ｘ６及びＹ６は、ネットワークによって構成され得るか、又はプロトコルにおいて同意され得る。これは、本出願のこの実施形態では特に限定されない。
【０２５４】
任意選択で、本出願のこの実施形態では、Ｍ４は、ＤＲＸ期間中のページング機会の数量、ＤＲＸ期間、及び第６の指定された値に基づいてネットワークデバイスによって決定され得るし、例えば、式（７）に基づいて決定され得るか、又はＭ４は、例えば、表６に示されているように、ＤＲＸ期間中のページング機会の数量に対応する指定された値である。
【０２５５】
【表６】
2021536183.tif 000039
【０２５６】
任意選択で、本出願のこの実施形態では、第４の時間領域リソース上のサブフレームは、通常サブフレームを含み得るか、又は有効（ｖａｌｉｄ）サブフレームを含み得る。これは、本出願のこの実施形態では特に限定されない。ウェイクアップ信号の開始サブフレームが有効サブフレームであるので、第４の時間領域リソース上の全てのサブフレームが有効サブフレームであるとき、Ｘ６個の（連続する）サブフレームは、Ｘ６個の（連続する）有効サブフレームであり、Ｙ６個の（連続する）サブフレームは、Ｙ６個の（連続する）有効サブフレームである。これは本明細書において一律に記述され、詳細について以下で再び説明されない。
【０２５７】
本出願のこの実施形態では、連続する有効サブフレームは、２つの有効サブフレーム間に他の有効サブフレームが存在しないことを意味する。詳細については、図１３に示されているような、シナリオ２における説明を参照されたい。
【０２５８】
任意選択で、シナリオ５では、本出願のこの実施形態において提供される参照信号送信及び受信方法は、ネットワークデバイスが、端末デバイスに参照信号の第７の構成情報を送信することをさらに含み得る。第７の構成情報は、Ｘ６、Ｙ６、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０２５９】
第１の期間、第１の持続時間、及び第１の期間中の第１の持続時間のオフセットの関係する説明については、シナリオ１を参照されたい。詳細について本明細書で再び説明されない。
【０２６０】
このようにして、ネットワークデバイスから第７の構成情報を受信した後に、端末デバイスは、第７の構成情報及びＤＲＸ期間中のページング機会の数量に基づいて第１の持続時間中の時間領域リソース又は第１の期間中の時間領域リソースを決定し得る。例えば、第７の構成情報が、第１の持続時間と、Ｘ６及びＹ６のうちの少なくとも１つとを含むと仮定すると、端末デバイスは、第７の構成情報及びＤＲＸ期間中のページング機会の数量に基づいて第１の持続時間中の時間領域リソースを決定し得る。代替として、例えば、第７の構成情報が、Ｘ６及びＹ６のうちの少なくとも１つ、第１の期間中の第１の持続時間のオフセット及び第１の持続時間の繰り返し数量のうちの少なくとも１つ、第１の期間、及び第１の持続時間を含むと仮定すると、端末デバイスは、第７の構成情報及びＤＲＸ期間中のページング機会の数量に基づいて第１の期間中の時間領域リソースを決定し得る。これは、本出願のこの実施形態では特に限定されない。
【０２６１】
任意選択で、上記の実施形態は、ネットワークデバイスが端末デバイスに第７の構成情報を送信する例を使用することによって説明される。ネットワークデバイスは、システムメッセージ又は上位レイヤシグナリング中で端末デバイスに第７の構成情報を送信し得る。例えば、システムメッセージはＳＩＢ又はＭＩＢであり得るし、上位レイヤシグナリングはＲＲＣシグナリングであり得る。これは、本出願のこの実施形態では特に限定されない。
【０２６２】
任意選択で、Ｘ６、Ｙ６、第１の期間、第１の持続時間、第１の期間中の第１の持続時間のオフセット、及び第１の持続時間の繰り返し数量の全ての情報が、端末デバイスのためにネットワークデバイスによって構成され得るし、即ち、第７の構成情報は、Ｘ６、Ｙ６、第１の期間、第１の持続時間、第１の期間中の第１の持続時間のオフセット、及び第１の持続時間の繰り返し数量を含む。代替として、Ｘ６、Ｙ６、第１の期間、第１の持続時間、第１の期間中の第１の持続時間のオフセット、及び第１の持続時間の繰り返し数量の全ての情報は、プロトコルにおいて同意され得る。この場合、ネットワークデバイスは、端末デバイスに第７の構成情報を送信する必要がない。代替として、Ｘ６、Ｙ６、第１の期間、第１の持続時間、第１の期間中の第１の持続時間のオフセット、及び第１の持続時間の繰り返し数量の一部の情報が、端末デバイスのためにネットワークデバイスによって構成され得るし、Ｘ６、Ｙ６、第１の期間、第１の持続時間、第１の期間中の第１の持続時間のオフセット、及び第１の持続時間の繰り返し数量の一部の情報が、プロトコルにおいて同意され得る。例えば、第７の構成情報は、Ｘ６及びＹ６のうちの少なくとも１つを含み得るし、第１の期間、第１の持続時間、第１の期間中の第１の持続時間のオフセット、及び第１の持続時間の繰り返し数量は、プロトコルにおいて同意され得る。これは、本出願のこの実施形態では特に限定されない。
【０２６３】
任意選択で、本出願のこの実施形態では、Ｘ６とＹ６の和の値については、シナリオ２におけるＸ２とＹ２の和の関係する説明を参照されたい。詳細について本明細書で再び説明されない。
【０２６４】
任意選択で、本出願のこの実施形態では、ＷＵＳがＰＯの前に存在するかどうかを検出するとき、ＷＵＳをサポートする端末デバイスは、不連続受信期間中のページング機会の数量に基づいて第１の持続時間中の時間領域リソースを決定し、対応する時間−周波数リソース上でネットワークデバイスから参照信号を受信し、次いで、参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。端末デバイスは、ＷＵＳの開始サブフレームからリスニングすることを実施し始め、ＷＵＳが存在しないことを知るために最大ＷＵＳ持続時間が終了するまで待つことなしに、前もってＷＵＳリスニングを終了し、それにより、端末デバイスの電力消費量を低減し得る。
【０２６５】
シナリオ６：ステップＳ７０１からＳ７０３における時間−周波数リソース中の時間領域リソースが、第３の時間領域リソース及び第４の時間領域リソースを含み得る。
【０２６６】
このシナリオでは、第３の時間領域リソース（即ち、ページング機会に関係する参照信号を送信するための時間領域リソース）は、シナリオ４の方式で決定され得るし、第４の時間領域リソース（即ち、ウェイクアップ信号の開始サブフレームに関係する参照信号を送信するための時間領域リソース）は、シナリオ５の方式で決定され得る。関係する説明については、シナリオ４及びシナリオ５の説明を参照されたい。詳細について本明細書で再び説明されない。
【０２６７】
任意選択で、シナリオ６では、本出願のこの実施形態において提供される参照信号送信及び受信方法は、ネットワークデバイスが、端末デバイスに参照信号の第８の構成情報を送信することをさらに含み得る。第８の構成情報は、Ｘ５、Ｙ５、Ｘ６、Ｙ６、第１の期間、第１の持続時間、第１の期間中の第１の持続時間のオフセット、及び第１の持続時間の繰り返し数量のうちの少なくとも１つを含む。これは、本出願のこの実施形態では特に限定されない。
【０２６８】
第１の期間、第１の持続時間、及び第１の期間中の第１の持続時間のオフセットの関係する説明については、シナリオ１を参照されたい。詳細について本明細書で再び説明されない。
【０２６９】
任意選択で、本出願のこの実施形態において提供される参照信号送信及び受信方法は、ネットワークデバイスが、端末デバイスに参照信号の第９の構成情報を送信することをさらに含み得る。第９の構成情報は、Ｎ３を含むか、又はＭ３ビットのビットマップを含む。例えば、Ｎ３個のページング機会が、Ｍ３個毎のページング機会における、最初のＮ３個の連続するページング機会であり得るか、若しくはＮ３個のページング機会が、Ｍ３個毎のページング機会における、最後のＮ３個の連続するページング機会であり得るとき、第９の構成情報は、Ｎ３を含み得るか、又はＮ３個のページング機会が、Ｍ３ビットのビットマップによって表されるとき、第９の構成情報は、Ｍ３ビットのビットマップを含み得る。これは、本出願のこの実施形態では特に限定されない。
【０２７０】
このようにして、ネットワークデバイスから第９の構成情報を受信した後に、端末デバイスは、第９の構成情報を参照して第１の持続時間中の時間領域リソースを決定し得る。詳細については、図１８に示されている例を参照されたい。詳細について本明細書で再び説明されない。
【０２７１】
任意選択で、本出願のこの実施形態において提供される参照信号送信及び受信方法は、ネットワークデバイスが、端末デバイスに参照信号の第１０の構成情報を送信することをさらに含み得る。第１０の構成情報は、Ｎ４を含むか、又はＭ４ビットのビットマップを含む。例えば、Ｎ４個のウェイクアップ信号が、Ｍ４個毎のウェイクアップ信号における、最初のＮ４個の連続するウェイクアップ信号であり得るか、若しくはＮ４個のウェイクアップ信号が、Ｍ４個毎のウェイクアップ信号における、最後のＮ４個の連続するウェイクアップ信号であり得るとき、第１０の構成情報は、Ｎ４を含み得るか、又はＮ４個のウェイクアップ信号が、Ｍ４ビットのビットマップによって表されるとき、第１０の構成情報は、Ｍ４ビットのビットマップを含み得る。これは、本出願のこの実施形態では特に限定されない。
【０２７２】
このようにして、ネットワークデバイスから第１０の構成情報を受信した後に、端末デバイスは、第１０の構成情報を参照して第１の持続時間中の時間領域リソースを決定し得る。詳細については、図１８に示されている例を参照されたい。詳細について本明細書で再び説明されない。
【０２７３】
シナリオ４からシナリオ６では、Ｍ３が不連続受信期間中のページング機会の数量に関係することは、不連続受信期間中のページング機会の数量がしきい値Ａよりも大きいとき、Ｍ３が１よりも大きいこと、又は不連続受信期間中のページング機会の数量がしきい値Ａ以下であるとき、Ｍ３が１に等しいことを含む。Ｍ４が不連続受信期間中のページング機会の数量に関係することは、不連続受信期間中のページング機会の数量がしきい値Ｂよりも大きいとき、Ｍ４が１よりも大きいこと、又は不連続受信期間中のページング機会の数量がしきい値Ｂ以下であるとき、Ｍ４が１に等しいことを含む。しきい値Ａ及びしきい値Ｂは、ネットワークによって構成され得るか、又はプロトコルにおいて同意され得る。これは本明細書では限定されない。しきい値Ａとしきい値Ｂの値は、同じであるか又は異なり得る。
【０２７４】
任意選択で、シナリオ１からシナリオ６では、ページング機会に対応するサブフレームの後のＹ１個の連続するサブフレームは、ＰＯを含まず、開始サブフレームがＰＯであるＰＤＣＣＨサーチスペース中にある、最初のＹ１個の連続するサブフレームであり得るし、ページング機会に対応するサブフレームの後のＹ３個の連続するサブフレームは、ＰＯを含まず、開始サブフレームがＰＯであるＰＤＣＣＨサーチスペース中にある、最初のＹ３個の連続するサブフレームであり得るし、ページング機会に対応するサブフレームの後のＹ５個の連続するサブフレームは、ＰＯを含まず、開始サブフレームがＰＯであるＰＤＣＣＨサーチスペース中にある、最初のＹ５個の連続するサブフレームであり得る。これは本明細書において一律に記述され、詳細について以下で再び説明されない。
【０２７５】
任意選択で、本出願のこの実施形態において提供される参照信号送信及び受信方法は、ネットワークデバイスが、端末デバイスに第１のインジケーション情報を送信し、それにより、端末デバイスが、ネットワークデバイスから第１のインジケーション情報を受信することをさらに含み得る。第１のインジケーション情報は、ネットワークデバイスが、第１の持続時間中のページング機会の数量に基づいて第１の持続時間中の時間領域リソースを決定することをサポートすることを示すために使用される。
【０２７６】
任意選択で、本出願のこの実施形態では、第１のインジケーション情報は、明示的インジケーション情報であり得るか、又は暗黙的インジケーション情報であり得る。これは、本出願のこの実施形態では特に限定されない。
【０２７７】
例えば、第１のインジケーション情報は、ビットでの候補値によって表され得る。ビットは、２つの候補値、例えば、０又は１を含む。候補値０は、ネットワークデバイスが、第１の持続時間中のページング機会の数量に基づいて第１の持続時間中の時間領域リソースを決定することをサポートすることを示し得るし、候補値１は、ネットワークデバイスが、第１の持続時間中のページング機会の数量に基づいて第１の持続時間中の時間領域リソースを決定することをサポートしないことを示し得る。代替として、候補値０は、ネットワークデバイスが、第１の持続時間中のページング機会の数量に基づいて第１の持続時間中の時間領域リソースを決定することをサポートしないことを示し得るし、候補値１は、ネットワークデバイスが、第１の持続時間中のページング機会の数量に基づいて第１の持続時間中の時間領域リソースを決定することをサポートすることを示し得る。
【０２７８】
代替として、例えば、第１のインジケーション情報は、指定された値であり得る。例えば、指定された値を送信することは、ネットワークデバイスが、第１の持続時間中のページング機会の数量に基づいて第１の持続時間中の時間領域リソースを決定することをサポートすることを示し、指定された値を送らないことは、ネットワークデバイスが、第１の持続時間中のページング機会の数量に基づいて第１の持続時間中の時間領域リソースを決定することをサポートしないことを示す。代替として、指定された値を送信することは、ネットワークデバイスが、第１の持続時間中のページング機会の数量に基づいて第１の持続時間中の時間領域リソースを決定することをサポートしないことを示し、指定された値を送らないことは、ネットワークデバイスが、第１の持続時間中のページング機会の数量に基づいて第１の持続時間中の時間領域リソースを決定することをサポートすることを示す。これは、本出願のこの実施形態では特に限定されない。
【０２７９】
任意選択で、本出願のこの実施形態では、第１のインジケーション情報は、システムメッセージ、上位レイヤシグナリング、若しくは他のシグナリングを使用することによって端末デバイスのためにネットワークデバイスによって構成され得るか、又はプロトコルにおいてあらかじめ決定され得る。これは、本出願のこの実施形態では特に限定されない。例えば、システムメッセージはＳＩＢ又はＭＩＢであり得るし、上位レイヤシグナリングはＲＲＣシグナリングであり得るし、他のシグナリングは、ダウンリンク制御情報（ＤＣＩ）シグナリングであり得る。これは、本出願のこの実施形態では特に限定されない。
【０２８０】
任意選択で、本出願のこの実施形態では、第１のインジケーション情報は、第１の構成情報、第２の構成情報、第３の構成情報、及び第４の構成情報のうちの少なくとも１つとともに端末デバイスのために構成され得るか、又は端末デバイスのために別々に構成され得る。これは、本出願のこの実施形態では特に限定されない。
【０２８１】
任意選択で、本出願のこの実施形態では、代替として、第１のインジケーション情報は構成されなくてよいが、ネットワークデバイスが、第１の持続時間中のページング機会の数量に基づいて第１の持続時間中の時間領域リソースを決定することをサポートすることが、プロトコルにおいてあらかじめ決定される。これは、本出願のこの実施形態では特に限定されない。
【０２８２】
任意選択で、本出願のこの実施形態では、端末デバイスは、端末デバイスが前もってＷＵＳ及びＰＤＣＣＨのうちの少なくとも１つ上で監視することを終了することが可能であるかどうかを、ネットワークデバイスにさらに報告し得る。例えば、端末デバイスは、ネットワークデバイスに第２のインジケーション情報を送信し得るし、第２のインジケーション情報は、端末デバイスが前もってＷＵＳ及びＰＤＣＣＨのうちの少なくとも１つ上で監視することを終了することが可能であることを示すために使用される。
【０２８３】
任意選択で、本出願のこの実施形態では、第２のインジケーション情報は、明示的インジケーション情報であり得るか、又は暗黙的インジケーション情報であり得る。これは、本出願のこの実施形態では特に限定されない。
【０２８４】
例えば、第２のインジケーション情報は、ビットでの候補値によって表され得る。ビットは、２つの候補値、例えば、０又は１を含む。候補値０は、端末デバイスが前もってＷＵＳ及びＰＤＣＣＨのうちの少なくとも１つ上で監視することを終了することが可能であることを示し得るし、候補値１は、端末デバイスが前もってＷＵＳ及びＰＤＣＣＨのうちの少なくとも１つ上で監視することを終了することが不可能であることを示し得る。代替として、候補値０は、端末デバイスが前もってＷＵＳ及びＰＤＣＣＨのうちの少なくとも１つ上で監視することを終了することが不可能であることを示し得るし、候補値１は、端末デバイスが前もってＷＵＳ及びＰＤＣＣＨのうちの少なくとも１つ上で監視することを終了することが可能であることを示し得る。
【０２８５】
代替として、例えば、第２のインジケーション情報は、指定された値であり得る。例えば、指定された値を送信することは、端末デバイスが前もってＷＵＳ及びＰＤＣＣＨのうちの少なくとも１つ上で監視することを終了することが可能であることを示し、指定された値を送らないことは、端末デバイスが前もってＷＵＳ及びＰＤＣＣＨのうちの少なくとも１つ上で監視することを終了することが不可能であることを示す。代替として、指定された値を送信することは、端末デバイスが前もってＷＵＳ及びＰＤＣＣＨのうちの少なくとも１つ上で監視することを終了することが不可能であることを示し、指定された値を送らないことは、端末デバイスが前もってＷＵＳ及びＰＤＣＣＨのうちの少なくとも１つ上で監視することを終了することが可能であることを示す。これは、本出願のこの実施形態では特に限定されない。
【０２８６】
任意選択で、本出願のこの実施形態において提供される参照信号送信及び受信方法は、参照信号が、ページング機会に対応するサブフレーム及び／又はウェイクアップ信号の開始サブフレーム中で送信され得る例を使用することによって説明される。任意選択で、代替として、参照信号は、ページング機会に対応するサブフレーム及び／又はウェイクアップ信号の開始サブフレーム中で送信されないことがある。具体的には、第１の時間領域リソースは、第１の持続時間中の１つ又は複数のページング機会の各々に対応するサブフレームの前のＰ１個のサブフレーム、及び第１の持続時間中の１つ又は複数のページング機会の各々に対応するサブフレームの後のＱ１個のサブフレームを含み、Ｐ１は０以上の整数であり、Ｑ１は０以上の整数であり、Ｐ１とＱ１の和は、不連続受信期間中のページング機会の数量に関係し、Ｐ１とＱ１の和は１以上であるか、又は第２の時間領域リソースは、第１の持続時間中の１つ又は複数のウェイクアップ信号の各々の開始サブフレームの前のＰ２個のサブフレーム、及び第１の持続時間中の１つ又は複数のウェイクアップ信号の各々の開始サブフレームの後のＱ２個のサブフレームを含み、Ｐ２は０以上の整数であり、Ｑ２は０以上の整数であり、Ｐ２とＱ２の和は、不連続受信期間中のページング機会の数量に関係し、Ｐ２とＱ２の和は１以上である。この場合は、本出願のこの実施形態では特に限定されない。この場合に対応する関係する説明については、参照信号が、ページング機会に対応するサブフレーム及び／又はウェイクアップ信号の開始サブフレーム中で送信され得ることに関する上記の説明を参照されたい。例えば、違いは、Ｘ１＋Ｙ１＋１＝Ｐ１＋Ｑ１であることにある。詳細について本明細書で再び説明されない。
【０２８７】
本出願のこの実施形態において提供される参照信号送信及び受信方法によれば、ネットワークデバイスがページング機会において対応するページングスケジューリングメッセージを送信するかどうかにかかわらず、ネットワークデバイスは、不連続受信期間中のページング機会の数量に基づいて決定された第１の持続時間中の時間領域リソースに対応する時間−周波数リソース上で参照信号を送信する。従って、一態様では、開始サブフレームが、ページング機会に対応するサブフレームである、ＰＤＣＣＨサーチスペース中で、ページングスケジューリングメッセージが存在するかどうかを検出し、ページング機会においてウェイクアップしてＰＤＣＣＨを監視するとき、端末デバイスは、第１の持続時間中のいくつかの参照信号を使用することによって測定を実施して測定結果を取得し、例えば、ＲＳＲＰ測定を実施してＳＩＮＲを取得し得る。測定結果が特定の条件を満たすとき、端末デバイスは、良好なチャネル条件をもつ端末デバイスと見なされ得る。さらに、開始サブフレームが、ページング機会に対応するサブフレームである、ＰＤＣＣＨサーチスペース中で、端末デバイスは、全ての候補ロケーション上でブラインド検出を実施することなしに、いくつかの候補ロケーション上でのみブラインド検出を実施することによってページングスケジューリングメッセージが存在するかどうかを決定し得る。例えば、図１２に示されているように、良好なチャネル条件をもつ端末デバイスは、ＰＤＣＣＨサーチスペース中の最初の３つの候補ロケーション上でのみ検出を実施した後に、前もって検出を終了し、それにより、端末デバイスの電力消費量を低減し得る。別の態様では、ＷＵＳがページング機会の前に存在するかどうかを検出するとき、端末デバイスは、第１の持続時間中のいくつかの参照信号を使用することによって測定を実施し得る。従って、測定結果が特定の条件を満たすとき、端末デバイスは、良好なチャネル条件をもつ端末デバイスと見なされ得る。端末デバイスは、ＷＵＳの開始サブフレームから監視することを実施し始め、ＷＵＳが存在しないことを知るために最大ＷＵＳ持続時間が終了するまで待つことなしに、前もってＷＵＳ監視を終了し、それにより、端末デバイスの電力消費量を低減し得る。
【０２８８】
ステップＳ７０１からＳ７０３におけるネットワークデバイスの行為は、メモリ６０２に記憶されたアプリケーションプログラムコードを呼び出すことによって、図６に示されているネットワークデバイス６０中のプロセッサ６０１によって命令されたネットワークデバイスによって実施され得るし、ステップＳ７０１からＳ７０３における端末デバイスの行為は、メモリ７０２に記憶されたアプリケーションプログラムコードを呼び出すことによって、図６に示されている端末デバイス７０中のプロセッサ７０１によって命令された端末デバイスによって実施され得る。これは、この実施形態では限定されない。
【０２８９】
任意選択で、図１９は、本出願の実施形態による別の参照信号送信及び受信方法を示す。本方法は以下のステップを含む。
【０２９０】
Ｓ１９０１．ネットワークデバイスが、第１の持続時間中の時間領域リソースを決定し、時間領域リソースが、参照信号を送信するために使用される時間−周波数リソース中の時間領域リソースである。
【０２９１】
時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ４個のサブフレーム、及び１つ又は複数のウェイクアップ信号の各ウェイクアップ信号の開始サブフレームの後のＹ４個のサブフレームを含み、Ｘ４は０以上の整数であり、Ｙ４は０以上の整数であり、Ｘ４とＹ４の和は、第４の指定された値に関係する。
【０２９２】
Ｓ１９０２．ネットワークデバイスが、時間−周波数リソース上で端末デバイスに参照信号を送信する。
【０２９３】
Ｓ１９０３．端末デバイスが、第１の持続時間中の時間領域リソースを決定し、次いで、対応する時間−周波数リソース上でネットワークデバイスから参照信号を受信する。
【０２９４】
ステップＳ１９０１からＳ１９０３の関係する説明については、ステップＳ７０１からＳ７０３を参照されたい。例えば、違いは、本出願のこの実施形態では、ページング機会に対応するサブフレームの前のＸ３個のサブフレームと、ページング機会に対応するサブフレームの後のＹ３個のサブフレームの和が、第３の指定された値に関係し、ウェイクアップ信号の開始サブフレームの前のＸ４個のサブフレームと、ウェイクアップ信号の開始サブフレームの後のＹ４個のサブフレームの和が、第４の指定された値に関係するが、ステップＳ７０１からＳ７０３では、ページング機会に対応するサブフレームの前のＸ１個のサブフレームと、ページング機会に対応するサブフレームの後のＹ１個のサブフレームの和が、ＤＲＸ期間中のページング機会の数量に関係し、ウェイクアップ信号の開始サブフレームの前のＸ２個のサブフレームと、ウェイクアップ信号の開始サブフレームの後のＹ２個のサブフレームの和が、ＤＲＸ期間中のページング機会の数量に関係することにある。他の関係する説明については、ステップＳ７０１からＳ７０３を参照されたい。詳細について本明細書で再び説明されない。
【０２９５】
任意選択で、本出願のこの実施形態では、第３の指定された値及び／又は第４の指定された値は、システムメッセージ若しくは上位レイヤシグナリングを使用することによって端末デバイスのためにネットワークデバイスによって構成され得るか、又はプロトコルにおいてあらかじめ決定され得る。これは、本出願のこの実施形態では特に限定されない。例えば、システムメッセージはＳＩＢ又はＭＩＢであり得るし、上位レイヤシグナリングはＲＲＣシグナリングであり得る。これは、本出願のこの実施形態では特に限定されない。
【０２９６】
本出願のこの実施形態において提供される参照信号送信及び受信方法によれば、ネットワークデバイスがページング機会において対応するページングスケジューリングメッセージを送信するかどうかにかかわらず、ネットワークデバイスは、第１の持続時間中の決定された時間領域リソースに対応する時間−周波数リソース上で参照信号を送信する。従って、本出願のこの実施形態において提供される参照信号送信及び受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、図７に示されている本実施形態を参照されたい。詳細について本明細書で再び説明されない。
【０２９７】
ステップＳ１９０１からＳ１９０３におけるネットワークデバイスの行為は、メモリ６０２に記憶されたアプリケーションプログラムコードを呼び出すことによって、図６に示されているネットワークデバイス６０中のプロセッサ６０１によって命令されたネットワークデバイスによって実施され得るし、ステップＳ１９０１からＳ１９０３における端末デバイスの行為は、メモリ７０２に記憶されたアプリケーションプログラムコードを呼び出すことによって、図６に示されている端末デバイス７０中のプロセッサ７０１によって命令されたネットワークデバイスによって実施され得る。これは、この実施形態では限定されない。
【０２９８】
任意選択で、図２０は、本出願の実施形態による別の参照信号送信及び受信方法を示す。本方法は以下のステップを含む。
【０２９９】
Ｓ２００１．ネットワークデバイスが、端末デバイスに、測定サブフレームに関する情報を送信する。
【０３００】
Ｓ２００２．端末デバイスが、ネットワークデバイスから測定サブフレームに関する情報を受信する。
【０３０１】
Ｓ２００３．ネットワークデバイスが、測定サブフレームに関する情報に基づいて第１の持続時間中の時間領域リソースを決定し、時間領域リソースが、参照信号を送信するために使用される時間−周波数リソース中の時間領域リソースである。
【０３０２】
Ｓ２００４．ネットワークデバイスが、時間−周波数リソース上で端末デバイスに参照信号を送信する。
【０３０３】
Ｓ２００５．端末デバイスが、測定サブフレームに関する情報に基づいて第１の持続時間中の時間領域リソースを決定し、次いで、対応する時間−周波数リソース上でネットワークデバイスから参照信号を受信する。
【０３０４】
ステップＳ２００１からＳ２００５における参照信号、第１の持続時間、及び時間−周波数リソース中の周波数領域リソースの関係する説明については、図７に示されている実施形態における関係する説明を参照されたい。詳細について本明細書で再び説明されない。
【０３０５】
任意選択で、ステップＳ２００１からＳ２００５における測定サブフレームは、ｎビットのビットマップによって表され得るし、ｎビットのビットマップ中の各ビットは、参照信号がｎ個のサブフレームの各々中で送信されるかどうかを示すために使用され、ｎは正の整数である。
【０３０６】
例えば、ｎビットのビットマップ中のビットの候補値が１であるとき、それは、ビットに対応するサブフレームが測定サブフレームであり、ネットワークデバイスがサブフレーム中で参照信号を送信する必要があることを示し、ビットの候補値が０であるとき、それは、ビットに対応するサブフレームが測定サブフレームでなく、ネットワークデバイスがサブフレーム中で参照信号を送信する必要がないことを示す。代替として、ｎビットのビットマップ中のビットの候補値が０であるとき、それは、ビットに対応するサブフレームが測定サブフレームであり、ネットワークデバイスがサブフレーム中で参照信号を送信する必要があることを示し、ビットの候補値が１であるとき、それは、ビットに対応するサブフレームが測定サブフレームでなく、ネットワークデバイスがサブフレーム中で参照信号を送信する必要がないことを示す。これは、本出願のこの実施形態では特に限定されない。
【０３０７】
任意選択で、本出願のこの実施形態では、ネットワークデバイスは、ｎビットのビットマップによって表されるサブフレームと、有効サブフレームビットマップによって表される有効サブフレームとの交わり集合又はユニオン集合中で参照信号を送信し得る。これは、本出願のこの実施形態では特に限定されない。
【０３０８】
任意選択で、本出願のこの実施形態では、期間（ｐｅｒｉｏｄ）、オフセット（ｏｆｆｓｅｔ）、繰り返し数量などが、測定サブフレームのためにさらにフレキシブルに構成され得る。これは、本出願のこの実施形態では特に限定されない。
【０３０９】
任意選択で、本出願のこの実施形態では、ビットマップの期間は、１、２、…、又はＫ１などの正の整数であり得る。これは、本出願のこの実施形態では特に限定されない。
【０３１０】
任意選択で、本出願のこの実施形態では、ビットマップのオフセットは、Ｋ２個のシステムフレーム又はＫ３個のサブフレームであり得るし、Ｋ２は０又は正の整数であり、Ｋ３は０又は正の整数である。ビットマップのオフセットは、第１の持続時間と（ビットマップの長さ×ビットマップの繰り返し数量）との間の差以下である。これは本明細書において一律に記述され、詳細について以下で再び説明されない。
【０３１１】
任意選択で、本出願のこの実施形態では、ビットマップの繰り返し数量は、１、２、…、又はＫ４などの正の整数であり得る。これは、本出願のこの実施形態では特に限定されない。
【０３１２】
例えば、第１の持続時間は４つのシステムフレームであり、ｎＢ＝４Ｔ、ｎ＝１０であり、ビットマップの期間は３つのシステムフレームであり、ビットマップのオフセットは１つのシステムフレームであり、ビットマップの繰り返し数量は１であり、ｎビットのビットマップ中のビットの候補値が１であるとき、それは、ビットに対応するサブフレームが測定サブフレームであり、ネットワークデバイスがサブフレーム中で参照信号を送信する必要があることを示し、ビットの候補値が０であるとき、それは、ビットに対応するサブフレームが測定サブフレームでなく、ネットワークデバイスがサブフレーム中で参照信号を送信する必要がないことを示す。この場合、第１の持続時間中の時間領域リソースは、図２１に示されているように、第３のシステムフレーム中のサブフレーム２及びサブフレーム７を含み得る。
【０３１３】
任意選択で、本出願のこの実施形態では、期間（ｐｅｒｉｏｄ）、オフセット（ｏｆｆｓｅｔ）、及び繰り返し数量が測定サブフレームのために構成される必要がないとき、ネットワークデバイスによって端末デバイスに送られる測定サブフレームに関する情報は、ｎビットのビットマップを含み得るか、又は期間（ｐｅｒｉｏｄ）、オフセット（ｏｆｆｓｅｔ）、若しくは繰り返し数量が測定サブフレームのために構成される必要があるとき、ネットワークデバイスによって端末デバイスに送られる測定サブフレームに関する情報は、ｎビットのビットマップと、ビットマップの期間、ビットマップのオフセット、及びビットマップの繰り返し数量のうちの少なくとも１つとを含み得る。これは本明細書において一律に記述され、詳細について以下で再び説明されない。
【０３１４】
言い換えれば、本出願のこの実施形態では、ビットマップの期間、ビットマップのオフセット、及びビットマップの繰り返し数量は、端末デバイスのためにネットワークデバイスによって構成され得るか、又はプロトコルにおいて同意され得る。これは、本出願のこの実施形態では特に限定されない。
【０３１５】
任意選択で、本出願のこの実施形態では、測定サブフレームに関する情報は、システムメッセージ又は上位レイヤシグナリング中でネットワークデバイスによって端末デバイスに送られ得る。例えば、システムメッセージはＳＩＢ又はＭＩＢであり得るし、上位レイヤシグナリングはＲＲＣシグナリングであり得る。これは、本出願のこの実施形態では特に限定されない。
【０３１６】
本出願のこの実施形態において提供される参照信号送信及び受信方法によれば、ネットワークデバイスがページング機会において対応するページングスケジューリングメッセージを送信するかどうかにかかわらず、ネットワークデバイスは、測定サブフレームに関する情報に基づいて決定された第１の持続時間中の時間領域リソースに対応する時間−周波数リソース上で参照信号を送信する。従って、本出願のこの実施形態において提供される参照信号送信及び受信方法によれば、端末デバイスの電力消費量は、端末デバイスが、開始サブフレームが、ページング機会に対応するサブフレームである、ＰＤＣＣＨサーチスペース中で、ページングスケジューリングメッセージが存在するかどうかを検出するとき、及び／又はＷＵＳがページング機会の前に存在するかどうかを検出するとき、低減されることが可能である。関係する技術的効果の分析については、図７に示されている本実施形態を参照されたい。詳細について本明細書で再び説明されない。
【０３１７】
ステップＳ２００１からＳ２００５におけるネットワークデバイスの行為は、メモリ６０２に記憶されたアプリケーションプログラムコードを呼び出すことによって、図６に示されているネットワークデバイス６０中のプロセッサ６０１によって命令されたネットワークデバイスによって実施され得るし、ステップＳ２００１からＳ２００５における端末デバイスの行為は、メモリ７０２に記憶されたアプリケーションプログラムコードを呼び出すことによって、図６に示されている端末デバイス７０中のプロセッサ７０１によって命令された端末デバイスによって実施され得る。これは、この実施形態では限定されない。
【０３１８】
上記は、ネットワーク要素間の対話の観点から、本出願の実施形態において提供される解決策について主に説明している。上記の機能を実装するために、上記のネットワークデバイス又は端末デバイスは、機能を実装するための対応するハードウェア構造及び／又はソフトウェアモジュールを含むことが理解されよう。当業者は、本明細書で開示される実施形態において説明されるユニット及びアルゴリズムステップの例と組み合わせて、本出願が、ハードウェア、又はハードウェアとコンピュータソフトウェアの組合せによって実装されることが可能であることに容易に気づいているはずである。機能がハードウェアによって実施されるか、コンピュータソフトウェアによって駆動されたハードウェアによって実施されるかは、特定の適用例及び技術的解決策の設計制約に依存する。当業者は、特定の適用例毎に説明される機能を実装するために異なる方法を使用してよいが、その実装が本出願の範囲を越えると考えられるべきではない。
【０３１９】
本出願の実施形態では、機能モジュールへの分割が、上記の方法例に基づいてネットワークデバイス又は端末デバイス上で実施されてよい。例えば、各機能モジュールが、各機能に対応する分割を通して取得され得るか、又は２つ以上の機能が、１つの処理モジュールに一体化され得る。一体化されたモジュールは、ハードウェアの形態で実装され得るか、又はソフトウェア機能モジュールの形態で実装され得る。本出願の実施形態では、モジュールへの分割は例であり、論理的機能分割に過ぎないことに留意されたい。実際の実装では、別の分割方式が使用されてよい。
【０３２０】
例えば、機能モジュールが、一体化方式における分割を通して取得されたときの、図２２は、ネットワークデバイス２２０の概略構造図である。ネットワークデバイス２２０は、処理モジュール２２０１及びトランシーバモジュール２２０２を含む。
【０３２１】
可能な実装では、処理モジュール２２０１は、不連続受信期間中のページング機会の数量に基づいて第１の持続時間中の時間領域リソースを決定するように構成され、時間領域リソースは、参照信号を送信するために使用される時間−周波数リソース中の時間領域リソースである。トランシーバモジュール２２０２は、時間−周波数リソース上で端末デバイスに参照信号を送信するように構成される。
【０３２２】
任意選択で、時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ１個のサブフレーム、又は１つ又は複数のページング機会の各々に対応するサブフレームの後のＹ１個のサブフレームのうちの少なくとも１つを含み、Ｘ１は０以上の整数であり、Ｙ１は０以上の整数であり、Ｘ１とＹ１の和は、ＤＲＸ期間中のページング機会の数量に関係する。特定の実装では、第１の時間領域リソースは、第１の持続時間中の１つ又は複数のページング機会に対応するサブフレーム、１つ又は複数のページング機会の各々に対応するサブフレームの前のＸ１個のサブフレーム、及び１つ又は複数のページング機会の各々に対応するサブフレームの後のＹ１個のサブフレームを含み、Ｘ１は０以上の整数であり、Ｙ１は０以上の整数であり、Ｘ１とＹ１の和は、不連続受信期間中のページング機会の数量に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ２個のサブフレーム、又は１つ又は複数のウェイクアップ信号の各ウェイクアップ信号の開始サブフレームの後のＹ２個のサブフレームのうちの少なくとも１つを含み、Ｘ２は０以上の整数であり、Ｙ２は０以上の整数であり、Ｘ２とＹ２の和は、ＤＲＸ期間中のページング機会の数量に関係する。特定の実装方法では、第２の時間領域リソースは、第１の持続時間中の１つ又は複数のウェイクアップ信号の開始サブフレーム、１つ又は複数のウェイクアップ信号の各々の開始サブフレームの前のＸ２個のサブフレーム、及び１つ又は複数のウェイクアップ信号の各々の開始サブフレームの後のＹ２個のサブフレームを含み、Ｘ２は０以上の整数であり、Ｙ２は０以上の整数であり、Ｘ２とＹ２の和は、不連続受信期間中のページング機会の数量に関係する。
【０３２３】
任意選択で、Ｘ１個のサブフレームは、各ページング機会に対応するサブフレームの前にありそれに連続する、Ｘ１個の連続するサブフレームであり、Ｙ１個のサブフレームは、各ページング機会に対応するサブフレームの後にありそれに連続する、Ｙ１個の連続するサブフレームである。代替として、Ｘ１個のサブフレームは、各ページング機会に対応するサブフレームの前のＺ１個のサブフレーム中の、最初のＸ１個の（連続する）サブフレームであり、Ｙ１個のサブフレームは、各ページング機会に対応するサブフレームの後にありそれに連続する、Ｙ１個の連続するサブフレームである。
【０３２４】
任意選択で、トランシーバモジュール２２０２は、端末デバイスに参照信号の第１の構成情報を送信するようにさらに構成される。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。
【０３２５】
任意選択で、Ｘ２個のサブフレームは、各ウェイクアップ信号の開始サブフレームの前にありそれに連続する、Ｘ２個の連続するサブフレームであり、Ｙ２個のサブフレームは、各ウェイクアップ信号の開始サブフレームの後にありそれに連続する、Ｙ２個の連続するサブフレームである。代替として、Ｘ２個のサブフレームは、各ウェイクアップ信号の開始サブフレームの前のＺ２個のサブフレーム中の、最初のＸ２個の連続するサブフレームであり、Ｙ２個のサブフレームは、各ウェイクアップ信号の開始サブフレームの後にありそれに連続する、Ｙ２個の連続するサブフレームである。
【０３２６】
任意選択で、トランシーバモジュール２２０２は、端末デバイスに参照信号の第２の構成情報を送信するようにさらに構成される。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３２７】
任意選択で、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【０３２８】
任意選択で、Ｎ１個のページング機会は、Ｍ１個毎のページング機会における、最初のＮ１個の連続するページング機会であるか、又はＮ１個のページング機会は、Ｍ１個毎のページング機会における、最後のＮ１個の連続するページング機会であるか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【０３２９】
任意選択で、トランシーバモジュール２２０２は、端末デバイスに参照信号の第３の構成情報を送信するようにさらに構成される。第３の構成情報は、Ｍ１及びＮ１を含むか、又はＭ１ビットのビットマップを含む。
【０３３０】
任意選択で、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【０３３１】
任意選択で、Ｎ２個のウェイクアップ信号は、Ｍ２個毎のウェイクアップ信号における、最初のＮ２個の連続するウェイクアップ信号であるか、又はＮ２個のウェイクアップ信号は、Ｍ２個毎のウェイクアップ信号における、最後のＮ２個の連続するウェイクアップ信号であるか、又はＮ２個のウェイクアップ信号は、Ｍ２ビットのビットマップによって表され、Ｍ２ビットのビットマップ中の各ビットは、参照信号が、Ｍ２個毎のウェイクアップ信号の各々の開始サブフレーム中で送信されるかどうかを示すために使用される。
【０３３２】
任意選択で、トランシーバモジュール２２０２は、端末デバイスに参照信号の第４の構成情報を送信するようにさらに構成される。第４の構成情報は、Ｍ２及びＮ２を含むか、又はＭ２ビットのビットマップを含む。
【０３３３】
任意選択で、Ｘ１とＹ１の和が不連続受信期間中のページング機会の数量に関係することは、Ｘ１とＹ１の和が、不連続受信期間中のページング機会の数量に対応する指定された値であること、又はＸ１とＹ１の和が、不連続受信期間中のページング機会の数量、不連続受信期間、及び第１の指定された値に基づいてネットワークデバイスによって決定されることを含む。
【０３３４】
任意選択で、Ｘ１及びＹ１は、式Ｘ１＋Ｙ１＝ｍｉｎ｛４Ｔ／ｎＢ，ａ｝−１を満たし、ｎＢは、不連続受信期間中のページング機会の数量を示し、Ｔは、不連続受信期間を示し、ａは、第１の指定された値である。
【０３３５】
任意選択で、Ｘ２とＹ２の和が不連続受信期間中のページング機会の数量に関係することは、Ｘ２とＹ２の和が、不連続受信期間中のページング機会の数量に対応する指定された値であること、又はＸ２とＹ２の和が、不連続受信期間中のページング機会の数量、不連続受信期間、及び第２の指定された値に基づいてネットワークデバイスによって決定されることを含む。
【０３３６】
任意選択で、Ｘ２及びＹ２は、式Ｘ２＋Ｙ２＝ｍｉｎ｛４Ｔ／ｎＢ，ｂ｝−１を満たし、ｎＢは、不連続受信期間中のページング機会の数量を示し、Ｔは、不連続受信期間を示し、ｂは、第２の指定された値である。
【０３３７】
任意選択で、トランシーバモジュール２２０２は、端末デバイスに第１のインジケーション情報を送信するようにさらに構成される。第１のインジケーション情報は、ネットワークデバイスが、第１の持続時間中のページング機会の数量に基づいて第１の持続時間中の時間領域リソースを決定することをサポートすることを示すために使用される。
【０３３８】
代替として、任意選択で、時間領域リソースは、第３の時間領域リソース又は第４の時間領域リソースのうちの少なくとも１つを含む。第３の時間領域リソース又は第４の時間領域リソースの関係する説明については、上記の方法実施形態を参照されたい。詳細について本明細書で再び説明されない。
【０３３９】
任意選択で、Ｘ５個のサブフレームは、各ページング機会に対応するサブフレームの前にありそれに連続する、Ｘ５個の連続するサブフレームであり、Ｙ５個のサブフレームは、各ページング機会に対応するサブフレームの後にありそれに連続する、Ｙ５個の連続するサブフレームである。代替として、Ｘ５個のサブフレームは、各ページング機会に対応するサブフレームの前のＺ３個のサブフレーム中の、最初のＸ５個の連続するサブフレームであり、Ｙ５個のサブフレームは、各ページング機会に対応するサブフレームの後にありそれに連続する、Ｙ５個の連続するサブフレームである。
【０３４０】
任意選択で、トランシーバモジュール２２０２は、端末デバイスに参照信号の第６の構成情報を送信するようにさらに構成される。第６の構成情報は、Ｘ５、Ｙ５、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３４１】
任意選択で、Ｘ６個のサブフレームは、各ウェイクアップ信号の開始サブフレームの前にありそれに連続する、Ｘ６個の連続するサブフレームであり、Ｙ６個のサブフレームは、各ウェイクアップ信号の開始サブフレームの後にありそれに連続する、Ｙ６個の連続するサブフレームである。代替として、Ｘ６個のサブフレームは、各ウェイクアップ信号の開始サブフレームの前のＺ４個のサブフレーム中の、最初のＸ６個の連続するサブフレームであり、Ｙ６個のサブフレームは、各ウェイクアップ信号の開始サブフレームの後にありそれに連続する、Ｙ６個の連続するサブフレームである。
【０３４２】
任意選択で、トランシーバモジュール２２０２は、端末デバイスに参照信号の第７の構成情報を送信するようにさらに構成される。第７の構成情報は、Ｘ６、Ｙ６、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３４３】
任意選択で、Ｎ３個のページング機会は、Ｍ３個毎のページング機会における、最初のＮ３個の連続するページング機会であるか、又はＮ３個のページング機会は、Ｍ３個毎のページング機会における、最後のＮ３個の連続するページング機会であるか、又はＮ３個のページング機会は、Ｍ３ビットのビットマップによって表され、Ｍ３ビットのビットマップ中の各ビットは、参照信号が、Ｍ３個毎のページング機会の各々に対応するサブフレーム中で送信されるかどうかを示すために使用される。
【０３４４】
任意選択で、トランシーバモジュール２２０２は、端末デバイスに参照信号の第８の構成情報を送信するようにさらに構成される。第８の構成情報は、Ｎ３を含むか、又はＭ３ビットのビットマップを含む。
【０３４５】
任意選択で、Ｎ４個のウェイクアップ信号は、Ｍ４個毎のウェイクアップ信号における、最初のＮ４個の連続するウェイクアップ信号であるか、又はＮ４個のウェイクアップ信号は、Ｍ４個毎のウェイクアップ信号における、最後のＮ４個の連続するウェイクアップ信号であるか、又はＮ４個のウェイクアップ信号は、Ｍ４ビットのビットマップによって表され、Ｍ４ビットのビットマップ中の各ビットは、参照信号が、Ｍ４個毎のウェイクアップ信号の各々の開始サブフレーム中で送信されるかどうかを示すために使用される。
【０３４６】
任意選択で、トランシーバモジュール２２０２は、端末デバイスに参照信号の第９の構成情報を送信するようにさらに構成される。第９の構成情報は、Ｎ４を含むか、又はＭ４ビットのビットマップを含む。
【０３４７】
任意選択で、Ｍ３及びＭ４の値の関係する説明については、上記の方法実施形態を参照されたい。詳細について本明細書で再び説明されない。
【０３４８】
別の可能な実装では、トランシーバモジュール２２０２は、端末デバイスに、測定サブフレームに関する情報を送信するように構成される。処理モジュール２２０１は、測定サブフレームに関する情報に基づいて第１の持続時間中の時間領域リソースを決定するように構成され、時間領域リソースは、参照信号を送信するために使用される時間−周波数リソース中の時間領域リソースである。トランシーバモジュール２２０２は、時間−周波数リソース上で端末デバイスに参照信号を送信するようにさらに構成される。
【０３４９】
任意選択で、測定サブフレームは、ｎビットのビットマップによって表され、ｎビットのビットマップ中の各ビットは、参照信号がｎ個のサブフレームの各々中で送信されるかどうかを示すために使用され、ｎは正の整数である。
【０３５０】
任意選択で、測定サブフレームに関する情報は、ビットマップを含み得る。
【０３５１】
任意選択で、測定サブフレームに関する情報は、ビットマップの期間、ビットマップのオフセット、及びビットマップの繰り返し数量のうちの少なくとも１つをさらに含み得る。
【０３５２】
さらに別の可能な実装では、処理モジュール２２０１は、第１の持続時間中の時間領域リソースを決定するように構成され、時間領域リソースは、参照信号を送信するために使用される時間−周波数リソース中の時間領域リソースである。トランシーバモジュール２２０２は、時間領域リソース上で端末デバイスに参照信号を送信するように構成される。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ３個のサブフレーム、及び１つ又は複数のウェイクアップ信号の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。
【０３５３】
上記の方法実施形態におけるステップの全ての関係する内容は、対応する機能モジュールの機能説明において引用され得る。詳細について本明細書で再び説明されない。
【０３５４】
この実施形態では、ネットワークデバイス２２０は、一体化方式における分割を通して取得された機能モジュールの形態で提示されている。本明細書における「モジュール」は、特定のＡＳＩＣ、回路、プロセッサ、及び１つ又は複数のソフトウェア若しくはファームウェアプログラムを実行するメモリ、集積論理回路、及び／又は上記の機能を提供することができる別の部分であり得る。単純な実施形態では、当業者は、ネットワークデバイス２２０が、図６に示されているネットワークデバイス６０の形態であってよいことを理解されよう。
【０３５５】
例えば、図６に示されているネットワークデバイス６０中のプロセッサ６０１は、メモリ６０２に記憶されたコンピュータ実行可能命令を呼び出して、ネットワークデバイス２２０が、上記の方法実施形態における参照信号送信及び受信方法におけるネットワークデバイスによって実施されるステップを実施することを可能にし得る。
【０３５６】
特に、図２２の処理モジュール２２０１の機能／実装処理は、メモリ６０２に記憶されたコンピュータ実行可能命令を呼び出すことによって、図６に示されているネットワークデバイス６０中のプロセッサ６０１によって実装され得る。代替として、図２２のトランシーバモジュール２２０２の機能／実装処理は、図６に示されているネットワークデバイス６０中のトランシーバ６０３によって実装され得る。
【０３５７】
この実施形態において提供されるネットワークデバイスは、上記の方法実施形態における参照信号送信及び受信方法におけるネットワークデバイスによって実施されるステップを実施し得る。従って、ネットワークデバイスによって達成されることが可能な技術的効果については、上記の方法実施形態を参照されたい。詳細について本明細書で再び説明されない。
【０３５８】
任意選択で、本出願の実施形態は、チップシステムをさらに提供する。チップシステムは、上記の方法実施形態における参照信号送信及び受信方法におけるネットワークデバイスによって実施されるステップ、例えば、不連続受信期間中のページング機会の数量に基づいて第１の持続時間中の時間領域リソースを決定することを実装する際にネットワークデバイスをサポートするように構成された、プロセッサを含む。可能な設計では、チップシステムはメモリをさらに含む。メモリは、ネットワークデバイスのために必要であるプログラム命令及びデータを記憶するように構成される。もちろん、メモリは、代替として、チップシステム中に存在しなくてよい。チップシステムは、チップを含み得るか、又はチップ及び別の個別デバイスを含み得る。これは、本出願のこの実施形態では特に限定されない。
【０３５９】
例えば、機能モジュールが、一体化方式における分割を通して取得されたときの、図２３は、端末デバイス２３０の概略構造図である。端末デバイス２３０は、処理モジュール２３０１及びトランシーバモジュール２３０２を含む。
【０３６０】
可能な実装では、処理モジュール２３０１は、不連続受信期間中のページング機会の数量に基づいて第１の持続時間中の時間領域リソースを決定するように構成され、時間領域リソースは、参照信号を送信するために使用される時間−周波数リソース中の時間領域リソースである。トランシーバモジュール２３０２は、時間−周波数リソース上でネットワークデバイスから参照信号を受信するように構成される。
【０３６１】
任意選択で、時間領域リソースは、第１の時間領域リソース及び第２の時間領域リソースのうちの少なくとも１つを含む。第１の時間領域リソース又は第２の時間領域リソースの関係する説明については、上記の方法実施形態を参照されたい。詳細について本明細書で再び説明されない。
【０３６２】
任意選択で、Ｘ１個のサブフレームは、各ページング機会に対応するサブフレームの前にありそれに連続する、Ｘ１個の連続するサブフレームであり、Ｙ１個のサブフレームは、各ページング機会に対応するサブフレームの後にありそれに連続する、Ｙ１個の連続するサブフレームである。代替として、Ｘ１個のサブフレームは、各ページング機会に対応するサブフレームの前のＺ１個のサブフレーム中の、最初のＸ１個の（連続する）サブフレームであり、Ｙ１個のサブフレームは、各ページング機会に対応するサブフレームの後にありそれに連続する、Ｙ１個の連続するサブフレームである。
【０３６３】
任意選択で、トランシーバモジュール２３０２は、ネットワークデバイスから参照信号の第１の構成情報を受信するようにさらに構成される。第１の構成情報は、Ｘ１、Ｙ１、第１の期間、第１の持続時間、第１の期間中の第１の持続時間のオフセット、及び第１の持続時間の繰り返し数量のうちの少なくとも１つを含む。第１の期間は、不連続受信期間に関係する期間である。第１の持続時間は、第１の期間中の時間期間である。
【０３６４】
任意選択で、Ｘ２個のサブフレームは、各ウェイクアップ信号の開始サブフレームの前にありそれに連続する、Ｘ２個の連続するサブフレームであり、Ｙ２個のサブフレームは、各ウェイクアップ信号の開始サブフレームの後にありそれに連続する、Ｙ２個の連続するサブフレームである。代替として、Ｘ２個のサブフレームは、各ウェイクアップ信号の開始サブフレームの前のＺ２個のサブフレーム中の、最初のＸ２個の連続するサブフレームであり、Ｙ２個のサブフレームは、各ウェイクアップ信号の開始サブフレームの後にありそれに連続する、Ｙ２個の連続するサブフレームである。
【０３６５】
任意選択で、トランシーバモジュール２３０２は、ネットワークデバイスから参照信号の第２の構成情報を受信するようにさらに構成される。第２の構成情報は、Ｘ２、Ｙ２、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３６６】
任意選択で、第１の持続時間中の１つ又は複数のページング機会は、第１の持続時間中の全てのページング機会のうちのＭ１個毎のページング機会中にＮ１個のページング機会を含み、Ｍ１は１以上の整数であり、Ｎ１は１以上の整数であり、Ｍ１はＮ１以上である。
【０３６７】
任意選択で、Ｎ１個のページング機会は、Ｍ１個毎のページング機会における、最初のＮ１個の連続するページング機会であるか、又はＮ１個のページング機会は、Ｍ１個毎のページング機会における、最後のＮ１個の連続するページング機会であるか、又はＮ１個のページング機会は、Ｍ１ビットのビットマップによって表され、Ｍ１ビットのビットマップ中の各ビットは、参照信号が、Ｍ１個毎のページング機会の各々に対応するサブフレーム中で送信されるかどうかを示すために使用される。
【０３６８】
任意選択で、トランシーバモジュール２３０２は、ネットワークデバイスから参照信号の第３の構成情報を受信するようにさらに構成される。第３の構成情報は、Ｍ１及びＮ１を含むか、又はＭ１ビットのビットマップを含む。
【０３６９】
任意選択で、第１の持続時間中の１つ又は複数のウェイクアップ信号は、第１の持続時間中の全てのウェイクアップ信号のうちのＭ２個毎のウェイクアップ信号中にＮ２個のウェイクアップ信号を含み、Ｍ２は１以上の整数であり、Ｎ２は１以上の整数であり、Ｍ２はＮ２以上である。
【０３７０】
任意選択で、Ｎ２個のウェイクアップ信号は、Ｍ２個毎のウェイクアップ信号における、最初のＮ２個の連続するウェイクアップ信号であるか、又はＮ２個のウェイクアップ信号は、Ｍ２個毎のウェイクアップ信号における、最後のＮ２個の連続するウェイクアップ信号であるか、又はＮ２個のウェイクアップ信号は、Ｍ２ビットのビットマップによって表され、Ｍ２ビットのビットマップ中の各ビットは、参照信号が、Ｍ２個毎のウェイクアップ信号の各々の開始サブフレーム中で送信されるかどうかを示すために使用される。
【０３７１】
任意選択で、トランシーバモジュール２３０２は、ネットワークデバイスから参照信号の第４の構成情報を受信するようにさらに構成される。第４の構成情報は、Ｍ２及びＮ２を含むか、又はＭ２ビットのビットマップを含む。
【０３７２】
任意選択で、Ｘ１とＹ１の和が不連続受信期間中のページング機会の数量に関係することは、Ｘ１とＹ１の和が、不連続受信期間中のページング機会の数量に対応する指定された値であること、又はＸ１とＹ１の和が、不連続受信期間中のページング機会の数量、不連続受信期間、及び第１の指定された値に基づいて端末デバイスによって決定されることを含む。
【０３７３】
任意選択で、Ｘ１及びＹ１は、式Ｘ１＋Ｙ１＝ｍｉｎ｛４Ｔ／ｎＢ，ａ｝−１を満たし、ｎＢは、不連続受信期間中のページング機会の数量を示し、Ｔは、不連続受信期間を示し、ａは、第１の指定された値である。
【０３７４】
任意選択で、Ｘ２とＹ２の和が不連続受信期間中のページング機会の数量に関係することは、Ｘ２とＹ２の和が、不連続受信期間中のページング機会の数量に対応する指定された値であること、又はＸ２とＹ２の和が、不連続受信期間中のページング機会の数量、不連続受信期間、及び第２の指定された値に基づいて端末デバイスによって決定されることを含む。
【０３７５】
任意選択で、Ｘ２及びＹ２は、式Ｘ２＋Ｙ２＝ｍｉｎ｛４Ｔ／ｎＢ，ｂ｝−１を満たし、ｎＢは、不連続受信期間中のページング機会の数量を示し、Ｔは、不連続受信期間を示し、ｂは、第２の指定された値である。
【０３７６】
任意選択で、トランシーバモジュール２３０２は、ネットワークデバイスから第１のインジケーション情報を受信するようにさらに構成される。第１のインジケーション情報は、端末デバイスが、第１の持続時間中のページング機会の数量に基づいて第１の持続時間中の時間領域リソースを決定することをサポートすることを示すために使用される。
【０３７７】
別の可能な実装では、トランシーバモジュール２３０２は、ネットワークデバイスから測定サブフレームに関する情報を受信するように構成される。処理モジュール２３０１は、測定サブフレームに関する情報に基づいて第１の持続時間中の時間領域リソースを決定するように構成され、時間領域リソースは、参照信号を送信するために使用される時間−周波数リソース中の時間領域リソースである。トランシーバモジュール２３０２は、時間−周波数リソース上でネットワークデバイスから参照信号を受信するようにさらに構成される。
【０３７８】
任意選択で、測定サブフレームは、ｎビットのビットマップによって表され、ｎビットのビットマップ中の各ビットは、参照信号がｎ個のサブフレームの各々中で送信されるかどうかを示すために使用され、ｎは正の整数である。
【０３７９】
任意選択で、測定サブフレームに関する情報は、ビットマップを含み得る。
【０３８０】
任意選択で、測定サブフレームに関する情報は、ビットマップの期間、ビットマップのオフセット、及びビットマップの繰り返し数量のうちの少なくとも１つをさらに含み得る。
【０３８１】
さらに別の可能な実装では、処理モジュール２３０１は、第１の持続時間中の時間領域リソースを決定するように構成され、時間領域リソースは、参照信号を送信するために使用される時間−周波数リソース中の時間領域リソースである。トランシーバモジュール２３０２は、時間領域リソース上でネットワークデバイスから参照信号を受信するように構成される。時間領域リソースは、第１の時間領域リソース及び第２の時間領域リソースのうちの少なくとも１つを含む。第１の時間領域リソースは、第１の持続時間中の１つ又は複数のページング機会に対応するサブフレーム、１つ又は複数のページング機会の各々に対応するサブフレームの前のＸ３個のサブフレーム、及び１つ又は複数のページング機会の各々に対応するサブフレームの後のＹ３個のサブフレームを含み、Ｘ３は０以上の整数であり、Ｙ３は０以上の整数であり、Ｘ３とＹ３の和は、第３の指定された値に関係する。第２の時間領域リソースは、第１の持続時間中の１つ又は複数のウェイクアップ信号の開始サブフレーム、１つ又は複数のウェイクアップ信号の各ウェイクアップ信号の開始サブフレームの前のＸ３個のサブフレーム、及び１つ又は複数のウェイクアップ信号の各ウェイクアップ信号の開始サブフレームの後のＹ３個のサブフレームを含み、Ｘ３は０以上の整数であり、Ｙ３は０以上の整数であり、Ｘ３とＹ３の和は、第４の指定された値に関係する。
【０３８２】
代替として、任意選択で、時間領域リソースは、第３の時間領域リソース又は第４の時間領域リソースのうちの少なくとも１つを含む。第３の時間領域リソース又は第４の時間領域リソースの関係する説明については、上記の方法実施形態を参照されたい。詳細について本明細書で再び説明されない。
【０３８３】
任意選択で、Ｘ５個のサブフレームは、各ページング機会に対応するサブフレームの前にありそれに連続する、Ｘ５個の連続するサブフレームであり、Ｙ５個のサブフレームは、各ページング機会に対応するサブフレームの後にありそれに連続する、Ｙ５個の連続するサブフレームである。代替として、Ｘ５個のサブフレームは、各ページング機会に対応するサブフレームの前のＺ３個のサブフレーム中の、最初のＸ５個の連続するサブフレームであり、Ｙ５個のサブフレームは、各ページング機会に対応するサブフレームの後にありそれに連続する、Ｙ５個の連続するサブフレームである。
【０３８４】
任意選択で、トランシーバモジュール２３０２は、ネットワークデバイスから参照信号の第６の構成情報を受信するようにさらに構成される。第６の構成情報は、Ｘ５、Ｙ５、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３８５】
任意選択で、Ｘ６個のサブフレームは、各ウェイクアップ信号の開始サブフレームの前にありそれに連続する、Ｘ６個の連続するサブフレームであり、Ｙ６個のサブフレームは、各ウェイクアップ信号の開始サブフレームの後にありそれに連続する、Ｙ６個の連続するサブフレームである。代替として、Ｘ６個のサブフレームは、各ウェイクアップ信号の開始サブフレームの前のＺ４個のサブフレーム中の、最初のＸ６個の連続するサブフレームであり、Ｙ６個のサブフレームは、各ウェイクアップ信号の開始サブフレームの後にありそれに連続する、Ｙ６個の連続するサブフレームである。
【０３８６】
任意選択で、トランシーバモジュール２３０２は、ネットワークデバイスから参照信号の第７の構成情報を受信するようにさらに構成される。第７の構成情報は、Ｘ６、Ｙ６、第１の期間、第１の持続時間、第１の期間中の第１の持続時間のオフセット、又は第１の持続時間の繰り返し数量のうちの少なくとも１つを含む。第１の期間は、不連続受信期間に関係する期間である。第１の持続時間は、第１の期間中の時間期間である。
【０３８７】
任意選択で、Ｎ３個のページング機会は、Ｍ３個毎のページング機会における、最初のＮ３個の連続するページング機会であるか、又はＮ３個のページング機会は、Ｍ３個毎のページング機会における、最後のＮ３個の連続するページング機会であるか、又はＮ３個のページング機会は、Ｍ３ビットのビットマップによって表され、Ｍ３ビットのビットマップ中の各ビットは、参照信号が、Ｍ３個毎のページング機会の各々に対応するサブフレーム中で送信されるかどうかを示すために使用される。
【０３８８】
任意選択で、トランシーバモジュールは、ネットワークデバイスから参照信号の第８の構成情報を受信するようにさらに構成される。第８の構成情報は、Ｎ３を含むか、又はＭ３ビットのビットマップを含む。
【０３８９】
任意選択で、Ｎ４個のウェイクアップ信号は、Ｍ４個毎のウェイクアップ信号における、最初のＮ４個の連続するウェイクアップ信号であるか、又はＮ４個のウェイクアップ信号は、Ｍ４個毎のウェイクアップ信号における、最後のＮ４個の連続するウェイクアップ信号であるか、又はＮ４個のウェイクアップ信号は、Ｍ４ビットのビットマップによって表され、Ｍ４ビットのビットマップ中の各ビットは、参照信号が、Ｍ４個毎のウェイクアップ信号の各々の開始サブフレーム中で送信されるかどうかを示すために使用される。
【０３９０】
任意選択で、トランシーバモジュール２３０２は、ネットワークデバイスから参照信号の第９の構成情報を受信するようにさらに構成される。第９の構成情報は、Ｎ４を含むか、又はＭ４ビットのビットマップを含む。
【０３９１】
任意選択で、Ｍ３又はＭ４の値の関係する説明については、上記の方法実施形態を参照されたい。詳細について本明細書で再び説明されない。
【０３９２】
上記の方法実施形態におけるステップの全ての関係する内容は、対応する機能モジュールの機能説明において引用され得る。詳細について本明細書で再び説明されない。
【０３９３】
この実施形態では、端末デバイス２３０は、一体化方式における分割を通して取得された機能モジュールの形態で提示されている。本明細書における「モジュール」は、特定のＡＳＩＣ、回路、プロセッサ、及び１つ又は複数のソフトウェア若しくはファームウェアプログラムを実行するメモリ、集積論理回路、及び／又は上記の機能を提供することができる別の部分であり得る。単純な実施形態では、当業者は、端末デバイス２３０が、図６に示されている端末デバイス７０の形態であってよいことを理解されよう。
【０３９４】
例えば、図６に示されている端末デバイス７０中のプロセッサ７０１は、メモリ７０２に記憶されたコンピュータ実行可能命令を呼び出して、端末デバイス２３０が、上記の方法実施形態における参照信号送信及び受信方法における端末デバイスによって実施されるステップを実施することを可能にし得る。
【０３９５】
特に、図２３の処理モジュール２３０１の機能／実装処理は、メモリ７０２に記憶されたコンピュータ実行可能命令を呼び出すことによって、図６に示されている端末デバイス７０中のプロセッサ７０１によって実装され得る。代替として、図２３のトランシーバモジュール２３０２の機能／実装処理は、図６に示されている端末デバイス７０中のトランシーバ７０３によって実装され得る。
【０３９６】
この実施形態において提供される端末デバイスは、上記の方法実施形態における参照信号送信及び受信方法における端末デバイスによって実施されるステップを実施し得る。従って、端末デバイスによって達成されることが可能な技術的効果については、上記の方法実施形態を参照されたい。詳細について本明細書で再び説明されない。
【０３９７】
任意選択で、本出願の実施形態は、チップシステムをさらに提供する。チップシステムは、上記の方法実施形態における参照信号送信及び受信方法における端末デバイスによって実施されるステップ、例えば、不連続受信期間中のページング機会の数量に基づいて第１の持続時間中の時間領域リソースを決定することを実装する際に端末デバイスをサポートするように構成された、プロセッサを含む。可能な設計では、チップシステムはメモリをさらに含む。メモリは、端末デバイスのために必要であるプログラム命令及びデータを記憶するように構成される。もちろん、メモリは、代替として、チップシステム中に存在しなくてよい。チップシステムは、チップを含み得るか、又はチップ及び別の個別デバイスを含み得る。これは、本出願のこの実施形態では特に限定されない。
【０３９８】
上記の実施形態の全部又は一部は、ソフトウェア、ハードウェア、ファームウェア、又はそれらの任意の組合せによって実装され得る。実施形態を実装するためにソフトウェアプログラムが使用されるとき、実施形態の全部又は一部はコンピュータプログラム製品の形態で実装され得る。コンピュータプログラム製品は、１つ又は複数のコンピュータ命令を含む。コンピュータプログラム命令がコンピュータ上にロードされ、実行されたとき、本出願の実施形態による手順又は機能が、全て又は部分的に生成される。コンピュータは、汎用コンピュータ、専用コンピュータ、コンピュータネットワーク、又は別のプログラマブル装置であり得る。コンピュータ命令は、コンピュータ可読記憶媒体に記憶され得るか、又は１つのコンピュータ可読記憶媒体から別のコンピュータ可読記憶媒体に送信され得る。例えば、コンピュータ命令は、ワイヤード（例えば、同軸ケーブル、光ファイバー、若しくはデジタル加入者回線（ｄｉｇｉｔａｌ  ｓｕｂｓｃｒｉｂｅｒ  ｌｉｎｅ、ＤＳＬ））又はワイヤレス（例えば、赤外線、ワイヤレス、又はマイクロ波）方式で、ウェブサイト、コンピュータ、サーバ、又はデータセンターから別のウェブサイト、コンピュータ、サーバ、又はデータセンターに送信され得る。コンピュータ可読記憶媒体は、１つ又は複数の使用可能な媒体を組み込んでいる、サーバ又はデータセンターなどのコンピュータ又はデータ記憶デバイスによってアクセス可能な任意の使用可能な媒体であり得る。使用可能な媒体は、磁気媒体（例えば、フロッピーディスク、ハードディスク、又は磁気テープ）、光媒体（例えば、ＤＶＤ）、半導体媒体（例えば、ソリッドステートディスク（ｓｏｌｉｄ  ｓｔａｔｅ  ｄｉｓｋ、ＳＳＤ））などであり得る。
【０３９９】
本出願について実施形態に関して説明されたが、保護を請求する本出願を実装する処理において、当業者は、添付の図面、開示された内容、及び添付の特許請求の範囲を閲覧することによって、開示された実施形態の別の変形を理解及び実装し得る。特許請求の範囲において、「備える」（ｃｏｍｐｒｉｓｉｎｇ）という用語は、別の構成要素又は別のステップを除外せず、「ａ」又は「ｏｎｅ」は、複数の場合を除外しない。単一のプロセッサ又は別のユニットは、特許請求の範囲において列挙されたいくつかの機能を実装し得る。いくつかの手段が、互いに異なる従属請求項に記録されているが、これは、これらの手段が、より良い効果を奏するために組み合わされることが不可能であることを意味しない。
【０４００】
本出願について特定の特徴及びそれの実施形態に関して説明されたが、本出願の趣旨及び範囲から逸脱することなくそれらに対して様々な修正及び組合せが行われ得ることが明らかである。対応して、本明細書及び添付の図面は、添付の特許請求の範囲によって定義される本出願の例示的な説明にすぎず、本出願の範囲内のあらゆる又は全ての修正、変形、組合せ、又は均等物を包含することを意図されている。当業者は、本出願の趣旨及び範囲から逸脱することなく本出願に対して様々な修正及び変形を行うことができることが明らかである。本出願は、以下の特許請求の範囲によって定義される保護の範囲及びその等価な技術内にそれらが入るという条件で、本出願のこれらの修正及び変形を包含することを意図されている。
【国際調査報告】
2021536183.tif 000040
2021536183.tif 000041
2021536183.tif 000042
2021536183.tif 000043